(57)【要約】  本開示は、一般的に、集約された健康記録を電子デバイス上に表示することに関する。この方法は、デバイスが一ヘルスケア提供者に関連付けられている間に、ユーザに関する健康記録を表示する要求を受信することを含む。この方法はまた、第１の要求の受信に応答して健康記録カテゴリを表示することを含み、デバイスがヘルスケア提供者と関連付けられている間にカテゴリを選択することが、デバイスにヘルスケア提供者からのこのカテゴリの健康記録を表示させる。この方法はまた、デバイスが２つのヘルスケア提供者に関連付けられている間にユーザの健康記録を表示する第２の要求を受信することを含み、デバイスが双方のヘルスケア提供者と関連付けられている間にカテゴリを選択することが、デバイスに双方のヘルスケア提供者からの選択されたカテゴリの健康記録を表示させる。
2021518791.tif 000002
【特許請求の範囲】
【請求項１】
方法であって、
ディスプレイ及び１つ以上の入力デバイスを有する電子デバイスにおいて、
前記電子デバイスが第１のヘルスケア提供者に関連付けられており、かつ第２のヘルスケア提供者に関連付けられていない間に、前記１つ以上の入力デバイスを介して、第１のユーザに関する健康記録を表示する第１の要求を受信することと、
前記第１のユーザに関する健康記録を表示する前記第１の要求の受信に応答して、複数の健康記録カテゴリの表現を前記ディスプレイ上に表示することであって、前記複数の健康記録カテゴリの表現が、
前記複数のカテゴリのうちの第１のカテゴリの第１の表現であって、前記電子デバイスが前記第１のヘルスケア提供者に関連付けられており、かつ前記第２のヘルスケア提供者に関連付けられていない間に前記第１のカテゴリの前記第１の表現を選択することが、前記電子デバイスに、前記第１のヘルスケア提供者からの前記第１のカテゴリの複数の健康記録を前記ディスプレイ上に表示させる、第１の表現と、
前記複数のカテゴリのうちの第２のカテゴリの第２の表現であって、前記電子デバイスが前記第１のヘルスケア提供者に関連付けられており、かつ前記第２のヘルスケア提供者に関連付けられていない間に前記第２のカテゴリの前記第２の表現を選択することが、前記電子デバイスに、前記第１のヘルスケア提供者からの前記第２のカテゴリの複数の健康記録を前記ディスプレイ上に表示させる、第２の表現と、
を含むことと、
前記複数の健康記録カテゴリの表現を表示した後、かつ前記電子デバイスが前記第２のヘルスケア提供者に関連付けられた後に、前記１つ以上の入力デバイスを介して、前記第１のユーザに関する健康記録を表示する第２の要求を受信することと、
前記第１のユーザに関する健康記録を表示する前記第２の要求の受信に応答して、前記複数の健康記録カテゴリの表現を前記ディスプレイ上に表示することであって、前記複数の健康記録カテゴリの表現が、
前記複数のカテゴリのうちの前記第１のカテゴリの前記第１の表現であって、前記電子デバイスが前記第１のヘルスケア提供者及び前記第２のヘルスケア提供者に関連付けられている間に前記第１のカテゴリの前記第１の表現を選択することが、前記電子デバイスに、前記第１のヘルスケア提供者からの前記第１のカテゴリの１つ以上の健康記録及び前記第２のヘルスケア提供者からの前記第１のカテゴリの１つ以上の健康記録を前記ディスプレイ上に表示させる、前記第１の表現と、
前記複数のカテゴリのうちの前記第２のカテゴリの前記第２の表現であって、前記電子デバイスが前記第１のヘルスケア提供者及び前記第２のヘルスケア提供者に関連付けられている間に前記第２のカテゴリの前記第２の表現を選択することが、前記電子デバイスに、前記第１のヘルスケア提供者からの前記第２のカテゴリの１つ以上の健康記録及び前記第２のヘルスケア提供者からの前記第２のカテゴリの１つ以上の健康記録を前記ディスプレイ上に表示させる、前記第２の表現と、
を含むことと、
を含む方法。
【請求項２】
前記１つ以上の入力デバイスを介して、前記第１のカテゴリの前記第１の表現の第１の選択を受信することと、
前記第１の選択の受信に応答して、前記第１の健康記録カテゴリの複数のサブカテゴリの表現を前記ディスプレイ上に表示することであって、前記第１の健康記録カテゴリの複数のサブカテゴリの表現が、
前記第１のカテゴリの第１のサブカテゴリの第１の表現であって、前記第１のカテゴリの前記第１のサブカテゴリの前記第１の表現を選択することが、前記電子デバイスに、前記第１のヘルスケア提供者からの前記第１のカテゴリの前記第１のサブカテゴリの複数の健康記録を前記ディスプレイ上に表示させる、第１の表現と、
前記第１のカテゴリの第２のサブカテゴリの第２の表現であって、前記第１のカテゴリの前記第２のサブカテゴリの前記第２の表現を選択することが、前記電子デバイスに、前記第１のヘルスケア提供者からの前記第１のカテゴリの前記第２のサブカテゴリの複数の健康記録を前記ディスプレイ上に表示させる、第２の表現と、
を含むことと、
を更に含む、請求項１に記載の方法。
【請求項３】
第１の種類の健康記録が第１の色で表示され、第２の種類の健康記録が、前記第１の色とは異なる第２の色で表示される、請求項１又は２に記載の方法。
【請求項４】
前記複数の健康記録カテゴリの表現を前記ディスプレイ上に表示することが、
前記第１のカテゴリを要約する第１の内容と、前記第１のカテゴリに関連付けられた第１のカテゴリ情報アフォーダンスとを前記ディスプレイ上に表示することであって、前記第１のカテゴリ情報アフォーダンスを選択することが、前記電子デバイスに、前記第１の内容に含まれない前記第１のカテゴリに関連付けられた更なる内容を前記ディスプレイ上に表示させることと、
前記第２のカテゴリを要約する第２の内容と、前記第２のカテゴリの第２のカテゴリ情報アフォーダンスとを前記ディスプレイ上に表示することであって、前記第２のカテゴリ情報アフォーダンスを選択することが、前記電子デバイスに、前記第２の内容に含まれない前記第２のカテゴリに関連付けられた更なる内容を前記ディスプレイ上に表示させることと、
を更に含む、請求項１から３のいずれか一項に記載の方法。
【請求項５】
前記第１のカテゴリの前記複数の健康記録が時系列で表示され、
前記第２のカテゴリの前記複数の健康記録が時系列で表示される、
請求項１から４のいずれか一項に記載の方法。
【請求項６】
前記第１のヘルスケア提供者からの前記第１のカテゴリの前記複数の健康記録は、前記第１のヘルスケア提供者からの前記第１のカテゴリの第１の健康記録及び前記第１のヘルスケア提供者からの前記第１のカテゴリの前記第２の健康記録を含み、
前記第１のヘルスケア提供者からの前記第２のカテゴリの前記複数の健康記録は、前記第１のヘルスケア提供者からの前記第２のカテゴリの第３の健康記録及び前記第１のヘルスケア提供者からの前記第２のカテゴリの第４の健康記録を含み、
前記第１のヘルスケア提供者からの前記第１のカテゴリの前記第１の健康記録及び前記第１のヘルスケア提供者からの前記第２のカテゴリの前記第３の健康記録は、前記第１のヘルスケア提供者への第１の受診の記録であり、
前記第１のヘルスケア提供者からの前記第１のカテゴリの前記第２の健康記録及び前記第１のヘルスケア提供者からの前記第２のカテゴリの前記第４の健康記録は、前記第１のヘルスケア提供者への第２の受診の記録であり、
前記方法が、
前記第１のユーザに関する健康記録を表示する前記第１の要求の受信に応答して、前記第１の健康記録及び前記第３の健康記録を前記ディスプレイ上で第１のグループ内に同時に表示することであって、前記第１のグループは、前記ディスプレイ上で前記第１の受診の第１の日付によって識別されることと、
前記第１のユーザに関する健康記録を表示する前記第１の要求の受信に応答して、前記第２の健康記録及び前記第４の健康記録を前記ディスプレイ上で第２のグループ内に同時に表示することであって、前記第２のグループは、前記ディスプレイ上で前記第２の受診の第２の日付によって識別され、前記第１の日付は前記第２の日付とは異なることと、
を更に含む、請求項１から５のいずれか一項に記載の方法。
【請求項７】
前記第２のヘルスケア提供者からの前記第１のカテゴリの前記複数の健康記録は、前記第２のヘルスケア提供者からの前記第１のカテゴリの第５の健康記録を含み、
前記第２のヘルスケア提供者からの前記第２のカテゴリの前記複数の健康記録は、前記第２のヘルスケア提供者からの前記第２のカテゴリの第６の健康記録を含み、
前記第２のヘルスケア提供者からの前記第１のカテゴリの前記第５の健康記録及び前記第２のヘルスケア提供者からの前記第２のカテゴリの前記第６の健康記録は、前記第２のヘルスケア提供者への第３の受診の記録であり、
前記方法は、前記第１のユーザに関する健康記録を表示する前記第２の要求の受信に応答して、前記第５の健康記録及び前記第６の健康記録を前記ディスプレイ上で第３のグループ内に同時に表示することを更に含み、
前記第３のグループは、前記ディスプレイ上で前記第２のヘルスケア提供者への前記第３の受診の第３の日付によって識別され、
前記第１のグループ、前記第２のグループ及び前記第３のグループは、ディスプレイ上に同時に表示される、
請求項６に記載の方法。
【請求項８】
前記第１のヘルスケア提供者からの前記第１のカテゴリの前記第１の健康記録及び前記第１のヘルスケア提供者からの前記第１のカテゴリの前記第２の健康記録は、第１の色で表示され、
前記第１のヘルスケア提供者からの前記第２のカテゴリの前記第３の健康記録及び前記第１のヘルスケア提供者からの前記第２のカテゴリの前記第４の健康記録は、第１の色とは異なる第２の色で表示される、
請求項６又は７に記載の方法。
【請求項９】
前記第１のヘルスケア提供者からの前記第１のカテゴリの前記第１の健康記録に対する更新を受信することと、
前記第１のグループの前記第１の健康記録に関連付けられた第１の更新バッジを前記ディスプレイ上に表示することであって、前記第１の更新バッジ及び前記第１の健康記録は、前記ディスプレイの第１の領域内に同時に表示されることと、
を更に含む、請求項６から８のいずれか一項に記載の方法。
【請求項１０】
前記第１のユーザに関する健康記録を表示する前記第１の要求の受信に応答して、前記第１のヘルスケア提供者の識別情報及び所在地を特定する第１の内容を前記ディスプレイ上に表示することと、
前記第１のユーザに関する健康記録を表示する前記第２の要求の受信に応答して、前記第２のヘルスケア提供者の識別情報及び所在地を特定する第２の内容を前記ディスプレイ上に表示することと、
を更に含む、請求項１から９のいずれか一項に記載の方法。
【請求項１１】
前記電子デバイスが前記第１のヘルスケア提供者に関連付けられている間に、前記第１のカテゴリの前記第１の表現の選択を検出することと、
前記電子デバイスが前記第１のヘルスケア提供者に関連付けられている間に前記第１のカテゴリの前記第１の表現の選択を検出したことに応答して、前記第１のヘルスケア提供者からの前記第１のカテゴリの前記複数の健康記録のうちの第１の健康記録の第１の表現を前記ディスプレイ上に表示することであって、
前記第１の健康記録の前記第１の表現は、ある数値範囲内の数値を含み、
前記数値は前記第１のユーザの健康状態を示し、前記数値範囲は前記健康に関する正常な数値範囲を示す、
ことと、
を含む、請求項１から１０のいずれか一項に記載の方法。
【請求項１２】
前記数値を、前記第１のユーザの前記健康状態の重症度に基づいて選択された色で表示することを更に含む、請求項１１に記載の方法。
【請求項１３】
前記第１のヘルスケア提供者からの前記第１のカテゴリの前記複数の健康記録の第２の健康記録の第２の表現を表示することを更に含み、前記第２の健康記録の前記第２の表現は、ある期間にわたる前記第１のユーザの状態を示すグラフを含む、請求項１から１２のいずれか一項に記載の方法。
【請求項１４】
前記第１のヘルスケア提供者からの前記第１のカテゴリの前記複数の健康記録のうちの第３の健康記録の第３の表現を表示することを更に含み、前記第３の健康記録の前記第３の表現は、前記第１のユーザの医療記録を示す画像を含む、請求項１から１３のいずれか一項に記載の方法。
【請求項１５】
前記第１の健康記録カテゴリの一健康記録に対する更新を受信することと、
前記第１のカテゴリの前記健康記録に対する前記更新を受信した後に、前記第１のユーザに関する前記健康記録を表示する前記第１の要求及び前記第１のユーザに関する前記健康記録を表示する前記第２の要求のうちの少なくとも１つの受信に応答して、前記第１のカテゴリに関連付けられた第２の更新バッジを前記ディスプレイ上に表示することであって、前記第２の更新バッジ及び前記第１のカテゴリの前記第１の表現が、前記ディスプレイの第１の領域内に同時に表示されることと、
を更に含む、請求項１から１４のいずれか一項に記載の方法。
【請求項１６】
第２の更新バッジが、前記第１のカテゴリの前記第１の表現に視覚的に関連付けられている、請求項１５に記載の方法。
【請求項１７】
前記電子デバイスが前記第１のヘルスケア提供者に関連付けられている間に前記第１のカテゴリの前記第１の表現を選択することが、前記デバイスに、前記第１の健康記録カテゴリの前記健康記録の表現を前記ディスプレイ上に表示させ、前記第２の更新バッジが、前記第１の健康記録カテゴリの前記健康記録の前記表現に視覚的に関連付けられている、請求項１５又は１６に記載の方法。
【請求項１８】
前記第２の更新バッジを前記ディスプレイ上に表示することが、前記健康記録に対する前記更新の内容を前記第２の更新バッジ上に表示することを含む、請求項１５から１７のいずれか一項に記載の方法。
【請求項１９】
前記第２の更新バッジを選択する要求を、前記１つ以上の入力デバイスを介して受信することと、
前記第２の更新バッジを選択する前記要求の受信に応答して、前記第１の健康記録カテゴリの前記健康記録に対する前記更新を前記ディスプレイ上に表示することと、
を更に含む、請求項１５から１８のいずれか一項に記載の方法。
【請求項２０】
前記健康記録に対する前記更新を前記ディスプレイ上に表示することが、前記健康記録に対する前記更新と、前記健康記録に関連付けられた推奨アフォーダンスとを同時に表示することを含み、前記方法が、
前記推奨アフォーダンスを選択する要求を、前記１つ以上の入力デバイスを介して受信することと、
前記推奨アフォーダンスを選択する前記要求の受信に応答して、推奨されるアクションを前記ディスプレイ上に表示することであって、前記推奨されるアクションは、前記健康記録に対する前記更新に基づいていることと、
を更に含む、請求項１９に記載の方法。
【請求項２１】
前記推奨が、前記第１のヘルスケア提供者との予約をスケジュールするための推奨であり、前記推奨されるアクションを表示することは、前記推奨されるアクションとスケジューリングアフォーダンスとを同時に表示することを含む、請求項２０に記載の方法。
【請求項２２】
前記第１の健康記録カテゴリの一健康記録に対する更新を受信することと、
前記健康記録に対する前記更新の受信に応答して、
前記更新の重要性が閾値よりも大きいという判定に従って、前記更新の通知を前記ディスプレイ上に表示することと、
前記更新の重要性が前記閾値未満であるという判定に従って、前記更新の前記通知を前記ディスプレイ上に表示することを取り止めることと、
を更に含む、請求項１から２１のいずれか一項に記載の方法。
【請求項２３】
前記電子デバイスが前記第１のヘルスケア提供者に関連付けられており、かつ前記第２のヘルスケア提供者に関連付けられていない間に前記第１のカテゴリの前記第１の表現を選択することが、前記電子デバイスに、前記第１のヘルスケア提供者からの前記第１のカテゴリに関連付けられた過去の健康記録を前記ディスプレイ上に表示させ、前記第１のカテゴリに関連付けられた前記過去の健康記録が、前記第１のヘルスケア提供者からの前記第１のカテゴリの前記複数の健康記録を含み、
前記電子デバイスが前記第１のヘルスケア提供者に関連付けられており、かつ前記第２のヘルスケア提供者に関連付けられていない間に前記第２のカテゴリの前記第２の表現を選択することが、前記電子デバイスに、前記第１のヘルスケア提供者からの前記第２のカテゴリに関連付けられた過去の健康記録を前記ディスプレイ上に表示させ、前記第２のカテゴリに関連付けられた前記過去の健康記録が、前記第１のヘルスケア提供者からの前記第２のカテゴリの前記複数の健康記録を含み、
前記電子デバイスが前記第１のヘルスケア提供者及び前記第２のヘルスケア提供者と関連付けられている間に前記第１のカテゴリの前記第１の表現を選択することが、前記電子デバイスに、前記第１のヘルスケア提供者及び前記第２のヘルスケア提供者からの前記第１のカテゴリに関連付けられた過去の健康記録を前記ディスプレイ上に表示させ、前記第１のカテゴリに関連付けられた前記過去の健康記録が、前記第１のヘルスケア提供者からの前記第１のカテゴリの前記１つ以上の健康記録及び前記第２のヘルスケア提供者からの前記第１のカテゴリの前記１つ以上の健康記録を含み、
前記電子デバイスが前記第１のヘルスケア提供者及び前記第２のヘルスケア提供者と関連付けられている間に前記第２のカテゴリの前記第２の表現を選択することが、前記電子デバイスに、前記第１のヘルスケア提供者から及び前記第２のヘルスケア提供者からの前記第２のカテゴリに関連付けられた過去の健康記録を前記ディスプレイ上に表示させ、前記第２のカテゴリに関連付けられた前記過去の健康記録は、前記第１のヘルスケア提供者からの前記第２のカテゴリの１つ以上の健康記録及び前記第２のヘルスケア提供者からの前記第２のカテゴリの１つ以上の健康記録である、
請求項１から２２のいずれか一項に記載の方法。
【請求項２４】
電子デバイスであって、
ディスプレイと、
１つ以上の入力デバイスと、
１つ以上のプロセッサと、
メモリと、
１つ以上のプログラムと、を備える、電子デバイスであって、前記１つ以上のプログラムは前記メモリに記憶され、前記１つ以上のプロセッサによって実行されるように構成されており、前記１つ以上のプログラムは、
前記電子デバイスが第１のヘルスケア提供者に関連付けられており、かつ第２のヘルスケア提供者に関連付けられていない間に、前記１つ以上の入力デバイスを介して、第１のユーザに関する健康記録を表示する第１の要求を受信することと、
前記第１のユーザに関する健康記録を表示する前記第１の要求の受信に応答して、複数の健康記録カテゴリの表現を前記ディスプレイ上に表示することであって、前記複数の健康記録カテゴリの表現が、
前記複数のカテゴリのうちの第１のカテゴリの第１の表現であって、前記電子デバイスが前記第１のヘルスケア提供者に関連付けられており、かつ前記第２のヘルスケア提供者に関連付けられていない間に前記第１のカテゴリの前記第１の表現を選択することが、前記電子デバイスに、前記第１のヘルスケア提供者からの前記第１のカテゴリの複数の健康記録を前記ディスプレイ上に表示させる、第１の表現と、
前記複数のカテゴリのうちの第２のカテゴリの第２の表現であって、前記電子デバイスが前記第１のヘルスケア提供者に関連付けられており、かつ前記第２のヘルスケア提供者に関連付けられていない間に前記第２のカテゴリの前記第２の表現を選択することが、前記電子デバイスに、前記第１のヘルスケア提供者からの前記第２のカテゴリの複数の健康記録を前記ディスプレイ上に表示させる、第２の表現と、
を含むことと、
前記複数の健康記録カテゴリの表現を表示した後、かつ前記電子デバイスが前記第２のヘルスケア提供者に関連付けられた後に、前記１つ以上の入力デバイスを介して、前記第１のユーザに関する健康記録を表示する第２の要求を受信することと、
前記第１のユーザに関する健康記録を表示する前記第２の要求の受信に応答して、前記複数の健康記録カテゴリの表現を前記ディスプレイ上に表示することであって、前記複数の健康記録カテゴリの表現が、
前記複数のカテゴリのうちの前記第１のカテゴリの前記第１の表現であって、前記電子デバイスが前記第１のヘルスケア提供者及び前記第２のヘルスケア提供者に関連付けられている間に前記第１のカテゴリの前記第１の表現を選択することが、前記電子デバイスに、前記第１のヘルスケア提供者からの前記第１のカテゴリの１つ以上の健康記録及び前記第２のヘルスケア提供者からの前記第１のカテゴリの１つ以上の健康記録を前記ディスプレイ上に表示させる、前記第１の表現と、
前記複数のカテゴリのうちの前記第２のカテゴリの前記第２の表現であって、前記電子デバイスが前記第１のヘルスケア提供者及び前記第２のヘルスケア提供者に関連付けられている間に前記第２のカテゴリの前記第２の表現を選択することが、前記電子デバイスに、前記第１のヘルスケア提供者からの前記第２のカテゴリの１つ以上の健康記録及び前記第２のヘルスケア提供者からの前記第２のカテゴリの１つ以上の健康記録を前記ディスプレイ上に表示させる、前記第２の表現と、
を含むことと、
のための命令を含む、電子デバイス。
【請求項２５】
１つ以上のプログラムを記憶する非一時的コンピュータ可読記憶媒体であって、前記１つ以上のプログラムは、ディスプレイ及び１つ以上の入力デバイスを有する電子デバイスの１つ以上のプロセッサによって実行されると、前記電子デバイスに、
前記電子デバイスが第１のヘルスケア提供者に関連付けられており、かつ第２のヘルスケア提供者に関連付けられていない間に、前記１つ以上の入力デバイスを介して、第１のユーザに関する健康記録を表示する第１の要求を受信することと、
前記第１のユーザに関する健康記録を表示する前記第１の要求の受信に応答して、複数の健康記録カテゴリの表現を前記ディスプレイ上に表示することであって、前記複数の健康記録カテゴリの表現が、
前記複数のカテゴリのうちの第１のカテゴリの第１の表現であって、前記電子デバイスが前記第１のヘルスケア提供者に関連付けられており、かつ前記第２のヘルスケア提供者に関連付けられていない間に前記第１のカテゴリの前記第１の表現を選択することが、前記電子デバイスに、前記第１のヘルスケア提供者からの前記第１のカテゴリの複数の健康記録を前記ディスプレイ上に表示させる、第１の表現と、
前記複数のカテゴリのうちの第２のカテゴリの第２の表現であって、前記電子デバイスが前記第１のヘルスケア提供者に関連付けられており、かつ前記第２のヘルスケア提供者に関連付けられていない間に前記第２のカテゴリの前記第２の表現を選択することが、前記電子デバイスに、前記第１のヘルスケア提供者からの前記第２のカテゴリの複数の健康記録を前記ディスプレイ上に表示させる、第２の表現と、
を含むことと、
前記複数の健康記録カテゴリの表現を表示した後、かつ前記電子デバイスが前記第２のヘルスケア提供者に関連付けられた後に、前記１つ以上の入力デバイスを介して、前記第１のユーザに関する健康記録を表示する第２の要求を受信することと、
前記第１のユーザに関する健康記録を表示する前記第２の要求の受信に応答して、前記複数の健康記録カテゴリの表現を前記ディスプレイ上に表示することであって、前記複数の健康記録カテゴリの表現が、
前記複数のカテゴリのうちの前記第１のカテゴリの前記第１の表現であって、前記電子デバイスが前記第１のヘルスケア提供者及び前記第２のヘルスケア提供者に関連付けられている間に前記第１のカテゴリの前記第１の表現を選択することが、前記電子デバイスに、前記第１のヘルスケア提供者からの前記第１のカテゴリの１つ以上の健康記録及び前記第２のヘルスケア提供者からの前記第１のカテゴリの１つ以上の健康記録を前記ディスプレイ上に表示させる、前記第１の表現と、
前記複数のカテゴリのうちの前記第２のカテゴリの前記第２の表現であって、前記電子デバイスが前記第１のヘルスケア提供者及び前記第２のヘルスケア提供者に関連付けられている間に前記第２のカテゴリの前記第２の表現を選択することが、前記電子デバイスに、前記第１のヘルスケア提供者からの前記第２のカテゴリの１つ以上の健康記録及び前記第２のヘルスケア提供者からの前記第２のカテゴリの１つ以上の健康記録を前記ディスプレイ上に表示させる、前記第２の表現と、
を含むことと、
を実行させる命令を含む、非一時的コンピュータ可読記憶媒体。
【請求項２６】
電子デバイスであって、
ディスプレイと、
１つ以上の入力デバイスと、
前記電子デバイスが第１のヘルスケア提供者に関連付けられており、かつ第２のヘルスケア提供者に関連付けられていない間に、前記１つ以上の入力デバイスを介して、第１のユーザに関する健康記録を表示する第１の要求を受信するための手段と、
前記第１のユーザに関する健康記録を表示する前記第１の要求の受信に応答して、複数の健康記録カテゴリの表現を前記ディスプレイ上に表示するための手段であって、前記複数の健康記録カテゴリの表現が、
前記複数のカテゴリのうちの第１のカテゴリの第１の表現であって、前記電子デバイスが前記第１のヘルスケア提供者に関連付けられており、かつ前記第２のヘルスケア提供者に関連付けられていない間に前記第１のカテゴリの前記第１の表現を選択することが、前記電子デバイスに、前記第１のヘルスケア提供者からの前記第１のカテゴリの複数の健康記録を前記ディスプレイ上に表示させる、第１の表現と、
前記複数のカテゴリのうちの第２のカテゴリの第２の表現であって、前記電子デバイスが前記第１のヘルスケア提供者に関連付けられており、かつ前記第２のヘルスケア提供者に関連付けられていない間に前記第２のカテゴリの前記第２の表現を選択することが、前記電子デバイスに、前記第１のヘルスケア提供者からの前記第２のカテゴリの複数の健康記録を前記ディスプレイ上に表示させる、第２の表現と、
を含む手段と、
前記複数の健康記録カテゴリの表現を表示した後、かつ前記電子デバイスが前記第２のヘルスケア提供者に関連付けられた後に、前記１つ以上の入力デバイスを介して、前記第１のユーザに関する健康記録を表示する第２の要求を受信するための手段と、
前記第１のユーザに関する健康記録を表示する前記第２の要求の受信に応答して、前記複数の健康記録カテゴリの表現を前記ディスプレイ上に表示するための手段であって、前記複数の健康記録カテゴリの表現が、
前記複数のカテゴリのうちの前記第１のカテゴリの前記第１の表現であって、前記電子デバイスが前記第１のヘルスケア提供者及び前記第２のヘルスケア提供者に関連付けられている間に前記第１のカテゴリの前記第１の表現を選択することが、前記電子デバイスに、前記第１のヘルスケア提供者からの前記第１のカテゴリの１つ以上の健康記録及び前記第２のヘルスケア提供者からの前記第１のカテゴリの１つ以上の健康記録を前記ディスプレイ上に表示させる、前記第１の表現と、
前記複数のカテゴリのうちの前記第２のカテゴリの前記第２の表現であって、前記電子デバイスが前記第１のヘルスケア提供者及び前記第２のヘルスケア提供者に関連付けられている間に前記第２のカテゴリの前記第２の表現を選択することが、前記電子デバイスに、前記第１のヘルスケア提供者からの前記第２のカテゴリの１つ以上の健康記録及び前記第２のヘルスケア提供者からの前記第２のカテゴリの１つ以上の健康記録を前記ディスプレイ上に表示させる、前記第２の表現と、
を含む手段と、
を備える電子デバイス。
【請求項２７】
ディスプレイ及び１つ以上の入力デバイスを有する電子デバイスにおいて使用するための情報処理装置であって、
前記電子デバイスが第１のヘルスケア提供者に関連付けられており、かつ第２のヘルスケア提供者に関連付けられていない間に、前記１つ以上の入力デバイスを介して、第１のユーザに関する健康記録を表示する第１の要求を受信するための手段と、
前記第１のユーザに関する健康記録を表示する前記第１の要求の受信に応答して、複数の健康記録カテゴリの表現を前記ディスプレイ上に表示するための手段であって、前記複数の健康記録カテゴリの表現が、
前記複数のカテゴリのうちの第１のカテゴリの第１の表現であって、前記電子デバイスが前記第１のヘルスケア提供者に関連付けられており、かつ前記第２のヘルスケア提供者に関連付けられていない間に前記第１のカテゴリの前記第１の表現を選択することが、前記電子デバイスに、前記第１のヘルスケア提供者からの前記第１のカテゴリの複数の健康記録を前記ディスプレイ上に表示させる、第１の表現と、
前記複数のカテゴリのうちの第２のカテゴリの第２の表現であって、前記電子デバイスが前記第１のヘルスケア提供者に関連付けられており、かつ前記第２のヘルスケア提供者に関連付けられていない間に前記第２のカテゴリの前記第２の表現を選択することが、前記電子デバイスに、前記第１のヘルスケア提供者からの前記第２のカテゴリの複数の健康記録を前記ディスプレイ上に表示させる、第２の表現と、
を含む手段と、
前記複数の健康記録カテゴリの表現を表示した後、かつ前記電子デバイスが前記第２のヘルスケア提供者に関連付けられた後に、前記１つ以上の入力デバイスを介して、前記第１のユーザに関する健康記録を表示する第２の要求を受信するための手段と、
前記第１のユーザに関する健康記録を表示する前記第２の要求の受信に応答して、前記複数の健康記録カテゴリの表現を前記ディスプレイ上に表示するための手段であって、前記複数の健康記録カテゴリの表現が、
前記複数のカテゴリのうちの前記第１のカテゴリの前記第１の表現であって、前記電子デバイスが前記第１のヘルスケア提供者及び前記第２のヘルスケア提供者に関連付けられている間に前記第１のカテゴリの前記第１の表現を選択することが、前記電子デバイスに、前記第１のヘルスケア提供者からの前記第１のカテゴリの１つ以上の健康記録及び前記第２のヘルスケア提供者からの前記第１のカテゴリの１つ以上の健康記録を前記ディスプレイ上に表示させる、前記第１の表現と、
前記複数のカテゴリのうちの前記第２のカテゴリの前記第２の表現であって、前記電子デバイスが前記第１のヘルスケア提供者及び前記第２のヘルスケア提供者に関連付けられている間に前記第２のカテゴリの前記第２の表現を選択することが、前記電子デバイスに、前記第１のヘルスケア提供者からの前記第２のカテゴリの１つ以上の健康記録及び前記第２のヘルスケア提供者からの前記第２のカテゴリの１つ以上の健康記録を前記ディスプレイ上に表示させる、前記第２の表現と、
を含む手段と、
を備える情報処理装置。
【請求項２８】
電子デバイスであって、
ディスプレイと、
１つ以上の入力デバイスと、
１つ以上のプロセッサと、
メモリと、
１つ以上のプログラムと、を備え、前記１つ以上のプログラムは、前記メモリに記憶され、前記１つ以上のプロセッサによって実行されるように構成されており、前記１つ以上のプログラムは、請求項１から２３のいずれか一項に記載の方法を実行するための命令を含む、電子デバイス。
【請求項２９】
１つ以上のプログラムを記憶する非一時的コンピュータ可読記憶媒体であって、前記１つ以上のプログラムは、ディスプレイ及び１つ以上の入力デバイスを有する電子デバイスの１つ以上のプロセッサによって実行されると、前記電子デバイスに、請求項１から２３のいずれか一項に記載の方法を実行させる命令を含む、非一時的コンピュータ可読記憶媒体。
【請求項３０】
電子デバイスであって、
ディスプレイと、
１つ以上の入力デバイスと、
請求項１から２３に記載の方法のいずれかを実行するための手段と、
を備える、電子デバイス。
【請求項３１】
ディスプレイ及び１つ以上の入力デバイスを有する電子デバイスにおいて使用するための情報処理装置であって、
請求項１から２３に記載の方法のいずれかを実行するための手段を備える、
情報処理装置。
【請求項３２】
方法であって、
ディスプレイ及び１つ以上の入力デバイスを有する電子デバイスにおいて、
前記電子デバイスが第１の種類の複数の健康記録項目及び前記第１の種類とは異なる第２の種類の複数の健康記録項目を含む第１のユーザに関する健康データと関連付けられている間に、前記１つ以上の入力デバイスを介して、前記第１のユーザに関する健康記録概要情報を表示する要求を受信することと、
前記要求の受信に応答して、前記第１のユーザに関する健康記録概要情報を前記ディスプレイ上に表示することであって、
第１の日付の前記第１の種類の第１の健康記録項目であって、健康記録概要情報が、前記第１の日付よりも前の日付の前記第１の種類の複数の健康記録項目を含まない、第１の健康記録項目と、
前記第１の日付とは異なる第２の日付の前記第２の種類の第２の健康記録項目であって、健康記録概要情報が、前記第２の日付よりも前の日付の前記第２の種類の複数の健康記録項目を含まない、第２の健康記録項目と、
を含む複数の健康記録項目を同時に表示することを含むことと、
を含む方法。
【請求項３３】
前記第１のユーザに関する前記健康データが、前記第１の種類及び前記第２の種類とは異なる第３の種類の複数の健康記録項目を含み、健康記録概要情報を表示することが、前記第１の健康記録項目、前記第２の健康記録項目及び、第３の日付の前記第３の種類の第３の健康記録項目を同時に表示することを更に含み、健康記録概要情報が、前記第３の日付よりも前の日付の前記第３の種類の複数の健康記録項目を含まない、請求項３２に記載の方法。
【請求項３４】
前記健康データが、前記第１のユーザの複数のヘルスケア提供者に関連付けられた健康データを含み、前記第１の健康記録項目は、前記複数のヘルスケア提供者のうちの第１のヘルスケア提供者に関連付けられており、前記第２の健康記録項目は、前記複数の提供者のうちの第２のヘルスケア提供者に関連付けられている、請求項３２又は３３に記載の方法。
【請求項３５】
前記複数の健康記録項目が、第４の日付の第４の種類の第４の健康記録項目を含み、前記第１の健康記録項目及び前記第４の健康記録項目が、第１のヘルスケア提供者に関連付けられており、前記第１の日付及び前記第４の日付は、前記第１のヘルスケア提供者への第１及び第２の受診の日付である、請求項３２から３４のいずれか一項に記載の方法。
【請求項３６】
前記第１の健康記録項目及び前記第２の健康記録項目を含む前記健康記録を表示した後に、
前記第１の日付よりも後の第３の日付の前記第１の種類の第３の健康記録項目を受信することと、
前記第３の健康記録項目を受信した後に、前記１つ以上の入力デバイスを介して、前記第１のユーザに関する健康記録概要情報を表示する第２の要求を受信することと、
前記第２の要求の受信に応答して、前記第１のユーザに関する更新された健康記録概要情報を前記ディスプレイ上に表示することであって、前記第１の健康記録項目を表示せずに前記第２の健康記録項目及び前記第３の健康記録項目を同時に表示することを含むことと、
を更に含む、請求項３２から３５のいずれか一項に記載の方法。
【請求項３７】
前記第１の健康記録項目及び前記第２の健康記録項目を含む前記健康記録を表示した後に、
前記第１のユーザに関する前記健康データの新たな健康記録項目を受信することであって、前記新たな健康記録項目の日付が、前記第１の日付及び前記第２の日付よりも後であることと、
前記新たな健康記録項目を受信した後に、前記１つ以上の入力デバイスを介して、前記第１のユーザに関する健康記録概要情報を表示する第３の要求を受信することと、
前記第３の要求の受信に応答して、前記第１のユーザに関する更新された健康記録概要情報を前記ディスプレイ上に表示することであって、前記第１の健康記録項目、前記第２の健康記録項目及び前記新たな健康記録項目を同時に表示することを含むことと、
を更に含む、請求項３２から３６のいずれか一項に記載の方法。
【請求項３８】
前記第１のユーザに関する健康記録概要情報を前記ディスプレイ上に表示している間に、
前記１つ以上の入力デバイスを介して、前記概要に表示されていない前記第１の種類の前記複数の健康記録項目を表示する第１の要求を受信することと、
前記概要に表示されていない前記第１の種類の前記複数の健康記録項目を表示する前記第１の要求の受信に応答して、前記第１の日付よりも前の日付の前記第１の種類の複数の健康記録項目を前記ディスプレイ上に表示することと、
を更に含む、請求項３２から３７のいずれか一項に記載の方法。
【請求項３９】
前記概要に表示されていない前記第１の種類の前記複数の健康記録項目を表示する前記第１の要求の受信に応答して、前記第１のユーザに関する健康記録アーカイブを前記ディスプレイ上に表示することであって、最新の日付の前記第１の種類の健康記録項目と、前記第１の日付よりも前の日付の前記第１の種類の前記複数の健康記録項目のうちの１つ以上とを同時に表示することを更に含む、
請求項３８に記載の方法。
【請求項４０】
前記概要に表示されていない前記第１の種類の前記複数の健康記録項目を表示する前記第１の要求の受信に応答して、前記第１の種類の第４の健康記録項目を、ディスプレイ上で健康記録アーカイブ内に表示することであって、前記第４の健康記録項目は、前記第１の日付よりも前の第４の日付で測定された健康指標の表現を含むことを更に含む、
請求項３９に記載の方法。
【請求項４１】
前記第１の健康記録及び前記第２の健康記録を含む前記健康記録概要情報を表示した後に、
前記第１の日付及び前記第２の日付よりも後の第３の日付の第３の種類の第３の健康記録項目を受信することと、
健康記録概要情報を閲覧する要求に応答して、前記第３の健康記録項目を含むように健康記録概要情報を更新することであって、前記第１の健康記録項目、前記第２の健康記録項目及び前記第３の健康記録項目が、健康記録概要情報内に同時に表示されることと、
を更に含む、請求項３２から４０のいずれか一項に記載の方法。
【請求項４２】
前記第１の健康記録項目が、前記第１のユーザの状態の重症度の表現を含む、請求項３２から４１のいずれか一項に記載の方法。
【請求項４３】
前記第１の健康記録項目が、ある期間にわたる前記第１のユーザの状態の表現を含む、請求項３２から４２のいずれか一項に記載の方法。
【請求項４４】
健康記録概要情報を表示する前記要求に応答して、前記第１のユーザに関する前記健康データの健康記録項目が不完全であるという判定に従い、健康記録概要情報内に不完全記録アフォーダンスを表示することを更に含む、
請求項３２から４３のいずれか一項に記載の方法。
【請求項４５】
前記１つ以上の入力デバイスを介して、健康記録概要情報内に表示された前記複数の健康記録項目のうちの一健康記録項目の正確さのユーザ検証を受信することと、
前記健康記録項目の前記正確さの前記ユーザ検証の受信に応答して、前記健康記録項目に関連付けられたヘルスケア提供者に前記ユーザ検証を提供することと、
を更に含む、請求項３２から４４のいずれか一項に記載の方法。
【請求項４６】
前記１つ以上の入力デバイスを介して、健康記録概要情報に含まれる前記複数の健康記録項目のうちの一健康記録項目が不正確であることを示す第１のユーザ指示を受信することと、
前記第１のユーザ指示の受信に応答して、前記健康記録項目を健康記録概要情報から除外することであって、前記健康記録項目は、健康記録概要情報からの除外後は健康記録概要情報に含まれないことと、
を更に含む、請求項３２から４５のいずれか一項に記載の方法。
【請求項４７】
前記第１のユーザ指示の受信に応答して、ヘルスケア提供者のコンピュータシステムからの前記健康記録項目に関する更新された情報の要求を、更なるユーザ入力なしに自動的に送信することを含む、請求項４６に記載の方法。
【請求項４８】
前記１つ以上の入力デバイスを介して、前記第１の健康記録項目を更新する情報を受信することと、
前記第１の健康記録項目を更新する前記情報を受信した後に、前記第１のユーザに関する健康記録概要情報を表示する第２の要求を受信することと、
前記第１のユーザに関する健康記録概要情報を表示する前記要求の受信に応答して、前記第１のユーザに関する更新された健康記録概要を表示することであって、前記第１の健康記録項目の変更を反映する更新された第１の健康記録項目と前記第２の健康記録項目を同時に表示することを含むことと、
を更に含む、請求項３２から４７のいずれか一項に記載の方法。
【請求項４９】
電子デバイスであって、
ディスプレイと、
１つ以上の入力デバイスと、
１つ以上のプロセッサと、
メモリと、
１つ以上のプログラムと、を備える、電子デバイスであって、前記１つ以上のプログラムは前記メモリに記憶され、前記１つ以上のプロセッサによって実行されるように構成されており、前記１つ以上のプログラムは、
前記電子デバイスが第１の種類の複数の健康記録項目及び前記第１の種類とは異なる第２の種類の複数の健康記録項目を含む第１のユーザに関する健康データと関連付けられている間に、前記１つ以上の入力デバイスを介して、前記第１のユーザに関する健康記録概要情報を表示する要求を受信することと、
前記要求の受信に応答して、前記第１のユーザに関する健康記録概要情報を前記ディスプレイ上に表示することであって、
第１の日付の前記第１の種類の第１の健康記録項目であって、健康記録概要情報が、前記第１の日付よりも前の日付の前記第１の種類の複数の健康記録項目を含まない、第１の健康記録項目と、
前記第１の日付とは異なる第２の日付の前記第２の種類の第２の健康記録項目であって、健康記録概要情報が、前記第２の日付よりも前の日付の前記第２の種類の複数の健康記録項目を含まない、第２の健康記録項目と、
を含む複数の健康記録項目を同時に表示することを含むことと、
を実行するための命令を含む、電子デバイス。
【請求項５０】
１つ以上のプログラムを記憶する非一時的コンピュータ可読記憶媒体であって、前記１つ以上のプログラムは、ディスプレイ及び１つ以上の入力デバイスを有する電子デバイスの１つ以上のプロセッサによって実行されると、前記電子デバイスに、
前記電子デバイスが第１の種類の複数の健康記録項目及び前記第１の種類とは異なる第２の種類の複数の健康記録項目を含む第１のユーザに関する健康データと関連付けられている間に、前記１つ以上の入力デバイスを介して、前記第１のユーザに関する健康記録概要情報を表示する要求を受信することと、
前記要求の受信に応答して、前記第１のユーザに関する健康記録概要情報を前記ディスプレイ上に表示することであって、
第１の日付の前記第１の種類の第１の健康記録項目であって、健康記録概要情報が、前記第１の日付よりも前の日付の前記第１の種類の複数の健康記録項目を含まない、第１の健康記録項目と、
前記第１の日付とは異なる第２の日付の前記第２の種類の第２の健康記録項目であって、健康記録概要情報が、前記第２の日付よりも前の日付の前記第２の種類の複数の健康記録項目を含まない、第２の健康記録項目と、
を含む複数の健康記録項目を同時に表示することを含むことと、
を実行させる命令を含む、電子デバイス。
【請求項５１】
電子デバイスであって、
ディスプレイと、
１つ以上の入力デバイスと、
前記電子デバイスが第１の種類の複数の健康記録項目及び前記第１の種類とは異なる第２の種類の複数の健康記録項目を含む第１のユーザに関する健康データと関連付けられている間に、前記１つ以上の入力デバイスを介して、前記第１のユーザに関する健康記録概要情報を表示する要求を受信するための手段と、
前記要求の受信に応答して、前記第１のユーザに関する健康記録概要情報を前記ディスプレイ上に表示するための手段であって、前記表示することが、
第１の日付の前記第１の種類の第１の健康記録項目であって、健康記録概要情報が、前記第１の日付よりも前の日付の前記第１の種類の複数の健康記録項目を含まない、第１の健康記録項目と、
前記第１の日付とは異なる第２の日付の前記第２の種類の第２の健康記録項目であって、健康記録概要情報が、前記第２の日付よりも前の日付の前記第２の種類の複数の健康記録項目を含まない、第２の健康記録項目と、
を含む複数の健康記録項目を同時に表示することを含む手段と、
を備える、電子デバイス。
【請求項５２】
ディスプレイ及び１つ以上の入力デバイスを有する電子デバイスにおいて使用するための情報処理装置であって、
前記電子デバイスが第１の種類の複数の健康記録項目及び前記第１の種類とは異なる第２の種類の複数の健康記録項目を含む第１のユーザに関する健康データと関連付けられている間に、前記１つ以上の入力デバイスを介して、前記第１のユーザに関する健康記録概要情報を表示する要求を受信するための手段と、
前記要求の受信に応答して、前記第１のユーザに関する健康記録概要情報を前記ディスプレイ上に表示するための手段であって、前記表示することが、
第１の日付の前記第１の種類の第１の健康記録項目であって、健康記録概要情報が、前記第１の日付よりも前の日付の前記第１の種類の複数の健康記録項目を含まない、第１の健康記録項目と、
前記第１の日付とは異なる第２の日付の前記第２の種類の第２の健康記録項目であって、健康記録概要情報が、前記第２の日付よりも前の日付の前記第２の種類の複数の健康記録項目を含まない、第２の健康記録項目と、
を含む複数の健康記録項目を同時に表示することを含む手段と、
を備える、電子デバイス。
【請求項５３】
電子デバイスであって、
ディスプレイと、
１つ以上の入力デバイスと、
１つ以上のプロセッサと、
メモリと、
１つ以上のプログラムと、を備え、前記１つ以上のプログラムは、前記メモリに記憶され、前記１つ以上のプロセッサによって実行されるように構成されており、前記１つ以上のプログラムは、請求項３２から４８のいずれか一項に記載の方法を実行するための命令を含む、電子デバイス。
【請求項５４】
１つ以上のプログラムを記憶する非一時的コンピュータ可読記憶媒体であって、前記１つ以上のプログラムは、ディスプレイ及び１つ以上の入力デバイスを有する電子デバイスの１つ以上のプロセッサによって実行されると、前記電子デバイスに、請求項３２から４８のいずれか一項に記載の方法を実行させる命令を含む、非一時的コンピュータ可読記憶媒体。
【請求項５５】
電子デバイスであって、
ディスプレイと、
１つ以上の入力デバイスと、
請求項３２から４８に記載の方法のいずれかを実行するための手段と、
を備える、電子デバイス。
【請求項５６】
ディスプレイ及び１つ以上の入力デバイスを有する電子デバイスにおいて使用するための情報処理装置であって、
請求項３２から４８に記載の方法のいずれかを実行するための手段を備える、
情報処理装置。
【請求項５７】
方法であって、
ディスプレイ及び１つ以上の入力デバイスを有する電子デバイスにおいて、
前記電子デバイスがユーザの１つ以上のヘルスケア提供者に関連付けられている間に、前記１つ以上のヘルスケア提供者からの健康記録情報によって示される前記ユーザの複数の進行中の健康状態のうちの第１の健康状態の第１の表現を表示することであって、前記複数の進行中の健康状態は、第２の進行中の健康状態及び第３の進行中の健康状態を含むことと、
前記第１の進行中の健康状態の前記第１の表現を表示している間に、前記１つ以上の入力デバイスを介して、前記第１の進行中の健康状態を前記ユーザについて非アクティブとしてマークする要求を受信することと、
前記第１の進行中の健康状態を非アクティブとしてマークする前記要求を受信した後に、前記１つ以上の入力デバイスを介して、前記ユーザに関する進行中の健康状態を表示する要求を受信することと、
前記ユーザに関する進行中の健康状態を表示する前記要求の受信に応答して、前記１つ以上のヘルスケア提供者からの健康記録情報によって示される前記複数の進行中の健康状態からの前記ユーザの前記第２の進行中の健康状態の第２の表現と、前記１つ以上のヘルスケア提供者からの健康記録情報によって示される前記複数の進行中の健康状態からの前記ユーザの前記第３の進行中の健康状態の第３の表現とを、前記ユーザの前記第１の進行中の健康状態の前記第１の表現をアクティブな健康状態として表示することなく、前記ディスプレイ上に同時に表示することと、
を含む方法。
【請求項５８】
前記第１の進行中の健康状態を非アクティブとしてマークする前記要求の受信に応答して、前記第１の進行中の健康状態が非アクティブであるという視覚的指示を前記ディスプレイ上に表示することを更に含む、
請求項５７に記載の方法。
【請求項５９】
前記ユーザの前記複数の進行中の健康状態を表示する前記要求の受信に応答して、
前記第１の進行中の健康状態が非アクティブであるという前記視覚的指示と、
前記ユーザの前記第２の進行中の健康状態と、
前記ユーザの前記第３の進行中の健康状態と、
を前記ディスプレイ上に表示することを更に含む、請求項５７又は５８に記載の方法。
【請求項６０】
前記第１の進行中の健康状態を非アクティブとしてマークする前記要求を受信した後に、前記１つ以上の入力デバイスを介して、前記第１の健康状態をアクティブとしてマークする第２の要求を受信することと、
前記第１の健康状態をアクティブとしてマークする前記第２の要求の受信に応答して、前記第１の進行中の健康状態の前記第１の表現を、前記第１の進行中の健康状態がアクティブであることを示すように更新することと、
前記第１の進行中の健康状態の前記第１の表現をアクティブとして更新した後に、前記ユーザに関する前記複数の進行中の健康状態を表示する第２の要求を受信することと、
前記ユーザに関する前記複数の進行中の健康状態を表示する前記第２の要求の受信に応答して、前記更新された第１の進行中の健康状態の表現、前記第２の進行中の健康状態の前記第２の表現及び、前記第３の進行中の健康状態の前記第３の表現を、前記ディスプレイ上に同時に表示することと、
を更に含む、請求項５７から５９のいずれか一項に記載の方法。
【請求項６１】
前記第１の進行中の健康状態を非アクティブとしてマークする前記要求の受信に応答して、前記第１の進行中の健康状態に関連付けられたヘルスケア提供者に関連付けられたコンピュータシステムに、前記第１の進行中の健康状態の非アクティブなステータスを示す情報を送信することを更に含む、
請求項５７から６０のいずれか一項に記載の方法。
【請求項６２】
前記第１の進行中の健康状態への更新を受信した後に、前記１つ以上の入力デバイスを介して、前記ユーザに関する進行中の健康状態を表示する第３の要求を受信することと、
前記ユーザに関する前記複数の進行中の健康状態を表示する前記第３の要求の受信に応答して、
前記更新された第１の進行中の健康状態の表現と、
前記第２の進行中の健康状態の前記第２の表現と、
前記第３の進行中の健康状態の前記第３の表現と、
を前記ディスプレイ上に同時に表示することと、
を更に含む、請求項５７から６１のいずれか一項に記載の方法。
【請求項６３】
前記第１の進行中の健康状態に対する前記更新の受信に応答して、前記第１の進行中の健康状態をアクティブな健康状態としてマークすることを更に含む、
請求項６２に記載の方法。
【請求項６４】
前記第１の進行中の健康状態に対する前記更新の受信に応答して、前記第１の進行中の健康状態に関連付けられたヘルスケア提供者に関連付けられたコンピュータシステムに前記更新を送信することを更に含む、
請求項６２又は６３に記載の方法。
【請求項６５】
前記第２の進行中の健康状態に関連付けられた日付セットの決定に応答して、前記日付セットのそれぞれの日付における前記第２の進行中の健康状態に関する通知を前記ディスプレイ上に表示することを更に含む、
請求項５７から６４のいずれか一項に記載の方法。
【請求項６６】
前記第２の進行中の健康状態に関連付けられた前記日付セットが第１の日付を含み、前記第１の日付は、前記第２の進行中の健康状態に対する処方薬の補充が予定されている日付であり、前記通知は、前記処方薬を補充するリマインダを含む、請求項６５に記載の方法。
【請求項６７】
前記第２の進行中の健康状態に対する処方薬の残量が閾値未満となる日付を予測することを更に含み、前記第２の進行中の健康状態に関連付けられた前記日付セットが第２の日付を含み、前記第２の日付は、前記処方薬が閾値未満となることが予測される日付であり、前記通知は、前記処方薬を補充するリマインダを含む、請求項６５又は６６に記載の方法。
【請求項６８】
前記第２の日付において、前記１つ以上のヘルスケア提供者のうちの一ヘルスケア提供者に対して前記処方薬を補充するように要求することを更に含み、前記ヘルスケア提供者は前記第２の進行中の健康状態に関連付けられている、請求項６７に記載の方法。
【請求項６９】
前記１つ以上の入力デバイスを介して、前記第２の進行中の健康状態の処方薬の残量に対する更新を受信することと、
前記処方薬の前記残量が閾値未満であるという判定に従って、前記処方薬を補充する通知を前記ディスプレイ上に表示することと、
を更に含む、請求項６５から６８のいずれか一項に記載の方法。
【請求項７０】
前記第２の進行中の健康状態に関連付けられた前記日付セットが第３の日付を含み、前記第３の日付は、前記１つ以上のヘルスケア提供者のうちの一ヘルスケア提供者への受診が予定されている日付であり、前記ヘルスケア提供者は前記第２の進行中の健康状態に関連付けられている、請求項６５から６９のいずれか一項に記載の方法。
【請求項７１】
前記第２の進行中の健康状態に関連付けられた第１のリマインダアフォーダンスを前記ディスプレイ上に表示することと、
前記第１のリマインダアフォーダンスを表示している間に、前記１つ以上の入力デバイスを介して、前記第１のリマインダアフォーダンスを選択する要求を受信することと、
を更に含む、請求項６５から７０のいずれか一項に記載の方法。前記第２の進行中の健康状態に関連付けられた第１のリマインダアフォーダンスを前記ディスプレイ上に表示することと、前記第１のリマインダアフォーダンスを表示している間に、前記１つ以上の入力デバイスを介して、前記第１のリマインダアフォーダンスを選択する要求を受信することと、
を更に含む、請求項６５から７０のいずれか一項に記載の方法。
【請求項７２】
前記第２の進行中の健康状態に関連付けられたリマインダが時刻にも関連付けられるという決定に従い、
前記第２の進行中の健康状態に関連付けられた前記リマインダに関する通知を、前記ディスプレイ上で前記時刻に表示することと、
を更に含む、請求項６７から７１のいずれか一項に記載の方法。
【請求項７３】
前記第２の進行中の健康状態に関連付けられた前記リマインダは、前記ユーザが前記第２の進行中の健康状態に対する処方薬を服用する際の指示された時間間隔に関連付けられた定期的なリマインダであり、前記通知は処方量の前記処方薬を服用するリマインダである、請求項７２に記載の方法。
【請求項７４】
前記通知が、前記リマインダに関連付けられた第２のリマインダアフォーダンスを含み、前記方法が、
前記第２のリマインダアフォーダンスを選択する要求を、前記１つ以上の入力デバイスを介して受信することと、
前記第２のリマインダアフォーダンスを選択する前記要求の受信に応答して、前記処方薬の残量を計算することと、
前記処方薬の前記残量が閾値未満であるという判定に従って、前記第２の進行中の健康状態に関する第２の通知を前記ディスプレイ上に表示することであって、前記第２の通知は、前記処方薬を補充するリマインダであることと、
を更に含む、請求項７３に記載の方法。
【請求項７５】
前記ユーザは患者であり、前記電子デバイスは患者デバイスであり、
前記患者デバイスが前記患者の１つ以上のヘルスケア提供者と関連付けられている間に、前記第１の進行中の健康状態の前記第１の表現を前記患者デバイスの前記ディスプレイ上に表示し、
前記患者デバイス上に前記第１の進行中の健康状態の前記表現を表示している間に、前記１つ以上の入力デバイスを介して、前記第１の進行中の健康状態を前記患者について非アクティブとしてマークする前記患者からの要求を前記患者から受信し、
前記第１の進行中の健康状態を非アクティブとしてマークする前記患者からの前記要求を受信した後に、前記１つ以上の入力デバイスを介して、前記患者に関する進行中の健康状態を表示する前記患者からの要求を受信し、
前記患者に関する進行中の健康状態を表示する前記患者からの前記要求の受信に応答して、前記第１の進行中の健康状態の前記表現を表示することなく、前記第２の進行中の健康状態の前記第２の表現及び前記第３の進行中の健康状態の前記第３の表現を、前記患者デバイスの前記ディスプレイ上に同時に表示する、
請求項５７から７４のいずれか一項に記載の方法。
【請求項７６】
電子デバイスであって、
ディスプレイと、
１つ以上の入力デバイスと、
１つ以上のプロセッサと、
メモリと、
１つ以上のプログラムと、を備える、電子デバイスであって、前記１つ以上のプログラムは前記メモリに記憶され、前記１つ以上のプロセッサによって実行されるように構成されており、前記１つ以上のプログラムは、
前記電子デバイスがユーザの１つ以上のヘルスケア提供者に関連付けられている間に、前記１つ以上のヘルスケア提供者からの健康記録情報によって示される前記ユーザの複数の進行中の健康状態のうちの第１の健康状態の第１の表現を表示することであって、前記複数の進行中の健康状態は、第２の進行中の健康状態及び第３の進行中の健康状態を含むことと、
前記第１の進行中の健康状態の前記第１の表現を表示している間に、前記１つ以上の入力デバイスを介して、前記第１の進行中の健康状態を前記ユーザについて非アクティブとしてマークする要求を受信することと、
前記第１の進行中の健康状態を非アクティブとしてマークする前記要求を受信した後に、前記１つ以上の入力デバイスを介して、前記ユーザに関する進行中の健康状態を表示する要求を受信することと、
前記ユーザに関する進行中の健康状態を表示する前記要求の受信に応答して、前記１つ以上のヘルスケア提供者からの健康記録情報によって示される前記複数の進行中の健康状態からの前記ユーザの前記第２の進行中の健康状態の第２の表現と、前記１つ以上のヘルスケア提供者からの健康記録情報によって示される前記複数の進行中の健康状態からの前記ユーザの前記第３の進行中の健康状態の第３の表現とを、前記ユーザの前記第１の進行中の健康状態の前記第１の表現をアクティブとして表示することなく、前記ディスプレイ上に同時に表示することと、
を実行するための命令を含む、
電子デバイス。
【請求項７７】
１つ以上のプログラムを記憶する非一時的コンピュータ可読記憶媒体であって、前記１つ以上のプログラムは、ディスプレイ及び１つ以上の入力デバイスを有する電子デバイスの１つ以上のプロセッサによって実行されると、前記電子デバイスに、
前記電子デバイスがユーザの１つ以上のヘルスケア提供者に関連付けられている間に、前記１つ以上のヘルスケア提供者からの健康記録情報によって示される前記ユーザの複数の進行中の健康状態のうちの第１の健康状態の第１の表現を表示することであって、前記複数の進行中の健康状態は、第２の進行中の健康状態及び第３の進行中の健康状態を含むことと、
前記第１の進行中の健康状態の前記第１の表現を表示している間に、前記１つ以上の入力デバイスを介して、前記第１の進行中の健康状態を前記ユーザについて非アクティブとしてマークする要求を受信することと、
前記第１の進行中の健康状態を非アクティブとしてマークする前記要求を受信した後に、前記１つ以上の入力デバイスを介して、前記ユーザに関する進行中の健康状態を表示する要求を受信することと、
前記ユーザに関する進行中の健康状態を表示する前記要求の受信に応答して、前記１つ以上のヘルスケア提供者からの健康記録情報によって示される前記複数の進行中の健康状態からの前記ユーザの前記第２の進行中の健康状態の第２の表現と、前記１つ以上のヘルスケア提供者からの健康記録情報によって示される前記複数の進行中の健康状態からの前記ユーザの前記第３の進行中の健康状態の第３の表現とを、前記ユーザの前記第１の進行中の健康状態の前記第１の表現をアクティブとして表示することなく、前記ディスプレイ上に同時に表示することと、
を実行させる命令を含む、非一時的コンピュータ可読記憶媒体。
【請求項７８】
電子デバイスであって、
ディスプレイと、
１つ以上の入力デバイスと、
前記電子デバイスがユーザの１つ以上のヘルスケア提供者に関連付けられている間に、前記１つ以上のヘルスケア提供者からの健康記録情報によって示される前記ユーザの複数の進行中の健康状態のうちの第１の健康状態の第１の表現を表示するための手段であって、前記複数の進行中の健康状態は、第２の進行中の健康状態及び第３の進行中の健康状態を含む手段と、
前記第１の進行中の健康状態の前記第１の表現を表示している間に、前記１つ以上の入力デバイスを介して、前記第１の進行中の健康状態を前記ユーザについて非アクティブとしてマークする要求を受信するための手段と、
前記第１の進行中の健康状態を非アクティブとしてマークする前記要求を受信した後に、前記１つ以上の入力デバイスを介して、前記ユーザに関する進行中の健康状態を表示する要求を受信するための手段と、
前記ユーザに関する進行中の健康状態を表示する前記要求の受信に応答して、前記１つ以上のヘルスケア提供者からの健康記録情報によって示される前記複数の進行中の健康状態からの前記ユーザの前記第２の進行中の健康状態の第２の表現と、前記１つ以上のヘルスケア提供者からの健康記録情報によって示される前記複数の進行中の健康状態からの前記ユーザの前記第３の進行中の健康状態の第３の表現とを、前記ユーザの前記第１の進行中の健康状態の前記第１の表現をアクティブとして表示することなく、前記ディスプレイ上に同時に表示するための手段と、
を備える、電子デバイス。
【請求項７９】
ディスプレイ及び１つ以上の入力デバイスを有する電子デバイスにおいて使用するための情報処理装置であって、
前記電子デバイスがユーザの１つ以上のヘルスケア提供者に関連付けられている間に、前記１つ以上のヘルスケア提供者からの健康記録情報によって示される前記ユーザの複数の進行中の健康状態のうちの第１の健康状態の第１の表現を表示するための手段であって、前記複数の進行中の健康状態は、第２の進行中の健康状態及び第３の進行中の健康状態を含む手段と、
前記第１の進行中の健康状態の前記第１の表現を表示している間に、前記１つ以上の入力デバイスを介して、前記第１の進行中の健康状態を前記ユーザについて非アクティブとしてマークする要求を受信するための手段と、
前記第１の進行中の健康状態を非アクティブとしてマークする前記要求を受信した後に、前記１つ以上の入力デバイスを介して、前記ユーザに関する進行中の健康状態を表示する要求を受信するための手段と、
前記ユーザに関する進行中の健康状態を表示する前記要求の受信に応答して、前記１つ以上のヘルスケア提供者からの健康記録情報によって示される前記複数の進行中の健康状態からの前記ユーザの前記第２の進行中の健康状態の第２の表現と、前記１つ以上のヘルスケア提供者からの健康記録情報によって示される前記複数の進行中の健康状態からの前記ユーザの前記第３の進行中の健康状態の第３の表現とを、前記ユーザの前記第１の進行中の健康状態の前記第１の表現をアクティブとして表示することなく、前記ディスプレイ上に同時に表示するための手段と、
を備える、情報処理装置。
【請求項８０】
電子デバイスであって、
ディスプレイと、
１つ以上の入力デバイスと、
１つ以上のプロセッサと、
メモリと、
１つ以上のプログラムと、を備え、前記１つ以上のプログラムは、前記メモリに記憶され、前記１つ以上のプロセッサによって実行されるように構成されており、前記１つ以上のプログラムは、請求項５７から７５のいずれか一項に記載の方法を実行するための命令を含む、電子デバイス。
【請求項８１】
１つ以上のプログラムを記憶する非一時的コンピュータ可読記憶媒体であって、前記１つ以上のプログラムは、ディスプレイ及び１つ以上の入力デバイスを備える電子デバイスの１つ以上のプロセッサによって実行されると、前記電子デバイスに、請求項５７から７５のいずれか一項に記載の方法を実行させる命令を含む、非一時的コンピュータ可読記憶媒体。
【請求項８２】
電子デバイスであって、
ディスプレイと、
１つ以上の入力デバイスと、
請求項５７から７５のに記載の方法のいずれかを実行するための手段と、
を備える、電子デバイス。
【請求項８３】
ディスプレイ及び１つ以上の入力デバイスを有する電子デバイスにおいて使用するための情報処理装置であって、
請求項５７から７５に記載の方法のいずれかを実行するための手段を備える、
情報処理装置。
【発明の詳細な説明】
【技術分野】
【０００１】
本開示は、概略的にはコンピュータユーザインタフェースに関し、より具体的には、集約された健康記録を表示するための技法に関する。
【背景技術】
【０００２】
ヘルスケア提供者は、健康記録の紙コピーを患者に提供する場合がある。健康記録の紙コピーは、紛失しやすく、劣化しやすい。一部のデジタル化されたヘルスケア提供者は、患者に健康記録の電子コピーを提供する。しかしながら、電子デバイス上に健康記録を表示するための現在の方法は、古く、煩雑で非効率的である。例えば、一部の既存の方法では、何度もキー押下やキー入力を行っても、限られた量の健康記録しかユーザに提供できない場合のある、複雑かつ時間のかかるユーザインタフェースが使用されている。加えて、それらの方法は必要以上に時間がかかり、それによってエネルギーを浪費する。後者の問題は、バッテリ動作式デバイスにおいては特に重大である。
【０００３】
個人特定可能な情報の使用は、ユーザのプライバシーを維持するための業界又は政府の要件を満たす、又は上回ると一般に認識されているプライバシーポリシー及びプラクティスに従うべきであることに十分に理解されたい。特に、個人特定可能な情報データは、意図的でない又は許可されていないアクセス、又は使用のリスクを最小限に抑えるように管理及び取り扱いされるべきであり、許可された使用の性質は、ユーザに明確に示されるべきである。
【発明の概要】
【０００４】
したがって、本技術は、電子デバイスに、集約された健康記録を表示するためのより速く、より効率的な方法及びインタフェースを提供する。そのような方法及びインタフェースは、健康記録を表示するための他の方法を、任意選択的に補完又は置換する。そのような方法及びインタフェースは、ユーザからの入力の数、程度、及び／又は種類を削減し、ユーザの認識的負担を軽減し、より効率的なヒューマンマシンインタフェースを生成する。バッテリ動作式コンピューティングデバイスの場合、そのような方法及びインタフェースは、電力を節約し、電池充電の間隔を長くする。
【０００５】
（例えばタッチ感知面を有する）電子デバイスのためのユーザインタフェースと関連付けられた上記の欠陥及び他の問題は、本開示のデバイスによって削減又は除去される。いくつかの実施形態では、デバイスは、デスクトップコンピュータである。いくつかの実施形態では、デバイスは、ポータブル（例えば、ノートブックコンピュータ、タブレットコンピュータ、又はハンドヘルドデバイス）である。いくつかの実施形態では、デバイスは、パーソナル電子デバイス（例えば、時計などのウェアラブル電子デバイス）である。いくつかの実施形態では、デバイスは、タッチパッドを有する。いくつかの実施形態では、デバイスは、タッチ感知ディスプレイ（「タッチスクリーン」又は「タッチスクリーンディスプレイ」としても知られる）を有する。いくつかの実施形態では、デバイスは、グラフィカルユーザインタフェース（ＧＵＩ）、１つ以上のプロセッサ、メモリ、及び複数の機能を実行するためのメモリに記憶された１つ以上のモジュール、プログラム、又は命令セットを有する。いくつかの実施形態では、ユーザは主にタッチ感知面上のスタイラス並びに／又は指の接触及びジェスチャを通じてＧＵＩと相互作用する。いくつかの実施形態では、機能は任意選択で、画像編集、描画、プレゼンティング、ワードプロセッシング、スプレッドシートの作成、ゲームプレイ、電話をかけること、ビデオ会議、電子メール送信、インスタントメッセージング、トレーニングサポート、デジタル写真撮影、デジタルビデオ撮影、ウェブブラウジング、デジタル音楽の再生、メモ取り、及び／又はデジタルビデオの再生を含む。それらの機能を実行する実行可能命令は任意選択で、非一時的コンピュータ可読記憶媒体又は１つ以上のプロセッサによって実行されるように構成された他のコンピュータプログラム製品に含まれる。
【０００６】
いくつかの実施形態によれば、方法は、ディスプレイ及び１つ以上の入力デバイスを備える電子デバイスで実行される。本方法は、電子デバイスが第１のヘルスケア提供者に関連付けられており、かつ第２のヘルスケア提供者に関連付けられていない間に、１つ以上の入力デバイスを介して、第１のユーザに関する健康記録を表示する第１の要求を受信することを含む。方法はまた、第１のユーザに関する健康記録を表示する第１の要求の受信に応答して、複数の健康記録カテゴリの表現をディスプレイ上に表示することを含む。複数の健康記録カテゴリの表現は、複数のカテゴリのうちの第１のカテゴリの第１の表現であって、電子デバイスが第１のヘルスケア提供者に関連付けられており、かつ第２のヘルスケア提供者に関連付けられていない間に第１のカテゴリの第１の表現を選択することが、電子デバイスに、第１のヘルスケア提供者からの第１のカテゴリの複数の健康記録をディスプレイ上に表示させる、第１の表現を含む。複数の健康記録カテゴリの表現はまた、複数のカテゴリのうちの第２のカテゴリの第２の表現であって、電子デバイスが第１のヘルスケア提供者に関連付けられており、かつ第２のヘルスケア提供者に関連付けられていない間に第２のカテゴリの第２の表現を選択することが、電子デバイスに、第１のヘルスケア提供者からの第２のカテゴリの複数の健康記録をディスプレイ上に表示させる、第２の表現を含む。方法はまた、複数の健康記録カテゴリの表現を表示した後、かつ電子デバイスが第２のヘルスケア提供者に関連付けられた後に、１つ以上の入力デバイスを介して、第１のユーザに関する健康記録を表示する第２の要求を受信することを含む。方法はまた、第１のユーザに関する健康記録を表示する第２の要求の受信に応答して、複数の健康記録カテゴリの表現をディスプレイ上に表示することを含む。複数の健康記録カテゴリの表現は、複数のカテゴリのうちの第１のカテゴリの第１の表現であって、電子デバイスが第１のヘルスケア提供者及び第２のヘルスケア提供者に関連付けられている間に第１のカテゴリの第１の表現を選択することが、電子デバイスに、第１のヘルスケア提供者からの第１のカテゴリの１つ以上の健康記録及び第２のヘルスケア提供者からの第１のカテゴリの１つ以上の健康記録をディスプレイ上に表示させる、第１の表現を含む。複数の健康記録カテゴリの表現はまた、複数のカテゴリのうちの第２のカテゴリの第２の表現であって、電子デバイスが第１のヘルスケア提供者及び第２のヘルスケア提供者に関連付けられている間に第２のカテゴリの第２の表現を選択することが、電子デバイスに、第１のヘルスケア提供者からの第２のカテゴリの１つ以上の健康記録及び第２のヘルスケア提供者からの第２のカテゴリの１つ以上の健康記録をディスプレイ上に表示させる、第２の表現を含む。
【０００７】
いくつかの実施形態によれば、非一時的コンピュータ可読記憶媒体が１つ以上のプログラムを記憶し、１つ以上のプログラムは、ディスプレイ及び１つ以上の入力デバイスを備える電子デバイスの１つ以上のプロセッサによって実行されると、電子デバイスに、電子デバイスが第１のヘルスケア提供者に関連付けられており、かつ第２のヘルスケア提供者に関連付けられていない間に、第１のユーザに関する健康記録を表示する第１の要求を、１つ以上の入力デバイスを介して受信させる命令を含む。命令はまた、電子デバイスに、第１のユーザに関する健康記録を表示する第１の要求の受信に応答して、複数の健康記録カテゴリの表現をディスプレイ上に表示させる。複数の健康記録カテゴリの表現は、複数のカテゴリのうちの第１のカテゴリの第１の表現であって、電子デバイスが第１のヘルスケア提供者に関連付けられており、かつ第２のヘルスケア提供者に関連付けられていない間に第１のカテゴリの第１の表現を選択することが、電子デバイスに、第１のヘルスケア提供者からの第１のカテゴリの複数の健康記録をディスプレイ上に表示させる、第１の表現を含む。複数の健康記録カテゴリの表現はまた、複数のカテゴリのうちの第２のカテゴリの第２の表現であって、電子デバイスが第１のヘルスケア提供者に関連付けられており、かつ第２のヘルスケア提供者に関連付けられていない間に第２のカテゴリの第２の表現を選択することが、電子デバイスに、第１のヘルスケア提供者からの第２のカテゴリの複数の健康記録をディスプレイ上に表示させる、第２の表現を含む。命令はまた、実行されると、電子デバイスに、複数の健康記録カテゴリの表現を表示した後、かつ電子デバイスが第２のヘルスケア提供者に関連付けられた後に、１つ以上の入力デバイスを介して、第１のユーザに関する健康記録を表示する第２の要求を受信させる。命令はまた、第１のユーザに関する健康記録を表示する第２の要求の受信に応答して、デバイスに、複数の健康記録カテゴリの表現をディスプレイ上に表示させる。複数の健康記録カテゴリの表現は、複数のカテゴリのうちの第１のカテゴリの第１の表現であって、電子デバイスが第１のヘルスケア提供者及び第２のヘルスケア提供者に関連付けられている間に第１のカテゴリの第１の表現を選択することが、電子デバイスに、第１のヘルスケア提供者からの第１のカテゴリの１つ以上の健康記録及び第２のヘルスケア提供者からの第１のカテゴリの１つ以上の健康記録をディスプレイ上に表示させる、第１の表現を含む。複数の健康記録カテゴリの表現はまた、複数のカテゴリのうちの第２のカテゴリの第２の表現であって、電子デバイスが第１のヘルスケア提供者及び第２のヘルスケア提供者に関連付けられている間に第２のカテゴリの第２の表現を選択することが、電子デバイスに、第１のヘルスケア提供者からの第２のカテゴリの１つ以上の健康記録及び第２のヘルスケア提供者からの第２のカテゴリの１つ以上の健康記録をディスプレイ上に表示させる、第２の表現を含む。
【０００８】
いくつかの実施形態によれば、方法は、ディスプレイ及び１つ以上の入力デバイスを備える電子デバイスで実行される。本方法は、電子デバイスが第１の種類の複数の健康記録項目及び第１の種類とは異なる第２の種類の複数の健康記録項目を含む第１のユーザに関する健康データと関連付けられている間に、１つ以上の入力デバイスを介して、第１のユーザに関する健康記録概要情報を表示する要求を受信することを含む。本方法はまた、要求の受信に応答して、複数の健康記録項目を同時に表示することを含む、第１のユーザに関する健康記録概要情報をディスプレイ上に表示することを含む。複数の健康記録項目は、第１の日付の第１の種類の第１の健康記録項目であって、健康記録概要情報が、第１の日付よりも前の日付の第１の種類の複数の健康記録項目を含まない、第１の健康記録項目を含む。複数の健康記録項目はまた、第１の日付とは異なる第２の日付の第２の種類の第２の健康記録項目であって、健康記録概要情報が、第２の日付よりも前の日付の第２の種類の複数の健康記録項目を含まない、第２の健康記録項目を含む。
【０００９】
いくつかの実施形態によれば、非一時的コンピュータ可読記憶媒体が１つ以上のプログラムを記憶し、１つ以上のプログラムは、ディスプレイ及び１つ以上の入力デバイスを備える電子デバイスの１つ以上のプロセッサによって実行されると、電子デバイスに、電子デバイスが第１の種類の複数の健康記録項目及び第１の種類とは異なる第２の種類の複数の健康記録項目を含む第１のユーザに関する健康データと関連付けられている間に、第１のユーザに関する健康記録概要情報を表示する要求を、１つ以上の入力デバイスを介して受信させる命令を含む。命令はまた、デバイスに、要求の受信に応答して、複数の健康記録項目を同時に表示することを含めて、第１のユーザに関する健康記録概要情報をディスプレイ上に表示させる。複数の健康記録項目は、第１の日付の第１の種類の第１の健康記録項目であって、健康記録概要情報が、第１の日付よりも前の日付の第１の種類の複数の健康記録項目を含まない、第１の健康記録項目を含む。複数の健康記録項目はまた、第１の日付とは異なる第２の日付の第２の種類の第２の健康記録項目であって、健康記録概要情報が、第２の日付よりも前の日付の第２の種類の複数の健康記録項目を含まない、第２の健康記録項目を含む。
【００１０】
いくつかの実施形態によれば、方法は、ディスプレイ及び１つ以上の入力デバイスを備える電子デバイスで実行される。方法は、電子デバイスがユーザの１つ以上のヘルスケア提供者に関連付けられている間に、１つ以上のヘルスケア提供者からの健康記録情報によって示されるユーザの複数の進行中の健康状態のうちの第１の健康状態の第１の表現を表示することを含む。方法はまた、第１の進行中の健康状態の第１の表現を表示している間に、１つ以上の入力デバイスを介して、第１の進行中の健康状態をこのユーザについて非アクティブとしてマークする要求を受信することを含む。方法はまた、第１の進行中の健康状態を非アクティブとしてマークする要求を受信した後に、１つ以上の入力デバイスを介して、このユーザに関する進行中の健康状態を表示する要求を受信することを含む。方法はまた、ユーザに関する進行中の健康状態を表示する要求の受信に応答して、１つ以上のヘルスケア提供者からの健康記録情報によって示される複数の進行中の健康状態からのユーザの第２の進行中の健康状態の第２の表現と、１つ以上のヘルスケア提供者からの健康記録情報によって示される複数の進行中の健康状態からのユーザの第３の進行中の健康状態の第３の表現とを、ユーザの第１の進行中の健康状態の第１の表現をアクティブな健康状態として表示することなく、ディスプレイ上に同時に表示することを含む。
【００１１】
いくつかの実施形態によれば、非一時的コンピュータ可読記憶媒体が１つ以上のプログラムを記憶し、１つ以上のプログラムは、ディスプレイ及び１つ以上の入力デバイスを備える電子デバイスの１つ以上のプロセッサによって実行されると、電子デバイスに、電子デバイスが１つ以上のヘルスケア提供者に関連付けられている命令はまた、電子デバイスに、第１の進行中の健康状態の第１の表現を表示している間に、１つ以上の入力デバイスを介して、第１の進行中の健康状態をこのユーザについて非アクティブとしてマークする要求を受信させる。命令はまた、電子デバイスに、第１の進行中の健康状態を非アクティブとしてマークする要求を受信した後に、１つ以上の入力デバイスを介して、ユーザに関する進行中の健康状態を表示する要求を受信させる。命令はまた、電子デバイスに、ユーザに関する進行中の健康状態を表示する要求の受信に応答して、１つ以上のヘルスケア提供者からの健康記録情報によって示される複数の進行中の健康状態からのユーザの第２の進行中の健康状態の第２の表現と、１つ以上のヘルスケア提供者からの健康記録情報によって示される複数の進行中の健康状態からのユーザの第３の進行中の健康状態の第３の表現とを、ユーザの第１の進行中の健康状態の第１の表現をアクティブな健康状態として表示することなく、ディスプレイ上に同時に表示させる。
【００１２】
いくつかの実施形態では、電子デバイスは、ディスプレイと、１つ以上の入力デバイスと、１つ以上のプロセッサと、１つ以上のプログラムを記憶しているメモリと、を含む。１つ以上のプログラムは、１つ以上のプロセッサによって実行されるように構成されており、１つ以上のプログラムは、本明細書で説明される方法のいずれかの動作を実行し又は実行させる命令を含む。いくつかの実施形態によれば、コンピュータ可読記憶媒体が命令を内部に記憶し、命令は、ディスプレイ及び１つ以上の入力デバイスを備える電子デバイスによって実行されると、デバイスに本明細書に開示される方法のいずれかの動作を実行させるか、又は引き起こさせる。いくつかの実施形態によれば、ディスプレイと、１つ以上の入力デバイスと、メモリと、メモリ内に記憶された１つ以上のプログラムを実行する１つ以上のプロセッサとを備える電子デバイス上のグラフィカルユーザインタフェースが、本明細書に開示される方法のいずれかで表示される要素の１つ以上を含み、それらは、本明細書に開示される方法のいずれかにおいて説明されるように、入力に応答して更新される。いくつかの実施形態によれば、電子デバイスは、ディスプレイと、１つ以上の入力デバイスと、本明細書に開示される方法のいずれかの動作を実行するか又は引き起こす手段を含む。いくつかの実施形態によれば、ディスプレイ及び１つ以上の入力デバイスを備える電子デバイスにおいて使用するための情報処理装置は、本明細書に開示される方法のいずれかの動作を実行する又は引き起こす手段を含む。
【００１３】
これらの機能を実行する実行可能な命令は、任意選択的に、１つ以上のプロセッサによって実行されるように構成された非一時的コンピュータ可読記憶媒体又は他のコンピュータプログラム製品内に含まれる。これらの機能を実行する実行可能な命令は、任意選択的に、１つ以上のプロセッサによって実行されるように構成された一時的コンピュータ可読記憶媒体又は他のコンピュータプログラム製品内に含まれる。
【００１４】
このため、集約された健康記録を表示するための、より速く、より効率的な方法及びインタフェースがデバイスに提供され、それによって、そのようなデバイスの有効性、効率、及びユーザ満足度が増す。そのような方法及びインタフェースは、集約された健康記録を表示するための他の方法を補完又は置換することができる。
【図面の簡単な説明】
【００１５】
説明される様々な実施形態をよりよく理解するため、以下の図面と併せて、以下の「発明を実施するための形態」が参照されるべきであり、類似の参照番号は、以下の図の全てを通じて、対応する部分を指す。
【００１６】
【図１Ａ】いくつかの実施形態によるタッチ感知ディスプレイを有するポータブル多機能デバイスを示すブロック図である。
【００１７】
【図１Ｂ】いくつかの実施形態によるイベント処理のための例示的な構成要素を示すブロック図である。
【００１８】
【図２】いくつかの実施形態によるタッチスクリーンを有するポータブル多機能デバイスを示す。
【００１９】
【図３】いくつかの実施形態によるディスプレイ及びタッチ感知面を有する例示的な多機能デバイスのブロック図である。
【００２０】
【図４Ａ】いくつかの実施形態によるポータブル多機能デバイス上のアプリケーションのメニューの例示的なユーザインタフェースを示す。
【００２１】
【図４Ｂ】いくつかの実施形態によるディスプレイとは別個のタッチ感知面を有する多機能デバイスの例示的なユーザインタフェースを示す。
【００２２】
【図５Ａ】いくつかの実施形態によるパーソナル電子デバイスを示す。
【００２３】
【図５Ｂ】いくつかの実施形態によるパーソナル電子デバイスを示すブロック図である。
【００２４】
【図６Ａ】いくつかの実施形態による集約された健康記録を表示するための例示的なユーザインタフェースを示す。
【図６Ｂ】いくつかの実施形態による集約された健康記録を表示するための例示的なユーザインタフェースを示す。
【図６Ｂ−１】いくつかの実施形態による集約された健康記録を表示するための例示的なユーザインタフェースを示す。
【図６Ｃ】いくつかの実施形態による集約された健康記録を表示するための例示的なユーザインタフェースを示す。
【図６Ｄ】いくつかの実施形態による集約された健康記録を表示するための例示的なユーザインタフェースを示す。
【図６Ｅ】いくつかの実施形態による集約された健康記録を表示するための例示的なユーザインタフェースを示す。
【図６Ｅ−１】いくつかの実施形態による集約された健康記録を表示するための例示的なユーザインタフェースを示す。
【図６Ｆ】いくつかの実施形態による集約された健康記録を表示するための例示的なユーザインタフェースを示す。
【図６Ｇ】いくつかの実施形態による集約された健康記録を表示するための例示的なユーザインタフェースを示す。
【図６Ｈ】いくつかの実施形態による集約された健康記録を表示するための例示的なユーザインタフェースを示す。
【図６Ｈ−１】いくつかの実施形態による集約された健康記録を表示するための例示的なユーザインタフェースを示す。
【図６Ｉ】いくつかの実施形態による集約された健康記録を表示するための例示的なユーザインタフェースを示す。
【図６Ｊ】いくつかの実施形態による集約された健康記録を表示するための例示的なユーザインタフェースを示す。
【図６Ｊ−１】いくつかの実施形態による集約された健康記録を表示するための例示的なユーザインタフェースを示す。
【図６Ｋ】いくつかの実施形態による集約された健康記録を表示するための例示的なユーザインタフェースを示す。
【図６Ｋ−１】いくつかの実施形態による集約された健康記録を表示するための例示的なユーザインタフェースを示す。
【図６Ｌ】いくつかの実施形態による集約された健康記録を表示するための例示的なユーザインタフェースを示す。
【図６Ｌ−１】いくつかの実施形態による集約された健康記録を表示するための例示的なユーザインタフェースを示す。
【図６Ｍ】いくつかの実施形態による集約された健康記録を表示するための例示的なユーザインタフェースを示す。
【図６Ｍ−１】いくつかの実施形態による集約された健康記録を表示するための例示的なユーザインタフェースを示す。
【図６Ｎ】いくつかの実施形態による集約された健康記録を表示するための例示的なユーザインタフェースを示す。
【図６Ｏ】いくつかの実施形態による集約された健康記録を表示するための例示的なユーザインタフェースを示す。
【図６Ｏ−１】いくつかの実施形態による集約された健康記録を表示するための例示的なユーザインタフェースを示す。
【図６Ｐ】いくつかの実施形態による集約された健康記録を表示するための例示的なユーザインタフェースを示す。
【図６Ｐ−１】いくつかの実施形態による集約された健康記録を表示するための例示的なユーザインタフェースを示す。
【図６Ｑ】いくつかの実施形態による集約された健康記録を表示するための例示的なユーザインタフェースを示す。
【図６Ｑ−１】いくつかの実施形態による集約された健康記録を表示するための例示的なユーザインタフェースを示す。
【００２５】
【図７Ａ】いくつかの実施形態による集約された健康記録を表示するためのプロセスを示すフロー図である。
【図７Ｂ】いくつかの実施形態による集約された健康記録を表示するためのプロセスを示すフロー図である。
【図７Ｃ】いくつかの実施形態による集約された健康記録を表示するためのプロセスを示すフロー図である。
【図７Ｄ】いくつかの実施形態による集約された健康記録を表示するためのプロセスを示すフロー図である。
【図７Ｅ】いくつかの実施形態による集約された健康記録を表示するためのプロセスを示すフロー図である。
【図７Ｆ】いくつかの実施形態による集約された健康記録を表示するためのプロセスを示すフロー図である。
【００２６】
【図８Ａ】いくつかの実施形態による集約された健康記録を表示するための例示的なダッシュボードユーザインタフェースを示す。
【図８Ｂ】いくつかの実施形態による集約された健康記録を表示するための例示的なダッシュボードユーザインタフェースを示す。
【図８Ｂ−１】いくつかの実施形態による集約された健康記録を表示するための例示的なダッシュボードユーザインタフェースを示す。
【図８Ｃ】いくつかの実施形態による集約された健康記録を表示するための例示的なダッシュボードユーザインタフェースを示す。
【図８Ｃ−１】いくつかの実施形態による集約された健康記録を表示するための例示的なダッシュボードユーザインタフェースを示す。
【図８Ｄ】いくつかの実施形態による集約された健康記録を表示するための例示的なダッシュボードユーザインタフェースを示す。
【図８Ｅ】いくつかの実施形態による集約された健康記録を表示するための例示的なダッシュボードユーザインタフェースを示す。
【図８Ｆ】いくつかの実施形態による集約された健康記録を表示するための例示的なダッシュボードユーザインタフェースを示す。
【図８Ｇ】いくつかの実施形態による集約された健康記録を表示するための例示的なダッシュボードユーザインタフェースを示す。
【図８Ｈ】いくつかの実施形態による集約された健康記録を表示するための例示的なダッシュボードユーザインタフェースを示す。
【図８Ｉ】いくつかの実施形態による集約された健康記録を表示するための例示的なダッシュボードユーザインタフェースを示す。
【図８Ｊ】いくつかの実施形態による集約された健康記録を表示するための例示的なダッシュボードユーザインタフェースを示す。
【図８Ｋ】いくつかの実施形態による集約された健康記録を表示するための例示的なダッシュボードユーザインタフェースを示す。
【図８Ｌ】いくつかの実施形態による集約された健康記録を表示するための例示的なダッシュボードユーザインタフェースを示す。
【図８Ｍ】いくつかの実施形態による集約された健康記録を表示するための例示的なダッシュボードユーザインタフェースを示す。
【図８Ｎ】いくつかの実施形態による集約された健康記録を表示するための例示的なダッシュボードユーザインタフェースを示す。
【００２７】
【図９Ａ】いくつかの実施形態による集約された健康記録を有するダッシュボードユーザインタフェースを表示するためのプロセスのフロー図である。
【図９Ｂ】いくつかの実施形態による集約された健康記録を有するダッシュボードユーザインタフェースを表示するためのプロセスのフロー図である。
【図９Ｃ】いくつかの実施形態による集約された健康記録を有するダッシュボードユーザインタフェースを表示するためのプロセスのフロー図である。
【図９Ｄ】いくつかの実施形態による集約された健康記録を有するダッシュボードユーザインタフェースを表示するためのプロセスのフロー図である。
【００２８】
【図１０Ａ】いくつかの実施形態による、ユーザが特定の健康記録のステータスを指定できるようにする健康記録マネージャを表示するための例示的なユーザインタフェースを示す。
【図１０Ｂ】いくつかの実施形態による、ユーザが特定の健康記録のステータスを指定できるようにする健康記録マネージャを表示するための例示的なユーザインタフェースを示す。
【図１０Ｃ】いくつかの実施形態による、ユーザが特定の健康記録のステータスを指定できるようにする健康記録マネージャを表示するための例示的なユーザインタフェースを示す。
【図１０Ｄ】いくつかの実施形態による、ユーザが特定の健康記録のステータスを指定できるようにする健康記録マネージャを表示するための例示的なユーザインタフェースを示す。
【図１０Ｅ】いくつかの実施形態による、ユーザが特定の健康記録のステータスを指定できるようにする健康記録マネージャを表示するための例示的なユーザインタフェースを示す。
【図１０Ｆ】いくつかの実施形態による、ユーザが特定の健康記録のステータスを指定できるようにする健康記録マネージャを表示するための例示的なユーザインタフェースを示す。
【図１０Ｇ】いくつかの実施形態による、ユーザが特定の健康記録のステータスを指定できるようにする健康記録マネージャを表示するための例示的なユーザインタフェースを示す。
【図１０Ｈ】いくつかの実施形態による、ユーザが特定の健康記録のステータスを指定できるようにする健康記録マネージャを表示するための例示的なユーザインタフェースを示す。
【図１０Ｉ】いくつかの実施形態による、ユーザが特定の健康記録のステータスを指定できるようにする健康記録マネージャを表示するための例示的なユーザインタフェースを示す。
【図１０Ｊ】いくつかの実施形態による、ユーザが特定の健康記録のステータスを指定できるようにする健康記録マネージャを表示するための例示的なユーザインタフェースを示す。
【図１０Ｋ】いくつかの実施形態による、ユーザが特定の健康記録のステータスを指定できるようにする健康記録マネージャを表示するための例示的なユーザインタフェースを示す。
【図１０Ｌ】いくつかの実施形態による、ユーザが特定の健康記録のステータスを指定できるようにする健康記録マネージャを表示するための例示的なユーザインタフェースを示す。
【図１０Ｍ】いくつかの実施形態による、ユーザが特定の健康記録のステータスを指定できるようにする健康記録マネージャを表示するための例示的なユーザインタフェースを示す。
【図１０Ｎ】いくつかの実施形態による、ユーザが特定の健康記録のステータスを指定できるようにする健康記録マネージャを表示するための例示的なユーザインタフェースを示す。
【図１０Ｏ】いくつかの実施形態による、ユーザが特定の健康記録のステータスを指定できるようにする健康記録マネージャを表示するための例示的なユーザインタフェースを示す。
【図１０Ｐ】いくつかの実施形態による、ユーザが特定の健康記録のステータスを指定できるようにする健康記録マネージャを表示するための例示的なユーザインタフェースを示す。
【図１０Ｑ】いくつかの実施形態による、ユーザが特定の健康記録のステータスを指定できるようにする健康記録マネージャを表示するための例示的なユーザインタフェースを示す。
【００２９】
【図１１Ａ】いくつかの実施形態による、ユーザが特定の健康記録のステータスを指定できるようにする健康記録マネージャを表示するための方法を示すフロー図である。
【図１１Ｂ】いくつかの実施形態による、ユーザが特定の健康記録のステータスを指定できるようにする健康記録マネージャを表示するための方法を示すフロー図である。
【図１１Ｃ】いくつかの実施形態による、ユーザが特定の健康記録のステータスを指定できるようにする健康記録マネージャを表示するための方法を示すフロー図である。
【図１１Ｄ】いくつかの実施形態による、ユーザが特定の健康記録のステータスを指定できるようにする健康記録マネージャを表示するための方法を示すフロー図である。
【図１１Ｅ】いくつかの実施形態による、ユーザが特定の健康記録のステータスを指定できるようにする健康記録マネージャを表示するための方法を示すフロー図である。
【発明を実施するための形態】
【００３０】
以下の説明は、例示的な方法、パラメータなどについて記載する。しかしながら、そのような説明は、本開示の範囲に対する限定として意図されるものではなく、代わりに例示的な実施形態の説明として提供されることを認識されたい。
【００３１】
集約された健康記録を共通のインタフェース内に表示するための効率的な方法及びインタフェースを提供する電子デバイスが必要とされている。このような共通のインタフェースを使用することにより、ユーザがある懸案事項又は質問に関する健康記録の一部しかインタフェース内で閲覧することができないというリスクを回避することができる。このような共通インタフェースの使用はまた、インタフェース内に表示された健康記録を閲覧するために複数のユーザインタフェースをナビゲートする必要性を低減することによって、ユーザの健康記録を閲覧する際のユーザの効率を改善する。そのような技術は、ユーザの健康記録にアクセスするユーザの認識的負担を軽減し、それによって生産性を向上させることができる。更に、このような技法は、普通なら冗長なユーザ入力に浪費されるプロセッサ及び電池の電力を低減させることができる。
【００３２】
以下の図１Ａ〜図１Ｂ、図２、図３、図４Ａ〜図４Ｂ、及び図５Ａ〜図５Ｂでは、集約された健康記録を表示するための技術を実行する例示的なデバイスについて説明する。図６Ａ〜図６Ｑ−１は、集約された健康記録を表示するための例示的なユーザインタフェースを示す。図７Ａ〜図７Ｆは、いくつかの実施形態による集約された健康記録を表示する方法を示すフロー図である。図６Ａ〜図６Ｑ−１のユーザインタフェースは、図７Ａ〜図７Ｆのプロセスを含む後述のプロセスを例示するために使用される。図８Ａ〜図８Ｎは、集約された健康記録を表示するための例示的なダッシュボードユーザインタフェースを示す。図９Ａ〜図９Ｄは、いくつかの実施形態による集約された健康記録を有するダッシュボードユーザインタフェースを表示するための方法を示すフロー図である。図８Ａ〜図８Ｎのユーザインタフェースは、図９Ａ〜図９Ｄのプロセスを含む後述のプロセスを例示するために使用される。図１０Ａ〜図１０Ｑは、ユーザが特定の健康記録のステータスを指定できるようにする健康記録マネージャを表示するための例示的なユーザインタフェースを示す。図１１Ａ〜図１１Ｅは、いくつかの実施形態による、ユーザが特定の健康記録のステータスを指定できるようにする健康記録マネージャを表示するための方法を示すフロー図である。図１０Ａ〜図１０Ｑのユーザインタフェースは、図１１Ａ〜図１１Ｅのプロセスを含む後述のプロセスを例示するために使用される。
【００３３】
以下の説明では、様々な要素について説明するために、「第１の」、「第２の」などの用語を使用するが、これらの要素は、それらの用語によって限定されるべきではない。これらの用語は、ある要素を別の要素と区別するためにのみ使用される。例えば、記載する様々な実施形態の範囲から逸脱することなく、第１のタッチを第２のタッチと呼ぶこともでき、同様に第２のタッチを第１のタッチと呼ぶこともできる。第１のタッチ及び第２のタッチはどちらもタッチであるが、これらは同じタッチではない。
【００３４】
本明細書に記載する様々な実施形態の説明で使用される術語は、特定の実施形態を説明することのみを目的とし、限定的であることは意図されていない。記載する様々な実施形態の説明及び添付の特許請求の範囲では、単数形の「ａ（１つ、一）」、「ａｎ（１つ、一）」、及び「ｔｈｅ（その、この）」は、文脈上別途明白に記載しない限り、複数形も同様に含むことが意図される。また、本明細書で使用されるとき、用語「及び／又は」は、関連する列挙された項目のうちの１つ以上のいずれか及び全ての考えられる組み合わせを指し、かつこれを含むことを理解されたい。「〜の場合（if）」という用語は、任意選択的に、文脈に応じて、「〜とき（when）」若しくは「〜とき（upon）」、又は「〜と判定したことに応じて（in response to determining）」若しくは「〜を検出したことに応じて（in response to detecting）」を意味すると更に解釈される。
【００３５】
「〜の場合（if）」という用語は、任意選択的に、文脈に応じて、「〜とき（when）」若しくは「〜とき（upon）」、又は「〜と判定したことに応じて（in response to determining）」若しくは「〜を検出したことに応じて（in response to detecting）」を意味すると解釈される。同様に、「〜と判定された場合（if it is determined）」又は「［記載の状態又はイベント］が検出された場合（if [a stated condition or event] is detected）」という語句は、任意選択的に、文脈に応じて、「〜と判定したとき（upon determining）」若しくは「〜と判定したことに応じて（in response to determining）」、又は「［記載の状態又はイベント］を検出したとき（upon detecting [the stated condition or event]）」若しくは「［記載の状態又はイベント］を検出したことに応じて（in response to detecting [the stated condition or event]）」を意味すると解釈される。
【００３６】
電子デバイス、そのようなデバイス用のユーザインタフェース、及びそのようなデバイスを使用する関連するプロセスの実施形態が説明される。いくつかの実施形態では、デバイスは、ＰＤＡ機能及び／又は音楽プレーヤ機能などの他の機能も含む、携帯電話などのポータブル通信デバイスである。ポータブル多機能デバイスの例示的な実施形態としては、カリフォルニア州クパチーノのＡｐｐｌｅ  Ｉｎｃ．からのｉＰｈｏｎｅ（登録商標）、ｉＰｏｄ  Ｔｏｕｃｈ（登録商標）、及びｉＰａｄ（登録商標）のデバイスが挙げられるが、これらに限定されない。任意選択的に、タッチ感知面を有するラップトップ又はタブレットコンピュータ（例えば、タッチスクリーンディスプレイ及び／又はタッチパッド）などの他のポータブル電子デバイスも使用される。また、いくつかの実施形態では、デバイスはポータブル通信デバイスではなく、タッチ感知面を有するデスクトップコンピュータ（例えば、タッチスクリーンディスプレイ及び／又はタッチパッド）であることも理解されたい。
【００３７】
以下の論考では、ディスプレイ及びタッチ感知面を含む電子デバイスについて説明する。しかしながら、電子デバイスは、任意選択的に、物理キーボード、マウス、及び／又はジョイスティックなどの１つ以上の他の物理ユーザインタフェースデバイスを含むことを理解されたい。
【００３８】
デバイスは、典型的には、描画アプリケーション、プレゼンテーションアプリケーション、ワードプロセッシングアプリケーション、ウェブサイト作成アプリケーション、ディスクオーサリングアプリケーション、スプレッドシートアプリケーション、ゲームアプリケーション、電話アプリケーション、テレビ会議アプリケーション、電子メールアプリケーション、インスタントメッセージングアプリケーション、トレーニングサポートアプリケーション、写真管理アプリケーション、デジタルカメラアプリケーション、デジタルビデオカメラアプリケーション、ウェブブラウジングアプリケーション、デジタル音楽プレーヤアプリケーション、及び／又はデジタルビデオプレーヤアプリケーションのうちの１つ以上などの様々なアプリケーションに対応する。
【００３９】
本デバイス上で実行される様々なアプリケーションは、タッチ感知面などの、少なくとも１つの共通の物理ユーザインタフェースデバイスを、任意選択的に使用する。タッチ感知面の１つ以上の機能、並びにデバイス上に表示される対応する情報は、アプリケーションごとに、及び／又はそれぞれのアプリケーション内で、任意選択的に、調整及び／又は変更される。このように、デバイスの共通の物理アーキテクチャ（タッチ感知面など）は、任意選択的に、ユーザにとって直観的かつ透過的なユーザインタフェースを備える様々なアプリケーションをサポートする。
【００４０】
ここで、タッチ感知ディスプレイを備えるポータブルデバイスの実施形態に注意を向ける。図１Ａは、いくつかの実施形態によるタッチ感知ディスプレイシステム１１２を有するポータブル多機能デバイス１００を示すブロック図である。タッチ感知ディスプレイ１１２は、便宜上「タッチスクリーン」と呼ばれることがあり、「タッチ感知ディスプレイシステム」として知られている又は呼ばれることがある。デバイス１００は、メモリ１０２（任意選択的に、１つ以上のコンピュータ可読記憶媒体を含む）、メモリコントローラ１２２、１つ以上の処理ユニット（ＣＰＵ）１２０、周辺機器インタフェース１１８、ＲＦ回路１０８、オーディオ回路１１０、スピーカ１１１、マイクロフォン１１３、入出力（Ｉ／Ｏ）サブシステム１０６、他の入力コントロールデバイス１１６、及び外部ポート１２４を含む。デバイス１００は、任意選択的に、１つ以上の光センサ１６４を含む。デバイス１００は、任意選択的に、デバイス１００上の接触の強度を検出する１つ以上の接触強度センサ１６５（例えば、デバイス１００のタッチ感知ディスプレイシステム１１２などのタッチ感知面）を含む。デバイス１００は、任意選択的に、デバイス１００上で触知出力を生成する（例えばデバイス１００のタッチ感知ディスプレイシステム１１２又はデバイス３００のタッチパッド３５５などのタッチ感知面上で触知出力を生成する）１つ以上の触知出力生成器１６７を含む。これらの構成要素は、任意選択的に、１つ以上の通信バス又は信号ライン１０３を介して通信する。
【００４１】
本明細書及び特許請求の範囲では、タッチ感知面上の接触の「強度」という用語は、タッチ感知面上の接触（例えば、指の接触）の力若しくは圧力（単位面積当たりの力）、又はタッチ感知面上の接触の力若しくは圧力に対する代理（プロキシ）を指す。接触の強度は、少なくとも４つの別個の値を含み、より典型的には、数百の（例えば、少なくとも２５６の）別個の値を含む、値の範囲を有する。接触の強度は、任意選択的に、様々な手法、及び様々なセンサ又はセンサの組み合わせを使用して、判定（又は測定）される。例えば、タッチ感知面の下又はそれに隣接する１つ以上の力センサは、任意選択的に、タッチ感知面上の様々なポイントにおける力を測定するために使用される。一部の実装形態では、複数の力センサからの力測定値は、接触の推定される力を判定するために組み合わされる（例えば、加重平均）。同様に、スタイラスの感圧性先端部は、任意選択的に、タッチ感知面上のスタイラスの圧力を判定するために使用される。あるいは、タッチ感知面上で検出される接触エリアのサイズ及び／若しくはその変化、接触に近接するタッチ感知面の電気容量及び／若しくはその変化、並びに／又は、接触に近接するタッチ感知面の抵抗及び／若しくはその変化は、任意選択的に、タッチ感知面上の接触の力又は圧力の代替物として使用される。一部の実装形態では、接触の力又は圧力のための代替測定値は、強度閾値を超えているかどうかを判定するために直接使用される（例えば、強度閾値は、代替測定値に対応する単位で記述される）。一部の実装形態では、接触力又は圧力に対する代理測定は、推定される力又は圧力に変換され、推定される力又は圧力は、強度閾値を超過したかどうかを判定するために使用される（例えば、強度閾値は、圧力の単位で測定される圧力閾値である）。接触の強度をユーザ入力の属性として使用することにより、アフォーダンスを（例えば、タッチ感知ディスプレイ上に）表示するための、及び／又は、ユーザ入力を（例えば、タッチ感知ディスプレイ、タッチ感知面、又は、ノブ若しくはボタンなどの物理的／機械的制御部を介して）受信するための面積が制限されている、低減されたサイズのデバイス上で、通常であればユーザによってアクセスすることが不可能であり得る追加のデバイス機能への、ユーザのアクセスが可能となる。
【００４２】
本明細書及び特許請求の範囲で使用されるように、用語「触知出力」は、ユーザの触覚でユーザによって検出されることになる、デバイスの従前の位置に対するそのデバイスの物理的変位、デバイスの構成要素（例えば、タッチ感知面）の、そのデバイスの別の構成要素（例えば、筐体）に対する物理的変位、又は、デバイスの質量中心に対する構成要素の変位を指す。例えば、デバイス又はデバイスの構成要素が、タッチに敏感なユーザの表面（例えば、ユーザの手の指、手のひら、又は他の部分）に接触している状況では、物理的変位によって生成された触知出力は、そのデバイス又はデバイスの構成要素の物理的特性の認識される変化に相当する触感として、ユーザによって解釈されることになる。例えば、タッチ感知面（例えば、タッチ感知ディスプレイ又はトラックパッド）の移動は、ユーザによって、物理アクチュエータボタンの「ダウンクリック」又は「アップクリック」として、任意選択的に解釈される。いくつかの場合、ユーザの動作により物理的に押された（例えば、変位された）タッチ感知面に関連付けられた物理アクチュエータボタンの移動がないときでさえ、ユーザは「ダウンクリック」又は「アップクリック」などの触感を感じる。別の例として、タッチ感知面の移動は、タッチ感知面の平滑度に変化がない場合であっても、ユーザによって、そのタッチ感知面の「粗さ」として、任意選択的に解釈又は感知される。そのようなユーザによるタッチの解釈は、ユーザの個人的な感覚認知に左右されるが、大多数のユーザに共通する、多くのタッチの感覚認知が存在する。したがって、触知出力が、ユーザの特定の感覚認知（例えば、「アップクリック」「ダウンクリック」、「粗さ」）に対応するものと記述される場合、別途記載のない限り、生成された触知出力は、典型的な（又は、平均的な）ユーザの記述された感覚認知を生成するデバイス、又はデバイスの構成要素の物理的変位に対応する。
【００４３】
デバイス１００は、ポータブル多機能デバイスの一例に過ぎず、デバイス１００は、任意選択的に、示されているものよりも多くの構成要素又は少ない構成要素を有するものであり、任意選択的に、２つ以上の構成要素を組み合わせるものであり、又は、任意選択的に、それらの構成要素の異なる構成若しくは配置を有するものであることを理解されたい。図１Ａに示す様々な構成要素は、１つ以上の信号処理回路及び／又は特定用途向け集積回路を含む、ハードウェア、ソフトウェア、又はハードウェアとソフトウェアの両方の組み合わせで実施される。
【００４４】
メモリ１０２は、任意選択的に、高速ランダムアクセスメモリを含み、また任意選択的に、１つ以上の磁気ディスク記憶デバイス、フラッシュメモリデバイス、又は他の不揮発性ソリッドステートメモリデバイスなどの不揮発性メモリを含む。メモリコントローラ１２２は、任意選択的に、デバイス１００の他の構成要素によるメモリ１０２へのアクセスを制御する。
【００４５】
周辺機器インタフェース１１８は、デバイスの入力及び出力周辺機器をＣＰＵ１２０及びメモリ１０２に結合するために使用することができる。１つ以上のプロセッサ１２０は、メモリ１０２に記憶された様々なソフトウェアプログラム及び／若しくは命令セットを動作させるか、又は実行して、デバイス１００のための様々な機能を実行し、データを処理する。いくつかの実施形態では、周辺機器インタフェース１１８、ＣＰＵ１２０、及びメモリコントローラ１２２は、任意選択的に、チップ１０４などの単一のチップ上で実施される。いくつかの他の実施形態では、それらは別々のチップ上に任意選択的に実装される。
【００４６】
ＲＦ（radio frequency）（無線周波数）回路１０８は、電磁信号とも呼ばれるＲＦ信号を送受信する。ＲＦ回路１０８は、電気信号を電磁信号に、又は電磁信号を電気信号に変換し、電磁信号を介して通信ネットワーク及び他の通信デバイスと通信する。ＲＦ回路１０８は、任意選択的に、これらの機能を実行するための周知の回路を含み、それらの回路としては、限定するものではないが、アンテナシステム、ＲＦ送受信機、１つ以上の増幅器、同調器、１つ以上の発振器、デジタル信号プロセッサ、ＣＯＤＥＣチップセット、加入者識別モジュール（subscriber identity module、ＳＩＭ）カード、メモリなどが挙げられる。ＲＦ回路１０８は、任意選択的に、ワールドワイドウェブ（World Wide Web、ＷＷＷ）とも呼ばれるインターネット、イントラネット、並びに／又はセルラー電話ネットワーク、無線ローカルエリアネットワーク（local area network、ＬＡＮ）及び／若しくはメトロポリタンエリアネットワーク（metropolitan area network、ＭＡＮ）などの無線ネットワークなどのネットワークと、また他のデバイスと、無線通信によって通信する。ＲＦ回路１０８は、任意選択的に、短距離通信無線機などによって近距離通信（near field communication、ＮＦＣ）フィールドを検出するよく知られている回路を含む。無線通信は、任意選択的に、それだけに限定されるものではないが、動き通信用のグローバルシステム（Global System for Mobile Communications、ＧＳＭ）、拡張データＧＳＭ環境（Enhanced Data GSM Environment、ＥＤＧＥ）、高速ダウンリンクパケットアクセス（high-speed downlink packet access、ＨＳＤＰＡ）、高速アップリンクパケットアクセス（high-speed uplink packet access、ＨＳＵＰＡ）、エボリューションデータオンリ（Evolution,Data-Only、ＥＶ−ＤＯ）、ＨＳＰＡ、ＨＳＰＡ＋、デュアルセルＨＳＰＡ（Dual-Cell HSPA、ＤＣ−ＨＳＰＤＡ）、ロングタームエボリューション（long term evolution、ＬＴＥ）、近距離通信（ＮＦＣ）、広帯域符号分割多元接続（wideband code division multiple access、Ｗ−ＣＤＭＡ）、符号分割多元接続（code division multiple access、ＣＤＭＡ）、時分割多元接続（time division multiple access、ＴＤＭＡ）、Ｂｌｕｅｔｏｏｔｈ（登録商標）、Ｂｌｕｅｔｏｏｔｈローエネルギ（Bluetooth Low Energy、ＢＴＬＥ（登録商標））、ワイヤレスフィデリティ（Wireless Fidelity、Ｗｉ−Ｆｉ（登録商標））（例えば、ＩＥＥＥ  ８０２．１１ａ、ＩＥＥＥ  ８０２．１１ｂ、ＩＥＥＥ  ８０２．１１ｇ、ＩＥＥＥ  ８０２．１１ｎ、及び／若しくはＩＥＥＥ  ８０２．１１ａｃ）、ボイスオーバインターネットプロトコル（voice over Internet Protocol、ＶｏＩＰ）、Ｗｉ−ＭＡＸ（登録商標）、電子メール用プロトコル（例えば、インターネットメッセージアクセスプロトコル（Internet message access protocol、ＩＭＡＰ）及び／若しくはポストオフィスプロトコル（post office protocol、ＰＯＰ））、インスタントメッセージング（例えば、拡張可能なメッセージング及びプレゼンスプロトコル（extensible messaging and presence protocol、ＸＭＰＰ）、インスタントメッセージング及びプレゼンスレベレイジングエクステンションのためのセッション開始プロトコル（Session Initiation Protocol for Instant Messaging and Presence Leveraging Extensions、ＳＩＭＰＬＥ）、インスタントメッセージング及びプレゼンスサービス��Instant Messaging and Presence Service、ＩＭＰＳ））、並びに／若しくはショートメッセージサービス（Short Message Service、ＳＭＳ）、又は本明細書の出願日の時点でまだ開発されていない通信プロトコルを含む任意の他の適した通信プロトコルを含む、複数の通信規格、プロトコル、及び技術のうちのいずれかを使用する。
【００４７】
オーディオ回路１１０、スピーカ１１１、及びマイクロフォン１１３は、ユーザとデバイス１００との間のオーディオインタフェースを提供する。オーディオ回路１１０は、周辺機器インタフェース１１８からオーディオデータを受信し、このオーディオデータを電気信号に変換し、この電気信号をスピーカ１１１に伝送する。スピーカ１１１は、電気信号を人間の可聴音波に変換する。また、オーディオ回路１１０は、マイクロフォン１１３によって音波から変換された電気信号を受信する。オーディオ回路１１０は、電気信号をオーディオデータに変換し、このオーディオデータを処理のために周辺機器インタフェース１１８に伝送する。オーディオデータは、任意選択的に、周辺機器インタフェース１１８によって、メモリ１０２及び／若しくはＲＦ回路１０８から取得され、かつ／又はメモリ１０２及び／若しくはＲＦ回路１０８に伝送される。いくつかの実施形態では、オーディオ回路１１０は更にヘッドセットジャック（例えば、図２の２１２）を備える。ヘッドセットジャックは、オーディオ回路１１０と、出力専用ヘッドホン又は出力（例えば片耳又は両耳用のヘッドホン）及び入力（例えばマイクロフォン）の両方を備えるヘッドセットなどの着脱可能なオーディオ入出力周辺機器との間のインタフェースを提供する。
【００４８】
Ｉ／Ｏサブシステム１０６は、タッチスクリーン１１２及び他の入力コントロールデバイス１１６などのデバイス１００上の入出力周辺機器を、周辺機器インタフェース１１８に結合する。Ｉ／Ｏサブシステム１０６は、任意選択的に、ディスプレイコントローラ１５６、光センサコントローラ１５８、強度センサコントローラ１５９、触覚フィードバックコントローラ１６１、及び他の入力若しくは制御デバイスのための１つ以上の入力コントローラ１６０を含む。１つ以上の入力コントローラ１６０は、他の入力コントロールデバイス１１６からの電気信号の受信／他の入力コントロールデバイス１ｓ１６への電気信号の送信を行う。他の入力コントロールデバイス１１６は、任意選択的に、物理ボタン（例えば、プッシュボタン、ロッカボタンなど）、ダイヤル、スライダスイッチ、ジョイスティック、クリックホイールなどを含む。いくつかの代替的な実施形態では、入力コントローラ（単数又は複数）１６０は、任意選択的に、キーボード、赤外線ポート、ＵＳＢポート、及びマウスなどのポインタデバイスのうちのいずれかに結合される（又はいずれにも結合されない）。１つ以上のボタン（例えば、図２の２０８）は、任意選択的に、スピーカ１１１及び／又はマイクロフォン１１３の音量コントロールのための上下ボタンを含む。１つ以上のボタンは、任意選択的に、プッシュボタン（例えば、図２の２０６）を含む。
【００４９】
全体として参照により本明細書に組み込まれている、２００５年１２月２３日出願の米国特許出願第１１／３２２，５４９号、「Ｕｎｌｏｃｋｉｎｇ  ａ  Ｄｅｖｉｃｅ  ｂｙ  Ｐｅｒｆｏｒｍｉｎｇ  Ｇｅｓｔｕｒｅｓ  ｏｎ  ａｎ  Ｕｎｌｏｃｋ  Ｉｍａｇｅ」、米国特許第７，６５７，８４９号に記載されているように、プッシュボタンの素早い押下は、任意選択的に、タッチスクリーン１１２のロックを係合解除し、又は任意選択的に、タッチスクリーン上のジェスチャを使用してデバイスをアンロックするプロセスを開始する。プッシュボタン（例えば、２０６）のより長い押下は、任意選択的に、デバイス１００への電力をオン又はオフにする。ボタンのうちの１つ以上の機能性は、任意選択的に、ユーザによってカスタマイズ可能である。タッチスクリーン１１２は、仮想又はソフトボタン及び１つ以上のソフトキーボードを実装するために使用される。
【００５０】
タッチ感知ディスプレイ１１２は、デバイスとユーザとの間の入力インタフェース及び出力インタフェースを提供する。ディスプレイコントローラ１５６は、タッチスクリーン１１２からの電気信号の受信、及び／又はタッチスクリーン１１２への電気信号の送信を行う。タッチスクリーン１１２は、ユーザに対して視覚出力を表示する。この視覚出力は、グラフィック、テキスト、アイコン、ビデオ、及びそれらの任意の組み合わせ（総称して「グラフィック」）を任意選択的に含む。いくつかの実施形態では、視覚出力の一部又は全ては、任意選択的に、ユーザインタフェースオブジェクトに対応する。
【００５１】
タッチスクリーン１１２は、触覚及び／又は触知接触に基づくユーザからの入力を受け入れるタッチ感知面、センサ、又はセンサセットを有する。タッチスクリーン１１２及びディスプレイコントローラ１５６は（メモリ１０２内の任意の関連モジュール及び／又は命令セットと共に）、タッチスクリーン１１２上で接触（及び任意の接触の移動又は中断）を検出し、検出された接触をタッチスクリーン１１２上で表示されたユーザインタフェースオブジェクト（例えば、１つ以上のソフトキー、アイコン、ウェブページ又は画像）との対話に変換する。例示的な実施形態では、タッチスクリーン１１２とユーザとの間の接触点は、ユーザの指に対応する。
【００５２】
タッチスクリーン１１２は、任意選択的に、ＬＣＤ（液晶ディスプレイ）技術、ＬＰＤ（発光ポリマーディスプレイ）技術、又はＬＥＤ（発光ダイオード）技術を使用するが、他の実施形態では、他のディスプレイ技術も使用される。タッチスクリーン１１２及びディスプレイコントローラ１５６は、任意選択的に、それだけに限定されるものではないが、容量性、抵抗性、赤外線、及び表面音波の技術、並びにタッチスクリーン１１２との１つ以上の接触点を判定する他の近接センサアレイ又は他の要素を含む、現在知られている又は今後開発される複数のタッチ感知技術のうちのいずれかを使用して、接触及びそのあらゆる動き又は中断を検出する。例示的な実施形態では、カリフォルニア州クパチーノのＡｐｐｌｅ  Ｉｎｃ．からのｉＰｈｏｎｅ（登録商標）及びｉＰｏｄ  Ｔｏｕｃｈ（登録商標）に見られるものなどの、投影型相互静電容量感知技術が使用される。
【００５３】
タッチスクリーン１１２のいくつかの実施形態におけるタッチ感知ディスプレイは、任意選択的に、それぞれ全体として参照により本明細書に組み込まれている、米国特許第６，３２３，８４６号（Ｗｅｓｔｅｒｍａｎら）、第６，５７０，５５７号（Ｗｅｓｔｅｒｍａｎら）、及び／若しくは第６，６７７，９３２号（Ｗｅｓｔｅｒｍａｎ）、並びに／又は米国特許公報第２００２／００１５０２４Ａ１号という米国特許に記載されているマルチタッチ感知タッチパッドに類似している。しかしながら、タッチスクリーン１１２がデバイス１００からの視覚出力を表示するのに対して、タッチ感知タッチパッドは視覚出力を提供しない。
【００５４】
タッチスクリーン１１２のいくつかの実施形態におけるタッチ感知ディスプレイは、（１）２００６年５月２日出願の米国特許出願第１１／３８１，３１３号、「Ｍｕｌｔｉｐｏｉｎｔ  Ｔｏｕｃｈ  Ｓｕｒｆａｃｅ  Ｃｏｎｔｒｏｌｌｅｒ」、（２）２００４年５月６日出願の米国特許出願第１０／８４０，８６２号、「Ｍｕｌｔｉｐｏｉｎｔ  Ｔｏｕｃｈｓｃｒｅｅｎ」、（３）２００４年７月３０日出願の米国特許出願第１０／９０３，９６４号、「Ｇｅｓｔｕｒｅｓ  Ｆｏｒ  Ｔｏｕｃｈ  Ｓｅｎｓｉｔｉｖｅ  Ｉｎｐｕｔ  Ｄｅｖｉｃｅｓ」、（４）２００５年１月３１日出願の米国特許出願第１１／０４８，２６４号、「Ｇｅｓｔｕｒｅｓ  Ｆｏｒ  Ｔｏｕｃｈ  Ｓｅｎｓｉｔｉｖｅ  Ｉｎｐｕｔ  Ｄｅｖｉｃｅｓ」、（５）２００５年１月１８日出願の米国特許出願第１１／０３８，５９０号、「Ｍｏｄｅ−Ｂａｓｅｄ  Ｇｒａｐｈｉｃａｌ  Ｕｓｅｒ  Ｉｎｔｅｒｆａｃｅｓ  Ｆｏｒ  Ｔｏｕｃｈ  Ｓｅｎｓｉｔｉｖｅ  Ｉｎｐｕｔ  Ｄｅｖｉｃｅｓ」、（６）２００５年９月１６日出願の米国特許出願第１１／２２８，７５８号、「Ｖｉｒｔｕａｌ  Ｉｎｐｕｔ  Ｄｅｖｉｃｅ  Ｐｌａｃｅｍｅｎｔ  Ｏｎ  Ａ  Ｔｏｕｃｈ  Ｓｃｒｅｅｎ  Ｕｓｅｒ  Ｉｎｔｅｒｆａｃｅ」、（７）２００５年９月１６日出願の米国特許出願第１１／２２８，７００号、「Ｏｐｅｒａｔｉｏｎ  Ｏｆ  Ａ  Ｃｏｍｐｕｔｅｒ  Ｗｉｔｈ  Ａ  Ｔｏｕｃｈ  Ｓｃｒｅｅｎ  Ｉｎｔｅｒｆａｃｅ」、（８）２００５年９月１６日出願の米国特許出願第１１／２２８，７３７号、「Ａｃｔｉｖａｔｉｎｇ  Ｖｉｒｔｕａｌ  Ｋｅｙｓ  Ｏｆ  Ａ  Ｔｏｕｃｈ−Ｓｃｒｅｅｎ  Ｖｉｒｔｕａｌ  Ｋｅｙｂｏａｒｄ」、及び（９）２００６年３月３日出願の米国特許出願第１１／３６７，７４９号、「Ｍｕｌｔｉ−Ｆｕｎｃｔｉｏｎａｌ  Ｈａｎｄ−Ｈｅｌｄ  Ｄｅｖｉｃｅ」という出願に記載されている。これらの出願は全て、全体として参照により本明細書に組み込まれている。
【００５５】
タッチスクリーン１１２は、任意選択的に、１００ｄｐｉを超えるビデオ解像度を有する。一部の実施形態では、タッチスクリーンは、約１６０ｄｐｉのビデオ解像度を有する。ユーザは、任意選択的に、スタイラス、指などの任意の適した物体又は付属物を使用して、タッチスクリーン１１２に接触する。一部の実施形態では、ユーザインタフェースは、指ベースの接触及びジェスチャを主に扱うように設計されるが、これは、タッチスクリーン上の指の接触面積がより大きいため、スタイラスベースの入力ほど精密でない可能性がある。一部の実施形態では、デバイスは、指による粗い入力を、ユーザによって所望されているアクションを実行するための、正確なポインタ／カーソルの位置又はコマンドに変換する。
【００５６】
いくつかの実施形態では、タッチスクリーンに加えて、デバイス１００は、任意選択的に、特定の機能をアクティブ化又は非アクティブ化するためのタッチパッド（図示せず）を含む。一部の実施形態では、タッチパッドは、タッチスクリーンとは異なり、視覚出力を表示しない、デバイスのタッチ感知エリアである。タッチパッドは、任意選択的に、タッチスクリーン１１２又はタッチスクリーンによって形成されるタッチ感知面の拡張部とは別個のタッチ感知面である。
【００５７】
デバイス１００はまた、様々な構成要素に電力を供給する電力システム１６２を含む。電力システム１６２は、任意選択的に、電力管理システム、１つ以上の電源（例えば、バッテリ、交流（ＡＣ））、再充電システム、停電検出回路、電力コンバータ又はインバータ、電力状態インジケータ（例えば、発光ダイオード（ＬＥＤ））、並びにポータブルデバイス内での電力の生成、管理、及び分配に関連付けられた任意の他の構成要素を含む。
【００５８】
また、デバイス１００は、任意選択的に、１つ以上の光センサ１６４を含む。図１Ａは、Ｉ／Ｏサブシステム１０６内の光センサコントローラ１５８に結合された光センサを示す。光センサ１６４は、任意選択的に、電荷結合デバイス（charge-coupled device、ＣＣＤ）又は相補的金属酸化物半導体（complementary metal-oxide semiconductor、ＣＭＯＳ）フォトトランジスタを含む。光センサ１６４は、１つ以上のレンズを通って投影された環境からの光を受信し、その光を、画像を表すデータに変換する。光センサ１６４は、撮像モジュール１４３（カメラモジュールとも呼ばれる）と連動して、任意選択的に、静止画像又はビデオをキャプチャする。いくつかの実施形態では、光センサは、デバイスの前面にあるタッチスクリーンディスプレイ１１２とは反対に、デバイス１００の裏面に位置し、したがってタッチスクリーンディスプレイは、静止画像及び／又はビデオ画像の取得のためのビューファインダとして使用することが有効である。いくつかの実施形態では、光センサは、デバイスの前面には位置し、したがってユーザの画像が、任意選択的に、テレビ会議のために入手され、ユーザは、他のテレビ会議参加者をタッチスクリーンディスプレイ上で見る。一部の実施形態では、光センサ１６４の位置は、ユーザによって（例えば、デバイスハウジング内でレンズ及びセンサを回転させることによって）変更することができ、したがって単一の光センサ１６４が、タッチスクリーンディスプレイと共に、テレビ会議にも静止画像及び／又はビデオ画像の取得にも使用される。
【００５９】
デバイス１００はまた、任意選択的に、１つ以上の接触強度センサ１６５を含む。図１Ａは、Ｉ／Ｏサブシステム１０６内の強度センサコントローラ１５９に結合された接触強度センサを示す。接触強度センサ１６５は、任意選択的に、１つ以上のピエゾ抵抗ひずみゲージ、容量性力センサ、電気力センサ、圧電力センサ、光学力センサ、容量性タッチ感知面、又は他の強度センサ（例えば、タッチ感知面上の接触の力（若しくは圧力）を測定するために使用されるセンサ）を含む。接触強度センサ１６５は、接触強度情報（例えば、圧力情報、又は圧力情報に対するプロキシ）を環境から受信する。一部の実施形態では、少なくとも１つの接触強度センサは、タッチ感知面（例えばタッチ感知ディスプレイシステム１１２）と並置され、又はそれに近接している。一部の実施形態では、少なくとも１つの接触強度センサは、デバイス１００の前面に位置するタッチスクリーンディスプレイ１１２とは反対に、デバイス１００の裏面に位置する。
【００６０】
また、デバイス１００は、任意選択的に、１つ以上の近接センサ１６６を含む。図１Ａは、周辺機器インタフェース１１８に結合された近接センサ１６６を示す。代わりに、近接センサ１６６は、任意選択的に、Ｉ／Ｏサブシステム１０６内の入力コントローラ１６０に結合される。近接センサ１６６は、任意選択的に、全体として参照により本明細書に組み込まれている、米国特許出願第１１／２４１，８３９号、「Ｐｒｏｘｉｍｉｔｙ  Ｄｅｔｅｃｔｏｒ  Ｉｎ  Ｈａｎｄｈｅｌｄ  Ｄｅｖｉｃｅ」、第１１／２４０，７８８号、「Ｐｒｏｘｉｍｉｔｙ  Ｄｅｔｅｃｔｏｒ  Ｉｎ  Ｈａｎｄｈｅｌｄ  Ｄｅｖｉｃｅ」第１１／６２０，７０２号、「Ｕｓｉｎｇ  Ａｍｂｉｅｎｔ  Ｌｉｇｈｔ  Ｓｅｎｓｏｒ  Ｔｏ  Ａｕｇｍｅｎｔ  Ｐｒｏｘｉｍｉｔｙ  Ｓｅｎｓｏｒ  Ｏｕｔｐｕｔ」、第１１／５８６，８６２号、「Ａｕｔｏｍａｔｅｄ  Ｒｅｓｐｏｎｓｅ  Ｔｏ  Ａｎｄ  Ｓｅｎｓｉｎｇ  Ｏｆ  Ｕｓｅｒ  Ａｃｔｉｖｉｔｙ  Ｉｎ  Ｐｏｒｔａｂｌｅ  Ｄｅｖｉｃｅｓ」、及び同第１１／６３８，２５１号、「Ｍｅｔｈｏｄｓ  Ａｎｄ  Ｓｙｓｔｅｍｓ  Ｆｏｒ  Ａｕｔｏｍａｔｉｃ  Ｃｏｎｆｉｇｕｒａｔｉｏｎ  Ｏｆ  Ｐｅｒｉｐｈｅｒａｌｓ」で説明されるように機能するものであり、これらの出願は、全体が参照により本明細書に組み込まれる。一部の実施形態では、近接センサは、多機能デバイスがユーザの耳付近に配置されたとき（例えば、ユーザが電話をかけているとき）、タッチスクリーン１１２をオフにして無効化する。
【００６１】
デバイス１００はまた、任意選択的に、１つ以上の触知出力生成器１６７を含む。図１Ａは、Ｉ／Ｏサブシステム１０６内の触覚フィードバックコントローラ１６１に結合された触知出力生成器を示す。触知出力生成器１６７は、任意選択的に、スピーカ若しくは他のオーディオ構成要素などの１つ以上の電気音響デバイス、及び／又はモータ、ソレノイド、電気活性ポリマー、圧電アクチュエータ、静電アクチュエータ、若しくは他の触知出力生成構成要素（例えば、デバイス上で電気信号を触知出力に変換する構成要素）などのエネルギーを直線の動きに変換する電気機械デバイスを含む。接触強度センサ１６５は、触覚フィードバックモジュール１３３から触知フィードバック生成命令を受信し、デバイス１００のユーザが感知することが可能な触知出力をデバイス１００上に生成する。一部の実施形態では、少なくとも１つの触知出力生成器は、タッチ感知面（例えば、タッチ感知ディスプレイシステム１１２）に配置されているか、又はそれに近接しており、任意選択的に、タッチ感知面を垂直方向（例えば、デバイス１００の表面の内／外）に、又は水平方向（例えば、デバイス１００の表面と同じ平面内の前後）に動かすことによって、触知出力を生成する。一部の実施形態では、少なくとも１つの触知出力生成器センサは、デバイス１００の前面に位置するタッチスクリーンディスプレイ１１２とは反対に、デバイス１００の裏面に位置する。
【００６２】
また、デバイス１００は、任意選択的に、１つ以上の加速度計１６８を含む。図１Ａは、周辺機器インタフェース１１８に結合された加速度計１６８を示す。代わりに、加速度計１６８は、任意選択的に、Ｉ／Ｏサブシステム１０６内の入力コントローラ１６０に結合される。加速度計１６８は、任意選択的に、どちらも全体として参照により本明細書に組み込まれている、米国特許公開第２００５０１９００５９号、「Ａｃｃｅｌｅｒａｔｉｏｎ−ｂａｓｅｄ  Ｔｈｅｆｔ  Ｄｅｔｅｃｔｉｏｎ  Ｓｙｓｔｅｍ  ｆｏｒ  Ｐｏｒｔａｂｌｅ  Ｅｌｅｃｔｒｏｎｉｃ  Ｄｅｖｉｃｅｓ」、及び米国特許公開第２００６００１７６９２号、「Ｍｅｔｈｏｄｓ  Ａｎｄ  Ａｐｐａｒａｔｕｓｅｓ  Ｆｏｒ  Ｏｐｅｒａｔｉｎｇ  Ａ  Ｐｏｒｔａｂｌｅ  Ｄｅｖｉｃｅ  Ｂａｓｅｄ  Ｏｎ  Ａｎ  Ａｃｃｅｌｅｒｏｍｅｔｅｒ」に記載されているように機能する。一部の実施形態では、情報は、１つ以上の加速度計から受信したデータの分析に基づいて、ポートレートビュー又はランドスケープビューでタッチスクリーンディスプレイ上に表示される。デバイス１００は、任意選択的に、加速度計（単数又は複数）１６８に加えて、磁気計（図示せず）、並びにデバイス１００の位置及び向き（例えば、縦向き又は横向き）に関する情報を取得するためのＧＰＳ（又はＧＬＯＮＡＳＳ又は他のグローバルナビゲーションシステム）受信機（図示せず）を含む。
【００６３】
いくつかの実施形態では、メモリ１０２内に記憶されているソフトウェア構成要素は、オペレーティングシステム１２６、通信モジュール（又は命令セット）１２８、接触／動きモジュール（又は命令セット）１３０、グラフィックモジュール（又は命令セット）１３２、テキスト入力モジュール（又は命令セット）１３４、全地球測位システム（Global Positioning System、ＧＰＳ）モジュール（又は命令セット）１３５、及びアプリケーション（又は命令セット）１３６を含む。更に、いくつかの実施形態では、メモリ１０２（図１Ａ）又は３７０（図３）は、図１Ａ及び図３に示すように、デバイス／グローバル内部状態１５７を記憶する。デバイス／グローバル内部状態１５７は、現在アクティブ状態のアプリケーションがある場合に、どのアプリケーションがアクティブであるかを示すアクティブアプリケーション状態、どのアプリケーション、ビュー、又は他の情報がタッチスクリーンディスプレイ１１２の様々な領域を占めているかを示す表示状態、デバイスの様々なセンサ及び入力コントロールデバイス１１６から取得した情報を含むセンサ状態、並びにデバイスの位置及び／又は姿勢に関する位置情報、のうちの１つ以上を含む。
【００６４】
オペレーティングシステム１２６（例えば、Ｄａｒｗｉｎ（登録商標）、ＲＴＸＣ（登録商標）、ＬＩＮＵＸ（登録商標）、ＵＮＩＸ（登録商標）、ＯＳ  Ｘ（登録商標）、ｉＯＳ（登録商標）、ＷＩＮＤＯＷＳ（登録商標）、又はＶｘＷｏｒｋｓ（登録商標）などの組み込み型オペレーティングシステム）は、通常のシステムタスク（例えば、メモリ管理、記憶デバイスの制御、電力管理など）を制御及び管理する様々なソフトウェア構成要素及び／又はドライバを含み、様々なハードウェア構成要素とソフトウェア構成要素との間の通信を容易にする。
【００６５】
通信モジュール１２８は、１つ以上の外部ポート１２４を介して他のデバイスとの通信を容易にし、ＲＦ回路１０８及び／又は外部ポート１２４が受信したデータを処理するための様々なソフトウェア構成要素をも含む。外部ポート１２４（例えば、ユニバーサルシリアルバス（Universal Serial Bus、ＵＳＢ）、ＦＩＲＥＷＩＲＥなど）は、直接的に、又はネットワーク（例えば、インターネット、無線ＬＡＮなど）を介して間接的に、他のデバイスに結合するように適合されている。一部の実施形態では、外部ポートは、ｉＰｏｄ（登録商標）（Ａｐｐｌｅ  Ｉｎｃ．の商標）デバイス上で使用される３０ピンコネクタと同じ若しくは類似であり、かつ／又はそれに適合しているマルチピン（例えば、３０ピン）コネクタである。
【００６６】
接触／動きモジュール１３０は、任意選択的に、タッチスクリーン１１２（ディスプレイコントローラ１５６と連動して）及び他のタッチ感知デバイス（例えば、タッチパッド又は物理クリックホイール）との接触を検出する。接触／動きモジュール１３０は、接触が生じたかを判定すること（例えば、指を下ろすイベントを検出すること）、接触の強度（例えば、接触の力若しくは圧力、又は接触の力若しくは圧力の代替物）を判定すること、接触の移動が存在するかを判定し、タッチ感知面を横断する移動を追跡すること（例えば、指をドラッグする１つ以上のイベントを検出すること）、及び接触が停止したかを判定すること（例えば、指を上げるイベント又は接触の中断を検出すること）などの、接触の検出に関する様々な動作を実行するための、様々なソフトウェア構成要素を含む。接触／動きモジュール１３０は、タッチ感知面から接触データを受信する。一連の接触データによって表される、接触点の移動を判定することは、任意選択的に、接触点の速さ（大きさ）、速度（大きさ及び方向）、及び／又は加速度（大きさ及び／又は方向の変化）を判定することを含む。これらの動作は、任意選択的に、単一の接触（例えば、１本の指の接触）又は複数の同時接触（例えば、「マルチタッチ」／複数の指の接触）に適用される。いくつかの実施形態では、接触／動きモジュール１３０及びディスプレイコントローラ１５６は、タッチパッド上の接触を検出する。
【００６７】
一部の実施形態では、接触／動きモジュール１３０は、１つ以上の強度閾値のセットを使用して、ユーザによって動作が実行されたかどうかを判定する（例えば、ユーザがアイコン上で「クリック」したかどうかを判定する）。いくつかの実施形態では、強度閾値の少なくとも１つのサブセットが、ソフトウェアパラメータに従って判定される（例えば、強度閾値は、特定の物理アクチュエータのアクティブ化閾値によって判定されるのではなく、デバイス１００の物理ハードウェアを変化させることなく調整することができる）。例えば、トラックパッド又はタッチスクリーンディスプレイのマウス「クリック」閾値は、トラックパッド又はタッチスクリーンディスプレイハードウェアを変化させることなく、広範囲の既定閾値のうちのいずれかに設定することができる。加えて、一部の実装形態では、デバイスのユーザは、強度閾値のセットのうちの１つ以上を調整するソフトウェア設定が提供される（例えば、システムレベルのクリック「強度」パラメータによって、個々の強度閾値を調整すること、及び／又は複数の強度閾値を一度に調整することによる）。
【００６８】
接触／動きモジュール１３０は、任意選択的に、ユーザによるジェスチャ入力を検出する。タッチ感知面上の異なるジェスチャは、異なる接触パターンを有する（例えば検出される接触の動き、タイミング、及び／又は強度が異なる）。したがって、ジェスチャは、任意選択的に、特定の接触パターンを検出することによって検出される。例えば、指タップジェスチャを検出することは、指ダウンイベントを検出し、それに続いて指ダウンイベントと同じ位置（又は実質的に同じ位置）（例えば、アイコンの位置）で指アップ（リフトオフ）イベントを検出することを含む。別の例として、タッチ感知面上で指スワイプジェスチャを検出することは、指ダウンイベントを検出し、それに続いて１つ以上の指ドラッグイベントを検出し、その後それに続いて指アップ（リフトオフ）イベントを検出することを含む。
【００６９】
グラフィックモジュール１３２は、表示されるグラフィックの視覚的な影響（例えば、輝度、透明度、彩度、コントラスト、又は他の視覚的特性）を変化させる構成要素を含めて、タッチスクリーン１１２又は他のディスプレイ上にグラフィックをレンダリング及び表示する様々な既知のソフトウェア構成要素を含む。本明細書では、「グラフィック」という用語は、それだけに限定されるものではないが、文字、ウェブページ、アイコン（ソフトキーを含むユーザインタフェースオブジェクトなど）、デジタル画像、ビデオ、アニメーションなどを含む、ユーザに表示することができる任意のオブジェクトを含む。
【００７０】
一部の実施形態では、グラフィックモジュール１３２は、使用されるグラフィックを表すデータを記憶する。各グラフィックには、任意選択的に、対応するコードが割り当てられる。グラフィックモジュール１３２は、アプリケーションなどから、必要に応じて、座標データ及び他のグラフィック特性データと共に表示されることとなるグラフィックを指定する１つ以上のコードを受信し、次いで、ディスプレイコントローラ１５６に出力するスクリーンの画像データを生成する。
【００７１】
触覚フィードバックモジュール１３３は、デバイス１００とのユーザ対話に応じて、デバイス１００上の１つ以上の場所で触知出力を生成するために、触知出力生成器（単数又は複数）１６７によって使用される命令を生成するための、様々なソフトウェア構成要素を含む。
【００７２】
テキスト入力モジュール１３４は、任意選択で、グラフィックモジュール１３２の構成要素であり、様々なアプリケーション（例えば、連絡先１３７、電子メール１４０、ＩＭ１４１、ブラウザ１４７、及びテキスト入力を必要とする任意の他のアプリケーション）でテキストを入力するためのソフトキーボードを提供する。
【００７３】
ＧＰＳモジュール１３５は、デバイスの位置を判定し、この情報を様々なアプリケーションで使用するために（例えば、位置に基づくダイヤル発呼で使用するために電話１３８へ、画像／ビデオのメタデータとしてカメラ１４３へ、並びに、気象ウィジェット、地域のイエローページウィジェット、及び地図／ナビゲーションウィジェットなどの、位置に基づくサービスを提供するアプリケーションへ）提供する。
【００７４】
アプリケーション１３６は、任意選択的に、以下のモジュール（又は命令セット）又はそれらのサブセット若しくはスーパーセットを含む。
・連絡先モジュール１３７（アドレス帳又は連絡先リストと呼ばれることもある）、
・電話モジュール１３８、
・テレビ会議モジュール１３９、
・電子メールクライアントモジュール１４０、
・インスタントメッセージング（ＩＭ）モジュール１４１、
・トレーニングサポートモジュール１４２、
・静止画像及び／又はビデオ画像用のカメラモジュール１４３、
・画像管理モジュール１４４、
・ビデオプレーヤモジュール、
・音楽プレーヤモジュール、
・ブラウザモジュール１４７、
・カレンダモジュール１４８、
・任意選択的に気象ウィジェット１４９−１、株価ウィジェット１４９−２、計算機ウィジェット１４９−３、アラーム時計ウィジェット１４９−４、辞書ウィジェット１４９−５、及びユーザによって入手された他のウィジェット、並びにユーザ作成ウィジェット１４９−６のうちの１つ以上を含むウィジェットモジュール１４９、
・ユーザ作成ウィジェット１４９−６を作成するためのウィジェット作成モジュール１５０、
・検索モジュール１５１、
・ビデオプレーヤモジュール及び音楽プレーヤモジュールを一体化したビデオ及び音楽プレーヤモジュール１５２、
・メモモジュール１５３、
・地図モジュール１５４、並びに／又は、
・オンラインビデオモジュール１５５。
【００７５】
任意選択的にメモリ１０２に記憶される他のアプリケーション１３６の例としては、他のワードプロセッシングアプリケーション、他の画像編集アプリケーション、描画アプリケーション、プレゼンテーションアプリケーション、ＪＡＶＡ（登録商標）対応アプリケーション、暗号化、デジタル著作権管理、音声認識、及び音声複製が挙げられる。
【００７６】
タッチスクリーン１１２、ディスプレイコントローラ１５６、接触／動きモジュール１３０、グラフィックモジュール１３２、及びテキスト入力モジュール１３４と連動して、連絡先モジュール１３７は、任意選択的に、アドレス帳に名前（単数又は複数）を追加すること、アドレス帳から名前（単数又は複数）を削除すること、電話番号（単数又は複数）、電子メールアドレス（単数又は複数）、実際の住所（単数又は複数）、又は他の情報を名前に関連付けること、画像を名前に関連付けること、名前を分類して並べ替えること、電話番号又は電子メールアドレスを提供して、電話１３８、テレビ会議モジュール１３９、電子メール１４０、又はＩＭ１４１による通信を開始及び／又は促進することなどを含めて、アドレス帳又は連絡先リスト（例えば、メモリ１０２又はメモリ３７０内の連絡先モジュール１３７のアプリケーション内部状態１９２内に記憶される）を管理するために使用される。
【００７７】
ＲＦ回路１０８、オーディオ回路１１０、スピーカ１１１、マイクロフォン１１３、タッチスクリーン１１２、ディスプレイコントローラ１５６、接触／動きモジュール１３０、グラフィックモジュール１３２、及びテキスト入力モジュール１３４と連動して、電話モジュール１３８は、任意選択的に、電話番号に対応する文字シーケンスの入力、連絡先モジュール１３７内の１つ以上の電話番号へのアクセス、入力された電話番号の修正、それぞれの電話番号のダイヤル、会話の実施、会話が終了したときの通話停止又はハングアップのために使用される。前述したように、無線通信は、任意選択的に、複数の通信規格、プロトコル、及び技術のうちのいずれかを使用する。
【００７８】
ＲＦ回路１０８、オーディオ回路１１０、スピーカ１１１、マイクロフォン１１３、タッチスクリーン１１２、ディスプレイコントローラ１５６、光センサ１６４、光センサコントローラ１５８、接触／動きモジュール１３０、グラフィックモジュール１３２、テキスト入力モジュール１３４、連絡先モジュール１３７、及び電話モジュール１３８と連動して、テレビ会議モジュール１３９は、ユーザ命令に従ってユーザと１人以上の他の参加者との間のテレビ会議を開始、実行、及び終了するための実行可能な命令を含む。
【００７９】
ＲＦ回路１０８、タッチスクリーン１１２、ディスプレイコントローラ１５６、接触／動きモジュール１３０、グラフィックモジュール１３２、及びテキスト入力モジュール１３４と連動して、電子メールクライアントモジュール１４０は、ユーザ命令に応じて電子メールを作成、送信、受信、及び管理するための実行可能な命令を含む。画像管理モジュール１４４と連動して、電子メールクライアントモジュール１４０は、カメラモジュール１４３で撮影された静止画像又はビデオ画像を有する電子メールの作成及び送信を非常に容易にする。
【００８０】
ＲＦ回路１０８、タッチスクリーン１１２、ディスプレイコントローラ１５６、接触／動きモジュール１３０、グラフィックモジュール１３２、及びテキスト入力モジュール１３４と連動して、インスタントメッセージングモジュール１４１は、インスタントメッセージに対応する文字シーケンスの入力、以前に入力された文字の修正、それぞれのインスタントメッセージの送信（例えば、電話通信ベースのインスタントメッセージ向けのショートメッセージサービス（Short Message Service、ＳＭＳ）若しくはマルチメディアメッセージサービス（Multimedia Message Service、ＭＭＳ）プロトコル、又はインターネットベースのインスタントメッセージ向けのＸＭＰＰ、ＳＩＭＰＬＥ、若しくはＩＭＰＳを使用する）、インスタントメッセージの受信、及び受信したインスタントメッセージの閲覧のための実行可能な命令を含む。いくつかの実施形態では、送信及び／又は受信されるインスタントメッセージは、任意選択的に、ＭＭＳ及び／又は拡張メッセージングサービス（Enhanced Messaging Service、ＥＭＳ）でサポートされるグラフィック、写真、オーディオファイル、ビデオファイル、及び／又は他の添付ファイルを含む。本明細書では、「インスタントメッセージング」とは、電話通信ベースのメッセージ（例えば、ＳＭＳ又はＭＭＳを使用して送信されるメッセージ）と、インターネットベースのメッセージ（例えば、ＸＭＰＰ、ＳＩＭＰＬＥ、又はＩＭＰＳを使用して送信されるメッセージ）との両方を指す。
【００８１】
ＲＦ回路１０８、タッチスクリーン１１２、ディスプレイコントローラ１５６、接触／動きモジュール１３０、グラフィックモジュール１３２、テキスト入力モジュール１３４、ＧＰＳモジュール１３５、地図モジュール１５４、及び音楽プレーヤモジュールと連動して、トレーニングサポートモジュール１４２は、トレーニング（例えば、時間、距離、及び／又はカロリー燃焼目標を有する）を作成し、トレーニングセンサ（スポーツデバイス）と通信し、トレーニングセンサデータを受信し、トレーニングをモニタするために使用されるセンサを較正し、トレーニングのための音楽を選択及び再生し、並びに、トレーニングデータを表示、記憶、及び送信するための実行可能な命令を含む。
【００８２】
タッチスクリーン１１２、ディスプレイコントローラ１５６、光センサ（単数又は複数）１６４、光センサコントローラ１５８、接触／動きモジュール１３０、グラフィックモジュール１３２、及び画像管理モジュール１４４と連動して、カメラモジュール１４３は、静止画像若しくはビデオ（ビデオストリームを含む）のキャプチャ及びメモリ１０２内への記憶、静止画像若しくはビデオの特性の修正、又はメモリ１０２からの静止画像若しくはビデオの削除のための実行可能な命令を含む。
【００８３】
タッチスクリーン１１２、ディスプレイコントローラ１５６、接触／動きモジュール１３０、グラフィックモジュール１３２、テキスト入力モジュール１３４、及びカメラモジュール１４３と連動して、画像管理モジュール１４４は、静止画像及び／又はビデオ画像の配置、修正（例えば、編集）、あるいはその他の操作、ラベル付け、削除、提示（例えば、デジタルスライドショー又はアルバムにおける）、及び記憶のための実行可能な命令を含む。
【００８４】
ＲＦ回路１０８、タッチスクリーン１１２、ディスプレイコントローラ１５６、接触／動きモジュール１３０、グラフィックモジュール１３２、及びテキスト入力モジュール１３４と連動して、ブラウザモジュール１４７は、ウェブページ又はその一部分、並びにウェブページにリンクされた添付ファイル及び他のファイルの検索、リンク、受信、及び表示を含めて、ユーザ命令に従ってインターネットをブラウジングするための実行可能な命令を含む。
【００８５】
ＲＦ回路１０８、タッチスクリーン１１２、ディスプレイコントローラ１５６、接触／動きモジュール１３０、グラフィックモジュール１３２、テキスト入力モジュール１３４、電子メールクライアントモジュール１４０、及びブラウザモジュール１４７と連動して、カレンダモジュール１４８は、ユーザ命令に従ってカレンダ及びカレンダに関連付けられたデータ（例えば、カレンダ入力、やることリストなど）を作成、表示、修正、及び記憶するための実行可能な命令を含む。
【００８６】
ＲＦ回路１０８、タッチスクリーン１１２、ディスプレイコントローラ１５６、接触／動きモジュール１３０、グラフィックモジュール１３２、テキスト入力モジュール１３４、及びブラウザモジュール１４７と連動して、ウィジェットモジュール１４９は、任意選択的にユーザによってダウンロード及び使用されるミニアプリケーション（例えば、気象ウィジェット１４９−１、株価ウィジェット１４９−２、計算機ウィジェット１４９−３、アラーム時計ウィジェット１４９−４、及び辞書ウィジェット１４９−５）、又はユーザによって作成されるミニアプリケーション（例えば、ユーザ作成ウィジェット１４９−６）である。一部の実施形態では、ウィジェットは、ＨＴＭＬ（Hypertext Markup Language、ハイパーテキストマークアップ言語）ファイル、ＣＳＳ（Cascading Style Sheets、カスケーディングスタイルシート）ファイル、及びＪａｖａＳｃｒｉｐｔファイルを含む。一部の実施形態では、ウィジェットは、ＸＭＬ（Extensible Markup Language、拡張可能マークアップ言語）ファイル及びＪａｖａＳｃｒｉｐｔファイル（例えば、Ｙａｈｏｏ！ウィジェット）を含む。
【００８７】
ＲＦ回路１０８、タッチスクリーン１１２、ディスプレイコントローラ１５６、接触／動きモジュール１３０、グラフィックモジュール１３２、テキスト入力モジュール１３４、及びブラウザモジュール１４７と連動して、ウィジェット作成モジュール１５０は、任意選択的に、ウィジェットを作成する（例えば、ウェブページのユーザ指定部分をウィジェットにする）ために、ユーザによって使用される。
【００８８】
タッチスクリーン１１２、ディスプレイコントローラ１５６、接触／動きモジュール１３０、グラフィックモジュール１３２、及びテキスト入力モジュール１３４と連動して、検索モジュール１５１は、ユーザ命令に従って１つ以上の検索基準（例えば、１つ以上のユーザ指定検索語）に一致するメモリ１０２内の文字、音楽、サウンド、画像、ビデオ、及び／又は他のファイルを検索するための実行可能な命令を含む。
【００８９】
タッチスクリーン１１２、ディスプレイコントローラ１５６、接触／動きモジュール１３０、グラフィックモジュール１３２、オーディオ回路１１０、スピーカ１１１、ＲＦ回路１０８、及びブラウザモジュール１４７と連動して、ビデオ及び音楽プレーヤモジュール１５２は、ユーザがＭＰ３若しくはＡＡＣファイルなどの１つ以上のファイル形式で記憶されている記録された音楽及び他のサウンドファイルをダウンロード及び再生することを可能にする実行可能な命令、並びにビデオを表示、提示、又は他の方法で（例えば、タッチスクリーン１１２上に、又は外部ポート１２４を介して接続された外部ディスプレイ上に）再生するための実行可能な命令を含む。一部の実施形態では、デバイス１００は、任意選択的に、ｉＰｏｄ（Ａｐｐｌｅ  Ｉｎｃ．の商標）などのＭＰ３プレーヤの機能を含む。
【００９０】
タッチスクリーン１１２、ディスプレイコントローラ１５６、接触／動きモジュール１３０、グラフィックモジュール１３２、及びテキスト入力モジュール１３４と連動して、メモモジュール１５３は、ユーザ命令に従ってメモ、やることリストなどを作成及び管理するための実行可能な命令を含む。
【００９１】
ＲＦ回路１０８、タッチスクリーン１１２、ディスプレイコントローラ１５６、接触／動きモジュール１３０、グラフィックモジュール１３２、テキスト入力モジュール１３４、ＧＰＳモジュール１３５、及びブラウザモジュール１４７と連動して、地図モジュール１５４は、任意選択的に、ユーザ命令に従って、地図及び地図に関連付けられたデータ（例えば、運転方向、特定の場所又はその付近の店舗及び他の対象地点に関するデータ、並びに他の場所ベースのデータ）を受信、表示、修正、及び記憶するために使用される。
【００９２】
タッチスクリーン１１２、ディスプレイコントローラ１５６、接触／動きモジュール１３０、グラフィックモジュール１３２、オーディオ回路１１０、スピーカ１１１、ＲＦ回路１０８、テキスト入力モジュール１３４、電子メールクライアントモジュール１４０、及びブラウザモジュール１４７と連動して、オンラインビデオモジュール１５５は、ユーザが特定のオンラインビデオへのアクセス、特定のオンラインビデオのブラウジング、受信（例えば、ストリーミング及び／又はダウンロードによる）、再生（例えば、タッチスクリーン上又は外部ポート１２４を介して接続された外部ディスプレイ上）、特定のオンラインビデオへのリンクを有する電子メールの送信、並びにＨ．２６４などの１つ以上のファイル形式のオンラインビデオの他の管理を行うことを可能にする命令を含む。一部の実施形態では、特定のオンラインビデオへのリンクを送信するために、電子メールクライアントモジュール１４０ではなく、インスタントメッセージングモジュール１４１が使用される。オンラインビデオアプリケーションについての追加の説明は、その内容が全体として参照により本明細書に組み込まれている、２００７年６月２０日出願の米国仮特許出願第６０／９３６，５６２号、「Ｐｏｒｔａｂｌｅ  Ｍｕｌｔｉｆｕｎｃｔｉｏｎ  Ｄｅｖｉｃｅ，Ｍｅｔｈｏｄ，ａｎｄ  Ｇｒａｐｈｉｃａｌ  Ｕｓｅｒ  Ｉｎｔｅｒｆａｃｅ  ｆｏｒ  Ｐｌａｙｉｎｇ  Ｏｎｌｉｎｅ  Ｖｉｄｅｏｓ」、及び２００７年１２月３１日出願の米国特許出願第１１／９６８，０６７号、「Ｐｏｒｔａｂｌｅ  Ｍｕｌｔｉｆｕｎｃｔｉｏｎ  Ｄｅｖｉｃｅ，Ｍｅｔｈｏｄ，ａｎｄ  Ｇｒａｐｈｉｃａｌ  Ｕｓｅｒ  Ｉｎｔｅｒｆａｃｅ  ｆｏｒ  Ｐｌａｙｉｎｇ  Ｏｎｌｉｎｅ  Ｖｉｄｅｏｓ」において見ることができる。
【００９３】
上記で特定したモジュール及びアプリケーションはそれぞれ、前述した１つ以上の機能及び本出願に記載する方法（例えば、本明細書に記載するコンピュータにより実装される方法及び他の情報処理方法）を実行する実行可能な命令のセットに対応する。これらのモジュール（例えば、命令セット）は、別個のソフトウェアプログラム、手順、又はモジュールとして実施する必要はなく、したがって、様々な実施形態において、これらのモジュールの様々なサブセットが、任意選択的に、組み合わされ、又は他の形で再構成される。例えば、ビデオプレーヤモジュールは、任意選択的に、音楽プレーヤモジュールと組み合わされて、単一のモジュール（例えば、図１Ａのビデオ及び音楽プレーヤモジュール１５２）にされる。いくつかの実施形態では、メモリ１０２は、任意選択的に、上記で特定したモジュール及びデータ構造のサブセットを記憶する。更に、メモリ１０２は、上記で説明されていない追加のモジュール及びデータ構造を任意選択的に記憶する。
【００９４】
一部の実施形態では、デバイス１００は、そのデバイスにおける既定の機能のセットの動作がタッチスクリーン及び／又はタッチパッドのみを通じて実行されるデバイスである。デバイス１００が動作するための主要な入力コントロールデバイスとしてタッチスクリーン及び／又はタッチパッドを使用することにより、任意選択的に、デバイス１００上の物理的な入力コントロールデバイス（プッシュボタン、ダイヤルなど）の数が削減される。
【００９５】
タッチスクリーン及び／又はタッチパッドを通じてのみ実行される既定の機能のセットは、任意選択的に、ユーザインタフェース間のナビゲーションを含む。一部の実施形態では、タッチパッドは、ユーザによってタッチされたときに、デバイス１００上に表示される任意のユーザインタフェースから、メインメニュー、ホームメニュー、又はルートメニューにデバイス１００をナビゲートする。このような実施形態では、「メニューボタン」は、タッチパッドを使用して実装される。一部の他の実施形態では、メニューボタンは、タッチパッドではなく、物理プッシュボタン又はその他の物理入力コントロールデバイスである。
【００９６】
図１Ｂは、いくつかの実施形態によるイベント処理のための例示的な構成要素を示すブロック図である。いくつかの実施形態では、メモリ１０２（図１Ａ）又は３７０（図３）は、イベントソータ１７０（例えば、オペレーティングシステム１２６内）と、それぞれのアプリケーション１３６−１（例えば、前述のアプリケーション１３７〜１５１、１５５、３８０〜３９０のうちのいずれか）とを含む。
【００９７】
イベントソータ１７０は、イベント情報を受信し、イベント情報が配信されるアプリケーション１３６−１、及びアプリケーション１３６−１のアプリケーションビュー１９１を判定する。イベントソータ１７０は、イベントモニタ１７１及びイベントディスパッチャモジュール１７４を含む。一部の実施形態では、アプリケーション１３６−１は、アプリケーションがアクティブ又は実行中であるときにタッチ感知ディスプレイ１１２上に表示される現在のアプリケーションビュー（単数又は複数）を示すアプリケーション内部状態１９２を含む。一部の実施形態では、デバイス／グローバル内部状態１５７は、どのアプリケーション（単数又は複数）が現在アクティブであるかを判定するためにイベントソータ１７０によって使用され、アプリケーション内部状態１９２は、イベント情報が配信されるアプリケーションビュー１９１を判定するためにイベントソータ１７０によって使用される。
【００９８】
一部の実施形態では、アプリケーション内部状態１９２は、アプリケーション１３６−１が実行を再開するときに使用される再開情報、アプリケーション１３６−１によって表示されている又は表示される準備ができている情報を示すユーザインタフェース状態情報、ユーザがアプリケーション１３６−１の以前の状態又はビューに戻ることを可能にする状態待ち行列、及びユーザが行った以前のアクションのリドゥ／アンドゥ待ち行列、のうちの１つ以上などの更なる情報を含む。
【００９９】
イベントモニタ１７１は、周辺機器インタフェース１１８からイベント情報を受信する。イベント情報は、サブイベント（例えば、マルチタッチジェスチャの一部としてのタッチ感知ディスプレイ１１２上のユーザタッチ）に関する情報を含む。周辺機器インタフェース１１８は、Ｉ／Ｏサブシステム１０６、又は近接センサ１６６、加速度計（単数又は複数）１６８、及び／若しくは（オーディオ回路１１０を介した）マイクロフォン１１３などのセンサから受信する情報を送信する。周辺機器インタフェース１１８がＩ／Ｏサブシステム１０６から受信する情報は、タッチ感知ディスプレイ１１２又はタッチ感知面からの情報を含む。
【０１００】
一部の実施形態では、イベントモニタ１７１は、所定の間隔で周辺機器インタフェース１１８に要求を送信する。それに応じて、周辺機器インタフェース１１８は、イベント情報を送信する。他の実施形態では、周辺機器インタフェース１１８は、重要なイベント（例えば、所定のノイズ閾値を上回る及び／又は所定の持続時間を超える入力の受信）があるときのみイベント情報を送信する。
【０１０１】
一部の実施形態では、イベントソータ１７０はまた、ヒットビュー判定モジュール１７２及び／又はアクティブイベント認識部判定モジュール１７３を含む。
【０１０２】
ヒットビュー判定モジュール１７２は、タッチ感知ディスプレイ１１２が２つ以上のビューを表示するとき、サブイベントが１つ以上のビュー内のどこで行われたかを判定するソフトウェア手順を提供する。ビューは、ユーザがディスプレイ上で見ることができる制御装置及び他の要素から構成されている。
【０１０３】
アプリケーションに関連付けられたユーザインタフェースの別の態様は、本明細書ではアプリケーションビュー又はユーザインタフェースウインドウと呼ばれることもあるビューのセットであり、その中で情報が表示され、タッチに基づくジェスチャが生じる。タッチが検出される（それぞれのアプリケーションの）アプリケーションビューは、任意選択的に、アプリケーションのプログラム階層又はビュー階層内のプログラムレベルに対応する。例えば、タッチが検出される最下位レベルビューは、任意選択的に、ヒットビューと呼ばれ、また、適切な入力として認識されるイベントのセットは、任意選択的に、タッチによるジェスチャを開始する初期タッチのヒットビューに少なくとも部分的に基づいて決定される。
【０１０４】
ヒットビュー判定モジュール１７２は、タッチに基づくジェスチャのサブイベントに関連する情報を受信する。アプリケーションが階層状に構成された複数のビューを有するとき、ヒットビュー判定モジュール１７２は、サブイベントを処理すべき階層内の最下位のビューとして、ヒットビューを特定する。ほとんどの状況では、ヒットビューは、開始サブイベント（例えば、イベント又は潜在的イベントを形成するサブイベントシーケンス内の第１のサブイベント）が行われる最も低いレベルのビューである。ヒットビューがヒットビュー判定モジュール１７２によって特定されると、このヒットビューは、典型的には、ヒットビューとして特定されたのと同じタッチ又は入力ソースに関係する全てのサブイベントを受信する。
【０１０５】
アクティブイベント認識部判定モジュール１７３は、ビュー階層内のどのビュー（単数又は複数）がサブイベントの特定のシーケンスを受信すべきかを判定する。一部の実施形態では、アクティブイベント認識部判定モジュール１７３は、ヒットビューのみがサブイベントの特定のシーケンスを受信すべきと判定する。他の実施形態では、アクティブイベント認識部判定モジュール１７３は、サブイベントの物理的な位置を含む全てのビューがアクティブに関与しているビューであると判定し、したがって、全てのアクティブに関与しているビューが特定の一連のサブイベントを受信するべきと判定する。他の実施形態では、タッチサブイベントが１つの特定のビューに関連付けられたエリアに完全に限定された場合でも、階層内の上位のビューは、依然としてアクティブに関わりがあるビューであり続ける。
【０１０６】
イベントディスパッチャモジュール１７４は、イベント情報をイベント認識部（例えばイベント認識部１８０）にディスパッチする。アクティブイベント認識部判定モジュール１７３を含む実施形態では、イベントディスパッチャモジュール１７４は、アクティブイベント認識部判定モジュール１７３により判定されたイベント認識部にイベント情報を配信する。一部の実施形態では、イベントディスパッチャモジュール１７４は、それぞれのイベント受信部１８２によって取得されるイベント情報をイベント待ち行列に記憶する。
【０１０７】
一部の実施形態では、オペレーティングシステム１２６は、イベントソータ１７０を含む。代替的に、アプリケーション１３６−１がイベントソータ１７０を含む。更なる他の実施形態では、イベントソータ１７０は、スタンドアロンモジュール、又は接触／動きモジュール１３０などのメモリ１０２に記憶された別のモジュールの一部である。
【０１０８】
一部の実施形態では、アプリケーション１３６−１は、それぞれがアプリケーションのユーザインタフェースのそれぞれのビュー内で発生するタッチイベントを処理する命令を含む、複数のイベントハンドラ１９０及び１つ以上のアプリケーションビュー１９１を含む。アプリケーション１３６−１の各アプリケーションビュー１９１は、１つ以上のイベント認識部１８０を含む。典型的には、それぞれのアプリケーションビュー１９１は、複数のイベント認識部１８０を含む。他の実施形態では、イベント認識部１８０のうちの１つ以上は、ユーザインタフェースキット（図示せず）又はアプリケーション１３６−１が方法及び他の特性を継承する上位レベルのオブジェクトなどの、別個のモジュールの一部である。一部の実施形態では、それぞれのイベントハンドラ１９０は、データアップデータ１７６、オブジェクトアップデータ１７７、ＧＵＩアップデータ１７８、及び／又はイベントソータ１７０から受信されたイベントデータ１７９のうちの１つ以上を含む。イベントハンドラ１９０は、任意選択的に、データアップデータ１７６、オブジェクトアップデータ１７７、又はＧＵＩアップデータ１７８を利用し又は呼び出して、アプリケーション内部状態１９２を更新する。代替的に、アプリケーションビュー１９１のうちの１つ以上が、１つ以上のそれぞれのイベントハンドラ１９０を含む。また、一部の実施形態では、データアップデータ１７６、オブジェクトアップデータ１７７及びＧＵＩアップデータ１７８のうちの１つ以上が、それぞれのアプリケーションビュー１９１に含まれる。
【０１０９】
それぞれのイベント認識部１８０は、イベントソータ１７０からイベント情報（例えば、イベントデータ１７９）を受信し、このイベント情報からイベントを特定する。イベント認識部１８０は、イベント受信部１８２及びイベント比較部１８４を含む。いくつかの実施形態では、イベント認識部１８０はまた、メタデータ１８３及びイベント配信命令１８８（任意選択的にサブイベント配信命令を含む）の少なくともサブセットも含む。
【０１１０】
イベント受信部１８２は、イベントソータ１７０からイベント情報を受信する。イベント情報は、サブイベント、例えば、タッチ又はタッチの移動についての情報を含む。サブイベントに応じて、イベント情報はまた、サブイベントの位置などの追加の情報を含む。サブイベントがタッチの動きに関わるとき、イベント情報はまた任意選択的に、サブイベントの速さ及び方向を含む。一部の実施形態では、イベントは、１つの向きから別の向きへの（例えば、縦向きから横向きへ、又はその逆の）デバイスの回転を含み、イベント情報は、デバイスの現在の向き（デバイスの姿勢とも呼ぶ）についての対応する情報を含む。
【０１１１】
イベント比較部１８４は、イベント情報を、定義済みのイベント又はサブイベントの定義と比較し、その比較に基づいて、イベント又はサブイベントを判定するか、あるいはイベント又はサブイベントの状態を判定若しくは更新する。一部の実施形態では、イベント比較部１８４は、イベント定義１８６を含む。イベント定義１８６は、例えばイベント１（１８７−１）及びイベント２（１８７−２）などのイベント（例えば既定のサブイベントのシーケンス）の定義を含む。一部の実施形態では、イベント（１８７）内のサブイベントは、例えば、タッチの開始、タッチの終了、タッチの移動、タッチの取り消し、及び複数のタッチを含む。一実施例では、イベント１（１８７−１）の定義は、表示されたオブジェクト上のダブルタップである。ダブルタップは、例えば、所定の段階に対する表示オブジェクト上の第１のタッチ（タッチ開始）、所定の段階に対する第１のリフトオフ（タッチ終了）、所定の段階に対する表示オブジェクト上の第２のタッチ（タッチ開始）、及び所定の段階に対する第２のリフトオフ（タッチ終了）を含む。別の実施例では、イベント２（１８７−２）の定義は、表示されたオブジェクト上のドラッグである。ドラッグは、例えば、所定の段階に対する表示オブジェクト上のタッチ（又は接触）、タッチ感知ディスプレイ１１２におけるタッチの移動、及びタッチのリフトオフ（タッチ終了）を含む。一部の実施形態では、イベントはまた、１つ以上の関連付けられたイベントハンドラ１９０に関する情報を含む。
【０１１２】
一部の実施形態では、イベント定義１８７は、それぞれのユーザインタフェースオブジェクトに関するイベントの定義を含む。一部の実施形態では、イベント比較部１８４は、どのユーザインタフェースオブジェクトがサブイベントに関連付けられているかを判定するヒットテストを実行する。例えば、タッチ感知ディスプレイ１１２上に３つのユーザインタフェースオブジェクトが表示されているアプリケーションビューでは、タッチ感知ディスプレイ１１２上でタッチが検出されると、イベント比較部１８４は、３つのユーザインタフェースオブジェクトのうちのどれがそのタッチ（サブイベント）と関連付けられているかを判定するために、ヒットテストを実行する。表示された各オブジェクトが、それぞれのイベントハンドラ１９０に関連付けられている場合、イベント比較部は、ヒットテストの結果を使用して、どのイベントハンドラ１９０をアクティブ化すべきかを判定する。例えば、イベント比較部１８４は、ヒットテストをトリガするサブイベント及びオブジェクトに関連付けられたイベントハンドラを選択する。
【０１１３】
いくつかの実施形態では、それぞれのイベント（１８７）の定義は、サブイベントのシーケンスがイベント認識部のイベント種類に対応するかどうかが判定されるまで、イベント情報の配信を遅らせる遅延アクションも含む。
【０１１４】
それぞれのイベント認識部１８０が、一連のサブイベントがイベント定義１８６のイベントのいずれとも一致しないと判断した場合には、それぞれのイベント認識部１８０は、イベント不可能、イベント失敗、又はイベント終了の状態に入り、その後は、タッチによるジェスチャの後続のサブイベントを無視する。この状況では、ヒットビューについてアクティブのままである他のイベント認識部があれば、そのイベント認識部は、進行中のタッチによるジェスチャのサブイベントの追跡及び処理を続行する。
【０１１５】
一部の実施形態では、それぞれのイベント認識部１８０は、イベント配信システムがどのようにサブイベント配信を実行すべきかをアクティブに関与しているイベント認識部に示す構成可能なプロパティ、フラグ、及び／又はリストを有するメタデータ１８３を含む。一部の実施形態では、メタデータ１８３は、イベント認識部が互いにどのように対話するか、又は互いにどのように対話することができるようになっているかを示す構成可能なプロパティ、フラグ、及び／又はリストを含む。一部の実施形態では、メタデータ１８３は、サブイベントがビュー階層又はプログラム階層における多様なレベルに配信されるかを示す構成可能なプロパティ、フラグ、及び／又はリストを含む。
【０１１６】
一部の実施形態では、それぞれのイベント認識部１８０は、イベントの１つ以上の特定のサブイベントが認識されるときに、イベントに関連付けられたイベントハンドラ１９０をアクティブ化する。一部の実施形態では、それぞれのイベント認識部１８０は、イベントに関連付けられたイベント情報をイベントハンドラ１９０に配信する。イベントハンドラ１９０をアクティブ化することは、それぞれのヒットビューにサブイベントを送信する（及び、送信を延期する）こととは別個である。一部の実施形態では、イベント認識部１８０は、認識したイベントと関連付けられたフラグを投入し、そのフラグと関連付けられたイベントハンドラ１９０は、そのフラグを捕らえ、既定のプロセスを実行する。
【０１１７】
一部の実施形態では、イベント配信命令１８８は、イベントハンドラをアクティブ化することなくサブイベントに関するイベント情報を配信するサブイベント配信命令を含む。代わりに、サブイベント配信命令は、一連のサブイベントと関連付けられたイベントハンドラに、又はアクティブに関与しているビューにイベント情報を配信する。一連のサブイベント又はアクティブに関与しているビューと関連付けられたイベントハンドラは、イベント情報を受信し、所定の処理を実行する。
【０１１８】
一部の実施形態では、データアップデータ１７６は、アプリケーション１３６−１で使用されるデータを作成及び更新する。例えば、データアップデータ１７６は、連絡先モジュール１３７で使用される電話番号を更新し、又はビデオプレーヤモジュールで使用されるビデオファイルを記憶する。一部の実施形態では、オブジェクトアップデータ１７７は、アプリケーション１３６−１で使用されるオブジェクトを作成及び更新する。例えば、オブジェクトアップデータ１７７は、新たなユーザインタフェースオブジェクトを作成し、又はユーザインタフェースオブジェクトの位置を更新する。ＧＵＩアップデータ１７８は、ＧＵＩを更新する。例えば、ＧＵＩアップデータ１７８は、表示情報を準備し、その表示情報をタッチ感知ディスプレイ上に表示するためにグラフィックモジュール１３２に送信する。
【０１１９】
一部の実施形態では、イベントハンドラ（単数又は複数）１９０は、データアップデータ１７６、オブジェクトアップデータ１７７、及びＧＵＩアップデータ１７８を含むか又はそれらへのアクセスを有する。一部の実施形態では、データアップデータ１７６、オブジェクトアップデータ１７７、及びＧＵＩアップデータ１７８は、それぞれのアプリケーション１３６−１又はアプリケーションビュー１９１の単一モジュールに含まれる。他の実施形態では、それらは、２つ以上のソフトウェアモジュールに含まれる。
【０１２０】
タッチ感知ディスプレイ上のユーザタッチのイベント処理に関する上記の論考は、入力デバイスを有する多機能デバイス１００を動作させるためのユーザ入力の他の形態にも当てはまり、それらのユーザ入力が必ずしも全てがタッチスクリーン上で開始されるとは限らないことが理解されよう。例えば、キーボードの単一又は複数の押圧若しくは保持と任意選択的に連携される、マウスの移動及びマウスボタンの押圧、タッチパッド上のタップ、ドラッグ、スクロールなどの接触の移動、ペンスタイラス入力、デバイスの移動、口頭による命令、検出された眼球運動、バイオメトリック入力、並びに／又はそれらの任意の組み合わせを、任意選択的に、認識するイベントを定義するサブイベントに対応する入力として利用する。
【０１２１】
図２は、一部の実施形態による、タッチスクリーン１１２を有するポータブル多機能デバイス１００を示す。タッチスクリーンは、任意選択的に、ユーザインタフェース（user interface、ＵＩ）２００内に１つ以上のグラフィックを表示する。本実施形態、並びに以下で説明される他の実施形態では、ユーザは、例えば、１本以上の指２０２（図には正確な縮尺では描かれていない）又は１つ以上のスタイラス２０３（図には正確な縮尺では描かれていない）を用いて、グラフィック上でジェスチャを行うことによって、それらのグラフィックのうちの１つ以上を選択することが可能となる。一部の実施形態では、１つ以上のグラフィックの選択は、ユーザが、その１つ以上のグラフィックとの接触を中断する場合に実施される。一部の実施形態では、ジェスチャは、任意選択的に、１回以上のタップ、１回以上のスワイプ（左から右へ、右から左へ、上方向へ、及び／若しくは下方向へ）、並びに／又はデバイス１００と接触した指の回転（右から左へ、左から右へ、上方向へ、及び／若しくは下方向へ）を含む。一部の実装形態又は状況では、グラフィックとの不測の接触は、そのグラフィックを選択するものではない。例えば、選択に対応するジェスチャがタップである場合、アプリケーションアイコンの上をスイープするスワイプジェスチャは、任意選択的に、対応するアプリケーションを選択するものではない。
【０１２２】
デバイス１００はまた、任意選択的に、「ホーム」ボタン又はメニューボタン２０４などの１つ以上の物理ボタンを含む。前述したように、メニューボタン２０４は、任意選択的に、任意選択的にデバイス１００上で実行される１組のアプリケーション内の任意のアプリケーション１３６へナビゲートするために使用される。あるいは、一部の実施形態では、メニューボタンは、タッチスクリーン１１２上に表示されるＧＵＩ内のソフトキーとして実装される。
【０１２３】
いくつかの実施形態では、デバイス１００は、タッチスクリーン１１２、メニューボタン２０４、デバイスの電源をオン／オフにしてデバイスをロックするプッシュボタン２０６、音量調整ボタン２０８、加入者識別モジュール（ＳＩＭ）カードスロット２１０、ヘッドセットジャック２１２、及びドッキング／充電用外部ポート１２４を含む。プッシュボタン２０６は、任意選択的に、ボタンを押し下げて、既定の期間にわたってボタンを押し下げた状態に保持することによって、デバイスの電源をオン／オフするため、ボタンを押し下げて、既定の時間が経過する前にボタンを解放することによってデバイスをロックするため、及び／又はデバイスをロック解除する、若しくはロック解除プロセスを開始するために、使用され得る。代替的な実施形態では、デバイス１００はまた、マイクロフォン１１３を介して、いくつかの機能をアクティブ化又は非アクティブ化するための口頭入力を受け入れる。デバイス１００はまた、任意選択的に、タッチスクリーン１１２上の接触の強度を検出する１つ以上の接触強度センサ１６５、及び／又はデバイス１００のユーザに対する触知出力を生成する１つ以上の触知出力生成器１６７を含む。
【０１２４】
図３は、一部の実施形態による、ディスプレイ及びタッチ感知面を有する例示的な多機能デバイスのブロック図である。デバイス３００は、ポータブル型である必要はない。一部の実施形態では、デバイス３００は、ラップトップコンピュータ、デスクトップコンピュータ、タブレットコンピュータ、マルチメディアプレーヤデバイス、ナビゲーションデバイス、教育的デバイス（子供の学習玩具など）、ゲームシステム、又は制御デバイス（例えば、家庭用又は業務用コントローラ）である。デバイス３００は、典型的には、１つ以上の処理ユニット（ＣＰＵ）３１０、１つ以上のネットワーク又は他の通信インタフェース３６０、メモリ３７０、及びこれらの構成要素を相互接続する１つ以上の通信バス３２０を含む。通信バス３２０は、任意選択的に、システム構成要素間の通信を相互接続及び制御する回路（チップセットと呼ばれることもある）を含む。デバイス３００は、ディスプレイ３４０を備える入出力（Ｉ／Ｏ）インタフェース３３０を含み、ディスプレイ３４０は、典型的には、タッチスクリーンディスプレイである。Ｉ／Ｏインタフェース３３０はまた、任意選択的に、キーボード及び／又はマウス（若しくは他のポインティングデバイス）３５０と、タッチパッド３５５と、デバイス３００上に触知出力を生成する触知出力生成器３５７（例えば、図１Ａを参照して前述した触知出力生成器１６７に類似している）と、センサ３５９（例えば、図１Ａを参照して前述した接触強度センサ１６５に類似している光、加速度、近接、タッチ感知、及び／又は接触強度センサ）とを含む。メモリ３７０は、ＤＲＡＭ、ＳＲＡＭ、ＤＤＲ  ＲＡＭ、又は他のランダムアクセスソリッドステートメモリデバイスなどの高速ランダムアクセスメモリを含み、任意選択的に、１つ以上の磁気ディスク記憶デバイス、光ディスク記憶デバイス、フラッシュメモリデバイス、又は他の不揮発性ソリッドステート記憶デバイスなどの不揮発性メモリを含む。メモリ３７０は、ＣＰＵ３１０からリモートに位置する１つ以上の記憶デバイスを任意選択的に含む。いくつかの実施形態では、メモリ３７０は、ポータブル多機能デバイス１００（図１Ａ）のメモリ１０２内に記憶されているプログラム、モジュール、及びデータ構造に類似したプログラム、モジュール、及びデータ構造、又はそのサブセットを記憶する。更に、メモリ３７０は、任意選択的に、ポータブル多機能デバイス１００のメモリ１０２に存在しない追加のプログラム、モジュール、及びデータ構造を記憶する。例えば、デバイス３００のメモリ３７０は、任意選択的に、描画モジュール３８０、プレゼンテーションモジュール３８２、ワードプロセッシングモジュール３８４、ウェブサイト作成モジュール３８６、ディスクオーサリングモジュール３８８、及び／又はスプレッドシートモジュール３９０を記憶するのに対して、ポータブル多機能デバイス１００（図１Ａ）のメモリ１０２は、任意選択的に、これらのモジュールを記憶しない。
【０１２５】
図３の上記で特定した要素はそれぞれ、任意選択的に、前述したメモリデバイスのうちの１つ以上の中に記憶される。上記で特定したモジュールはそれぞれ、前述した機能を実行する命令セットに対応する。上記で特定したモジュール又はプログラム（例えば、命令セット）は、別個のソフトウェアプログラム、手順、又はモジュールとして実施する必要はなく、したがって様々な実施形態では、これらのモジュールの様々なサブセットは、任意選択的に、組み合わされ、又は他の形で再構成される。いくつかの実施形態では、メモリ３７０は、任意選択的に、上記で特定したモジュール及びデータ構造のサブセットを記憶する。更に、メモリ３７０は、任意選択的に、上記で説明されていない追加のモジュール及びデータ構造を記憶する。
【０１２６】
次に、任意選択的に例えばポータブル多機能デバイス１００上で実施されるユーザインタフェースの実施形態に注意を向ける。
【０１２７】
図４Ａは、いくつかの実施形態によるポータブル多機能デバイス１００上のアプリケーションのメニューの例示的なユーザインタフェースを示す。同様のユーザインタフェースは、デバイス３００上に任意選択的に実装される。一部の実施形態では、ユーザインタフェース４００は、以下の要素、又はそれらのサブセット若しくはスーパーセットを含む。
・セルラー信号及びＷｉ−Ｆｉ信号などの無線通信（単数又は複数）のための信号強度インジケータ（単数又は複数）４０２、
・時刻４０４、
・Ｂｌｕｅｔｏｏｔｈインジケータ４０５、
・バッテリ状態インジケータ４０６、
・以下のような、頻繁に使用されるアプリケーションのアイコンを有するトレイ４０８
○不在着信又はボイスメールメッセージの数のインジケータ４１４を任意選択的に含む、「電話」とラベル付けされた、電話モジュール１３８用のアイコン４１６、
○未読電子メールの数の標識４１０を任意選択的に含む、「メール」とラベル付けされた、電子メールクライアントモジュール１４０用のアイコン４１８、
○「ブラウザ」とラベル付けされた、ブラウザモジュール１４７用のアイコン４２０、及び
○「ｉＰｏｄ」とラベル付けされた、ｉＰｏｄ（Ａｐｐｌｅ  Ｉｎｃ．の商標）モジュール１５２とも呼ばれるビデオ及び音楽プレーヤモジュール１５２用のアイコン４２２、及び
・以下のような、他のアプリケーションのアイコン、
○「メッセージ」とラベル付けされた、ＩＭモジュール１４１用のアイコン４２４、
○「カレンダ」とラベル付けされた、カレンダモジュール１４８用のアイコン４２６、
○「写真」とラベル付けされた、画像管理モジュール１４４用のアイコン４２８、
○「カメラ」とラベル付けされた、カメラモジュール１４３用のアイコン４３０、
○「オンラインビデオ」とラベル付けされた、オンラインビデオモジュール１５５用のアイコン４３２、
○「株価」とラベル付けされた、株価ウィジェット１４９−２用のアイコン４３４、
○「マップ」とラベル付けされた、地図モジュール１５４用のアイコン４３６、
○「天気」とラベル付けされた、気象ウィジェット１４９−１用のアイコン４３８、
○「時計」とラベル付けされた、アラーム時計ウィジェット１４９−４用のアイコン４４０、
○「トレーニングサポート」とラベル付けされた、トレーニングサポートモジュール１４２用のアイコン４４２、
○「メモ」とラベル付けされた、メモモジュール１５３用のアイコン４４４、及び
○デバイス１００及びその様々なアプリケーション１３６についての設定へのアクセスを提供する、「設定」とラベル付けされた、設定アプリケーション又はモジュール用のアイコン４４６。
【０１２８】
図４Ａに示すアイコンラベルは、単なる例示であることに留意されたい。例えば、ビデオ及び音楽プレーヤモジュール１５２のためのアイコン４２２は、「音楽」又は「音楽プレーヤ」と表示される、他のラベルが、様々なアプリケーションアイコンのために、任意選択的に使用される。一部の実施形態では、それぞれのアプリケーションアイコンに関するラベルは、それぞれのアプリケーションアイコンに対応するアプリケーションの名前を含む。一部の実施形態では、特定のアプリケーションアイコンのラベルは、その特定のアプリケーションアイコンに対応するアプリケーションの名前とは異なる。
【０１２９】
図４Ｂは、ディスプレイ４５０（例えば、タッチスクリーンディスプレイ１１２）とは別個のタッチ感知面４５１（例えば、図３のタブレット又はタッチパッド３５５）を有するデバイス（例えば、図３のデバイス３００）上の例示的なユーザインタフェースを示す。デバイス３００はまた、任意選択的に、タッチ感知面４５１上の接触の強度を検出する１つ以上の接触強度センサ（例えば、センサ３５９のうちの１つ以上）、及び／又はデバイス３００のユーザに対する触知出力を生成する１つ以上の触知出力生成器３５７を含む。
【０１３０】
以下の例のうちのいくつかは、タッチスクリーンディスプレイ１１２（タッチ感知面及びディスプレイが組み合わされている）上の入力を参照して与えられるが、いくつかの実施形態では、デバイスは、図４Ｂに示すディスプレイとは別個のタッチ感知面上の入力を検出する。いくつかの実施形態では、タッチ感知面（例えば、図４Ｂの４５１）は、ディスプレイ（例えば、４５０）上の１次軸（例えば、図４Ｂの４５３）に対応する１次軸（例えば、図４Ｂの４５２）を有する。これらの実施形態によれば、デバイスは、ディスプレイ上のそれぞれの場所に対応する場所（例えば、図４Ｂでは、４６０は４６８に対応し、４６２は４７０に対応する）で、タッチ感知面４５１との接触（例えば、図４Ｂの４６０及び４６２）を検出する。このようにして、タッチ感知面（例えば、図４Ｂの４５１）上でデバイスによって検出されるユーザ入力（例えば、接触４６０及び４６２、並びにこれらの動き）は、タッチ感知面がディスプレイとは別個であるとき、多機能デバイスのディスプレイ（例えば、図４Ｂの４５０）上のユーザインタフェースを操作するために、デバイスによって使用される。同様の方法が、本明細書に記載の他のユーザインタフェースに任意選択的に使用されることを理解されたい。
【０１３１】
加えて、以下の例は、主に指入力（例えば、指接触、指タップジェスチャ、指スワイプジェスチャ）を参照して与えられるが、一部の実施形態では、指入力のうちの１つ以上は、別の入力デバイスからの入力（例えば、マウスベースの入力又はスタイラス入力）に置き換えられることを理解されたい。例えば、スワイプジェスチャは、（例えば、接触の代わりの）マウスクリックに続けた、（例えば、接触の移動の代わりの）スワイプの経路に沿ったカーソルの移動によって、任意選択的に置き換えられる。別の例として、タップジェスチャは、任意選択的に、カーソルがタップジェスチャの位置の上に位置する間はマウスクリックと置き換えられる（例えば、接触を検出して、それに続いて接触の検出を停止する代わりに）。同様に、複数のユーザ入力が同時に検出されるとき、複数のコンピュータマウスが、任意選択的に、同時に使用され、又はマウス及び指の接触が、任意選択的に、同時に使用されることを理解されたい。
【０１３２】
図５Ａは、例示的なパーソナル電子デバイス５００を示す。デバイス５００は、本体５０２を含む。いくつかの実施形態では、デバイス５００は、デバイス１００及び３００（例えば、図１Ａ〜４Ｂ）に関して説明する特徴のうちのいくつか又は全てを含むことができる。一部の実施形態では、デバイス５００は、タッチ感知ディスプレイスクリーン５０４、以下ではタッチスクリーン５０４、を有する。代替的に、又はタッチスクリーン５０４に加えて、デバイス５００は、ディスプレイ及びタッチ感知面を有する。デバイス１００及び３００と同様に、いくつかの実施形態では、タッチスクリーン５０４（又はタッチ感知面）は、任意選択的に、加えられている接触（例えば、タッチ）の強度を検出する１つ以上の強度センサを含む。タッチスクリーン５０４（又はタッチ感知面）の１つ以上の強度センサは、タッチの強度を表す出力データを提供することができる。デバイス５００のユーザインタフェースは、タッチの強度に基づいてタッチに応答することができ、これは、異なる強度のタッチが、デバイス５００上で異なるユーザインタフェース動作を呼び出すことができることを意味する。
【０１３３】
タッチ強度を検出及び処理する例示的な技法は、例えば、それぞれ全体として参照により本明細書に組み込まれている、国際特許第ＷＯ／２０１３／１６９８４９号として公開された、２０１３年５月８日出願の国際特許出願第ＰＣＴ／ＵＳ２０１３／０４００６１号、「Ｄｅｖｉｃｅ，Ｍｅｔｈｏｄ，ａｎｄ  Ｇｒａｐｈｉｃａｌ  Ｕｓｅｒ  Ｉｎｔｅｒｆａｃｅ  ｆｏｒ  Ｄｉｓｐｌａｙｉｎｇ  Ｕｓｅｒ  Ｉｎｔｅｒｆａｃｅ  Ｏｂｊｅｃｔｓ  Ｃｏｒｒｅｓｐｏｎｄｉｎｇ  ｔｏ  ａｎ  Ａｐｐｌｉｃａｔｉｏｎ」、及び国際特許第ＷＯ／２０１４／１０５２７６号として公開された、２０１３年１１月１１日出願の国際特許出願第ＰＣＴ／ＵＳ２０１３／０６９４８３号、「Ｄｅｖｉｃｅ，Ｍｅｔｈｏｄ，ａｎｄ  Ｇｒａｐｈｉｃａｌ  Ｕｓｅｒ  Ｉｎｔｅｒｆａｃｅ  ｆｏｒ  Ｔｒａｎｓｉｔｉｏｎｉｎｇ  Ｂｅｔｗｅｅｎ  Ｔｏｕｃｈ  Ｉｎｐｕｔ  ｔｏ  Ｄｉｓｐｌａｙ  Ｏｕｔｐｕｔ  Ｒｅｌａｔｉｏｎｓｈｉｐｓ」という関連出願に見られる。
【０１３４】
一部の実施形態では、デバイス５００は、１つ以上の入力機構５０６及び５０８を有する。入力機構５０６及び５０８は、含まれる場合、物理的機構とすることができる。物理的入力機構の例としては、プッシュボタン及び回転可能機構が挙げられる。一部の実施形態では、デバイス５００は、１つ以上のアタッチメント機構を有する。そのようなアタッチメント機構は、含まれる場合、例えば帽子、アイウェア、イアリング、ネックレス、シャツ、ジャケット、ブレスレット、腕時計のバンド、チェーン、ズボン、ベルト、靴、財布、バックパックなどにデバイス５００を取り付けることを可能にすることができる。これらのアタッチメント機構は、ユーザがデバイス５００を着用することを可能にする。
【０１３５】
図５Ｂは、例示的なパーソナル電子デバイス５００を示す。いくつかの実施形態では、デバイス５００は、図１Ａ、図１Ｂ、及び図３に関して説明した構成要素のうちのいくつか又は全てを含むことができる。デバイス５００は、Ｉ／Ｏセクション５１４を１つ以上のコンピュータプロセッサ５１６及びメモリ５１８に動作可能に結合するバス５１２を有する。Ｉ／Ｏセクション５１４は、ディスプレイ５０４に接続することができ、ディスプレイ５０４は、タッチ感知構成要素５２２と、任意選択的に強度センサ５２４（例えば、接触強度センサ）とを有することができる。加えて、Ｉ／Ｏセクション５１４は、Ｗｉ−Ｆｉ、Ｂｌｕｅｔｏｏｔｈ、近距離通信（ＮＦＣ）、セルラー、及び／又は他の無線通信技法を使用してアプリケーション及びオペレーティングシステムデータを受信する通信ユニット５３０に接続することができる。デバイス５００は、入力機構５０６及び／又は５０８を含むことができる。入力機構５０６は、任意選択的に、例えば回転可能入力デバイス又は押下可能及び回転可能入力デバイスである。いくつかの例では、入力機構５０８は、任意選択的にボタンである。
【０１３６】
いくつかの例では、入力機構５０８は、任意選択的にマイクロフォンである。パーソナル電子デバイス５００は、任意選択的に、ＧＰＳセンサ５３２、加速度計５３４、方向センサ５４０（例えば、コンパス）、ジャイロスコープ５３６、動きセンサ５３８、及び／又はこれらの組み合わせなどの様々なセンサを含み、これらのセンサは全て、Ｉ／Ｏセクション５１４に動作可能に接続することができる。
【０１３７】
パーソナル電子デバイス５００のメモリ５１８は、コンピュータ実行可能命令を記憶するための１つ以上の非一時的コンピュータ可読記憶媒体を含むことができ、それらの命令は、１つ以上のコンピュータプロセッサ５１６によって実行されると、例えば、コンピュータプロセッサに、プロセス７００、９００及び１１００（図７Ａ〜図７Ｆ、図９Ａ〜図９Ｄ及び図１１Ａ〜図１１Ｅ）を含めた、以下に説明する技術を実行させることができる。コンピュータ可読記憶媒体は、命令実行システム、装置、又はデバイスによって使用するための、又は命令実行システム、装置、又はデバイスに接続されているコンピュータ実行可能命令を、有形に含み又は記憶することができる任意の媒体とすることができる。いくつかの例では、記憶媒体は、一時的コンピュータ可読記憶媒体である。いくつかの例では、記憶媒体は、非一時的コンピュータ可読記憶媒体である。非一時的コンピュータ可読記憶媒体は、それだけに限定されるものではないが、磁気、光学、及び／又は半導体記憶装置を含むことができる。そのような記憶装置の例としては、磁気ディスク、ＣＤ、ＤＶＤ、又はＢｌｕ−ｒａｙ技術に基づく光学ディスク、並びにフラッシュ、ソリッドステートドライブなどの常駐ソリッドステートメモリなどが挙げられる。パーソナル電子デバイス５００は、図５Ｂの構成要素及び構成に限定されるものではなく、他の又は追加の構成要素を複数の構成で含むことができる。
【０１３８】
本明細書では、「アフォーダンス」という用語は、任意選択的にデバイス１００、３００、及び／又は５００（図１Ａ、図３、及び図５Ａ〜５Ｂ）のディスプレイスクリーン上に表示されるユーザ対話グラフィカルユーザインタフェースオブジェクトを指す。例えば、画像（例えば、アイコン）、ボタン、及び文字（例えば、ハイパーリンク）はそれぞれ、意選択的に、アフォーダンスを構成する。
【０１３９】
本明細書で使用される「フォーカスセレクタ」という用語は、ユーザが対話しているユーザインタフェースの現在の部分を示す入力要素を指す。カーソル又は他の場所マーカを含むいくつかの実装形態では、カーソルが「フォーカスセレクタ」として作用し、したがってカーソルが特定のユーザインタフェース要素（例えば、ボタン、ウインドウ、スライダ、又は他のユーザインタフェース要素）の上に位置する間に、タッチ感知面（例えば、図３のタッチパッド３５５又は図４Ｂのタッチ感知面４５１）上で入力（例えば、押下入力）が検出されたとき、特定のユーザインタフェース要素が、検出された入力に従って調整される。タッチスクリーンディスプレイ上のユーザインタフェース要素との直接対話を有効化するタッチスクリーンディスプレイ（例えば、図１Ａのタッチ感知ディスプレイシステム１１２又は図４Ａのタッチスクリーン１１２）を含むいくつかの実装形態では、タッチスクリーン上の検出された接触が「フォーカスセレクタ」として作用し、したがってタッチスクリーンディスプレイ上の特定のユーザインタフェース要素（例えば、ボタン、ウインドウ、スライダ、又は他のユーザインタフェース要素）の場所で入力（例えば、接触による押下入力）が検出されたとき、特定のユーザインタフェース要素が、検出された入力に従って調整される。一部の実装形態では、タッチスクリーンディスプレイ上の対応するカーソルの移動又は接触の移動（例えば、フォーカスを１つのボタンから別のボタンへ動かすためにタブキー又は矢印キーを使用することによる）なく、フォーカスがユーザインタフェースの１つの領域からユーザインタフェースの別の領域へ動かされ、これらの実装形態では、フォーカスセレクタは、ユーザインタフェースの種々の領域間でのフォーカスの移動に従って移動する。フォーカスセレクタがとる特有の形態にかかわらず、フォーカスセレクタは、概して、ユーザインタフェース要素（又はタッチスクリーンディスプレイ上の接触）であり、ユーザの意図する対話をユーザインタフェースによって通信するように、ユーザによって制御される（例えば、ユーザが対話することを意図しているユーザインタフェースの要素をデバイスに示すことによる）。例えば、タッチ感知面（例えば、タッチパッド又はタッチスクリーン）上で押圧入力が検出されている間の、対応のボタンの上のフォーカスセレクタ（例えば、カーソル、接触、又は選択ボックス）の位置は、その対応のボタンを（そのデバイスのディスプレイ上に示される他のユーザインタフェース要素ではなく）アクティブ化することをユーザが意図していることを示すものである。
【０１４０】
本明細書及び特許請求の範囲で使用される、接触の「特性強度」という用語は、接触の１つ以上の強度に基づく、その接触の特性を指す。一部の実施形態では、特性強度は複数の強度サンプルに基づく。特性強度は、任意選択的に、既定の数の強度サンプル、すなわち、既定のイベント（例えば、接触を検出した後、接触のリフトオフを検出する前、接触の移動の開始を検出する前若しくは後、接触の終了を検出する前、接触の強度の増大を検出する前若しくは後、及び／又は、接触の強度の減少を検出する前若しくは後の）に関連する既定の期間（例えば、０．０５、０．１、０．２、０．５、１、２、５、１０秒）の間に収集された強度サンプルのセットに基づく。接触の特性強度は、任意選択的に、接触の強度の最大値、接触の強度の平均（mean）値、接触の強度の平均（average）値、接触の強度の上位１０パーセンタイル値、接触の強度の最大の２分の１の値、接触の強度の最大の９０パーセントの値などのうちの１つ以上に基づいている。一部の実施形態では、特性強度を判定する際に（例えば、特性強度が経時的な接触の強度の平均であるときに）、接触の持続期間が使用される。一部の実施形態では、特性強度は、ユーザによって動作が実行されたかどうかを判定するために、１つ以上の強度閾値のセットと比較される。例えば、１組の１つ以上の強度閾値は、任意選択的に、第１の強度閾値及び第２の強度閾値を含む。この例では、第１の閾値を超過しない特性強度を有する接触は、第１の動作をもたらし、第１の強度閾値を超過するが第２の強度閾値を超過しない特性強度を有する接触は、第２の動作をもたらし、第２の閾値を超過する特性強度を有する接触は、第３の動作をもたらす。いくつかの実施形態では、特性強度と１つ以上の閾値との間の比較は、第１の動作を実行するべきか、それとも第２の動作を実行するべきかを判定するために使用されるのではなく、１つ以上の動作を実行するべきか否か（例えば、それぞれの動作を実行するべきか、それともそれぞれの動作を実行するのを取り止めるべきか）を判定するために使用される。
【０１４１】
一部の実施形態では、特性強度を判定する目的のために、ジェスチャの一部分が特定される。例えば、タッチ感知面は、任意選択的に、開始場所から遷移して終了場所に到達する連続するスワイプ接触を受信し、その時点で接触の強度が増大する。この例では、終了場所での接触の特性強度は、任意選択的に、スワイプ接触全体ではなく、連続するスワイプ接触の一部分のみ（例えば、スワイプ接触のうち終了場所の部分のみ）に基づいている。いくつかの実施形態では、任意選択的に、接触の特性強度を判定する前に、平滑化アルゴリズムがスワイプ接触の強度に適用される。例えば、平滑化アルゴリズムは、任意選択的に、非加重移動平均平滑化アルゴリズム、三角平滑化アルゴリズム、中央値フィルタ平滑化アルゴリズム、及び／又は指数平滑化アルゴリズムのうちの１つ以上を含む。いくつかの状況では、これらの平滑化アルゴリズムは、特性強度を判定する目的のために、スワイプ接触の強度の小幅な上昇又は降下を排除する。
【０１４２】
タッチ感知面上の接触の強度は、任意選択的に、接触検出強度閾値、軽い押下の強度閾値、深い押下の強度閾値、及び／又は１つ以上の他の強度閾値などの１つ以上の強度閾値に対して特徴付けられる。一部の実施形態では、軽い押圧強度閾値は、通常、物理マウスのボタン又はトラックパッドをクリックすることに関連付けられた動作をデバイスが実行する強度に相当する。一部の実施形態では、深い押圧強度閾値は、通常、物理マウスのボタン又はトラックパッドをクリックすることに関連付けられた動作とは異なる動作をデバイスが実行する強度に相当する。一部の実施形態では、軽い押圧強度閾値を下回る（例えば、それを下回ると接触が検出されなくなる公称接触検出強度閾値を上回る）特性強度を有する接触が検出されたとき、デバイスは、軽い押圧強度閾値又は深い押圧強度閾値に関連付けられた動作を実行することなく、タッチ感知面上の接触の移動に従ってフォーカスセレクタを動かす。一般に、特に明記しない限り、これらの強度閾値は、ユーザインタフェース図の様々なセットの間で一貫している。
【０１４３】
軽い押圧強度閾値を下回る強度から、軽い押圧強度閾値と深い押圧強度閾値との間の強度への、接触の特性強度の増大は、「軽い押圧」の入力と呼ばれることがある。深い押圧強度閾値を下回る強度から、深い押圧強度閾値を上回る強度への、接触の特性強度の増大は、「深い押圧」の入力と呼ばれることがある。接触検出強度閾値を下回る強度から、接触検出強度閾値と軽い押圧強度閾値との間の強度への、接触の特性強度の増大は、タッチ面上の接触の検出と呼ばれることがある。接触検出強度閾値を上回る強度から、接触検出強度閾値を下回る強度への、接触の特性強度の減少は、タッチ面からの接触のリフトオフの検出と呼ばれることがある。一部の実施形態では、接触検出強度閾値はゼロである。一部の実施形態では、接触検出強度閾値は、ゼロより大きい。
【０１４４】
本明細書に記載する一部の実施形態では、それぞれの押圧入力を含むジェスチャを検出したことに応じて、又はそれぞれの接触（若しくは複数の接触）によって実行されたそれぞれの押圧入力を検出したことに応じて、１つ以上の動作が実行され、それぞれの押圧入力は、押圧入力強度閾値を上回る接触（又は複数の接触）の強度の増大を検出したことに少なくとも部分的に基づいて検出される。一部の実施形態では、それぞれの動作は、押圧入力強度閾値を上回るそれぞれの接触の強度の増大（例えば、それぞれの押圧入力の「ダウンストローク」）を検出したことに応じて実行される。一部の実施形態では、押圧入力は、押圧入力強度閾値を上回るそれぞれの接触の強度の増大、及びそれに続く押圧入力強度閾値を下回る接触の強度の減少を含み、それぞれの動作は、それに続く押圧入力閾値を下回るそれぞれの接触の強度の減少（例えば、それぞれの押圧入力の「アップストローク」）を検出したことに応じて実行される。
【０１４５】
一部の実施形態では、デバイスは、「ジッタ」と呼ばれる場合がある偶発的な入力を回避するために強度ヒステリシスを採用し、デバイスは、押圧入力強度閾値との既定の関係を有するヒステリシス強度閾値を定義又は選択する（例えば、ヒステリシス強度閾値は、押圧入力強度閾値よりも低いＸ強度単位であり、又はヒステリシス強度閾値は、押圧入力強度閾値の７５％、９０％、若しくは何らかの妥当な割合である）。したがって、一部の実施形態では、押圧入力は、押圧入力強度閾値を上回るそれぞれの接触の強度の増大、及びそれに続く押圧入力強度閾値に対応するヒステリシス強度閾値を下回る接触の強度の減少を含み、それぞれの動作は、それに続くヒステリシス強度閾値を下回るそれぞれの接触の強度の減少（例えば、それぞれの押圧入力の「アップストローク」）を検出したことに応じて実行される。同様に、一部の実施形態では、押圧入力は、デバイスが、ヒステリシス強度閾値以下の強度から押圧入力強度閾値以上の強度への接触の強度の増大、及び任意選択的に、その後のヒステリシス強度以下の強度への接触の強度の減少を検出するときにのみ検出され、それぞれの動作は、押圧入力（例えば、状況に応じて、接触の強度の増大又は接触の強度の減少）を検出したことに応じて実行される。
【０１４６】
説明を容易にするために、押圧入力強度閾値に関連付けられた押圧入力、又は押圧入力を含むジェスチャに応じて実行される動作の説明は、任意選択的に、押圧入力強度閾値を上回る接触の強度の増大、ヒステリシス強度閾値を下回る強度から押圧入力強度閾値を上回る強度への接触の強度の増大、押圧入力強度閾値を下回る接触の強度の減少、及び／又は押圧入力強度閾値に対応するヒステリシス強度閾値を下回る接触の強度の減少のいずれかを検出したことに応じてトリガされる。更に、押圧入力強度閾値を下回る接触の強度の減少を検出したことに応じて実行されるように動作が記載される例では、動作は、任意選択的に、押圧入力強度閾値に対応し、かつそれよりも低いヒステリシス強度閾値を下回る接触の強度の減少を検出したことに応じて実行される。
【０１４７】
次に、ポータブル多機能デバイス１００、デバイス３００、又はデバイス５００などの電子デバイス上で実施されるユーザインタフェース（「ＵＩ」）及び関連プロセスの実施形態に注意を向ける。
【０１４８】
図６Ａ〜図６Ｑ−１は、一部の実施形態による、集約された健康記録をユーザに表示するための例示的なユーザインタフェースを示す。便宜上、健康記録は、本明細書ではユーザの健康記録として説明される。しかしながら、健康記録は、例示的なユーザインタフェースのユーザに関連付けられた家族又は他の個人の健康記録であってもよい。それらの図におけるユーザインタフェースは、図７Ａ〜図７Ｆにおける処理を含む、以下で説明する処理を例示するために使用される。
【０１４９】
以下の実施例のうちのいくつかは、（タッチ感知面とディスプレイとを組み合わせた）タッチ画面ディスプレイ上での入力を参照して説明されるが、いくつかの実施形態では、デバイスは、図４Ｂに示すように、ディスプレイ４５０とは別個のタッチ感知面４５１上で入力を検出する。他の実施形態では、本明細書に記載されるプロセスは、物理的ユーザインタフェース、音声インタフェース、又は他の好適なインタフェースを有するデバイスを用いて実装されてもよい。説明の便宜上、実施形態のいくつかは、タッチ感知ディスプレイシステム１１２を有するデバイス上で実行される操作を参照して議論される。そのような実施形態では、フォーカスセレクタは、任意選択的に、それぞれの指若しくはスタイラスの接触、指若しくはスタイラスの接触に対応する代表的な点（例えば、それぞれの接触の面心若しくはそれぞれの接触と関連付けられた点）、又はタッチ感知ディスプレイシステム１１２上で検出された２つ以上の接触の面心である。しかしながら、同様の操作は、任意選択的に、フォーカスセレクタと共に、以下に説明するユーザインタフェースを表示している間にタッチ感知面４５１上の接触を検出したことに応答して、ディスプレイ４５０及び別個のタッチ感知面４５１を有するデバイス上で実行される。
【０１５０】
図６Ａ〜図６Ｑ−１は、一部の実施形態による、ユーザの集約された健康記録を表示するための例示的なユーザインタフェースを示す。図６Ａ〜図６Ｑ−１のユーザインタフェースは、ユーザが１つ以上のヘルスケア提供者からのユーザの健康記録を確認することを可能にする。このようなユーザインタフェースは、ユーザがユーザの健康記録を素早くかつ効率的に閲覧できるようにする体系的な方法で、ユーザの健康記録を提示する。より具体的には、図６Ａ〜図６Ｑ−１の健康記録は複数のカテゴリに分類される。図示の実施形態では、このようなカテゴリには、アレルギー、臨床文書、検査結果、薬剤及び健康状態が含まれる。しかしながら、代替的な実施形態では、更なる又は異なるカテゴリ又はグループ化を利用して、健康記録が分類されてもよい。ユーザインタフェースはまた、既存の健康記録と、既存の健康記録及び新たな健康記録に対する更新とを統合する体系的な方法で、既存の健康記録及び新たな健康記録に対する更新を提示する。
【０１５１】
一実施形態では、図６Ａ〜図６Ｑ−１に示す例示的なユーザインタフェース内に表示するユーザの健康情報を取得するために、ユーザは、本明細書に図示されていない１つ以上のユーザインタフェース（「オンボーディングユーザインタフェース」）にアクセスして、ヘルスケア提供者とのオンボーディングプロセスを開始、継続、又は完了する。いくつかの実施形態では、図６Ａに示すユーザインタフェース又は同様のユーザインタフェースがディスプレイ１１２上に表示されている間に、ユーザは、ヘルスケア提供者アフォーダンス５３０２と対話することによって、ユーザインタフェースにアクセスする。ユーザは、新たなヘルスケア提供者のオンボーディングプロセスを開始するため、ユーザがオンボーディングプロセスを完了した既存のヘルスケア提供者に関する情報を確認するため、ヘルスケア提供者に連絡するため、ヘルスケア提供者に関する情報を更新するため、又はヘルスケア提供者を削除するために、オンボーディングユーザインタフェースに定期的にアクセスすることができる。ヘルスケア提供者とのオンボーディングプロセスが完了すると、デバイス１００は、ヘルスケア提供者からのユーザの健康記録へのアクセスを取得し、ヘルスケア提供者の健康記録をディスプレイ１１２上に表示する。一部の実施形態では、デバイス１００は、オンボーディングプロセスが完了しているという判定に応答して、図６Ａに示すユーザインタフェースをディスプレイ１１２上に表示する。他の実施形態では、オンボーディングユーザインタフェースは、図６Ａに示すような健康データアフォーダンス５０２９Ａを有するツールバー５０２９を含む。このような実施形態では、ユーザは、図６Ａにアクセスするために健康データアフォーダンス５０２９Ａと対話する。
【０１５２】
図６Ａは、１つ以上のヘルスケア提供者からのユーザの健康記録カテゴリの表現を表示する一実施形態を示す。図６Ａは、カテゴリ表現５００６Ａ、５００６Ｂ、５００６Ｃ、５００６Ｄ及び５００６Ｅ、並びにユーザの健康記録の全てに関連付けられた全ての記録表現５００６Ｆを含む。図示の実施形態では、カテゴリ表現５００６Ａはアレルギー健康記録に関連付けられ、カテゴリ表現５００６Ｂは臨床文書に関連付けられ、カテゴリ表現５００６Ｃは検査結果に関連付けられ、カテゴリ表現５００６Ｄは薬剤に関連付けられ、カテゴリ表現５００６Ｅは健康状態に関連付けられている。カテゴリ表現５００６Ａ〜５００６Ｅはそれぞれ、そのようなアフォーダンスが特定のカテゴリからの健康記録に関連付けられていることを示すテキストを含むアフォーダンスである。カテゴリ表現５００６Ａ〜５００６Ｅはそれぞれ、関連付けられたカテゴリからのユーザの健康記録を閲覧するために、ユーザによって選択可能である。一部の実施形態では、カテゴリ表現５００６Ａ〜５００６Ｅは、対応するカテゴリの説明、対応するカテゴリに含まれる健康記録の概要、又は対応するカテゴリに関するその他の情報も含む。例えば、カテゴリ表現５００６Ｅは、ユーザの別の進行中の健康状態を要約する情報を含んでもよい。全ての記録表現５００６Ｆは、そのようなアフォーダンスが全ての健康記録に関連付けられていることを示すテキストを含むアフォーダンスである。全ての記録表現５００６Ｆは、ユーザの全ての健康記録を閲覧するためにユーザによって選択可能である。図６Ａ〜図６Ｂは、アフォーダンス（薬剤のカテゴリ表現５００６Ｄ）上でのタップジェスチャ（例えば、図６Ａの接触５５０２を伴うタップジェスチャ）を検出し、タップジェスチャに応答して、アフォーダンスに関連付けられた健康記録カテゴリに対応する健康記録（例えば、図６Ｂの薬剤記録５０１８Ａ及び５０１８Ｂ）を表示することを示す。
【０１５３】
図６Ｂは、図６Ａに示す薬剤のカテゴリ表現５００６Ｄに関連付けられた健康記録の表示を示す。より具体的には、薬剤記録５０１８Ａ及び５０１８Ｂ（ＡＢＣ薬及びＤＥＦ薬）が表示される。図示の実施形態では、薬剤記録５０１８Ａ及び５０１８Ｂは、ユーザによって服薬された薬剤の健康記録であり、薬剤の名前（それぞれＡＢＣ薬及びＤＥＦ薬）を特定するテキストを含み、薬剤を処方したヘルスケア提供者（いずれの記録の場合もＡｌｐｈａ  Ｈｅａｌｔｈ  Ｃａｒｅ）、薬剤が処方された日付（それぞれ２０１７年１０月１日及び２０１７年９月１日）を含む。ヘルスケア提供者は、１名又は複数名の医師、ホームヘルスケア組織又は病院グループなどの医療組織の名前、あるいは特定の病院又は診療所などの治療が行われた特定の施設又は場所の指定であってもよい。他の実施形態では、薬剤を処方する薬剤師、薬剤の補充期限又は使用期限、薬剤を補充するための命令又はアフォーダンス、用量、指示、警告、副作用、有効成分、薬剤の画像、薬剤に関するファクトシート、あるいは任意のその他の好適な情報などの薬剤に関する更なる情報を表すテキスト又は画像を、薬剤記録５０１８Ａ及び５０１８Ｂ内に表示してもよい。図示の実施形態では、薬剤記録５０１８Ａ及び５０１８Ｂは、最新の処方日から順に配置されている。他の実施形態では、薬剤記録５０１８Ａ及び５０１８Ｂは、日常薬を他の薬剤よりも前に、アルファベット順に、又は別の適切な薬剤分類順序で列挙するように配置されている。図６Ｂは、図６Ａに示すカテゴリ表現５００６Ａ〜５００６Ｅ（それぞれ、アレルギー、臨床文書、検査結果、薬剤及び健康状態カテゴリ）を閲覧するアフォーダンスである健康記録アフォーダンス５３０４も示す。この点に関し、図６Ｂは、健康記録アフォーダンス５３０４上での接触５５０４を伴うタップジェスチャを検出して、図６Ｃのカテゴリ表現５００６Ａ〜５００６Ｅを表示することを更に示す。
【０１５４】
図６Ｂでは、薬剤記録５０１８Ａ及び５０１８Ｂ（ＡＢＣ薬及びＤＥＦ薬）は、双方共にＡｌｐｈａ  Ｈｅａｌｔｈ  Ｃａｒｅによって提供された健康記録である。図６Ａ〜６Ｑ−１のいくつかの実施形態では、ユーザが２つ以上のヘルスケア提供者とのオンボーディングプロセスを完了している場合には、ユーザの全てのヘルスケア提供者によって提供された薬剤に関する情報を含む薬剤記録が、ディスプレイ１１２上に同時に表示される。この点に関し、図６Ｂ−１は、ユーザがＡｌｐｈａ  Ｈｅａｌｔｈ  Ｃａｒｅ及びＢｅｔａ  Ｈｅａｌｔｈ  Ｃａｒｅとのオンボーディングプロセスを完了している別の一実施形態を示す。図６Ｂ−１では、図６Ａのカテゴリ表現５００６Ｄ上での接触５５０２を伴うタップジェスチャを検出したことに応答して、Ｂｅｔａ  Ｈｅａｌｔｈ  Ｃａｒｅによって処方された薬剤記録５０１８Ｃ及び５０１８Ｄ（それぞれＧＨＩ薬及びＪＫＬ薬に関する）は、Ａｌｐｈａ  Ｈｅａｌｔｈ  Ｃａｒｅによって処方された薬剤記録５０１８Ａ及び５０１８Ｂと同時に表示される。このような方法で、ユーザは、ユーザのヘルスケア提供者からのユーザの処方箋の全てを１つのインタフェースで確認することができる。図示の実施形態では、薬剤記録５０１８Ａ〜５０１８Ｄは、処方日別に分類されている。他の実施形態では、図６Ａ〜６Ｑ−１に含まれる薬剤記録は、ヘルスケア提供者別に、治療対象の病状別に、又は任意の他の好適な方法で分類されてもよい。
【０１５５】
図６Ｂ−１は、健康記録アフォーダンス５３０４上での接触５５０４’を伴うタップジェスチャを検出して、図６Ｃのカテゴリ表現５００６Ａ〜５００６Ｅ（それぞれ、アレルギー、臨床文書、検査結果、薬剤及び健康状態カテゴリ）を表示することも示す。図６Ｃは、健康記録アフォーダンス５３０４上での接触５５０４又は５５０４’を伴うタップジェスチャを検出したことに応答して、カテゴリ表現５００６Ａ〜５００６Ｅを再表示することを示す。図６Ｃは、臨床文書に関連付けられたカテゴリ表現５００６Ｂ上での接触５５０６を伴うタップジェスチャを検出して、図６Ｄの臨床文書の３つのサブカテゴリ（それぞれ、Ｘ線画像、ＣＴスキャン及び超音波画像サブカテゴリ）の表現５０１５Ａ〜５０１５Ｃを表示することを更に示す。
【０１５６】
図６Ｄは、臨床文書のサブカテゴリの表現５０１５Ａ〜５０１５Ｃ並びに全ての臨床文書の表現５０１７Ａを示す。図示の実施形態では、サブカテゴリ表現５０１５ＡはＸ線画像に関連付けられ、サブカテゴリ表現５０１５ＢはＣＴスキャン画像に関連付けられ、サブカテゴリ表現５０１５Ｃは超音波画像に関連付けられている。図６Ｄに示すように、サブカテゴリ表現５０１５Ａ〜５０１５Ｃはそれぞれ、そのようなアフォーダンスが臨床文書の特定のサブカテゴリからの健康記録に関連付けられていることを示すテキストを含むアフォーダンスである。全ての臨床文書の表現５０１７Ａは、そのようなアフォーダンスが臨床文書の全ての健康記録に関連付けられていることを示すテキストを含むアフォーダンスである。更に、サブカテゴリ表現５０１５Ａ〜５０１５Ｃはそれぞれ、関連するサブカテゴリからのユーザの臨床文書を閲覧するために、ユーザによって選択可能である。図示の実施形態では、臨床文書カテゴリのサブカテゴリは、臨床文書の種類に基づいて形成されている。他の実施形態では、（１年間、３か月間、１か月間、又は別の期間などの）異なる期間の間に取得された臨床文書が、そのような期間に基づいて異なる臨床文書サブカテゴリにグループ化される。更なる実施形態では、ユーザの健康記録のサブカテゴリは、ユーザの健康記録を分類する他の好適な手段に基づいてサブカテゴリ化される。図６Ｄは、Ｘ線画像に関連付けられたサブカテゴリ表現５０１５Ａ上での接触５５０８を伴うタップジェスチャを検出して、図６ＥのＸ線記録５０１６Ａ及び５０１６Ｂを表示することを更に示す。図６Ｅは、サブカテゴリ表現５０１５Ａ（例えば、図６Ｄの「Ｘ線画像」のサブカテゴリ）に関連付けられた健康記録の表示を示す。より具体的には、Ｘ線記録５０１６Ａ及び５０１６Ｂが表示される。図示の実施形態では、Ｘ線記録５０１６Ａ及び５０１６Ｂは、ユーザのＸ線画像の記録であり、Ｘ線検査を発注又は実施した提供者を特定するテキスト（いずれの記録の場合もＤｒ．Ｄｏｅ及びＡｌｐｈａ  Ｈｅａｌｔｈ  Ｃａｒｅ）を含む。図６Ｅに示す実施形態では、医師（Ｘ線画像を発注又は精査する医師であってもよい）と施設との双方が提供者として特定されている。このような方法で、健康記録に関連するヘルスケア専門家と組織又は施設との双方を健康記録内で特定することができる。他の実施形態では、Ｘ線を発注する医師、又はＸ線を精査する医師を特定するために、複数の医師が列挙されてもよい。このような実施形態では、ヘルスケア提供者の組織及び施設の両方が、ユーザに更なる情報を提供するものとして特定される。Ｘ線記録５０１６Ａ及び５０１６Ｂはそれぞれ、Ｘ線画像が撮影された日付（それぞれ２０１７年１０月１日及び２０１７年９月１日）を特定するテキストと、Ｘ線画像の写真を含む画像ファイル５０３６Ａ又は５０３６Ｂとを更に含む。いくつかの実施形態では、ユーザは、画像ファイル５０３６Ａ又は５０３６Ｂのうちの１つをタップして、Ｘ線画像の全画面画像をオーバーレイするか、Ｘ線画像の写真上でズームインを行うか、又は放射線医のメモや診断などのＸ線画像に関する更なる情報を取得してもよい。
【０１５７】
図６Ｂと同様に、図６Ｅでは、Ｘ線記録５０１６Ａ及び５０１６Ｂは双方共に、Ａｌｐｈａ  Ｈｅａｌｔｈ  Ｃａｒｅによって提供された健康記録である。図６Ｅ−１は、ユーザがＡｌｐｈａ  Ｈｅａｌｔｈ  Ｃａｒｅ及びＢｅｔａ  Ｈｅａｌｔｈ  Ｃａｒｅとのオンボーディングプロセスを完了している代替的な一実施形態を示す。図６Ｅ−１では、図６Ｄのサブカテゴリ表現５０１５Ａ（Ｘ線画像サブカテゴリ）上での接触５５０８を伴うタップジェスチャを検出したことに応答して、Ｂｅｔａ  Ｈｅａｌｔｈ  ＣａｒｅからのＸ線記録５０１６Ｃは、Ａｌｐｈａ  Ｈｅａｌｔｈ  ＣａｒｅからのＸ線記録５０１６Ａ及び５０１６Ｂと同時に表示される。そのような方法では、図６Ｃ−１のユーザインタフェースと同様に、ユーザは、ユーザのヘルスケア提供者からのユーザのＸ線画像の全てを１つのインタフェースで確認することができる。図示の実施形態では、Ｘ線記録５０１６Ｃは、提供者（Ｄｒ．Ｓｍｉｔｈ及びＢｅｔａ  Ｈｅａｌｔｈ  Ｃａｒｅ）を特定するテキスト、このようなＸ線画像が撮影された日付（２０１７年９月１５日）、並びにＸ線画像の写真を含む画像ファイル５０３６Ｃを含む。図６Ｅ−１には示されていないが、一実施形態では、Ａｌｐｈａ  Ｈｅａｌｔｈ  Ｃａｒｅ及びＢｅｔａ  Ｈｅａｌｔｈ  Ｃａｒｅの両方からの臨床文書の異なるサブカテゴリからの健康記録が、例えば、図６Ｄに示す全ての臨床文書の表現５０１７Ａをユーザが選択することによって、単一のユーザインタフェース内に表示されてもよい。
【０１５８】
図６Ｅ及び図６Ｅ−１はそれぞれ、臨床文書アフォーダンス５３０７上での接触５５１０又は５５１０’を伴うタップジェスチャを検出して、図６Ｆのサブカテゴリ表現５０１５Ａ〜５０１５Ｃ（Ｘ線画像、ＣＴスキャン及び超音波画像）を表示することを示す。図６Ｆは、臨床文書アフォーダンス５３０８上での接触５５１０又は５５１０’を伴うタップジェスチャを検出したことに応答して、サブカテゴリ５０１５Ａ〜５０１５Ｃを再表示することを示す。いくつかの実施形態では、ユーザは、サブカテゴリ表現５０１５Ｂ又はサブカテゴリ表現５０１５Ｃを選択して、そのような他の健康記録サブカテゴリに属する健康記録を閲覧してもよい。図示の実施形態では、ユーザは、健康記録アフォーダンス５３０４上での接触５５１２を伴うタップジェスチャを実行して、図６Ｇのカテゴリ表現５００６Ａ〜５００６Ｅ（それぞれ、アレルギー、臨床文書、検査結果、薬剤及び健康状態カテゴリ）を閲覧する。図６Ｇは、（例えば図６Ｆに示す）健康記録アフォーダンス５３０４上での接触５５１２を伴うタップジェスチャを検出したことに応答して、カテゴリ表現５００６Ａ〜５００６Ｅを再表示することを示す。
【０１５９】
図６Ｇは、全ての記録表現５００６Ｆの上での接触５５１４を伴うタップジェスチャを検出して、図６Ｈの異なるカテゴリからの健康記録を同時に表示することも示す。図６Ｈは、複数の健康記録カテゴリからの健康記録を表示することを示す。図示の実施形態では、薬剤記録及びＸ線記録は同時に表示され、日付別に分類されている。より具体的には、図６Ｈは、薬剤記録５０１８Ａ及び５０１８Ｂ（ＡＢＣ薬及びＤＥＦ薬）と、２０１７年１０月１日及び２０１７年９月１日に取得されたＸ線画像のＸ線記録５０１６Ａ及び５０１６Ｂを同時に表示することを示す。図示の実施形態では、健康記録は、ヘルスケア提供者への受診日に基づいてグループ化されている。薬剤記録５０１８Ａ及びＸ線記録５０１６Ａは、２０１７年１０月１日のＡｌｐｈａ  Ｈｅａｌｔｈ  Ｃａｒｅへの受診からの健康記録の第１のグループ内に表示される。薬剤記録５０１８Ｂ及びＸ線記録５０１６Ｂは、２０１７年９月１日のＡｌｐｈａ  Ｈｅａｌｔｈ  Ｃａｒｅへの受診からの健康記録の第２のグループ内に表示される。図示の実施形態では、健康記録は、異なるカテゴリの健康記録を区別するために異なる色で表示されている。薬剤記録５０１８Ａ及び５０１８Ｂは、薬剤を表す第１の色で表示され、Ｘ線記録５０１６Ａ及び５０１６Ｂは、臨床文書を表す第２の色で表示されている。代替的な一実施形態では、Ｘ線記録５０１８Ａ及び５０１８Ｂは、Ｘ線画像のサブカテゴリを表す色で表示される。他の実施形態では、健康記録は、期間、受診日、提供者（図６Ｈ−１に関して説明されているように、２つ以上の提供者がオンボーディングされている場合）、健康記録のカテゴリ、健康記録カテゴリ、健康記録サブカテゴリ、状態の重症度、又は任意の他の好適な基準などの任意の特性に基づくグループ内に表示されるか、又はそのような特性に基づいて割り当てられた色で表示されてもよい。ヘルスケア提供者などの特性は、組織別、医師別、施設別、又は場所別に更に分割又は区別されてもよい。このような方法で、健康記録がその中に表示されるグループ及びそのような健康記録の色を使用して、異なる特性を有する健康記録をユーザが素早く見分けられるようにすることができる。他の実施形態では、表示グループ及び色のみが使用される場合に、ユーザが３つ以上の利用可能な基準で健康記録を区別できるように、共通の基準を満たす健康記録が、特定のフォントで、特定の場所に、特定のアイコンと共に、特定のグラフィック要素と共に、又は他の方法で特定の視覚的特徴と共に表示されてもよい。
【０１６０】
図６Ｈでは、２０１７年１０月１日及び２０１７年９月１日に取得されたＸ線画像のＸ線記録５０１６Ａ及び５０１６Ｂと、薬剤記録５０１８Ａ及び５０１８Ｂ（ＡＢＣ薬及びＤＥＦ薬）とは全て、Ａｌｐｈａ  Ｈｅａｌｔｈ  Ｃａｒｅによって提供された健康記録である。図６Ｈ−１は、ユーザがＡｌｐｈａ  Ｈｅａｌｔｈ  Ｃａｒｅ及びＢｅｔａ  Ｈｅａｌｔｈ  Ｃａｒｅとのオンボーディングプロセスを完了している代替的な一実施形態を示す。図６Ｈ−１では、図６Ｇの全ての記録表現５０１６Ｆ上での接触５５１４を伴うタップジェスチャを検出したことに応答して、薬剤記録５０１８Ｃ（ＧＨＩ薬）及び２０１７年９月１５日に発注されたＸ線画像のＸ線記録５０１６Ｃの双方がＢｅｔａ  Ｈｅａｌｔｈ  Ｃａｒｅから取得され、Ａｌｐｈａ  Ｈｅａｌｔｈ  Ｃａｒｅからの薬剤記録５０１８Ａ及びＸ線記録５０１６Ａと同時に表示される。図６Ｈ−１では、薬剤記録５０１８Ｃ及びＸ線記録５０１６Ｃは１つのグループ内に表示され、２０１７年９月１５日のＢｅｔａ  Ｈｅａｌｔｈ  Ｃａｒｅへの受診の健康記録を表す。図示された実施形態では、薬剤記録５０１８Ｃ及びＸ線記録５０１６Ｃは、２０１７年９月１５日の受診の健康記録であり、２０１７年９月１日の受診の健康記録である薬剤記録５０１８Ｂ及びＸ線記録５０１６Ｂよりも新しい。したがって、薬剤記録５０１８Ｃ及びＸ線記録５０１６Ｃは、薬剤記録５０１８Ｂ及びＸ線記録５０１６Ｂの代わりに又はそれより前にディスプレイ１１２上に表示される。一実施形態では、ユーザは、薬剤記録５０１８Ｂ及びＸ線記録５０１６Ｂなどのより古い健康記録を見るために、スワイプジェスチャ（図示せず）を実行する。他の実施形態では、ディスプレイ１１２は、３つ以上の受診からの健康記録を同時に表示する。
【０１６１】
図６Ｈ及び図６Ｈ−１は、それぞれ、健康記録アフォーダンス５３０４上での接触５５１６又は５５１６’をそれぞれ伴うタップジェスチャを検出して、図６Ｉのカテゴリ表現５００６Ａ〜５００６Ｅ（それぞれ、アレルギー、臨床文書、検査結果、薬剤及び健康状態カテゴリ）を表示することを更に示す。図６Ｉは、健康記録アフォーダンス５３０４上での接触５５１６又は５５１６’を伴うタップジェスチャを検出したことに応答して、カテゴリ表現５００６Ａ〜５００６Ｅを再表示することを示す。図６Ｉは、カテゴリ表現５００６Ｅ上での接触５５１８を伴うタップジェスチャを検出して、図６Ｊの健康状態記録５０２０Ａ、５０２０Ｂ及び５０２０Ｃを閲覧することも示す。
【０１６２】
図６Ｊは、ユーザの健康状態記録５０２０Ａ、５０２０Ｂ及び５０２０Ｃを表示することを示す。図示の実施形態では、健康状態記録５０２０Ａは、ユーザのコレステロールレベル、ユーザのコレステロールが測定された日付及び、ユーザのコレステロールレベルを測定したヘルスケア提供者の名称に関する情報を含む健康記録である。いくつかの実施形態では、ユーザのコレステロールレベルの値は、ユーザのコレステロールレベルを強調するために、拡大フォントで表示されるか、下線付きで表示されるか、強調表示されるか、又は他の方法でフォーマットされる。いくつかの実施形態では、ユーザのコレステロールレベルの値はまた、ユーザのコレステロールレベルがコレステロールレベル範囲のどこに属するのかを示す色で表示される。例えば、ユーザのコレステロールレベルの値は、ユーザのコレステロールレベルが２００ｍｇ／ｄＬ未満である場合には緑色で表示され、ユーザのコレステロールレベルが２００ｍｇ／ｄＬ〜３００ｍｄ／ｄＬである場合には黄色で表示され、ユーザのコレステロールレベルが３００ｍｇ／ｄＬを上回る場合には赤色で表示されてもよい。一実施形態では、現在のコレステロール値の数値は、ある数値範囲内で表示される。数値は、ユーザのコレステロールレベルの重症度を示し、数値範囲は、健康状態の正常性又は重症度を示す。同様の数値及び数値範囲を、ユーザの他の健康状態に関して使用して、任意の状態の正常性又は重症度を表示してもよい。そのような値及び範囲のグラフィック表現も利用可能である。図示された実施形態では、健康状態記録５０２０Ｂは、ユーザの慢性的な偏頭痛、ユーザに処方された薬剤、処方日及び、処方箋をユーザに提供したヘルスケア提供者に関する情報を含む健康記録である。同様に、健康状態記録５０２０Ｃは、ユーザの不安障害、ユーザに処方された薬剤、処方日及び、処方箋をユーザに提供したヘルスケア提供者の名称についての情報を含む健康記録である。
【０１６３】
図６Ｊでは、健康状態記録５０２０Ａ〜５０２０Ｃ（それぞれ、コレステロールレベル、慢性的な偏頭痛及び不安障害）は全て、Ａｌｐｈａ  Ｈｅａｌｔｈ  Ｃａｒｅによって提供された健康記録である。図６Ｊ−１は、ユーザがＡｌｐｈａ  Ｈｅａｌｔｈ  Ｃａｒｅ及びＢｅｔａ  Ｈｅａｌｔｈ  Ｃａｒｅとのオンボーディングプロセスを完了している代替的な一実施形態を示す。図６Ｊ−１では、図６Ｉのカテゴリ表現５００６Ｅ（健康状態カテゴリ）上での接触５５１８を伴うタップジェスチャを検出したことに応答して、Ｂｅｔａ  Ｈｅａｌｔｈ  Ｃａｒｅからの健康状態記録５０２０Ｄが健康状態記録５０２０Ａ〜５０２０Ｃと同時に表示される。健康状態記録５０２０Ｄは、健康状態記録５０２０Ｂ及び５０２０Ｃと同様に、健康状態を治療するために処方された薬剤、薬剤がユーザに処方された日付及び、処方箋をユーザに提供したヘルスケア提供者の名称に関する情報を含む健康記録である。いくつかの実施形態では、各健康状態記録は、健康状態の説明、症状、関連する健康状態、治療の選択肢、生活習慣の推奨及びその他の、各健康状態に関する好適な情報などの、各健康状態に関する更なる情報も含む。いくつかの実施形態では、各健康状態記録は、ユーザが対応する健康状態に関する更なる情報を閲覧するために選択するアフォーダンスである。この点に関して、図６Ｊ及び図６Ｊ−１は、健康状態記録５０２０Ａの上での接触５５２０又は５５２０’をそれぞれ伴うタップジェスチャを検出して、図６Ｋ又は図６Ｋ−１のそのような更なる情報を表示することも示す。
【０１６４】
図６Ｋは、健康状態記録５０２０Ａ（ユーザのコレステロールレベル）に関する更なる情報を表示することを示す。図６Ｋに示すように、ユーザの現在のコレステロールレベルの表示と、ユーザの現在のコレステロールレベルがコレステロールレベル範囲のどこに属するのかの表示とを含むコレステロール表現５０２１Ａが表示される。より具体的には、コレステロール表現５０２１Ａは、ユーザの現在のコレステロールレベルが２４０ｍｇ／ｄＬ〜３００ｍｇ／ｄＬの範囲内にあり、従って、高コレステロール（２４０ｍｇ／ｄＬ）と非常に高いコレステロール（３００ｍｇ／ｄＬ）との間の範囲に属することを、視覚的に示す。図示の実施形態では、コレステロール表現５０２１Ｂもディスプレイ１１２上に表示されている。図６Ｋに更に示すように、ユーザの経時的なコレステロールレベルの棒グラフを含むコレステロール表現５０２１Ｂが表示され、各棒は、ユーザのコレステロールレベルの測定値を表す。図示の実施形態では、異なる範囲に属するコレステロールレベルを表す異なる棒が、異なる色で表示されている。他の実施形態では、ユーザの現在の及び過去のコレステロールレベルの更なる表現が表示される。図６Ｋは、それぞれ２０１６年９月１日及び２０１６年１月１日のユーザのコレステロールレベルの過去の健康記録を、健康状態記録５０３０Ｂ及び５０３０Ｃ内に表示することも示す。本明細書で使用される過去の健康記録は、任意の特定の健康情報の現在の健康記録以外の健康記録である。例えば、ユーザに処方されなくなった薬剤に関する情報を含む薬剤記録は、過去の健康記録である。過去の記録の更なる例を、少なくとも図８Ｄ及び図８Ｅに示し、以降の段落で説明する。図示の実施形態では、過去の健康記録はまた、通常の健康状態と比較したユーザの健康状態の重症度に基づいて色分けされている。図示の実施形態では、２０１６年１月１日に測定されたコレステロールレベルは２００ｍｇ／ｄＬ未満であり、第１の色（例えば、緑色）が割り当てられ、一方、２０１６年９月１日に測定されたコレステロールレベルは、３００ｍｇ／ｄＬを超えており、第２の色（例えば、赤色）が割り当てられている。他の実施形態では、ユーザの健康状態の異なる重症度レベルを表す異なる色が、異なるコレステロールレベル範囲に割り当てられる。
【０１６５】
図６Ｋ−１は、Ａｌｐｈａ  Ｈｅａｌｔｈ  Ｃａｒｅ及びＢｅｔａ  Ｈｅａｌｔｈ  Ｃａｒｅの双方からの健康状態記録５０２０Ａに関する更なる情報を表示することを示す。図示の実施形態では、２０１７年９月１５日にＢｅｔａ  Ｈｅａｌｔｈ  Ｃａｒｅから取得された過去の健康記録５０３０Ｄは、前述の図６Ｋの過去の健康記録５０３０Ｂ及び５０３０Ｃ（それぞれ２０１６年９月１日及び２０１６年１月１日に測定されたユーザのコレステロールレベル）と共に表示される。図示の実施形態では、２０１７年９月１５日に測定されたユーザのコレステロールレベルは、２００ｍｇ／ｄＬ〜３００ｍｇ／ｄＬであり、第３の色（例えば、オレンジ色）が割り当てられる。更に、コレステロール表現５０２１Ｂは、Ａｌｐｈａ  Ｈｅａｌｔｈ  Ｃａｒｅ及びＢｅｔａ  Ｈｅａｌｔｈ  Ｃａｒｅの双方から取得されたユーザの過去のコレステロールレベルの棒グラフを含む。
【０１６６】
図６Ｌ〜図６Ｑ−１は、ユーザの健康記録に対して行われた更新の通知をデバイス１００上で表示するためのユーザインタフェースを示す。ユーザの健康記録に対する更新は、ユーザの既存の健康記録又は新たな健康記録に対する更新を含み得る。図６Ａと同様に、図６Ｌは、ユーザの健康記録に対する更新がデバイス１００によって受信された後に、カテゴリ表現５００６Ａ〜５００６Ｅ（それぞれ、アレルギー、臨床文書、検査結果、薬剤及び健康状態カテゴリ）を表示することを示す。図示の実施形態では、３つの更新がデバイス１００によって受信されたが、ユーザによってまだ確認されていない。ユーザに３つの更新を通知するために、全ての更新バッジ５１０４が全ての健康記録表現５００６Ｆと共に表示され、カテゴリ更新バッジ５１０６Ａ、５１０６Ｂ及び５１０６Ｃはそれぞれ、カテゴリ表現５００６Ｂ、５００６Ｄ及び５００６Ｅと共に表示される。図示の実施形態では、全ての更新バッジ５１０４は、ユーザの健康記録に対する全ての更新の数を含む円である。同様に、カテゴリ更新バッジ５１０６Ａ、５１０６Ｂ及び５１０６Ｃは、カテゴリ表現５００６Ｂ、５００６Ｄ及び５００６Ｅにそれぞれ関連付けられた健康記録カテゴリの健康記録に対する更新の数を含む円である。図示の実施形態では、全ての更新バッジ５１０４は、健康記録に対する３つの更新が受信されたがまだ確認されていないことを示し、カテゴリ更新５１０６Ａ〜５１０６Ｃはそれぞれ、対応する健康記録カテゴリの健康記録に対する１つの更新が受信されたがまだ確認されていないことを示す。図６Ｋ及び図６Ｋ−１は、それぞれ、図６Ｊ及び６Ｊ−１に示すユーザインタフェースに戻るためにユーザが選択するアフォーダンスである健康状態アフォーダンス５３０６上での接触５５２１又は５５２１’をそれぞれ伴うタップジェスチャを検出することを更に示す。
【０１６７】
図６Ｌは、ユーザの健康記録に対する更新を示す更新バッジの一実施形態を図示したものであり、その他のテキスト、記号、グラフィック又は、任意のサイズ、形状、色若しくは設計の表示された効果を、更新又は更新の数を示すための更新バッジとして使用することができる。例えば、更新バッジは、強調表示された、又は点滅するカテゴリ表現であってもよく、あるいは更新の時刻又は日付を表示してもよい。いくつかの実施形態では、全ての更新バッジ５１０４と、カテゴリ更新バッジ５１０６Ａ〜５１０６Ｃ（それぞれ、臨床文書記録、薬剤記録及び健康状態記録に対する更新を示す）などのカテゴリ更新バッジとは、同時に表示されない。このような実施形態の１つ以上では、カテゴリ更新バッジのみがディスプレイ１１２上に表示される。このような実施形態の１つ以上では、全ての更新バッジ５１０４のみがディスプレイ１１２上に表示される。いくつかの実施形態では、更新の内容の概要又は一部が、更新バッジ上に、又は更新バッジと共に表示される。一実施形態では、更新バッジは、カテゴリのアフォーダンスとは別個のアフォーダンスであり、ユーザは、更新された健康記録又は更新された健康記録の概要若しくは一部を表示するために更新バッジを選択する。図６Ｌは、カテゴリ更新バッジ５１０６Ｃ上での接触５５２２を伴うタップジェスチャを検出して、図６Ｍの健康状態記録５０２０Ａに対する更新を表示することを更に示す。
【０１６８】
図６Ｌ〜６Ｑ−１のいくつかの実施形態では、更新バッジに加えて、又はその代わりに、ユーザは、オンスクリーンアラート、テキストメッセージ、又は音声若しくはビデオ通知を介して全ての更新の通知を受信してもよい。一実施形態では、このような通知は、特定の健康記録がユーザ又はヘルスケア提供者によって緊急性が高いものとして指定されているかどうかに基づいてもよい。一実施形態では、デバイス１００は、１つ以上の種類の健康記録に対して１つ以上の閾値を設定するように、ユーザによって事前構成されてもよく、又は構成可能であってもよい。設定された閾値を超えるか又は基準を満たす特定の結果、測定値、値、読み取り値、若しくは他の測定可能な局面を有する健康記録に対する更新が受信された場合には、ユーザへの１つ以上の通知がデバイス１００上で自動的に生成される。いくつかの実施形態では、通知の方法は、特定の結果、測定値、値、読み取り値、若しくは他の測定可能な局面の重症度に基づいて、又は閾値の種類若しくは数に基づいて変化してもよい。例えば、一部の更新に対してはテキストメッセージが生成されてもよく、他の更新に対しては、ユーザが要求されたアクションを完了するまで、定期的に又は徐々により短くなる間隔で繰り返される可聴アラームが生成されてもよい。一実施形態では、緊急性が低いか、又は設定された閾値を超えない更新は、通知の生成をトリガしない。
【０１６９】
図６Ｌ−１は、ユーザがＡｌｐｈａ  Ｈｅａｌｔｈ  Ｃａｒｅ及びＢｅｔａ  Ｈｅａｌｔｈ  Ｃａｒｅの両方とのオンボーディングプロセスを完了した後の図６Ｌの代替的な一実施形態を示す。図６Ｌ−１に示すように、図６Ｌでは単一であるヘルスケア提供者の代わりに２つのヘルスケア提供者を含めることにより、図６Ｌの３つの更新の代わりに４つの更新が表示される。図示の実施形態では、全ての更新バッジ５１０４は、合計４個の更新が受信されたがまだ確認されていないことを示し、カテゴリ更新バッジ５１０６Ａは、臨床記録に対する２つの更新が受信されたがまだ確認されていないことを示し、カテゴリ更新バッジ５１０６Ｂは、薬剤記録に対する１つの更新が受信されたがまだ確認されていないことを示し、カテゴリ更新バッジ５１０６Ｃは、健康状態記録に対する１つの更新が受信されたがまだ確認されていないことを示す。図６Ｌ−１は、カテゴリ更新バッジ５１０６Ｃ上での接触５５２２’を伴うタップジェスチャを検出して、図６Ｍ−１の健康状態記録５０２０Ａに対する更新を表示することを更に示す。
【０１７０】
図６Ｍ及び図６Ｍ−１は、カテゴリ更新バッジ５１０６Ｃ上での接触５５２２又は５５２２’をそれぞれ伴うタップジェスチャを検出したことに応答して、健康状態記録５０２０Ａ（ユーザのコレステロールレベル）に対する更新を表示することを示す。図示の各実施形態では、ユーザのコレステロールレベルは、２０１７年１２月１日にＡｌｐｈａ  Ｈｅａｌｔｈ  Ｃａｒｅによって実施された新たなコレステロール測定を反映するように更新されている。図示の各実施形態では、健康状態記録５０２０Ａが更新されたことを示すために、健康記録更新バッジ５１４０が健康状態記録５０２０Ａと共に表示されている。健康状態記録５０２０Ａは、ユーザのコレステロールレベルの重症度を示す色で表示される。図示の各実施形態では、医師の診察を受けるという推奨されるアクションを含む推奨アフォーダンス５２４０Ａが、健康状態記録５０２０Ａと共に表示される。いくつかの実施形態では、推奨アフォーダンスは、運動を行うこと、ユーザの食事を変更すること、又はユーザのコレステロールレベルを低下させる他の適切な活動に取り組むことを勧める推奨である。いくつかの実施形態では、推奨アフォーダンス５２４０Ａは、ユーザの状態の更新又は重症度の重要性を示す内容を含む。このような実施形態のうちの１つ以上では、ユーザは、特定の種類の健康記録の重要性、並びに特定の種類の健康記録に対する更新を自ら指定してもよい。例えば、ユーザは、ユーザのコレステロールレベルに対する全ての更新を緊急の更新として指定することができる。このような実施形態のうちの１つ以上では、ユーザは、ユーザの健康状態の正又は負の変化量に基づいて、特定の種類の健康記録の重要性を指定する。例えば、ユーザは、ユーザのコレステロールレベルの変化量に基づいて、ユーザのコレステロールレベルに対する更新の重要性を指定することができる。他の実施形態では、ヘルスケア提供者が特定の更新の重要性を指定してもよい。上述の図６Ｍ及び図６Ｍ−１の説明は、ユーザのコレステロールに基づく更新及び推奨に関するものであるが、上述の段落は、他の種類の健康記録にも当てはまる。例えば、ユーザが血清鉄の新たな測定値を受信している場合、ユーザに対してユーザの食事を変更して鉄源を増加させることを勧める推奨アフォーダンスをディスプレイ１１２上に表示することができる。
【０１７１】
図６Ｍ及び図６Ｍ−１は、ユーザのコレステロールレベルに基づく推奨を含む推奨アフォーダンス５２４０Ａ上での接触５５２４又は５５２４’を伴うタップジェスチャを検出して、図６Ｎのカレンダアフォーダンス５２４１を表示することを更に示す。より具体的には、図６Ｎは、図６Ｍ又は図６Ｍ−１に示すユーザインタフェース上にオーバーレイされたカレンダアフォーダンス５２４１の表示を示す。図６Ｎは、カレンダアフォーダンス５２４１上の日付１月８日上での接触５５２６を伴うタップジェスチャの検出も示す。このような方法で、ユーザは、推奨アフォーダンス５２４０Ａに表示された推奨と一致する医師との予約を入れる日付を選択してもよい。更なるアフォーダンスを利用して、予約の時間を選択するか、あるいは予約に関する更なる情報を表示又は入力してもよい。一部の実施形態では、カレンダアフォーダンス５２４１又は更なるアフォーダンスは、ユーザの都合及び医師の予約可能日時に基づいて日時を表示する。
【０１７２】
図６Ｏ及び図６Ｏ−１はそれぞれ、推奨アフォーダンス５２４０Ａに対する更新を表示することを示す。図示した各実施形態では、健康状態記録５０２０Ａのための推奨アフォーダンス５２４０Ａは、予約の日付及びユーザが会う予定である医師の名前を示すテキストを含むように更新されている。一部の実施形態では、デバイス１００は、近日中の予約のことをユーザに思い出させる通知を表示するか、又は他の方法で知らせる時間を指定する。図６Ｏ及び図６Ｏ−１は、健康記録アフォーダンス５３０４上での接触５５２７又は５５２７’をそれぞれ伴うタップジェスチャを検出して、それぞれ図６Ｐ及び図６Ｐ−１の健康記録に対する任意の残りの更新を表示することも示す。
【０１７３】
図６Ｐ及び図６Ｐ−１は、カテゴリ表現５００６Ａ〜５００６Ｅ（それぞれ、アレルギー、臨床文書、検査結果、薬剤及び健康状態カテゴリ）及びユーザの健康記録に対する残りの更新の表示を示す。ユーザが一ヘルスケア提供者のみをオンボードしている図６Ｐの実施形態では、デバイス１００によって受信された更新の総数を示すが、まだユーザによって確認されていない全ての更新バッジ５１０４は、３つの更新から２つの更新へと更新されて、ユーザがまだ確認していない更新の残りの数を示す。図６Ｌの表現カテゴリ５００６Ｅ（健康状態カテゴリ）で以前に表示されていたカテゴリ更新バッジ５１０６Ｃは、ユーザが健康状態記録５０２０Ａに対する更新を確認したため、以降は表示されない。同様に、ユーザが２つのヘルスケア提供者をオンボードしているためにより多くの更新が存在する図６Ｐ−１の実施形態では、全ての更新バッジ５１０４は、４つの更新から３つの更新へと更新されて、ユーザがまだ確認していない更新の残りの数を示す。図６Ｐと同様に、図６Ｌ−１の表現カテゴリ５００６Ｅで以前に表示されていたカテゴリ更新バッジ５１０６Ｃは、ユーザが健康状態記録５０２０Ａに対する更新を確認したため、以降は表示されない。図６Ｐ及び６Ｐ−１はそれぞれ、全更新バッジ５１０４上での接触５５２８又は５５２８’をそれぞれ伴うタップジェスチャを検出して、図６Ｑ又は６Ｑ−１をそれぞれ表示することを更に示す。
【０１７４】
図６Ｑ及び図６Ｑ−１はそれぞれ、複数の種類の健康記録に対する更新を表示する。図示の図６Ｑの実施形態は、２０１７年１２月１日にＡｌｐｈａ  Ｈｅａｌｔｈ  Ｃａｒｅによって処方されたＡＢＣ薬の新たな処方箋の新たな薬剤記録５０１８Ｅに対する第１の更新と、２０１７年１２月１日にＡｌｐｈａ  Ｈｅａｌｔｈ  Ｃａｒｅで撮影されたＸ線の新たなＸ線記録５０１６Ｄに対する第２の更新とを、それぞれ更新バッジ５１４２及び５１４４と共に表示する。いくつかの実施形態では、既存の健康記録に対する更新のための健康記録更新バッジと、新たな健康記録の更新に対する更新のための健康記録更新バッジとは、異なる記号、形状、サイズ、テキストフォント、テキスト色、又は他の視覚的差異を有し、ユーザが既存の健康記録に対する更新と新たな健康記録に対する更新とを区別しやすくなっている。図６Ｑ−１は、ＡＢＣ薬の薬剤記録５０１８Ｅ、ユーザのコレステロールレベルの健康状態記録５０２０Ａ、及び２０１７年１２月１日に発注されたＸ線画像のＸ線記録５０１６Ｄを表示することも示す。新たな薬剤記録５０１８Ｅに対する更新及び２０１７年１２月１日のＡｌｐｈａ  Ｈｅａｌｔｈ  Ｃａｒｅからの新たなＸ線記録５０１６Ｄに対する更新に加えて、図６Ｑ−１はＢｅｔａ  Ｈｅａｌｔｈ  Ｃａｒｅからの更新を含み、従って、２０１７年１１月１５日にＢｅｔａ  Ｈｅａｌｔｈ  Ｃａｒｅで撮影された新たなＸ線記録５０１６Ｅに対する第３の更新を健康記録更新バッジ５１４６と共に表示する。
【０１７５】
図７Ａ〜図７Ｆは、いくつかの実施形態による電子デバイスを使用して集約された健康記録を表示するための方法を示すフロー図である。図７Ａ〜図７Ｆは、例えば、図６Ａ〜図６Ｑ−１のユーザインタフェースを使用してユーザの集約された健康記録を表示するための方法を示すフロー図である。図６Ａ〜６Ｑ−１を参照して説明するように、方法７００を、ユーザの複数のヘルスケア提供者からの１つ以上の健康記録からの集約された健康記録を表示するために利用することができる。方法７００は、デバイス（例えば、それぞれ図１、図３及び図５Ａに示すデバイス１００、３００、５００）で実行される。そのような実施形態のうちの１つでは、ディスプレイ１１２はタッチスクリーンディスプレイであり、タッチ感知面がディスプレイ１１２上にあるか又はこれに組み込まれている。いくつかの実施形態では、ディスプレイ１１２はタッチ感知面から分離している。他の実施形態では、本明細書に記載されるプロセスは、物理的ユーザインタフェース、音声インタフェース、又は他の好適なインタフェースを有するデバイスを用いて実装されてもよい。方法７００におけるいくつかの動作は、任意選択的に組み合わされる。更に、いくつかの動作の順序は、任意選択的に変更される。
【０１７６】
以下に説明するように、方法７００は、ユーザのヘルスケア提供者から取得された集約された健康記録を表示するための直感的な方法を提供する。方法７００はまた、ユーザの複数のヘルスケア提供者から取得された集約された健康記録を同時に表示するための直感的な方法を提供する。この方法は、ユーザがユーザの１つ以上のヘルスケア提供者から取得されたユーザの健康記録を閲覧する際のユーザの認識的負担を軽減し、より効率的なヒューマンマシンインタフェースを創出する。この方法はまた、複数のヘルスケア提供者から取得された健康記録を同時に表示することによって、ユーザの効率を向上させる。バッテリ動作式コンピューティングデバイスの場合、ユーザが、ヘルスケア提供者又は複数のヘルスケア提供者から取得された健康記録をより速く、より効率的に確認できるようにすることで、電力が節約され、電池充電の間隔が長くなる。
【０１７７】
図６Ａ〜図６Ｑ−１と同様に、方法７００を使用して、ユーザは健康記録を共通のインタフェースで視覚化することができる。このような共通のインタフェースを使用することにより、ユーザがある懸案事項又は質問に関する健康情報の一部しか閲覧できないというリスクを回避することができる。例えば、ユーザは、ある状態に関して２つの異なる提供者によって血液検査が実施され、病院又はその他の以降の提供者に不正確な情報を提供していることに気付かない場合がある。このような場合も、デバイス１００を使用して複数の提供者間で健康記録を記憶し、ユーザが共通のインタフェースで閲覧できるようにすることで、ユーザが移動したり、提供者を変更したりしても、ユーザの健康に関する包括的な情報を容易に利用できる供給源をユーザに提供することが可能である。従来のヘルスケア提供者の多くは、患者がそのようなヘルスケア提供者に会わない一定期間後に健康記録を破棄するので、そのような情報は永遠に失われてしまう場合がある。そのような健康記録に、その後の疾患の診断及び治療に不可欠な重要な過去の健康情報及びベースラインデータが含まれる場合がある。加えて、このような共通のインタフェースを使用することにより、ユーザがデバイス１００を使用して、デバイス１００上又は他のウェブサイト、ポータル及び他の情報源上の様々な場所からデータを取得し、特定の健康状態に関する情報を、その情報が見落とされている、すぐに利用できない、又はデバイス１００を使用した長時間の電子検索後にしか利用できないというリスクを冒してつなぎ合わせる必要性を回避することができる。更に、そのような健康記録をデバイス１００に記憶し、ユーザがそのような健康記録の全てを閲覧及びブラウズできるようにする単一のインタフェースを提供することで、ユーザは、複数の情報源からの健康記録をつなぎ合わせるために、デバイス１００を使用して複数のヘルスケア提供者と音声通話のやり取り（多くの場合、保留時間が長い）、双方向電話システム、ボイスメール、電子メール、及び他の電子メッセージングプラットフォームによる通信を行う必要性を回避することができる。図６Ｂ−１に示すインタフェースでは、前述の情報をつなぎ合わせるために必要な半日以上のデバイス１００の使用を、ユーザによるデバイス１００上での数回のクリックに置き換えることができ、以前には浪費されていた帯域幅、電池寿命及びエネルギーが大幅に節減される。
【０１７８】
図７Ａ〜図７Ｆは、例えば、図６Ａ〜図６Ｑ−１のユーザインタフェースを使用してユーザの集約された健康記録を表示するための方法を示すフロー図である。図６Ａ〜６Ｑ−１を参照して説明するように、方法７００を、ユーザの複数のヘルスケア提供者からの１つ以上の健康記録からの集約された健康記録を表示するために利用することができる。方法７００は、デバイス（例えば、１００、３００、５００）で実行される。そのような実施形態のうちの１つでは、ディスプレイ１１２はタッチスクリーンディスプレイであり、タッチ感知面がディスプレイ１１２上にあるか又はこれに組み込まれている。いくつかの実施形態では、ディスプレイ１１２はタッチ感知面から分離している。他の実施形態では、本明細書に記載されるプロセスは、物理的ユーザインタフェース、音声インタフェース、又は他の好適なインタフェースを有するデバイスを用いて実装されてもよい。方法７００におけるいくつかの動作は、任意選択的に組み合わされる。更に、いくつかの動作の順序は、任意選択的に変更される。
【０１７９】
図６Ａ〜図６Ｑ−１と同様に、図７Ａ〜図７Ｆに図示され、以下に説明する方法７００の１つ以上の実施形態を使用して、ユーザは健康記録を共通のインタフェースで視覚化することができる。このような方法を使用することにより、ユーザがある懸案事項又は質問に関する健康情報の一部しか閲覧することができないというリスクを回避することができる。例えば、ユーザは、ある状態に関して２つの異なる提供者によって血液検査が実施され、病院又はその他の以降の提供者に不正確な情報を提供していることに気付かない場合がある。同様に、デバイス１００などのデバイス上でこの方法を使用して複数の提供者間で健康記録を記憶し、ユーザが共通のインタフェースで閲覧できるようにすることで、ユーザが移動したり、提供者を変更したりしても、ユーザの健康に関する包括的な情報の容易に利用可能な供給源をユーザに提供することができる。従来のヘルスケア提供者の多くは、患者がそのようなヘルスケア提供者に会わない一定期間後に健康記録を破棄するので、そのような情報は永遠に失われてしまう場合がある。そのような健康記録に、その後の疾患の診断及び治療に不可欠な重要な過去の健康情報及びベースラインデータが含まれる場合がある。加えて、このような方法を使用することにより、ユーザがデバイス１００などのデバイスを使用して、そのようなデバイス上又は他のウェブサイト、ポータル及び他の情報源上の様々な場所からデータを取得し、特定の健康状態に関する情報を、その情報が見落とされている、すぐに利用できない、又はデバイスを使用した長時間の電子検索後にしか利用できないというリスクを冒してつなぎ合わせる必要性を回避することができる。更に、そのような健康記録をそのような方法を使用してデバイス１００などのデバイス上で記憶及び表示し、ユーザがそのような健康記録の全てを閲覧及びブラウズできるようにする単一のインタフェースを提供することで、ユーザは、複数の情報源からの健康記録をつなぎ合わせるために、デバイスを使用して複数のヘルスケア提供者と音声通話のやり取り（多くの場合、保留時間が長い）、双方向電話システム、ボイスメール、電子メール、及び他の電子メッセージングプラットフォームによる通信を行う必要性を回避することができる。前述の情報をつなぎ合わせるために必要な半日以上のそのようなデバイスの使用を、ユーザによるデバイス上での数回のクリックしか必要としないそのような方法の使用に置き換えることができ、以前には浪費されていた帯域幅、電池寿命及びエネルギーが大幅に節減される。
【０１８０】
いくつかの実施形態では、デバイス１００が第１のヘルスケア提供者に関連付けられており、かつ第２のヘルスケア提供者に関連付けられていない間に、デバイス１００は、１つ以上の入力デバイスを介して、ユーザの健康記録を表示する第１の要求を受信する（７０２）。いくつかの実施形態では、ユーザがヘルスケア提供者とのオンボーディングプロセスを完了すると、健康記録を表示する要求が自動的にデバイス１００に送信される。いくつかの実施形態では、ユーザは、図６Ａに示される健康データアフォーダンス５０２９Ａ、又はオンボーディングユーザフェース内に表示されるアフォーダンスを選択して、ユーザの健康記録を表示することをデバイス１００に要求する。いくつかの実施形態では、健康記録を表示する要求は、家族の健康記録などの複数のユーザの健康記録を表示する要求である。
【０１８１】
デバイス１００は、第１のユーザに関する健康記録を表示する第１の要求の受信に応答して、ディスプレイ１１２上に複数の健康記録カテゴリの表現を表示する（７０４）。図６Ａは、例えば、５つの健康記録カテゴリ（例えば、カテゴリ表現５００６Ａ〜５００６Ｅ）を示す。
【０１８２】
複数のカテゴリの表現は、複数のカテゴリのうちの第１のカテゴリの第１の表現を含む（７０６）。図６Ａは、例えば、ユーザの薬剤に関連付けられたカテゴリ表現５００６Ｄを示す。更に、デバイス１００が第１のヘルスケア提供者に関連付けられており、かつ第２のヘルスケア提供者に関連付けられていない間に第１のカテゴリの第１の表現を選択すると、デバイス１００は、ディスプレイ１１２上に、第１のヘルスケア提供者からの第１のカテゴリの複数の健康記録を表示する（７０６）。図６Ｂに示される実施形態では、ユーザは、Ａｌｐｈａ  Ｈｅａｌｔｈ  Ｃａｒｅのみに関連付けられており、Ｂｅｔａ  Ｈｅａｌｔｈ  Ｃａｒｅとは関連付けられていない。図６Ｂは、例えば、Ａｌｐｈａ  Ｈｅａｌｔｈ  Ｃａｒｅのみからの薬剤記録５０１８Ａ〜５０１８Ｂ（ＡＢＣ薬及びＤＥＦ薬）のみがデバイス１００上に表示される実施形態を示す。
【０１８３】
複数の表現は、複数のカテゴリのうちの第２のカテゴリの第２の表現も含む（７０８）。図６Ｉは、例えば、ユーザの健康状態に関連付けられたカテゴリ表現５００６Ｅを示す。更に、デバイス１００が第１のヘルスケア提供者に関連付けられており、かつ第２のヘルスケア提供者に関連付けられていない間に第２のカテゴリの第２の表現を選択すると、デバイス１００は、ディスプレイ１１２上に、第１のヘルスケア提供者からの第２のカテゴリの複数の健康記録を表示する（７０８）。図６Ｊは、例えば、カテゴリ表現５００６Ｅ上での図６Ｉに示すタップジェスチャを検出したことに応答して、２つの健康状態記録５０２０Ａ及び５０２０Ｂ（コレステロールレベル及び慢性偏頭痛）を示す。
【０１８４】
いくつかの実施形態では、第１の種類の健康記録は第１の色で表示され、第２の種類の健康記録は、第１の色とは異なる第２の色で表示される（７１８）。図６Ｈは、例えば、Ｘ線記録５０１６Ａ及び５０１６Ｂ（それぞれ、２０１７年１０月１日及び２０１７年９月１日に発注）を第１の色で表示し、薬剤記録５０１８Ａ及び５０１８Ｂ（ＡＢＣ薬及びＤＥＦ薬）を第２の色で表示することを示す。異なる種類の健康記録は異なる色で表示され、ユーザが異なるカテゴリ（又はサブカテゴリ）に属する健康記録を区別しやすくなっている。異なるカテゴリに属する複数の健康記録が同時に表示されるいくつかの実施形態では、ユーザは、健康記録がどのカテゴリ（又はサブカテゴリ）に属するのかを、色のみに基づいて判定してもよい。異なるヘルスケア提供者からの複数の記録が同時に表示される他の実施形態では、ユーザは、異なるヘルスケア提供者からの異なる健康記録も、色のみに基づいて区別してもよい。更に、異なる種類の健康記録を異なる色で表示することはまた、ユーザがユーザの健康記録をブラウズする際の（健康記録を誤って特定したり、健康記録を特定できないなどの）ユーザの誤りも低減する。上記は、ユーザが異なる種類の健康記録を色に基づいて区別できるようにすることで、デバイスの操作性を強化し、ユーザデバイスインタフェースをより効率的にする。この方法はまた、ユーザが健康記録の種類に割り当てられた色によって健康記録を特定できるようにすることで、ユーザの効率を向上させる。バッテリ動作式コンピューティングデバイスの場合、ユーザがユーザの健康記録をより速く、より効率的にブラウズできるようにすることで、電力が節約され、電池充電の間隔が長くなる。
【０１８５】
いくつかの実施形態では、デバイス１００は、第１のカテゴリを要約する第１の内容と、第１のカテゴリに関連付けられた第１のカテゴリ情報アフォーダンスとをディスプレイ１１２上に表示し、第１のカテゴリ情報アフォーダンスを選択することが、デバイス１００に、第１の内容に含まれない第１のカテゴリに関連付けられた更なる内容をディスプレイ１１２上に表示させる（７２０）。いくつかの実施形態では、図６Ｉのカテゴリ表現５００６Ｅ（健康状態カテゴリ）は、ユーザの特定の健康状態を要約した内容を含む概要アフォーダンスを含む。更に、デバイス１００は、概要アフォーダンスのユーザ選択を検出したことに応答して、健康状態の原因、健康状態の症状を特定する方法、健康状態を緩和するための非薬用治療、並びに健康状態に関する他の有用な情報などの、ユーザの健康状態に関する更なる情報を表示する。
【０１８６】
いくつかの実施形態では、デバイス１００はまた、第２のカテゴリを要約する第２の内容と、第２のカテゴリの第２のカテゴリ情報アフォーダンスとをディスプレイ１１２上に表示し、第２のカテゴリ情報アフォーダンスを選択することが、デバイス１００に、第２の内容に含まれない第２のカテゴリに関連付けられた更なる内容をディスプレイ１１２上に表示させる（７２０）。いくつかの実施形態では、カテゴリ表現５００６Ｂ（図６Ｇに示すような臨床文書カテゴリ）は、ユーザが患っているアレルギーを要約した内容を含む概要アフォーダンスを含む。更に、デバイス１００は、概要アフォーダンスのユーザ選択を検出したことに応答して、特定のアレルギーの誘発を低減又は予防するための方法、アレルギーの症状を緩和するための非薬用治療、並びにアレルギーに関する他の有用な情報などの、患者が患っているアレルギーに関する更なる情報を表示する。健康記録カテゴリの説明を含む内容がカテゴリ表現と共に提供される。この方法は、ユーザが異なる健康記録カテゴリの説明に基づいて、健康記録カテゴリの情報に基づく選択を行うことを可能にすることで、ユーザの効率を向上させる。この方法はまた、ユーザを適切な入力を行えるように支援し、ユーザが誤った健康記録カテゴリを選択することによって引き起こされる不要な入力の数を低減することによって、デバイスの操作性を強化し、ユーザデバイスインタフェースをより効率的にする。バッテリ動作式コンピューティングデバイスの場合、ユーザがユーザの健康記録をより速く、より効率的にブラウズできるようにすることで、電力が節約され、電池充電の間隔が長くなる。
【０１８７】
いくつかの実施形態では、第１のカテゴリの複数の健康記録が時系列で表示される（７２２）。図６Ｂ−１は、例えば、処方日に基づいて配置された薬剤記録５０１８Ａ〜５０１８Ｂ（ＡＢＣ薬及びＤＥＦ薬）を示す。いくつかの実施形態では、第２のカテゴリの複数の健康記録が時系列で表示される（７２２）。図６Ｊは、例えば、その健康状態に対して処方された薬剤の処方日に基づいて配置された健康状態記録５０２０Ａ〜５０２０Ｃ（それぞれ、コレステロールレベル、慢性偏頭痛及び不安障害に関連付けられている）を示す。健康記録を時系列で提示することで、ユーザは、日付に基づいてユーザの健康記録を閲覧することができ、ユーザの効率が向上する。バッテリ動作式コンピューティングデバイスの場合、ユーザがユーザの健康記録をより速く、より効率的にブラウズできるようにすることで、電力が節約され、電池充電の間隔が長くなる。
【０１８８】
いくつかの実施形態では、デバイス１００は、デバイス１００が第１のヘルスケア提供者に関連付けられている間に、第１のカテゴリの第１の表現の選択を検出する（７２４）。図６Ｉは、例えば、カテゴリ表現５００６Ｅ（健康状態カテゴリ）上での接触５５１８を伴うタップジェスチャを示す。いくつかの実施形態では、デバイス１００が第１のヘルスケア提供者ディスプレイに関連付けられている間に第１のカテゴリの第１の表現の選択を検出したことに応答して、デバイス１００は、第１のヘルスケア提供者からの第１のカテゴリの複数の健康記録のうちの第１の健康記録の第１の表現をディスプレイ１１２上に表示する（７２４）。図６Ｊは、例えば、健康状態記録５０２０Ａを示しており、健康状態記録５０２０Ａは、Ａｌｐｈａ  Ｈｅａｌｔｈ  Ｃａｒｅによって２０１７年１０月１日に測定されたユーザのコレステロールレベルを含む。第１の健康記録の第１の表現は、ある数値範囲内の数値を含み、数値は第１のユーザの健康状態を示し、数値範囲は健康状態に関する正常な数値範囲を示す（７２４）。図６Ｊに示す健康状態記録５０２０Ａは、２６９ｍｇ／ｄＬであるユーザのコレステロールレベルの値を含む。いくつかの実施形態では、健康状態記録５０２０Ａは、０〜４００ｍｇ／ｄＬなどのコレステロールの範囲を表す値も含む。この方法は、ユーザが数値に基づいて健康状態の重症度を判定できるようにする数値をユーザに提供することでユーザの認識的負担を軽減し、より効率的なヒューマンマシンインタフェースを創出する。この方法はまた、ユーザが健康状態の重症度を数値から素早く識別できるようにすることで、ユーザの効率を向上させる。バッテリ動作式コンピューティングデバイスの場合、ユーザが健康状態の重症度、健康状態に関連付けられた医療記録、並びに経時的な健康状態をより速く、より効率的に識別できるようにすることで、電力が節約され、電池充電の間隔が長くなる。
【０１８９】
いくつかの実施形態では、デバイス１００は、第１のユーザの健康状態の重症度に基づいて選択された色で数値を表示する（７２６）。いくつかの実施形態では、ユーザのコレステロールレベルの値は、値が２００ｍｇ／ｄＬ未満である場合は緑色で表示され、値が２００ｍｇ／ｄＬ〜３００ｍｇ／ｄＬである場合は黄色で表示され、値が３００ｍｇ／ｄＬを上回る場合には赤色で表示される。ユーザの健康状態の重症度に基づいて数値を表示することは、ユーザが数値の読み方に関する複雑な知識がなくても健康状態の重症度を判定できるようにし、より効率的なヒューマンマシンインタフェースを創出する。この方法はまた、ユーザが数値に関連付けられた色に基づいて健康状態の重症度を素早く識別できるようにすることで、ユーザの効率を向上させる。バッテリ動作式コンピューティングデバイスの場合には、ユーザが健康状態の重症度をより速く、より効率的に識別できるようにすることで、電力が節約され、電池充電の間隔が長くなる。
【０１９０】
いくつかの実施形態では、デバイス１００は、第１のヘルスケア提供者からの第１のカテゴリの複数の健康記録の第２の健康記録の第２の表現を表示し、第２の健康記録の第２の表現は、ある期間にわたる第１のユーザの状態を示すグラフを含む（７２８）。図６Ｋは、例えば、図６Ｊに示す健康状態記録５０２０Ａ（ユーザのコレステロールレベル）上でのタップジェスチャを検出したことに応答して、コレステロール表現５０２１Ｂを示す。コレステロール表現５０２１Ｂは、ユーザの経時的なコレステロールレベルの棒グラフである。この方法はまた、ユーザの経時的な状態に関する情報をユーザに提供するユーザの医療記録の画像をユーザに提供することで、ユーザの認識的負担を軽減し、より効率的なヒューマンマシンインタフェースを創出する。この方法はまた、ユーザが、複数のユーザインタフェースをナビゲートする必要なく、１つの共通のインタフェースでユーザの経時的な健康状態を素早く識別できるようにすることで、ユーザの効率を向上させる。バッテリ動作式コンピューティングデバイスの場合、ユーザがユーザの経時的な健康状態をより速く、より効率的に識別できるようにすることで、電力が節約され、電池充電の間隔が長くなる。
【０１９１】
いくつかの実施形態では、第１のヘルスケア提供者からの第１のカテゴリの複数の健康記録は、第１のヘルスケア提供者から第１のカテゴリの第１の健康記録及び第１のヘルスケア提供者からの第１のカテゴリの第２の健康記録を含む（７３０）。図６Ｂは、例えば、Ａｌｐｈａ  Ｈｅａｌｔｈ  Ｃａｒｅから入手した２つの薬剤記録５０１８Ａ及び５０１８Ｂ（ＡＢＣ薬及びＤＥＦ薬）を示す。
【０１９２】
いくつかの実施形態では、第１のヘルスケア提供者からの第２のカテゴリの複数の健康記録は、第１のヘルスケア提供者から第２のカテゴリの第３の健康記録及び第１のヘルスケア提供者からの第２のカテゴリにおける第４の健康記録を含む（７３０）。図６Ｅは、例えば、Ａｌｐｈａ  Ｈｅａｌｔｈ  Ｃａｒｅから取得された２つのＸ線記録５０１６Ａ及び５０１６Ｂ（それぞれ、２０１７年１０月１日及び２０１７年９月１日に発注）を示す。
【０１９３】
いくつかの実施形態では、第１のヘルスケア提供者からの第１のカテゴリの第１の健康記録及び第１のヘルスケア提供者からの第２のカテゴリの第３の健康記録は、第１のヘルスケア提供者への第１の受診の記録である（７３０）。図６Ｂ及び図６Ｅは、例えば、薬剤記録５０１８Ａ（ＡＢＣ薬）及びＸ線記録５０１６Ａが、Ａｌｐｈａ  Ｈｅａｌｔｈ  Ｃａｒｅへの２０１７年１０月１日の受診の記録であることを示す。
【０１９４】
いくつかの実施形態では、第１のヘルスケア提供者からの第１のカテゴリの第２の健康記録及び第１のヘルスケア提供者からの第２のカテゴリの第４の健康記録は、第１のヘルスケア提供者への第２の受診の記録である（７３０）。図６Ｂ及び図６Ｅは、例えば、薬剤記録５０１８Ｂ（ＤＥＦ薬）及びＸ線記録５０１６Ｂが、Ａｌｐｈａ  Ｈｅａｌｔｈ  Ｃａｒｅへの２０１７年９月１日の受診の記録であることを示す。
【０１９５】
いくつかの実施形態では、第１のユーザに関する健康記録を表示する第１の要求の受信に応答して、デバイス１００が第１の健康記録及び第３の健康記録をディスプレイ１１２上で第１のグループ内に同時に表示し、第１のグループは、ディスプレイ１１２上で第１の受診の第１の日付によって識別される（７３０）。図６Ｈは、例えば、薬剤記録５０１８Ａ（ＡＢＣ薬）及びＸ線記録５０１６Ａを第１のグループにグループ化し、ディスプレイ１１２上で薬剤記録５０１８Ａ及びＸ線記録５０１６Ａを同時に表示することを示す。
【０１９６】
いくつかの実施形態では、第１のユーザに関する健康記録を表示する第１の要求の受信に応答して、デバイス１００が第２の健康記録及び第４の健康記録をディスプレイ１１２上で第２のグループ内に同時に表示し、第２のグループは、ディスプレイ１１２上で第２の受診の第２の日付によって識別され、第１の日付は第２の日付とは異なる（７３０）。図６Ｈは、例えば、薬剤記録５０１８Ｂ（ＤＥＦ薬）及びＸ線記録５０１６Ｂを第２のグループにグループ化することを示す。更なる薬剤記録５０１８Ｂ及びＸ線記録５０１６Ｂがディスプレイ１１２上に同時に表示される。この方法は、ユーザが健康記録をヘルスケア提供者との予約日に基づいてグループ化することによって、また異なるグループを予約日に基づいて配列することによって、ユーザが健康記録を閲覧する際のユーザの認識的負担を軽減する。任意選択的に、健康記録が複数のヘルスケア提供者からのものである場合、健康記録は、ヘルスケア提供者別及び予約日別にグループ化され、グループは予約日別に配置される。任意選択的に、この方法は、異なるカテゴリに属する健康記録を異なる色で表示して、ユーザが異なる健康記録カテゴリを区別しやすくすることにより、ユーザが健康記録を閲覧する際のユーザの認識的負担を軽減する。任意選択的に、この方法はまた、健康記録への更新と共に更新バッジを表示することによって、ユーザが健康記録を閲覧する際のユーザの認識的負担を軽減する。これらはそれぞれ、より効率的なヒューマンマシンインタフェースを創出する。この方法はまた、ユーザがヘルスケア提供者との予約の日付に基づいて、及び異なる健康ケア提供者との異なる予約の日付に基づいて健康記録を識別できるようにすることで、ユーザの効率を向上させる。この方法はまた、ユーザが異なるヘルスケア提供者からの異なる健康記録を共通のインタフェースで閲覧できるようにすることで、ユーザの効率を向上させ、ユーザデバイスインタフェースをより効率的にする。バッテリ動作式コンピューティングデバイスの場合、ユーザがユーザの健康記録をより速く、より効率的にブラウズできるようにすることで、電力が節約され、電池充電の間隔が長くなる。
【０１９７】
いくつかの実施形態では、第１のヘルスケア提供者から第１のカテゴリの第１の健康記録及び第１のヘルスケア提供者からの第１のカテゴリの第２の健康記録は、第１の色で表示される（７３２）。図６Ｈは、例えば、薬剤記録５０１８Ａ（ＡＢＣ薬）及び２０１７年１０月１日に発注されたＸ線記録５０１６Ａを第１の色で示す。
【０１９８】
いくつかの実施形態では、第１のヘルスケア提供者から第２のカテゴリの第３の健康記録及び第１のヘルスケア提供者からの第２のカテゴリの第４の健康記録は、第１の色とは異なる第２の色で表示される（７３２）。図６Ｈは、例えば、薬剤記録５０１８Ｂ（ＤＥＦ薬）及び２０１７年９月１日に発注されたＸ線記録５０１６Ｂを、第１の色とは異なる第２の色で示す。異なる健康記録カテゴリを異なる色で表示することで、ユーザは、異なる健康記録を素早く区別することができ、より効率的なヒューマンマシンインタフェースが創出される。この方法はまた、ユーザが色に基づいて健康記録を識別できるようにすることで、ユーザの効率を向上させる。バッテリ動作式コンピューティングデバイスの場合、ユーザがユーザの健康記録をより速く、より効率的にブラウズできるようにすることで、電力が節約され、電池充電の間隔が長くなる。
【０１９９】
いくつかの実施形態では、デバイス１００は、第１のヘルスケア提供者から第１のカテゴリの第１の健康記録に対する更新を受信する（７３４）。図６Ｌは、例えば、Ａｌｐｈａ  Ｈｅａｌｔｈ  Ｃａｒｅから複数の更新（例えば、臨床文書のカテゴリ表現５００６Ｂに対する更新、薬剤のカテゴリ表現５００６Ｄに対する更新及び健康状態のカテゴリ表現５００６Ｅに対する更新）を受信することを示す。いくつかの実施形態では、デバイス１００は、第１のグループの第１の健康記録に関連付けられた第１の更新バッジをディスプレイ１１２上に表示し、第１の更新バッジ及び第１の健康記録は、ディスプレイ１１２の第１の領域内に同時に表示される。例えば、図６Ｌは、カテゴリ更新バッジ５１０６Ｃ及びカテゴリ表現５００６Ｅをディスプレイ１１２の一領域内に示す。いくつかの実施形態では、カテゴリ更新バッジ５１０６Ｃはカテゴリ表現５００６Ｅに付加されている。この方法は、ユーザがどの健康記録が更新されたかを識別できるようにすることで、ユーザの認識的負担を軽減し、より効率的なヒューマンマシンインタフェースを創出する。この方法はまた、ユーザがどの健康記録が更新されたかを素早く識別できるようにすることで、ユーザの効率を向上させる。バッテリ動作式コンピューティングデバイスの場合、ユーザが更新された健康記録をより速く、より効率的に識別できるようにすることで、電力が節約され、電池充電の間隔が長くなる。
【０２００】
いくつかの実施形態では、デバイス１００は、第１のヘルスケア提供者からの第１のカテゴリの複数の健康記録のうちの第３の健康記録の第３の表現を表示し、第３の健康記録の第３の表現は、第１のユーザの医療記録を示す画像を含む（７３６）。いくつかの実施形態では、図６ＥのＸ線記録５０１６Ａ（２０１７年１０月１日に発注）などのＸ線記録に関連付けられたＸ線画像が、このＸ線画像のユーザ選択に応答して表示される。Ｘ線記録５０１６ＡがＸ線画像の画像ファイル５０３６Ａを含む図６Ｅなどのいくつかの実施形態では、画像ファイル５０３６Ａを選択すると、デバイス１００が画像ファイル５０３６Ａを拡大する。この方法は、ユーザの医療記録の画像をユーザに提供することでユーザの認識的負担を軽減し、ユーザがこの医療記録に関連する健康状態に素早くアクセスできるようにすることによって、より効率的なヒューマンマシンインタフェースを創出する。バッテリ動作式コンピューティングデバイスの場合、ユーザがユーザの健康状態により速く、より効率的にアクセスできるようにすることで、電力が節約され、電池充電の間隔が長くなる。
【０２０１】
いくつかの実施形態では、デバイス１００は、第１の健康記録カテゴリの一健康記録に対する更新を受信する（７３８）。図６Ｌは、例えば、Ａｌｐｈａ  Ｈｅａｌｔｈ  Ｃａｒｅから複数の更新（例えば、臨床文書のカテゴリ表現５００６Ｂに対する更新、薬剤のカテゴリ表現５００６Ｄに対する更新及び健康状態のカテゴリ表現５００６Ｅに対する更新）を受信することを示す。いくつかの実施形態では、第１のカテゴリの健康記録に対する更新を受信した後に、第１のユーザに関する健康記録を表示する第１の要求及び第１のユーザに関する健康記録を表示する第２の要求のうちの少なくとも１つの受信に応答して、デバイス１００が第１のカテゴリに関連付けられた第２の更新バッジをディスプレイ１１２上に表示し、第２の更新バッジ及び第１のカテゴリの第１の表現は、ディスプレイ１１２の第１の領域内に同時に表示される（７３８）。図６Ｍは、例えば、図６Ｌのカテゴリ表現５００６Ｅ上でのジェスチャを検出したことに応答して、薬剤記録５０２０Ａ〜５０２０Ｃ（それぞれ、ユーザのコレステロールレベル、慢性偏頭痛及び不安障害に関連付けられている）を示す。図６Ｍはまた、健康状態記録５０２０Ａが更新されたことを示すために、健康記録更新バッジ５１４０を健康状態記録５０２０Ａと共に示している。この方法は、ユーザがどの健康記録が更新されたかを識別できるようにすることで、ユーザの認識的負担を軽減し、より効率的なヒューマンマシンインタフェースを創出する。この方法はまた、ユーザがどの健康記録が更新されたかを素早く識別できるようにすることで、ユーザの効率を向上させる。バッテリ動作式コンピューティングデバイスの場合、ユーザが更新された健康記録をより速く、より効率的に識別できるようにすることで、電力が節約され、電池充電の間隔が長くなる。
【０２０２】
いくつかの実施形態では、第２の更新バッジは、第１のカテゴリの第１の表示に視覚的に関連付けられている（７４０）。例えば、図６Ｌは、カテゴリ更新バッジ５１０６Ｃ及びカテゴリ表現５００６Ｅ（健康状態カテゴリ）をディスプレイ１１２の一領域内に示す。いくつかの実施形態では、カテゴリ更新バッジ５１０６Ｃはカテゴリ表現５００６Ｅに付加されている。この方法は、どのカテゴリがユーザの健康記録に対する更新を含むかをユーザが識別できるようにすることで、ユーザの認識的負担を軽減し、より効率的なヒューマンマシンインタフェースを創出する。この方法はまた、ユーザがどの健康記録が更新されたかを素早く識別できるようにすることで、ユーザの効率を向上させる。バッテリ動作式コンピューティングデバイスの場合、ユーザが更新された健康記録をより速く、より効率的に識別できるようにすることで、電力が節約され、電池充電の間隔が長くなる。
【０２０３】
いくつかの実施形態では、デバイス１００が第１のヘルスケア提供者に関連付けられている間に第１のカテゴリの第１の表現を選択することが、デバイス１００に、第１の健康記録カテゴリのこの健康記録の表現をディスプレイ１１２上に表示させ、第２の更新バッジは、第１の健康記録カテゴリのこの健康記録の表現と視覚的に関連付けられている（７４２）。図６Ｍは、例えば、健康記録更新バッジ５１４０及び健康状態記録５０２０Ａ（ユーザのコレステロールレベルと関連付けられている）を同じ領域内に示す。１つ以上の実施形態では、健康記録更新バッジ５１４０は、健康状態記録５０２０Ａに付加されている。この方法は、どのカテゴリがユーザの健康記録に対する更新を含むかをユーザが識別できるようにすることで、ユーザの認識的負担を軽減する。この方法は、どのカテゴリがユーザの健康記録に対する更新を含むかをユーザが識別できるようにすることで、ユーザの認識的負担を軽減し、より効率的なヒューマンマシンインタフェースを創出する。この方法はまた、ユーザがどの健康記録が更新されたかを素早く識別できるようにすることで、ユーザの効率を向上させる。バッテリ動作式コンピューティングデバイスの場合、ユーザが更新された健康記録をより速く、より効率的に識別できるようにすることで、電力が節約され、電池充電の間隔が長くなる。
【０２０４】
いくつかの実施形態では、第２の更新バッジは、健康記録に対する更新の内容を第２の更新バッジ上に含む（７４４）。いくつかの実施形態では、更新の概要などの更新の内容が、例えば、図６Ｌ及び図６Ｍに示されるカテゴリ更新バッジ５１０６Ａ、５１０６Ｂ又は５１０６Ｃ、健康記録更新バッジ５１４０、あるいは全ての更新バッジ５１０４などの更新バッジ上に表示される。この方法は、ユーザが、更なるアクションを実行しなくても更新の内容又は更新の内容の概要を識別できるようにすることで、ユーザの認識的負担を軽減し、より効率的なヒューマンマシンインタフェースを創出する。この方法はまた、ユーザが更新された健康記録に関連付けられた健康状態の変化を素早く識別できるようにすることで、ユーザの効率を向上させる。バッテリ動作式コンピューティングデバイスの場合、ユーザがユーザの健康状態の変化をより速く、より効率的に識別できるようにすることで、電力が節約され、電池充電の間隔が長くなる。
【０２０５】
いくつかの実施形態では、デバイス１００は、第２の更新バッジを選択する要求を１つ以上の入力デバイスを介して受信する（７４６）。いくつかの実施形態では、図６Ｌに示す全ての更新バッジ５１０４及びカテゴリ更新バッジ５１０６Ａ〜５１０６Ｃ（それぞれ図６Ｌに示す）は、対応する健康記録に対する更新を閲覧するためにユーザが選択するアフォーダンスである更新アフォーダンスを含む。図６Ｌは、例えば、カテゴリ更新バッジ５１０６Ｃ上での接触５５２２を伴うタップジェスチャを示す。いくつかの実施形態では、デバイス１００は、第２の更新バッジを選択する要求の受信に応答して、第１の健康記録カテゴリのこの健康記録に対する更新をディスプレイ１１２上に表示する（７４６）。図６Ｍは、例えば、図６Ｌに示すタップジェスチャを検出したことに応答して、健康状態記録５０２０Ａ（ユーザのコレステロールレベルの健康記録）に対する更新を示す。図６Ｍに示すように、健康状態記録５０２０Ａは、２０１７年１２月１日のユーザのコレステロールレベルを示すように更新されている。この方法は、どのカテゴリがユーザの健康記録に対する更新を含むかをユーザが識別できるようにすることで、ユーザの認識的負担を軽減する。この方法は、ユーザが更新バッジを選択することによって健康記録に対する更新にアクセスできるようにすることで、ユーザの認識的負担を軽減し、より効率的なヒューマンマシンインタフェースを創出する。この方法はまた、ユーザが更新バッジを選択して更新に容易にアクセスできるようにすることで、ユーザの効率を向上させる。バッテリ動作式コンピューティングデバイスの場合、更新された健康記録にユーザがより速く、より効率的にアクセスできるようにすることで、電力が節約され、電池充電の間隔が長くなる。
【０２０６】
いくつかの実施形態では、デバイス１００は、健康記録に対する更新と、健康記録に関連付けられた推奨アフォーダンスとを同時に表示する（７４８）。図６Ｍは、例えば、健康状態記録５０２０Ａ（ユーザのコレステロールレベルの健康記録）と推奨アフォーダンス５２４０Ａと同時に表示することを示す。いくつかの実施形態では、デバイス１００は、推奨アフォーダンスを選択する要求を１つ以上の入力デバイスを介して受信する（７４８）。図６Ｍは、例えば、推奨アフォーダンス５２４０Ａ上での接触５５２４を伴うタップジェスチャを示す。いくつかの実施形態では、デバイス１００は、推奨アフォーダンスを選択する要求の受信に応答して、推奨されるアクションをディスプレイ１１２上に表示し、推奨されるアクションは、健康記録に対する更新に基づいている（７４８）。図６Ｎは、例えば、図６Ｍに示すジェスチャに応答して、カレンダアフォーダンス５２４１を示す。図示の実施形態では、推奨されるアクションは、医師との予約をスケジュールすることである。いくつかの実施形態では、推奨されるアクションを記述又は説明する内容もまた、推奨アフォーダンス５２４０Ａと共に表示される。図６Ｍは、例えば、医師の診察を受けるという推奨されるアクションのテキストを含む推奨アフォーダンス５２４０Ａを示す。この方法は、ユーザ入力なしで推奨を提供することによってユーザの認識的負担を軽減し、より効率的なヒューマンマシンインタフェースを創出する。この方法はまた、ユーザに応答方法を自動的に提供することによって、ユーザの効率を向上させる。バッテリ動作式コンピューティングデバイスの場合には、ユーザがユーザの健康記録に対する更新に応答すべきか、また更新にどのように応答すべきかをより速く、より効率的に判断できるようにすることで、電力が節約され、電池充電の間隔が長くなる。
【０２０７】
いくつかの実施形態では、推奨は、第１のヘルスケア提供者との予約をスケジュールことを勧める推奨である（７５０）。このような実施形態では、推奨されるアクションを表示することは、推奨されるアクションとスケジューリングアフォーダンスをと同時に表示することを含む（７５０）。図６Ｎは、例えば、図６Ｍに示すジェスチャに応答して、カレンダアフォーダンス５２４１を示す。図示の実施形態では、推奨されるアクションは、医師との予約をスケジュールすることである。この方法は、ユーザ入力なしで推奨を提供することによってユーザの認識的負担を軽減し、より効率的なヒューマンマシンインタフェースを創出する。この方法はまた、ユーザに応答方法を自動的に提供することによって、ユーザの効率を向上させる。バッテリ動作式コンピューティングデバイスの場合には、ユーザがユーザの健康記録に対する更新に応答すべきか、また更新にどのように応答すべきかをより速く、より効率的に判断できるようにすることで、電力が節約され、電池充電の間隔が長くなる。
【０２０８】
いくつかの実施形態では、デバイス１００は、第１の健康記録カテゴリの一健康記録に対する更新を受信する（７５２）。図６Ｌは、例えば、Ａｌｐｈａ  Ｈｅａｌｔｈ  Ｃａｒｅから複数の更新（例えば、臨床文書のカテゴリ表現５００６Ｂに対する更新、薬剤のカテゴリ表現５００６Ｄに対する更新及び健康状態のカテゴリ表現５００６Ｅに対する更新）を受信することを示す。いくつかの実施形態では、デバイス１００は、健康記録に対する更新の受信に応答し、更新の重要性が閾値よりも大きいという判定に従って、更新の通知をディスプレイ１１２上に表示する（７５２）。例えば、図６Ｍの推奨アフォーダンス５２４０Ａは、ユーザのコレステロールの変化の重要性を示すテキスト「緊急！」を含む。いくつかの実施形態では、更新の通知及び更新の重要性は、図６Ａ〜図６Ｑ−１に示すユーザインタフェースがディスプレイ上に表示されない場合であっても、ディスプレイ１１２の一部分をオーバーレイする。１つ以上の実施形態では、通知はテキストベースの通知である。
【０２０９】
デバイス１００は、更新の重要性が閾値未満であるという判定に従って、更新の通知をディスプレイ１１２上に表示することを取り止める（７５２）。いくつかの実施形態では、ユーザのコレステロールレベルが著しく変化又は改善しなかったか、あるいは更新に関する通知を提供するための閾値を満たさなかった場合には、図６Ｍ又は図６Ｍ−１の推奨アフォーダンス５２４０Ａは、ディスプレイ１１２上に表示されない。この方法は、ユーザに重要な更新を通知することでユーザの認識的負担を軽減し、より効率的なヒューマンマシンインタフェースを創出する。この方法はまた、更新が重要な更新であるかどうかをユーザが通知の有無に基づいて判定できるようにすることによって、ユーザの効率を向上させる。バッテリ動作式コンピューティングデバイスの場合には、更新が重要な更新であるかどうかをユーザがより速く、より効率的に判定できるようにすることで、電力が節約され、電池充電の間隔が長くなる。
【０２１０】
デバイス１００は、複数の健康記録カテゴリの表現を表示した後、かつ第２のヘルスケア提供者に関連付けられた後に、１つ以上の入力デバイスを介して、第１のユーザに関する健康記録を表示する第２の要求を受信する（７１０）。いくつかの実施形態では、ユーザが複数のヘルスケア提供者とのオンボーディングプロセスを完了している場合、ユーザは、デバイス１００に、２つ以上のヘルスケア提供者から取得された健康記録を表示するように要求する。
【０２１１】
２つ以上のヘルスケア提供者から取得された健康記録を表示するユーザの要求をデバイス１００が処理した後に、デバイス１００は、ユーザの健康記録を表示する第２の要求をユーザから受信する。デバイス１００は、第１のユーザの健康記録を表示する第２の要求の受信に応答して、複数の健康記録カテゴリの表現をディスプレイ１１２上に表示する（７１２）。図６Ａは、例えば、５つのカテゴリ表現５００６Ａ〜５００６Ｅ（それぞれ、アレルギー、臨床文書、検査結果、薬剤及び健康状態のカテゴリ）を示す。
【０２１２】
複数のカテゴリの表現は、複数のカテゴリのうちの第１のカテゴリの第１の表現を含む（７１４）。図６Ａは、例えば、ユーザの薬剤に関連付けられたカテゴリ表現５００６Ｄ（薬剤カテゴリ）を示す。更に、デバイス１００が第１のヘルスケア提供者及び第２のヘルスケア提供者に関連付けられている間に第１のカテゴリの第１の表現を選択すると、デバイス１００は、ディスプレイ１１２上に、第１のヘルスケア提供者からの第１のカテゴリの１つ以上の健康記録と、第２のヘルスケア提供者からの第１のカテゴリの１つ以上の健康記録とを表示する（７１４）。図６Ｂ−１は、例えば、図６Ｂの代替的な一実施形態を示す。図６Ｂ−１の実施形態では、ユーザは、Ａｌｐｈａ  Ｈｅａｌｔｈ  Ｃａｒｅ及びＢｅｔａ  Ｈｅａｌｔｈ  Ｃａｒｅの双方とのオンボーディングプロセスを完了している。この実施形態では、デバイス１００がＡｌｐｈａ  Ｈｅａｌｔｈ  Ｃａｒｅ及びＢｅｔａ  Ｈｅａｌｔｈ  Ｃａｒｅと関連付けられている間の、図６Ａに示されるカテゴリ表現５００６Ｄ上での接触５５０２を伴うジェスチャ、又は同様のカテゴリ表現５００６Ｄを選択するジェスチャは、デバイス１００にＡｌｐｈａ  Ｈｅａｌｔｈ  Ｃａｒｅ及びＢｅｔａ  Ｈｅａｌｔｈ  Ｃａｒｅの双方から取得された薬剤記録を表示させる。この点に関し、図６Ｂ−１は、図６Ａに示すカテゴリ表現５００６Ｄ上でのタップジェスチャを検出したことに応答して、Ａｌｐｈａ  Ｈｅａｌｔｈ  Ｃａｒｅからの薬剤記録５０１８Ａ及び５０１８Ｂ（ＡＢＣ薬及びＤＥＦ薬）、並びにＢｅｔａ  Ｈｅａｌｔｈ  Ｃａｒｅからの２つの薬剤記録５０１８Ｃ及び５０１８Ｄ（ＧＨＩ薬及びＪＫＬ薬）を示す。
【０２１３】
複数の健康記録カテゴリの表現はまた、複数のカテゴリのうちの第２のカテゴリの第２の表現も含む（７１６）。図６Ｉは、例えば、ユーザの健康状態に関連付けられたカテゴリ表現５００６Ｅ（健康状態カテゴリ）を示す。
【０２１４】
更に、デバイス１００が第１のヘルスケア提供者及び第２のヘルスケア提供者に関連付けられている間に第２のカテゴリの第２の表現を選択すると、デバイス１００は、ディスプレイ１１２上に、第１のヘルスケア提供者からの第２のカテゴリの１つ以上の健康記録と、第２のヘルスケア提供者からの第２のカテゴリの１つ以上の健康記録とを表示する（７１６）。図６Ｊ−１は、例えば、図６Ｊの代替的な一実施形態を示す。図６Ｊ−１の実施形態では、ユーザは、Ａｌｐｈａ  Ｈｅａｌｔｈ  Ｃａｒｅ及びＢｅｔａ  Ｈｅａｌｔｈ  Ｃａｒｅの双方とのオンボーディングプロセスを完了している。この実施形態では、デバイス１００がＡｌｐｈａ  Ｈｅａｌｔｈ  Ｃａｒｅ及びＢｅｔａ  Ｈｅａｌｔｈ  Ｃａｒｅと関連付けられている間の、図６Ｉに示されるカテゴリ表現５００６Ｅ（健康状態カテゴリ）上での接触５５１８を伴うジェスチャ、又は同様のカテゴリ表現５００６Ｅを選択するジェスチャは、デバイス１００にＡｌｐｈａ  Ｈｅａｌｔｈ  Ｃａｒｅ及びＢｅｔａ  Ｈｅａｌｔｈ  Ｃａｒｅの双方から取得された健康状態記録を表示させる（７１６）。この点に関し、図６Ｊ−１は、図６Ｉに示すカテゴリ表現５００６Ｅ上でのタップジェスチャを検出したことに応答して、Ａｌｐｈａ  Ｈｅａｌｔｈ  Ｃａｒｅからの健康状態記録５０２０Ａ〜５０２０Ｃ（コレステロールレベル、慢性偏頭痛及び不安障害）及びＢｅｔａ  Ｈｅａｌｔｈ  Ｃａｒｅからの健康状態記録５０２０Ｄ（関節炎）を示す。
【０２１５】
いくつかの実施形態では、デバイス１００は、１つ以上の入力デバイスを介して、第１のカテゴリの第１の表示の第１の選択を受信する（７５４）。図６Ｃは、例えば、カテゴリ表現５００６Ｂ（臨床文書カテゴリ）上での接触５５０６を伴うタップジェスチャを示す。
【０２１６】
いくつかの実施形態では、デバイス１００は、第１の選択の受信に応答して、第１の健康記録カテゴリの複数のサブカテゴリの表現をディスプレイ１１２上に表示する（７５４）。例えば、図６Ｄは、図６Ｃに示すカテゴリ表現５００６Ｂ（臨床文書カテゴリ）上でのタップジェスチャを検出したことに応答して、サブカテゴリ表現５０１５Ａ〜５０１５Ｃ（それぞれ、Ｘ線画像、ＣＴスキャン及び超音波画像サブカテゴリ）を示す。
【０２１７】
いくつかの実施形態では、複数の健康記録サブカテゴリは、第１のカテゴリの第１のサブカテゴリの第１の表現を含む（７５４）。図６Ｄは、例えば、図６Ｃに示すカテゴリ表現５００６Ｂ上でのタップジェスチャを検出したことに応答して、サブカテゴリ表現５０１５Ａ（Ｘ線画像サブカテゴリ）を示す。図示の実施形態では、サブカテゴリ５０１５Ａの表現はＸ線画像と関連付けられている。更に、第１のカテゴリの第１のサブカテゴリの第１の表現を選択すると、デバイス１００は、第１のヘルスケア提供者からの第１のカテゴリの第１のサブカテゴリの複数の健康記録をディスプレイ１１２上に表示する（７５４）。図６Ｅは、例えば、図６Ｄに示すサブカテゴリ表現５０１５Ａ上でのタップジェスチャを検出したことに応答して、Ｘ線記録５０１６Ａ及び５０１６Ｂ（それぞれ、２０１７年１０月１日及び２０１７年９月１日に発注）を示す。
【０２１８】
いくつかの実施形態では、複数の健康記録サブカテゴリは、第１のカテゴリの第２のサブカテゴリの第２の表現を含む（７５４）。図６Ｄは、例えば、図６Ｃに示すカテゴリ表現５００６Ｂ（臨床文書カテゴリ）上での接触５５０６を伴うタップジェスチャを検出したことに応答して、サブカテゴリ表現５０１５Ａ（Ｘ線画像サブカテゴリ）を示す。更に、第１のカテゴリの第２のサブカテゴリ５０１５Ｂの第２の表現（ＣＴスキャンサブカテゴリ、図６Ｄ）の選択は、デバイス１００に、第１のヘルスケア提供者からの第１のカテゴリの第２のサブカテゴリの複数の健康記録をディスプレイ１１２上に表示させる（７５４）。図６Ｅ−１は、図６Ｄに示すサブカテゴリ表現５０１５Ａ上でのタップジェスチャを検出したことに応答して、Ａｌｐｈａ  Ｈｅａｌｔｈ  Ｃａｒｅから取得されたＸ線記録５０１６Ａ及び５０１６Ｂと、Ｂｅｔａ  Ｈｅａｌｔｈ  Ｃａｒｅから取得されたＸ線記録５０１６Ｃとを表示することを示す。サブカテゴリ表現５０１５Ｂ上でのタップジェスチャが検出され、ユーザがＡｌｐｈａ  Ｈｅａｌｔｈ  Ｃａｒｅ及びＢｅｔａ  Ｈｅａｌｔｈ  Ｃａｒｅの双方とのオンボーディングプロセスを完了している同様の一実施形態では、Ａｌｐｈａ  Ｈｅａｌｔｈ  Ｃａｒｅ及びＢｅｔａ  Ｈｅａｌｔｈ  Ｃａｒｅの双方から取得されたＣＴスキャンの健康記録がディスプレイ１１２上に表示される。ユーザの健康記録をカテゴリの複数のサブカテゴリ（及び更なるサブカテゴリレベル）へと整理し、そのサブカテゴリ（又は更なるサブカテゴリレベル）に属する健康記録のみを共通のユーザインタフェースに提供することで、ユーザが特定の健康記録を見つけるためにカテゴリの健康記録の全てをナビゲートする必要性が回避され、ユーザが健康記録の検索に費やす時間が短縮される。ユーザが健康記録の検索に費やす時間が短縮されることによって、ユーザがデバイスをより素早くより効率的に使用できるようになり、デバイスの電力使用量が削減され、電池寿命が改善される。
【０２１９】
いくつかの実施形態では、第２のヘルスケア提供者からの第１のカテゴリの複数の健康記録は、第２のヘルスケア提供者からの第１のカテゴリの第５の健康記録を含む（７５６）。図６Ｈ−１は、例えば、Ｂｅｔａ  Ｈｅａｌｔｈ  Ｃａｒｅから取得された薬剤記録５０１８Ｃ（ＧＨＩ薬）を示す。いくつかの実施形態では、第２のヘルスケア提供者からの第２のカテゴリの複数の健康記録は、第２のヘルスケア提供者からの第２のカテゴリの第６の健康記録を含む（７５６）。図６Ｈ−１は、例えば、Ｂｅｔａ  Ｈｅａｌｔｈ  Ｃａｒｅから取得されたＸ線記録５０１６Ｃを示す。いくつかの実施形態では、第２のヘルスケア提供者からの第１のカテゴリの第５の健康記録及び第２のヘルスケア提供者からの第２のカテゴリの第６の健康記録は、第２のヘルスケア提供者への第３の受診の記録である（７５６）。図６Ｈ−１は、例えば、薬剤記録５０１８Ｃ及びＸ線記録５０１６Ｃが双方共に、Ｂｅｔａ  Ｈｅａｌｔｈ  Ｃａｒｅへの２０１７年９月１５日の受診の間に取得されたことを示す。いくつかの実施形態では、第１のユーザに関する健康記録を表示する第２の要求の受信に応答して、デバイス１００が第５の健康記録及び第６の健康記録をディスプレイ１１２上で第３のグループ内に同時に表示し、第３のグループは、ディスプレイ１１２上で第２のヘルスケア提供者への第３の受診の第３の日付によって識別され、第１のグループ、第２のグループ及び第３のグループは、ディスプレイ１１２上に同時に表示される（７５６）。図６Ｈ−１は、例えば、薬剤記録５０１８Ｃ及びＸ線記録５０１６Ｃを同時に表示することを示す。いずれの健康記録も、Ｂｅｔａ  Ｈｅａｌｔｈ  Ｃａｒｅへの２０１７年９月１５日の受診の間に取得された。図６Ｈ−１はまた、第１のグループ及び第３のグループの健康記録（２０１７年１０月１日のＡｌｐｈａ  Ｈｅａｌｔｈ  Ｃａｒｅへの受診の間に取得された健康記録及び２０１７年９月１５日のＢｅｔａ  Ｈｅａｌｔｈ  Ｃａｒｅへの受診の間に取得された健康記録）を同時に表示することも示す。いくつかの実施形態では、ディスプレイ１１２の寸法が大きい場合、デバイス１００は、第１のグループ、第２のグループ、及び第３のグループの健康記録を同時に表示する。この方法は、ユーザがヘルスケア提供者との予約日に基づいて健康記録をグループ化することによって、及び予約日に基づいて異なるグループを配列することによって、ユーザが複数の健康提供者からの健康記録を閲覧する際のユーザの認識的負担を軽減する。この方法はまた、ユーザがヘルスケア提供者との予約日に基づいて健康記録を識別できるようにすることで、ユーザの効率を向上させる。バッテリ動作式コンピューティングデバイスの場合、ユーザがユーザの健康記録をより速く、より効率的にブラウズできるようにすることで、電力が節約され、電池充電の間隔が長くなる。
【０２２０】
いくつかの実施形態では、第１のユーザに関する健康記録を表示する第１の要求の受信に応答して、デバイス１００は、ディスプレイ１１２上に、第１のヘルスケア提供者の識別情報及び所在地を特定する第１の内容を表示する（７５８）。図６Ｂは、例えば、薬剤記録５０１８Ａ及び５０１８Ｂ（ＡＢＣ薬及びＤＥＦ薬）を表示する。各薬剤記録５０１８Ａ及び５０１８Ｂは、対応する薬剤を処方したヘルスケア提供者としてＡｌｐｈａ  Ｈｅａｌｔｈ  Ｃａｒｅを特定する。いくつかの実施形態では、各薬剤記録は、用量、薬剤の服用指示、薬剤を処方した医師の名前、Ａｌｐｈａ  Ｈｅａｌｔｈ  Ｃａｒｅの所在地、薬剤を受け取るか又は補充する直近の薬局の所在地、薬剤のファクトシート、薬剤がなくなる予定の日付、及び薬剤に関する情報を提供する他の好適な内容などの、対応する薬剤に関する更なる情報を含む。いくつかの実施形態では、第１のユーザに関する健康記録を表示する第２の要求の受診に応答して、デバイス１００は、ディスプレイ１１２上に、第２のヘルスケア提供者の識別情報及び所在地を特定する第２の内容を表示する（７５８）。図６Ｊは、例えば、健康状態記録５０２０Ａ及び５０２０Ｂ（コレステロールレベル及び慢性偏頭痛）を表示する。各健康状態記録５０２０Ａ及び５０２０Ｂは、対応する健康状態に対する薬剤を処方したヘルスケア提供者としてアルファヘルスケアケアを特定する。いくつかの実施形態では、各健康状態記録は、Ａｌｐｈａ  Ｈｅａｌｔｈ  Ｃａｒｅの所在地などの、対応する健康状態に関する更なる情報を含む。この方法は、ユーザがヘルスケア提供者に連絡しなくてもヘルスケア提供者に関する情報を取得できるようにすることで、ユーザの効率を向上させる。この方法はまた、ユーザが更なる入力を実行しなくても提供者に関する所在地やその他の情報を特定できるようにすることで、デバイスの操作性を強化し、ユーザデバイスインタフェースをより効率的にする。この方法はまた、既存のネットワークへの負担を軽減し、ユーザとヘルスケア提供者との間の通信量を削減する。バッテリ動作式コンピューティングデバイスの場合、ユーザがユーザの健康記録をより速く、より効率的にブラウズできるようにすることで、電力が節約され、電池充電の間隔が長くなる。
【０２２１】
いくつかの実施形態では、デバイス１００が第１のヘルスケア提供者に関連付けられており、かつ第２のヘルスケア提供者に関連付けられていない間に第１のカテゴリの第１の表現を選択することが、デバイス１００に、第１のヘルスケア提供者からの第１のカテゴリに関連付けられた過去の健康記録をディスプレイ１１２上に表示させ、第１のカテゴリに関連付けられた過去の健康記録が、第１のヘルスケア提供者からの第１のカテゴリの複数の健康記録を含む（７６０）。図６Ｋは、例えば、図６Ｊに示すジェスチャを検出したことに応答して、Ａｌｐｈａ  Ｈｅａｌｔｈ  Ｃａｒｅから取得されたユーザのコレステロールレベルの過去の健康記録（例えば、２０１６年９月１日及び２０１６年１月１日に測定されたユーザのコレステロールレベルのコレステロール表現５０３０Ｂ〜５０３０Ｃ）を示す。
【０２２２】
いくつかの実施形態では、デバイス１００が第１のヘルスケア提供者に関連付けられており、かつ第２のヘルスケア提供者に関連付けられていない間に第２のカテゴリの第２の表現を選択することが、デバイス１００に、第１のヘルスケア提供者からの第２のカテゴリに関連付けられた過去の健康記録をディスプレイ１１２上に表示させ、第２のカテゴリに関連付けられた過去の健康記録が、第１のヘルスケア提供者からの第２のカテゴリの複数の健康記録を含む（７６０）。図６Ｊは、例えば、健康状態記録５０２０Ａ〜５０２０Ｃ（それぞれ、コレステロールレベル、慢性偏頭痛及び不安障害）を示す。いくつかの実施形態では、ユーザが健康状態記録５０２０Ｂを選択する場合、ユーザの偏頭痛履歴の過去の健康記録が表示される。
【０２２３】
いくつかの実施形態では、デバイス１００が第１のヘルスケア提供者及び第２のヘルスケア提供者に関連付けられている間に第１のカテゴリの第１の表現を選択することが、デバイス１００に、第１のヘルスケア提供者及び第２のヘルスケア提供者からの第１のカテゴリに関連付けられた過去の健康記録をディスプレイ１１２上に表示させ、第１のカテゴリに関連付けられた過去の健康記録が、第１のヘルスケア提供者からの第１のカテゴリの１つ以上の健康記録及び第２のヘルスケア提供者からの第１のカテゴリの１つ以上の健康記録を含む（７６０）。図６Ｋ−１は、例えば、図６Ｊに示すジェスチャを検出したことに応答して、Ａｌｐｈａ  Ｈｅａｌｔｈ  Ｃａｒｅから取得されたユーザのコレステロールレベルの過去の健康記録（例えば、２０１６年９月１日及び２０１６年１月１日に測定されたユーザのコレステロールレベルのコレステロール表現５０３０Ｂ〜５０３０Ｃ）及びＢｅｔａ  Ｈｅａｌｔｈ  Ｃａｒｅから取得されたユーザのコレステロールレベルの過去の健康記録（例えば、２０１５年９月１５日に測定されたユーザのコレステロールレベルのコレステロール表現５０３０Ｄ）を示す。
【０２２４】
いくつかの実施形態では、デバイス１００が第１のヘルスケア提供者及び第２のヘルスケア提供者に関連付けられている間に第２のカテゴリの第２の表現を選択することが、デバイス１００に、第１のヘルスケア提供者及び第２のヘルスケア提供者からの第２のカテゴリに関連付けられた過去の健康記録をディスプレイ１１２上に表示させ、第２のカテゴリに関連付けられた過去の健康記録が、第１のヘルスケア提供者からの第２のカテゴリの１つ以上の健康記録及び第２のヘルスケア提供者からの第２のカテゴリの１つ以上の健康記録を含む（７６０）。いくつかの実施形態では、図６Ｊは、例えば、健康状態記録５０２０Ａ〜５０２０Ｃ（それぞれ、コレステロールレベル、慢性偏頭痛及び不安障害）を示す。いくつかの実施形態では、ユーザが健康状態記録５０２０Ｂを選択する場合、Ａｌｐｈａ  Ｈｅａｌｔｈ  Ｃａｒｅ及びＢｅｔａ  Ｈｅａｌｔｈ  Ｃａｒｅの双方から取得されたユーザの偏頭痛履歴の過去の健康記録が表示される。この方法は、ユーザがある健康記録を選択することによって過去の記録にアクセスできるようにすることで、その健康記録に関連付けられたユーザの過去の健康記録にユーザがアクセスできるようにすることにより、過去の健康記録を取得するのに要する入力の数を減らし、より効率的なヒューマンマシンインタフェースを創出する。この方法により、ユーザは、健康記録を選択することでユーザの過去の健康記録に容易にアクセスできるようになり、ユーザの効率が向上する。バッテリ動作式コンピューティングデバイスの場合、ユーザがより速く、より効率的にユーザの過去の健康記録を閲覧できるようにすることで、電力が節約され、電池充電の間隔が長くなる。
【０２２５】
図７Ａ〜図７Ｆにおける動作について記載された特定の順序は単なる例示であり、記載された順序は、動作を実行することができる唯一の順序であることを示すことを意図するものではないことを理解されたい。当業者であれば、本明細書に記載される動作を再順序付けるための様々な方法を認識するであろう。加えて、方法７００に関して上述したプロセス（例えば、図７Ａ〜図７Ｆ）の詳細は、以下に説明する方法にも類似の方式で適用可能であることに留意されたい。例えば、方法９００及び方法１１００は、方法７００を参照して前述した様々な方法の特性のうちの１つ以上を任意選択的に含む。例えば、７００を参照して前述した集約された健康記録を表示するための方法は、任意選択的に、方法９００によって、ダッシュボードユーザインタフェース内に現在の健康記録と過去の健康記録とを表示するために使用される。同様に、７００を参照して前述した集約された健康記録を表示するための方法は、任意選択的に、方法１１００によって、ユーザが健康記録マネージャ内でアクティブ又は非アクティブとして指定することができる特定の健康状態の健康記録を表示するために使用される。簡潔にするために、これらの詳細は、以下で繰り返さない。
【０２２６】
図８Ａ〜図８Ｎは、いくつかの実施形態による集約された健康記録を有する例示的なダッシュボードユーザインタフェースを示す。図８Ａ〜図８Ｎは、ユーザの現在のヘルスケアデータの包括的な概要の単一のダッシュボードビューを、そのようなユーザの各ヘルスケア提供者から取得された健康記録を使用して表示することを可能にする。便宜上、健康記録は、本明細書ではデバイス１００のユーザの健康記録として説明される。しかしながら、健康記録は、例示的なユーザインタフェースのユーザに関連付けられた家族又は他の個人の健康記録であってもよい。図８Ａ〜図８Ｎの目的のために、ユーザは、Ａｌｐｈａ  Ｈｅａｌｔｈ  Ｃａｒｅ及びＢｅｔａ  Ｈｅａｌｔｈ  Ｃａｒｅとのオンボーディングプロセスを完了しているか、あるいは、図８Ａ〜図８Ｎのダッシュボードユーザインタフェースを使用して管理されるか、デバイス１００上に記憶されているか、又はデバイス１００によってアクセス可能なＡｌｐｈａ  Ｈｅａｌｔｈ  Ｃａｒｅ及びＢｅｔａ  Ｈｅａｌｔｈ  Ｃａｒｅからの健康記録を有する。これらの図におけるユーザインタフェースは、図９Ａ〜図９Ｄにおけるプロセスを含む、以下で説明するプロセスを例示するために使用される。
【０２２７】
以下の実施例のうちのいくつかは、（タッチ感知面とディスプレイとを組み合わせた）タッチ画面ディスプレイ上での入力を参照して説明されるが、いくつかの実施形態では、デバイスは、図４Ｂに示すように、ディスプレイ４５０とは別個のタッチ感知面４５１上で入力を検出する。他の実施形態では、本明細書に記載されるプロセスは、物理的ユーザインタフェース、音声インタフェース、又は他の好適なインタフェースを有するデバイスを用いて実装されてもよい。説明の便宜上、実施形態のいくつかは、タッチ感知ディスプレイシステム１１２を有するデバイス上で実行される操作を参照して議論される。そのような実施形態では、フォーカスセレクタは、任意選択的に、それぞれの指若しくはスタイラスの接触、指若しくはスタイラスの接触に対応する代表的な点（例えば、それぞれの接触の面心若しくはそれぞれの接触と関連付けられた点）、又はタッチ感知ディスプレイシステム１１２上で検出された２つ以上の接触の面心である。しかしながら、同様の操作は、任意選択的に、フォーカスセレクタと共に、以下に説明するユーザインタフェースを表示している間にタッチ感知面４５１上の接触を検出したことに応答して、ディスプレイ４５０及び別個のタッチ感知面４５１を有するデバイス上で実行される。
【０２２８】
図８Ａ〜図８Ｎは、ユーザの現在の健康記録から導出された情報を含むダッシュボード内に表示される健康記録の概要を示し、このような情報は、以下で健康記録概要情報と称される。本明細書で使用される現在の健康記録は、図８Ａ〜図８Ｎのダッシュボードユーザインタフェースを使用して管理される、デバイス１００上に記憶されている、又はデバイス１００によってアクセス可能な他の健康記録よりも新しい任意の健康情報の健康記録を指す。図８Ａ〜図８Ｎのダッシュボードユーザインタフェースはまた、ユーザがユーザの健康記録に関する情報を異なる詳細レベルで表示することを可能にする。より具体的には、ダッシュボードは、健康記録概要情報を含む健康記録概要を最初に表示し、次いで、ユーザがダッシュボードと対話して、健康記録概要に含まれない更なる情報にドリルダウンしてアクセスすることを可能にする。同様に、ユーザはダッシュボードと対話してユーザの過去の健康記録を確認することもできる。デバイス１００が既存の健康記録に対する更新又は新たな健康記録に対する更新を受信すると、ダッシュボードに表示された健康記録概要は、ユーザに最新の健康記録に基づいた健康記録概要情報は提示されるが、古くなった健康記録又はその他の関連性がなくなった可能性のある過去の健康記録は提示されないように、定期的に更新される。
【０２２９】
図８Ａは、カテゴリ表現５００６Ａ〜５００６Ｅ（それぞれ、アレルギー、臨床文書、検査結果、薬剤及び健康状態カテゴリ）並びに健康記録概要表現７００５を示す。健康記録概要表現７００５は、そのようなアフォーダンスが健康記録概要に関連付けられていることを示すテキストを含むアフォーダンスである。健康記録概要表現７００５は、健康記録概要を閲覧するためにユーザによって選択可能である。図８Ａ〜図８Ｂは、図８Ａの健康記録概要表現７００５上での接触７５０２を伴うタップジェスチャを検出すること及び、タップジェスチャに応答して、ディスプレイ１１２上で、図８Ｂのダッシュボード内に健康記録概要を表示することを示す。
【０２３０】
図８Ｂは、複数の種類の健康記録を含む健康記録概要情報を含む健康記録概要のダッシュボードをディスプレイ１１２上に表示することを示す。図示の実施形態における健康記録は、Ａｌｐｈａ  Ｈｅａｌｔｈ  Ｃａｒｅ及びＢｅｔａ  Ｈｅａｌｔｈ  Ｃａｒｅの双方から取得された現在の健康記録である。図示の実施形態では、現在の健康記録は全て、現在の健康記録がどのヘルスケア提供者から提供されているのかにかかわらず、健康記録の各カテゴリ別に表示されている。このような方法で、ユーザの最新の健康情報がダッシュボード内に表示される。図示の実施形態では、健康指標概要は、健康指標記録７０１２Ａ〜７０１２Ｃ、薬剤記録７０１４Ａ〜７０１４Ｃ、及び健康状態記録７０１６Ａ〜７０１６Ｄを含む。図８Ｂは、健康指標アフォーダンス７０１１Ａ、薬剤アフォーダンス７０１１Ｂ及び健康状態アフォーダンス７０１１Ｃを表示することも示す。図示の実施形態では、健康指標アフォーダンス７０１１Ａ、薬剤アフォーダンス７０１１Ｂ及び健康状態アフォーダンス７０１１Ｃはそれぞれ、ユーザの過去の健康指標記録、薬剤記録及び健康状態記録を閲覧するために、ユーザによって選択可能である。
【０２３１】
図８Ｂに示す実施形態では、健康指標記録７０１２Ａ〜７０１２Ｃは、健康指標アフォーダンス７０１１Ａを有するグループ内に、健康指標記録の種類に基づいてアルファベット順に表示されている。健康指標記録７０１２Ａは、Ｂｅｔａ  Ｈｅａｌｔｈ  Ｃａｒｅによって２０１７年１１月１日に測定されたユーザの血圧の現在の測定値を含む。図示の実施形態では、２０１７年１１月１日の測定値は、Ａｌｐｈａ  Ｈｅａｌｔｈ  Ｃａｒｅ及びＢｅｔａ  Ｈｅａｌｔｈ  Ｃａｒｅの双方からのユーザの最新の血圧測定値である。いくつかの実施形態では、２０１７年１１月１日よりも前に測定されたユーザの血圧レベルの過去の健康記録が利用可能である場合、ユーザは、健康指標アフォーダンス７０１１Ａを選択することによってそのような過去の健康記録にアクセスすることができる。健康指標記録７０１２Ｂは、Ａｌｐｈａ  Ｈｅａｌｔｈ  Ｃａｒｅによって２０１７年１０月１日に測定されたユーザのコレステロールレベルの現在の測定値を含む。健康指標記録７０１２Ｃは、Ａｌｐｈａ  Ｈｅａｌｔｈ  Ｃａｒｅによって２０１７年１０月１日に測定されたユーザの血清鉄レベルの現在の測定値を含む。
【０２３２】
図８Ｂに示す実施形態では、薬剤記録７０１４Ａ〜７０１４Ｃは、薬剤アフォーダンス７０１１Ｂを有するグループ内に、薬剤の種類に基づいてアルファベット順に表示されている。薬剤健康記録７０１４Ａ〜７０１４Ｃは、それぞれ、ＡＢＣ薬、ＤＥＦ薬及びＧＨＩ薬に関するユーザの現在の処方箋である。薬剤健康記録７０１４Ａ〜７０１４Ｃはそれぞれ、対応する薬剤の処方日及びその薬剤を処方したヘルスケア提供者も特定する。
【０２３３】
図８Ｂに示す実施形態では、健康状態記録７０１６Ａ〜７０１６Ｄは、健康状態アフォーダンス７０１１Ｃを有するグループ内に、健康状態の種類に基づいてアルファベット順に表示されている。健康状態記録７０１６Ａ〜７０１６Ｄは、ユーザの現在の健康状態の、それぞれ不安障害、喘息、高コレステロール及び偏頭痛の健康記録である。いくつかの実施形態では、健康状態記録７０１６Ａ〜７０１６Ｂ及び７０１６Ｄはまた、対応する健康状態（不安障害、喘息及び偏頭痛）に対して最近処方された薬剤に関する情報を、これらの薬剤が個別に一薬剤グループ内で特定される場合であっても含む。
【０２３４】
図８Ｂに示される実施形態は、健康記録概要内の健康記録内の１０個の健康記録を示しているが、他の実施形態では、健康記録概要は、これとは異なる数のユーザの現在の健康記録を含み得る。更に、いくつかの実施形態では、健康記録概要に含まれる現在の健康記録の全てが、ディスプレイ１１２上に同時に表示されるわけではない。そのような実施形態のうちの１つ以上では、ユーザは、健康記録概要に表示されている現在の健康記録をスクロールするジェスチャを実行する。図示の実施形態で表示される健康記録はカテゴリ別にグループ化され、アルファベット順に配置されているが、他の実施形態では、健康記録は、日付、提供者、類似性、重症度、関連する生物学的機能又はシステム（例えば、全ての心臓測定値とこれに続く全ての内分泌腺測定値）別に、又は任意の他の好適な基準に基づいてグループ化又は順序付けされてもよい。一実施形態では、健康記録が表示される順序は、ユーザ又は提供者（プライマリケア医師など）によって変更可能である。図８Ｂは、図８Ａに示すユーザインタフェースに戻るために、健康記録アフォーダンス５３０４上での接触７５０３を伴うタップジェスチャを検出することも示す。
【０２３５】
図８Ｂ−１は、図８Ａの健康記録概要表現７００５上での接触７５０２を伴うタップジェスチャを検出したことに応答して表示されるヘルスケア概要のダッシュボードの代替的な一実施形態である。図８Ｂ−１は、健康記録の画像表現として示されるヘルスケア概要情報を含む。より具体的には、図８Ｂ−１は、健康指標記録７０１２Ａ（血圧レベル）及び健康指標記録７０１２Ｂ（コレステロールレベル）を示す。図示の実施形態では、健康指標記録７０１２Ａは、ある血圧レベル範囲内のユーザの血圧レベル（１４０／９０ｍｍＨｇ）を示すチャート７７１２を含む。図示の実施形態では、ユーザの血圧レベルの数値は、チャート７７１２上のこの範囲内の測定された血圧が属する位置の近くに配置されている。このような方法で、チャート７７１２は、ユーザの血圧の正常性又は重症度を示す血圧レベル範囲に対してユーザの血圧レベルがどこに属するのかを示してもよい。いくつかの実施形態では、健康指標記録７０１２Ａは、チャート７７１２を分析する方法の凡例又は他の説明、あるいはユーザの血圧レベルの重要性に関する情報も含み、ユーザがユーザの血圧レベルを評価しやすくなっている。
【０２３６】
健康指標記録７０１２Ｂは、あるコレステロールレベル範囲内のユーザのコレステロールレベル（２６９ｍｄ／ｄＬ）を示す棒グラフ７７１４を含む。図示の実施形態では、ユーザのコレステロールレベルの数値は、チャート７７１４上のこの範囲内の測定されたコレステロールが属する位置の近くに配置されている。図示の実施形態では、ユーザのコレステロールレベルの数値を含む棒は、ユーザのコレステロールレベルの正常性又は重症度を示す色で表示されている。例えば、棒は、ユーザのコレステロールレベルがそれぞれ２００ｍｇ／ｄＬ未満である場合、２００ｍｇ／ｄＬ〜３００ｍｇ／ｄＬである場合又は３００ｍｇ／ｄＬを上回る場合に、緑色、黄色、又は赤色であってもよい。
【０２３７】
図８Ｂ−１に示す実施形態では、健康指標記録７０１２Ａは、健康指標記録７０１２Ａに表示された他のテキストよりも大きなフォントのテキストで表示される血圧レベルを含む。このような方法で、テスト測定値や検査結果などの重要な情報を強調表示して、ユーザに関するこのような情報を強調してもよい。同様に、健康指標記録７０１２Ｂでは、ユーザのコレステロールレベルの測定値も大きなフォントで表示され、ユーザがユーザのコレステロールレベルの最新の測定値を識別しやすくなっている。他の実施形態では、ユーザの健康指標の測定値を含むテキストが強調表示されているか、異なる色で表示されているか、太字、斜体又は他の好適な書式とされていることにより、ユーザがユーザの健康指標値を素早く識別することができる。図８Ｂ−１は、図８Ａに示すユーザインタフェースに戻るために、健康記録アフォーダンス５３０４上での接触７５０４を伴うタップジェスチャを検出することも示す。
【０２３８】
デバイス１００は、ユーザの健康記録に対する更新を定期的に受信する。図８Ｃは、ユーザの血圧測定値を含む図８Ｂの健康指標記録７０１２Ａに対する更新を含む健康記録概要のダッシュボードを表示することを示す。図８Ｃに示すように、健康指標記録７０５２Ａ（２０１７年１２月１日に測定された血圧レベル）は、ユーザの以前の血圧測定を含む図８Ｂの健康指標記録７０１２Ａ（２０１７年１１月１日に測定された血圧レベル）の代わりに健康記録概要内に表示されている。更に、更新バッジ７１４１Ａが健康指標記録７０５２Ａと共に表示されて、健康指標記録７０５２Ａが更新された健康記録であることを示すと共に、ユーザの注意を健康指標記録７０５２Ａに引き付ける。図８Ｃは、図８Ａに示すユーザインタフェースに戻るために、健康記録アフォーダンス５３０４上での接触７５０５を伴うタップジェスチャを検出することも示す。
【０２３９】
図８Ｃ−１は、図８Ｃのダッシュボードの代替的な一実施形態を示す。図示の代替的な実施形態では、デバイス１００は、図８Ｃに示す新たな血圧測定値を含む健康指標記録７０５２Ａを受信していない。しかし、デバイス１００は、図８Ｂに示す健康指標記録７０１２Ｂよりも新しいコレステロール測定値を含む健康指標記録７０５２Ｂは受信している。したがって、図８Ｃ−１は、健康指標記録７０５２Ｂが、図８Ｂに示す健康指標記録７０１２Ｂの代わりに健康記録概要内に表示されることを示す。いくつかの実施形態では、更新は、健康記録概要に表示される複数の健康記録に影響を及ぼし得る。そのような実施形態では、健康記録概要に表示される、影響を受ける全ての健康記録が更新されてもよい。図示の実施形態では、図８Ｂの健康状態記録７０１６Ｃ（高コレステロール）も、ユーザのコレステロールの現在の測定値を反映するために健康状態記録７０５６Ｃと共に更新される。更に、更新バッジ７１４１Ｂ及び７１４１Ｃが健康指標記録７０５２Ｂ及び健康状態記録７０５６Ｃと共に表示されて、更新を示すと共に、ユーザの注意を対応する健康記録に引き付ける。図８Ｃ−１は、健康指標記録７０５２Ｂ上での接触７５０６を伴うタップジェスチャを検出し、タップジェスチャに応答して、図８Ｄの健康記録アーカイブ７０５８を表示することを更に示す。
【０２４０】
図８Ｄは、ユーザのコレステロールレベルの過去の健康記録を含む健康記録アーカイブ７０５８の一実施形態を示す。健康記録アーカイブは、過去の健康記録を表示するためのユーザインタフェースである。図示の実施形態では、健康記録アーカイブ７０５８は、ユーザのコレステロールレベルの現在の測定値を含む健康指標記録７０５２Ｂと、デバイス１００が健康指標記録７０５２Ｂを受信する前に図８Ｂに示す健康記録概要に表示された健康指標記録７０１２Ｂと、更なる健康指標記録７０５６Ａ〜７０５６Ｃとを含む。健康指標記録７０５６Ａ〜７０５６Ｃは、Ａｌｐｈａ  Ｈｅａｌｔｈ  Ｃａｒｅ又はＢｅｔａ  Ｈｅａｌｔｈ  Ｃａｒｅによって２０１７年９月１５日、２０１６年９月１日及び２０１６年１月１日に測定されたユーザのコレステロールレベルの測定値を含む。ユーザの経時的なコレステロールレベルのグラフ７０２１も、健康記録アーカイブ７０５８内に表示される。グラフ７０２１は、健康指標記録７０５２Ｂ、７０１２Ｂ及び７０５６Ａ〜７０５６Ｃに関連付けられたユーザのコレステロールレベルの異なる測定値をそれぞれが示す複数の棒を含む。棒は、ユーザのコレステロールレベルの正常性を示す色で表示されてもよい。例えば、２００ｍｇ／ｄＬ未満のコレステロールレベルの測定値を示す棒が第１の色で表示されてもよく、２００ｍｇ／ｄＬ〜３００ｍｇ／ｄＬのコレステロールレベルの測定値を示す棒が第２の色で表示されてもよく、３００ｍｇ／ｄＬを超えるコレステロールレベルの測定値を示す棒が第３の色で表示されてもよい。健康指標記録７０５２Ｂ、７０１２Ｂ及び７０５６Ａ〜７０５６Ｃとグラフ７０２１とは、ユーザの経時的なコレステロールレベルに関する情報をユーザに提供する。図８Ｄは、健康記録概要アフォーダンス５３０８上での接触７５０７を伴うタップジェスチャを検出して、図８Ｅのユーザの健康記録概要のダッシュボードを表示することも示す。
【０２４１】
図８Ｅは、ユーザが図８Ｃ−１の新たな健康記録７０５２Ｂ（コレステロールレベル）の更新を閲覧した後の、図８Ｃ−１に示す健康記録概要のダッシュボードの一実施形態を示す。図８Ｅでは、更新バッジ７１４１Ｂ及び７１４１Ｃ（図８Ｃ−１に示す）は、ユーザが新たな健康記録７０５２Ｂの更新を既に確認しているため、以降は表示されない。図８Ｅは、薬剤アフォーダンス７０１１Ｂ上での接触７５０８を伴うタップジェスチャを検出し、タップジェスチャに応答して、図８Ｆの健康記録アーカイブ７０５７を表示することを更に示す。
【０２４２】
図８Ｆは、ユーザの薬剤の過去の健康記録を含む健康記録アーカイブ７０５７の一実施形態を示す。図示の実施形態では、健康記録アーカイブ７０５７は、現在の薬剤記録７０１４Ａ〜７０１４Ｃ（それぞれ、ＡＢＣ薬、ＤＥＦ薬及びＧＨＩ薬）と、過去の薬剤記録７０１５Ａ〜７０１５Ｄとを含む。過去の薬剤記録７０１５Ａは、現在処方されているＧＨＩ薬の有効期限を過ぎた処方箋である。過去の薬剤記録７０１５Ａには、有効期限を過ぎた処方箋の処方期間と、薬剤を処方したヘルスケア提供者の名前も記載されている。過去の薬剤記録７０１５Ｂ〜７０１５Ｄは、ユーザが服用しなくなった薬剤（それぞれ、ＬＭＮ薬、ＲＳＴ薬及びＸＹＺ薬）の健康記録である。図示の実施形態では、過去の薬剤記録７０１５Ａ〜７０１５Ｄは灰色に表示されるか、より小さいか又はより薄いフォントで表示されるか、あるいは現在の薬剤記録７０１４Ａ〜７０１４Ｃとは異なる色で表示されて、ユーザが現在服用している薬剤と期限を過ぎた薬剤とをユーザが区別しやすくする。いくつかの実施形態では、双方共にＧＨＩ薬に関する情報を含む過去の薬剤記録７０１５Ａ及び現在の薬剤記録７０１４Ｃは、健康記録アーカイブ内に同時には表示されない。いくつかの実施形態では、ユーザは、過去に又は異なる用量でユーザが服用した可能性のある同じ薬剤の過去の薬剤記録にアクセスするために、薬剤（ＡＢＣ薬など）の現在の薬剤記録を選択する。図８Ｆは、薬剤記録７０１４Ａ上での接触７５０９を伴うタップジェスチャを検出し、タップジェスチャに応答して、図８ＧのＡＢＣ薬に関する更なる情報を表示することを更に示す。
【０２４３】
図８Ｇは、ＡＢＣ薬の指示、警告及び有効成分を含む薬剤記録７０１４Ａに対応するファクトシートを表示することを示す。他の実施形態では、薬剤を調剤する薬局に関する情報、薬剤を調剤するための代替的な供給源（薬局給付管理者など）、自己負担情報、保険適用範囲情報、利用可能なジェネリック、薬剤の補充期限又は有効期限、薬剤を補充するための指示又はアフォーダンス、容量、副作用又は薬剤の画像などの、ＡＢＣ薬に関する更なる情報も表示されてもよい。ＡＢＣ薬の期限を過ぎた処方箋を含む過去の薬剤記録７０１５Ｅ及び７０１５Ｆは、これらの処方箋が有効でないことを示すために異なる色で表示される。図８Ｇは、図８Ｆに示される健康記録アーカイブ７０５７を閲覧するために、薬剤アーカイブアフォーダンス５３１０上での接触７５１０を伴うタップジェスチャを検出することを更に示す。
【０２４４】
図８Ｃ−１と同様に、図８Ｈも、ユーザの健康記録に対する更新を受信した後の健康記録概要のダッシュボードの一実施形態を表示する。ヘルスケア提供者によって提供される健康記録は、不完全である場合がある。不完全な健康記録は、病院の受診日、医師の名前、処方日又は他の情報などの、ユーザが健康記録を適切に理解できるようにする情報が欠落している健康記録である。健康記録は、受信された健康記録の種類に対して予想される受信された健康記録内のフィールドが欠落しているという判定に応答して、ヘルスケア提供者によって、ユーザによって直接に、又はデバイス１００によって自動的に、不完全フラグを立てられ得る。デバイス１００によるそのような判定は、健康記録を解析すること、特定の文字列を自動的に検索すること、特定の健康記録のヘッダファイルを照会すること、必要とされるフィールドが欠落しているか、又は受信されたそのような健康記録のフィールドの数が、予想される数未満であると判定すること、あるいは任意の他の好適な方法によって行われてもよい。
【０２４５】
図８Ｈに示す実施形態では、ＪＫＬ薬の新たな薬剤記録７０１４Ｄの更新及び関節炎の新たな健康状態記録７０１６Ｅの更新が、それぞれ更新バッジ７１４１Ｄ及び７１４１Ｅと共に健康記録概要内に表示される。薬剤記録７０１４Ｄ及び健康状態記録７０１６Ｅは双方共に、薬剤を処方したヘルスケア提供者の名前及び薬剤の名前（ＪＫＬ薬）を特定しているが、処方日は、薬剤記録７０１４Ｄ及び健康状態記録７０１６Ｅの双方から欠落している。図示の実施形態では、不完全アフォーダンス７０２０Ａ及び７０２０Ｂは、更新バッジ７１４１Ｄ及び７１４１Ｅと同時に表示されて、ユーザの健康記録に対する更新についてユーザに通知すると共に、更新の対象である健康記録から情報が欠落していることをユーザに通知する。不完全アフォーダンス７０２０Ａ及び７０２０Ｂは、不完全な健康記録に関する詳細な情報を取得するためにユーザが選択するアフォーダンスである。
【０２４６】
図８Ｈは、薬剤記録７０１４Ｄ（ＪＫＬ薬）上の不完全アフォーダンス７０２０Ａ上での接触７５１１を伴うタップジェスチャを検出し、タップジェスチャに応答して、図８Ｈの薬剤記録７０１４Ｄから欠落している情報に関する図８Ｉの通知７２５０を表示することを更に示す。図示の実施形態では、通知７２５０は、図８Ｈに示す健康記録概要のダッシュボード上にオーバーレイされる。通知７２５０は、ＪＫＬ薬の処方日が図８Ｈの薬剤記録７０１４Ｄから欠落していることを示すテキストを含む。通知７２５０は、編集アフォーダンス７１５２及び無視アフォーダンス７１５３も含む。いくつかの実施形態では、ユーザは、欠落している情報（薬剤記録７０１４Ｄから欠落している処方日及び図８Ｈの関節炎の健康状態記録７０１６Ｅなど）を認識し、欠落している情報を記入することができる。ユーザは、編集アフォーダンス７１５２と対話して、処方日などのＪＫＬ薬に関する情報を編集又は追加する。この点に関し、図８Ｉは、編集アフォーダンス７１５２上での接触７５１２を伴うタップジェスチャを検出することも示す。不完全であったＪＫＬ薬に関する情報をユーザが追加した後に、ユーザは無視アフォーダンス７１５３を選択する。
【０２４７】
ユーザが無視アフォーダンス７１５３を選択したこと及び、欠落している情報がユーザによって提供されたとデバイス１００が判定したことに応答して、デバイス１００は、図８Ｈの薬剤記録７０１４Ｄ（ＪＫＬ薬）から通知７０２０Ａの表示を削除する。通知７０２０Ｂは、健康状態記録７０１６Ｅ（関節炎）が同じ理由（ＪＫＬ薬の処方日の欠落）で不完全であったことを示す表示であるため、デバイス１００は、図８Ｈの健康状態記録７０１６Ｅからも通知７０２０Ｂの表示を削除する。他の実施形態では、欠落している正しい情報をユーザが入力しなかったとデバイス１００が判定するか、又はユーザがいかなる情報も入力せずに無視アフォーダンス７１５３を選択した場合、図８Ｈの不完全アフォーダンス７０２０Ａ及び７０２０Ｂは、それぞれ、薬剤記録７０１４Ｄ及び健康状態記録７０１６Ｅと共に表示されたままである。
【０２４８】
図８Ｈと同様に、図８Ｊも、ユーザの健康記録に対する更新を受信した後の健康記録概要を表示する。健康記録からはいかなる情報も欠落していないが、健康記録の真正性又は正確さがユーザによって検証されるべきであるとデバイス１００が判定する場合がある。デバイス１００は、健康記録内の情報が予想外であるか又は所定の値の範囲内に属さないか、以前の健康記録に含まれるデータと大幅に異なるデータを含むか、ユーザが長期間にわたって健康記録を受け取っていないヘルスケア提供者からのものであるという判定に応答して、あるいは任意の他の好適な理由で、そのような判定を行うことができる。更に他の実施形態では、デバイス１００は、ある健康記録が他の健康記録と矛盾するか又は相反すると考えられる場合、その健康記録は検証されるべきであると判定する。
【０２４９】
図８Ｊに示す実施形態では、新たな薬剤記録７０５４Ｂ（ＤＥＦ薬）及び新たな健康状態記録７０５６Ａ（不安障害）の更新は、ＤＥＦ薬の最新の処方日と共に受信され、それぞれ更新バッジ７１４１Ｆ及び７１４１Ｇと共に表示されている。薬剤記録７０５４Ｂからも健康状態記録７０５６Ａからもいかなる情報も欠落していないが、デバイス１００、検証アフォーダンス７０２２Ａ及び７０２２Ｂは、更新バッジ７１４１Ｆ及び７１４１Ｇと共に同時に表示されて、ユーザが健康状態記録７０５４Ｂ及び７０５６Ａをそれぞれ検証すべきであることをユーザに通知する。検証アフォーダンス７０２２Ａ及び７０２２Ｂは、ユーザが検証するように要求された健康記録に関する詳細な情報を取得するためにユーザが選択するアフォーダンスである。
【０２５０】
図８Ｊは、検証アフォーダンス７０２２Ｂ上での接触７５１４を伴うタップジェスチャを検出し、タップジェスチャに応答して、ユーザが検証するように要求された健康状態記録７０５６Ａ（不安障害）の情報に関する図８Ｋの通知７２５２を表示することを更に示す。一実施形態では、通知７２５２は、図８Ｋに示すように、図８Ｊの健康記録概要のダッシュボード上にオーバーレイされる。通知７２５２は、不安障害に対してＤＥＦ薬が処方されたことを確認するようにユーザに要求するテキストを含む。通知７２５２は、確認アフォーダンス７１５５及び不正確とマークアフォーダンス７１５４を含む。ユーザは、確認アフォーダンス７１５５と対話して、対応する健康記録が正確であることを確認する。あるいは、ユーザは不正確とマークアフォーダンス７１５４と対話して、情報が不正確であることを示す。図８Ｋは、確認アフォーダンス７１５５上での接触７５１６を伴うタップジェスチャを検出することを更に示す。いくつかの実施形態では、確認アフォーダンス７１５５上での接触７５１６を伴うタップジェスチャを検出したことに応答して、デバイス１００は、図８Ｊに示される薬剤記録７０５４Ｂ（ＤＥＦ薬）及び健康状態記録７０５６Ａの双方における情報を正確であるとして指定し、図８Ｊに示す健康記録概要のダッシュボードから検証アフォーダンス７０２２Ａ及び７０２２Ｂを削除する。
【０２５１】
図８Ｊと同様に、図８Ｌも、ユーザの健康記録に対する更新を受信した後の健康記録概要を表示する。図８Ｌに示す実施形態では、Ｏｍｅｇａ  Ｈｅａｌｔｈ  Ｃａｒｅによって処方されたＸＹＺ薬に関する新たな薬剤記録７０１４Ｅの更新が受信され、更新バッジ７１６１Ｆと共に表示される。健康記録７０１４Ｅからはいかなる情報も欠落していないが、デバイス１００は、ユーザがＯｍｅｇａ  Ｈｅａｌｔｈ  Ｃａｒｅから薬剤を処方されたことがないと判定すると、検証バッジ７１２２Ｃを表示して、ユーザが健康記録７０１４Ｅの正確さを検証すべきであることをユーザに通知する。
【０２５２】
図８Ｌは、検証アフォーダンス７１２２Ｃ上での接触７５１８を伴うタップジェスチャを検出し、タップジェスチャに応答して、ユーザが検証するように要求された図８Ｌの健康状態記録７０１４Ｅ（ＸＹＺ薬）の情報に関する図８Ｍの通知７２５３を表示することを更に示す。図示の実施形態では、通知７２５３は、図８Ｍに示すように、図８Ｌの健康記録概要のダッシュボード上にオーバーレイされる。通知７２５３は、２０１８年１月１５日にＯｍｅｇａ  Ｈｅａｌｔｈ  ＣａｒｅによってＸＹＺ薬が処方されたことを確認するようにユーザに要求するテキストを含む。通知７２５３は、確認アフォーダンス７１５５及び不正確とマークアフォーダンス７１５４も含む。図８Ｍは、不正確とマークアフォーダンス７１５４上での接触７５２０を伴うユーザからのタップジェスチャを検出することを更に示す。いくつかの実施形態では、不正確とマークアフォーダンス７１５４上での接触７５２０を伴うタップジェスチャを検出したことに応答して、デバイス１００は、薬剤記録７０１４Ｅを不正確であるとして指定し、図８Ｎの健康記録概要のダッシュボードから薬剤記録７０１４Ｅを削除する。図８Ｎに示すように、図８Ｌの薬剤記録７０１４Ｅは、以降は健康記録概要に表示されない。いくつかの実施形態では、ユーザによって不正確であるとマークされた健康記録は、健康記録アーカイブ内に含まれたままである。この点に関し、ユーザは、図８Ｎの薬剤アフォーダンス７０１１Ｂと対話して薬剤記録７０１４Ｅを確認することができる。
【０２５３】
図９Ａ〜図９Ｄは、いくつかの実施形態による集約された健康記録を有するダッシュボードユーザインタフェースを電子デバイスを使用して表示するための方法を示すフロー図である。より具体的には、図９Ａ〜図９Ｄは、例えば、図８Ａ〜図８Ｎのユーザインタフェースを使用してユーザの現在の及び過去の健康記録を表示するための方法を示すフロー図である。図８Ａ〜図８Ｎを参照して説明したように、方法９００を利用して、ユーザの現在の及び過去の健康記録を表示するためのダッシュボードユーザインタフェースを表示することができる。方法９００は、デバイス（例えば、それぞれ図１、図３及び図５Ａに示すデバイス１００、３００、５００）で実行される。そのような実施形態のうちの１つでは、ディスプレイ１１２はタッチスクリーンディスプレイであり、タッチ感知面がディスプレイ１１２上にあるか又はこれに組み込まれている。いくつかの実施形態では、ディスプレイ１１２はタッチ感知面から分離している。他の実施形態では、本明細書に記載されるプロセスは、物理的ユーザインタフェース、音声インタフェース、又は他の好適なインタフェースを有するデバイスを用いて実装されてもよい。方法９００におけるいくつかの動作は、任意選択的に組み合わされる。更に、いくつかの動作の順序は、任意選択的に変更される。
【０２５４】
以下に説明するように、方法９００は、ユーザの集約された健康記録を有するダッシュボードユーザインタフェースを表示するための直感的な方法を提供する。方法９００はまた、ユーザの現在の及び過去の健康記録を表示するための直感的な方法を提供する。この方法は、ユーザが現在の健康記録及び過去の健康記録をブラウズする際のユーザの認識的負担を軽減し、より効率的なヒューマンマシンインタフェースを創出する。バッテリ動作式コンピューティングデバイスの場合、ユーザがユーザの現在の及び過去の健康記録をより速く、より効率的にブラウズできるようにすることで、電力が節約され、電池充電の間隔が長くなる。
【０２５５】
方法９００はまた、ユーザの特定の健康状態の表現を表示して、そのような状態の重症度を示すための直感的な方法を提供する。この方法は、ユーザが健康状態の表示された表現から特定の健康状態の重症度を判定できるようにすることで、ユーザの認識的負担を軽減し、より効率的なヒューマンマシンインタフェースを創出する。この方法は、ユーザがユーザの健康状態の重症度を理解するのに必要な時間を短縮することにより、ユーザの効率を向上させる。バッテリ動作式コンピューティングデバイスの場合、ユーザがより速く、より効率的にユーザの健康状態の重症度を理解できるようにすることで、電力が節約され、電池充電の間隔が長くなる。
【０２５６】
デバイス１００は、第１の種類の複数の健康記録項目及び第１の種類とは異なる第２の種類の複数の健康記録項目を含む第１のユーザに関する健康データと関連付けられている間に、１つ以上の入力デバイスを介して、このユーザに関する健康記録概要情報を表示する要求を受信する（９０２）。図８Ａは、例えば、健康記録概要表現７００５上での接触７５０２を伴うタップジェスチャを検出することを示す。
【０２５７】
デバイス１００は、要求の受信に応答して、ディスプレイ上に、複数の健康記録項目を同時に表示することを含めて、第１のユーザに関する健康記録概要情報を表示する（９０４）。図８Ｂは、例えば、図８Ａに示す健康記録概要表現７５０５上での接触７５０２を伴うタップジェスチャの検出したことに応答して、健康指標記録７０１２Ａ〜７０１２Ｃを含む健康記録概要（血圧レベル、コレステロールレベル及び血清鉄レベル）、薬剤記録７０１４Ａ〜７０１４Ｃ（それぞれ、ＡＢＣ薬、ＤＥＦ薬及びＧＨＩ薬）、並びに健康状態記録７０１６Ａ〜７０１６Ｄ（それぞれ、不安障害、喘息、高コレステロール及び偏頭痛）を表示することを示す。
【０２５８】
複数の健康記録項目は、第１の日付の第１の種類の第１の健康記録項目であって、健康記録概要情報が、第１の日付よりも前の日付の第１の種類の複数の健康記録項目を含まない、第１の健康記録項目を含む（９０６）。図８Ｂは、例えば、健康記録概要内に健康指標記録７０１２Ａ（血圧レベル）を表示することを示す。健康指標記録７０１２Ａは、２０１７年１１月１日に測定されたユーザの血圧の測定値を含む。ユーザの血圧の以前の測定値は、健康記録概要に含まれない。
【０２５９】
いくつかの実施形態では、第１の健康記録項目は、第１のユーザの状態の重症度の表現を含む（９０８）。図８Ｂ−１は、健康記録概要内に健康指標記録７０１２Ａ（血圧レベル）を表示することも示す。図示の実施形態では、健康指標記録７０１２Ａは、ある血圧レベル範囲内のユーザの血圧レベルを示すチャート７７１２を含む。この方法は、ユーザが表現に基づいて健康状態の重症度を判定できるようにする表現（画像、グラフ又はチャートなど）をユーザに提供することでユーザの認識的負担を軽減し、より効率的なヒューマンマシンインタフェースを創出する。この方法はまた、ユーザが状態の重症度を表現から素早く識別できるようにすることで、ユーザの効率を向上させる。バッテリ動作式コンピューティングデバイスの場合には、ユーザが状態の重症度をより速く、より効率的に識別できるようにすることで、電力が節約され、電池充電の間隔が長くなる。
【０２６０】
いくつかの実施形態では、第１の健康記録項目は、ある期間にわたる第１のユーザの状態の表現を含む（９１０）。図８Ｄは、例えば、２年間にわたるユーザのコレステロールレベルのグラフであるグラフ７０２１を表示することを示す。いくつかの実施形態では、図８Ｂの健康指標記録７０１２Ａ（血圧レベル）は、グラフ７０２１も含む。ユーザの経時的な状態のグラフを提供することで、ユーザは、複数のユーザインタフェースをナビゲートして異なる期間のユーザの状態を示すデータにアクセスしなくても、ユーザの状態が経時的に変化したかどうかを判定できるようになり、ユーザの認識的負担が軽減され、より効率的なヒューマンマシンインタフェースが創出される。バッテリ動作式コンピューティングデバイスの場合、ユーザがユーザの経時的な状態をより速く、より効率的に識別できるようにすることで、電力が節約され、電池充電の間隔が長くなる。
【０２６１】
複数の健康記録項目はまた、第１の日付とは異なる第２の日付の第２の種類の第２の健康記録項目であって、健康記録概要情報が、第２の日付よりも前の日付の第２の種類の複数の健康記録項目を含まない、第２の健康記録項目を含む（９１２）。図８Ｂは、例えば、薬剤記録７０１４Ａを表示することを示す。薬剤記録７０１４Ａは、２０１７年１０月１日にユーザに処方されたＡＢＣ薬のユーザの処方箋の健康記録である。２０１７年１０月１日よりも前の日付のＡＢＣ薬の処方箋は、健康記録概要に含まれない。
【０２６２】
いくつかの実施形態では、第１のユーザに関する健康データは、第１の種類及び第２の種類とは異なる第３の種類の複数の健康記録項目を含む（９１４）。図８Ｂは、例えば、健康状態記録７０１６Ｄを表示することを示す。健康状態記録７０１６Ｄは、ユーザの偏頭痛状態の健康記録である。いくつかの実施形態では、デバイス１００は、健康記録概要情報内に第１の健康記録項目、第２の健康記録項目及び、第３の日付の第３の種類の第３の健康記録項目を同時に表示する（９１４）。図８Ｂは、例えば、健康指標記録７０１２Ａ（血圧レベル）、薬剤記録７０１４Ａ（ＡＢＣ薬）及び健康状態記録７０１６Ｄ（偏頭痛）を健康記録概要内に同時に表示することを示す。更に、いくつかの実施形態では、健康記録概要情報は、第３の日付よりも前の日付の第３の種類の複数の健康記録項目を含まない（９１４）。健康状態記録７０１６Ｄは、２０１７年１０月１日にユーザに処方されたＡＢＣ薬に関する情報を含む。ユーザの偏頭痛状態に関する以前の健康状態は、健康記録概要に含まれない。同様に、図８Ｂの薬剤記録７０１４Ｃは、２０１７年９月１５日にユーザに処方されたＧＨＩ薬のユーザの処方箋の健康記録である。２０１７年９月１５日よりも前の日付のＧＨＩ薬の処方箋も、健康記録概要に含まれない。複数の種類の健康記録を共通のインタフェースで表示することにより、ユーザは、複数のユーザインタフェース間をナビゲートしなくても複数の種類の健康記録をブラウズできるようになり、より効率的なヒューマンマシンインタフェースが創出される。バッテリ動作式コンピューティングデバイスの場合、ユーザがユーザの記録をより速く、より効率的にブラウズできるようにすることで、電力が節約され、電池充電の間隔が長くなる。
【０２６３】
いくつかの実施形態では、健康データは、第１のユーザの複数のヘルスケア提供者に関連付けられた健康データを含み、第１の健康記録項目は、複数のヘルスケア提供者のうちの第１のヘルスケア提供者に関連付けられており、第２の健康記録項目は、複数の提供者のうちの第２のヘルスケア提供者に関連付けられている（９１６）。図８Ｂは、例えば、健康指標記録７０１２Ａ（血圧レベル）がＢｅｔａ  Ｈｅａｌｔｈ  Ｃａｒｅから取得され、薬剤記録７０１４Ａ（ＡＢＣ薬）がＡｌｐｈａ  Ｈｅａｌｔｈ  Ｃａｒｅから取得されたことを示す。複数のヘルスケア提供者からの複数の健康記録を共通のインタフェースで表示することにより、ユーザは、複数のユーザインタフェース間をナビゲートしなくても異なるヘルスケア提供者からの記録をブラウズできるようになり、より効率的なヒューマンマシンインタフェースが創出される。バッテリ動作式コンピューティングデバイスの場合、ユーザがユーザの健康記録をより速く、より効率的にブラウズできるようにすることで、電力が節約され、電池充電の間隔が長くなる。
【０２６４】
いくつかの実施形態では、複数の健康記録項目は、第４の日付の第４の種類の第４の健康記録項目を含み、第１の健康記録項目及び第４の健康記録項目は、第１のヘルスケア提供者に関連付けられており、第１の日付及び第４の日付は、第１のヘルスケア提供者への第１及び第２の受診の日付である（９１８）。図８Ｂは、例えば、健康指標記録７０１２Ａ（血圧レベル）及び健康状態記録７０１６Ｂ（喘息）を示す。いずれの健康記録も、Ｂｅｔａ  Ｈｅａｌｔｈ  Ｃａｒｅから取得された。更に、健康指標記録７０１２Ａは２０１７年１１月１日のＢｅｔａ  Ｈｅａｌｔｈ  Ｃａｒｅへの受診の間に取得され、健康状態記録７０１６Ｂは２０１７年９月１５日のＢｅｔａ  Ｈｅａｌｔｈ  Ｃａｒｅへの受診の間に取得された。異なる日付で取得された複数の健康記録を共通のインタフェースで表示することにより、ユーザは、複数のユーザインタフェース間をナビゲートしなくても異なる日付で取得された健康記録をブラウズできるようになり、より効率的なヒューマンマシンインタフェースが創出される。バッテリ動作式コンピューティングデバイスの場合、ユーザがユーザの健康記録をより速く、より効率的にブラウズできるようにすることで、電力が節約され、電池充電の間隔が長くなる。
【０２６５】
いくつかの実施形態では、デバイス１００は、第１の健康記録項目及び第２の健康記録項目を含む健康記録を表示した後に、第１の種類の第３の健康記録項目を第１の日付よりも後の第３の日付で受信する（９２０）。デバイス１００は、図８Ｂに示す健康記録概要（２０１７年１０月１日に処方されたＡＢＣ薬の薬剤記録７０１４Ａ及び２０１７年１１月１日に測定された血圧の健康指標記録７０１２Ａを含む）が表示された後に、図８Ｃに示す健康指標記録７０５２Ａ（２０１７年１２月１日に測定された血圧レベル）を受信した。しかしながら、健康指標記録７０５２Ａは、デバイス１００が図８Ｃに示す健康記録概要を表示する前に受信された。いくつかの実施形態では、デバイス１００は、第３の健康記録項目を受信した後に、１つ以上の入力デバイスを介して、第１のユーザに関する健康記録概要情報を表示する第２の要求を受信する（９２０）。いくつかの実施形態では、図８Ａに示すユーザインタフェースは、デバイス１００が健康指標記録７０５２Ａを受信した時点でディスプレイ１１２上に表示される。このような実施形態では、ユーザは、図８Ａに示すタップジェスチャ（健康記録概要表現７００５上での接触を伴う）と同様のジェスチャを実行して、図８Ｃに示す健康記録概要を閲覧する。
【０２６６】
更に、いくつかの実施形態では、デバイス１００は、第２の要求の受信に応答して、第１の健康記録項目を表示せずに第２の健康記録項目及び第３の健康記録項目を同時に表示することを含めて、第１のユーザに関する更新された健康記録概要をディスプレイ１１２上に表示する（９２０）。図８Ｃは、例えば、健康指標記録７０５２Ａ（血圧レベル）を含む更新された健康記録概要を示す。健康指標記録７０５２Ａは、２０１７年１２月１日に測定されたユーザの血圧の測定値を含む。健康指標記録７０１２Ａは、これより前の日付で測定されたユーザの血圧の測定値を含む。デバイス１００は、より最近のユーザの血圧の測定値を受信した後に、更新された健康記録概要内に健康指標記録７０１２Ａの代わりに健康指標記録７０５２Ａを表示する。時間の経過と共に更新される健康記録概要を表示して、ユーザの既存の健康記録に対する更新を含めることにより、ユーザは、複数のユーザインタフェースをナビゲートすることなく、共通のインタフェースでユーザの更新にアクセスして、ユーザの最新の健康記録を取得できるようになる。この方法はまた、ユーザが健康記録概要を通じて現在の健康記録にアクセスできるようにすることで、ユーザの認識的負担を軽減し、より効率的なヒューマンマシンインタフェースを創出する。この方法は、ユーザが健康記録概要を通じてユーザの現在の健康記録にアクセスできるようにすることで、ユーザの効率を向上させる。バッテリ動作式コンピューティングデバイスの場合、ユーザがより速く、より効率的にユーザの現在の健康記録を閲覧できるようにすることで、電力が節約され、電池充電の間隔が長くなる。
【０２６７】
いくつかの実施形態では、デバイス１００は、第１の健康記録項目及び第２の健康記録項目を含む健康記録を表示した後に、第１のユーザの健康データの新たな健康記録項目を受信し、新たな健康記録項目は、第１の日付及び第２の日付よりも後の日付を有する（９２２）。いくつかの実施形態では、デバイス１００は、図８Ｈに示す薬剤記録概要に薬剤記録７０１４Ｄを表示する前に、図８Ｈに示す薬剤記録７０１４Ｄ（ＪＫＬ薬）を受信する。いくつかの実施形態では、デバイス１００は、新たな健康記録項目を受信した後に、１つ以上の入力デバイスを介して、第１のユーザに関する健康記録概要情報を表示する第３の要求を受信する（９２２）。いくつかの実施形態では、図８Ａに示すユーザインタフェースは、デバイス１００が薬剤記録７０１４Ｄを受信した時点でディスプレイ１１２上に表示される。このような実施形態では、ユーザは、図８Ａに示すタップジェスチャと同様のジェスチャを実行して、図８Ｈに示す健康記録概要を閲覧する。
【０２６８】
いくつかの実施形態では、デバイス１００は、第３の要求の受信に応答して、第１の健康記録項目、第２の健康記録項目及び新たな健康記録項目を同時に表示することを含めて、第１のユーザに関する更新された健康記録概要をディスプレイ上に表示する（９２２）。図８Ｈは、例えば、健康指標記録７０１２Ａ（血圧レベル）、薬剤記録７０１４Ａ（ＡＢＣ薬）及び薬剤記録７０１４Ｄ（ＪＫＬ薬）を含む更新された健康記録概要を表示することを示す。時間の経過と共に更新される健康記録概要を表示して、ユーザの新たな健康記録を含めることにより、ユーザは、複数のユーザインタフェースをナビゲートすることなく、共通のインタフェースでユーザの更新にアクセスして、ユーザの最新の健康記録を取得できるようになる。この方法はまた、ユーザが健康記録概要を通じて現在の健康記録にアクセスできるようにすることで、ユーザの認識的負担を軽減し、より効率的なヒューマンマシンインタフェースを創出する。この方法は、ユーザが健康記録概要を通じてユーザの現在の健康記録にアクセスできるようにすることで、ユーザの効率を向上させる。バッテリ動作式コンピューティングデバイスの場合、ユーザがより速く、より効率的にユーザの現在の健康記録を閲覧できるようにすることで、電力が節約され、電池充電の間隔が長くなる。
【０２６９】
いくつかの実施形態では、デバイス（１００）は、１つ以上の入力デバイスを介して、概要に表示されていない第１の種類の複数の健康記録項目を表示する第１の要求を受信する（９２４）。図８Ｃ−１は、例えば、健康指標記録７０５２Ｂ（コレステロールレベル）上での接触７５０６を伴うタップジェスチャを示す。いくつかの実施形態では、デバイス（１００）は、概要に表示されていない第１の種類の複数の健康記録項目を表示する第１の要求の受信に応答して、第１の日付よりも前の日付の第１の種類の複数の健康記録項目をディスプレイ上に表示する（９２４）。図８Ｄは、例えば、図８Ｃ−１に示すタップジェスチャを検出したことに応答して、健康指標記録７０５６Ａ〜７０５６Ｃ（コレステロールレベル）を表示することを示す。健康指標記録７０５６Ａ〜７０５６Ｃは、２０１７年９月１５日、２０１６年９月１日及び２０１６年１月１日にＡｌｐｈａ  Ｈｅａｌｔｈ  Ｃａｒｅ又はＢｅｔａ  Ｈｅａｌｔｈ  Ｃａｒｅの従業員によって測定されたユーザのコレステロールレベルの測定値を含む。健康指標記録７０５６Ａ〜７０５６Ｃは全て、健康指標記録７０５２Ｂよりも前の日付のものである。更に、健康指標記録７０５６Ａ〜７０５６Ｃはいずれも、図８Ｈに示す健康指標記録７０１２Ｂ（コレステロールレベル）には表示されていない。この方法は、ユーザが健康記録概要を介してユーザの過去の健康記録にアクセスできるようにすることで、過去の健康記録を取得するのに要する入力の数を減らし、より効率的なヒューマンマシンインタフェースを創出する。この方法は、ユーザが健康記録概要を通じてユーザの過去の健康記録にアクセスできるようにすることで、ユーザの効率を向上させる。バッテリ動作式コンピューティングデバイスの場合、ユーザがより速く、より効率的にユーザの過去の健康記録を閲覧できるようにすることで、電力が節約され、電池充電の間隔が長くなる。
【０２７０】
いくつかの実施形態では、デバイス（１００）は、概要に表示されていない第１の種類の複数の健康記録項目を表示する第１の要求の受信に応答して、最新の日付の第１の種類の健康記録項目と、第１の日付よりも前の日付の第１の種類の複数の健康記録項目のうちの１つ以上とを同時に表示することを含めて、第１のユーザに関する健康記録アーカイブをディスプレイ１１２上に表示する（９２６）。図８Ｄは、例えば、２０１７年１２月１日に測定されたユーザの最新のコレステロール測定値を含む健康指標記録７０５２Ｂと、ユーザのコレステロールレベルの以前の測定値を含む健康指標記録７０５６Ａ〜７０５６Ｃとを同時に表示することを示す。ユーザの現在の及び過去の健康記録を同時に表示することで、ユーザの現在の健康記録とユーザの過去の健康記録との両方を取得するために複数のユーザインタフェースをナビゲートすることが不要となる。この方法は、ユーザが１つのユーザインタフェース内でユーザの現在の及び過去の健康記録を閲覧できるようにすることで、ユーザの認識的負担を軽減し、より効率的なヒューマンマシンインタフェースを創出する。この方法は、ユーザが、現在の及び過去の健康記録を閲覧するために異なるユーザインタフェースをナビゲートする必要なくユーザの現在の及び過去の健康記録を閲覧できるようにすることで、ユーザの効率を向上させる。バッテリ動作式コンピューティングデバイスの場合、ユーザがユーザの現在の及び過去の健康記録をより速く、より効率的に閲覧できるようにすることで、電力が節約され、電池充電の間隔が長くなる。
【０２７１】
いくつかの実施形態では、デバイス１００は、概要に表示されていない第１の種類の複数の健康記録項目を表示する第１の要求の受信に応答して、第１の種類の第４の健康記録項目を、ディスプレイ１１２上で健康記録アーカイブ内に表示する（９２８）。図８Ｄは、例えば、図８Ｃ−１に示すタップジェスチャを検出したことに応答して、ユーザの経時的なコレステロールレベルのグラフ７０２１を表示することを示す。いくつかの実施形態では、第４の健康記録項目は、第１の日付よりも前の第４の日付で測定された健康指標の表現を含む（９２８）。グラフ７０２１は、ユーザのコレステロールレベルの現在の及び以前の測定値を含む。他の実施形態では、図８Ｄに示す健康指標記録７０５６Ａ〜７０５６Ｃ（コレステロールレベル）のうちの１つ以上は、ユーザの以前のコレステロールレベルの表現（棒グラフ又はスケールなど）も含む。過去の健康指標の表現を表示することにより、ユーザは、ユーザのヘルスケア提供者に連絡しなくても、ユーザの経時的な健康指標を判定できるようになるため、通信システムが解放され、ネットワーク上の帯域幅が削減され、エネルギーを節約することができる。バッテリ動作式コンピューティングデバイスの場合、ユーザがユーザの健康指標に関する過去の情報をより速く、より効率的に取得できるようにすることで、電力が節約され、電池充電の間隔が長くなる。
【０２７２】
いくつかの実施形態では、デバイス１００は、第１の健康記録及び第２の健康記録を含む健康記録概要情報を表示した後に、第１の日付及び第２の日付よりも後の第３の日付を有する第３の種類の第３の健康記録項目を受信する（９３０）。図８Ｈの健康状態記録７０１６Ｅ（ＪＫＬ薬）は、デバイス１００が図８Ｂの健康指標記録７０１２Ａ（血圧レベル）及び薬剤記録７０１４Ａ（ＡＢＣ薬）を受信した後に、デバイス１００によって受信された。健康状態記録７０１６Ｅは、ユーザの関節炎状態に関する情報と、２０１７年１１月１５日にユーザに処方されたＪＫＬ薬に関する情報とを含む。健康状態記録７０１６Ｅの日付は、健康指標記録７０１２Ａ（２０１７年１１月１日）及び薬剤記録７０１４Ａ（２０１７年１０月１日）よりも後である。いくつかの実施形態では、デバイス１００は、健康記録概要情報を閲覧する要求に応答して、第３の健康記録項目を含むように健康記録概要情報を更新し、第１の健康記録項目、第２の健康記録項目及び第３の健康記録項目は、健康記録概要情報内に同時に表示される（９３０）。図８Ｎに示すように、健康指標記録７０１２Ａ（例えば第１の健康記録項目）、薬剤記録７０１４Ａ（例えば第２の健康記録項目）、及び健康状態記録７０１６Ｅ（例えば第３の健康記録項目）は、健康記録概要内に同時に表示される。複数の種類の健康記録を含む健康記録概要を表示することにより、ユーザは、複数のユーザインタフェース間をナビゲートしなくても、共通のインタフェース内で複数の種類の健康記録を閲覧できるようになり、ユーザに対する認識的負担が軽減され、より効率的なヒューマンマシンインタフェースが創出される。この方法はまた、ユーザが共通のインタフェースから複数の種類の健康記録にアクセスできるようにすることで、ユーザの効率を向上させる。バッテリ動作式コンピューティングデバイスの場合、ユーザがより速く、より効率的にユーザの現在の健康記録を閲覧できるようにすることで、電力が節約され、電池充電の間隔が長くなる。
【０２７３】
いくつかの実施形態では、デバイス１００は、健康記録概要情報を表示する要求に応答して、第１のユーザに関する健康データの健康記録項目が不完全であるという判定に従い、健康記録概要情報内に不完全記録アフォーダンスを表示する（９３２）。図８Ｈは、例えば、薬剤記録７０１４Ｄから情報が欠落していると判定した後に、不完全アフォーダンス７０２０Ａを薬剤記録７０１４Ｄ（ＪＫＬ薬）と共に表示することを示す。この方法は、情報が欠落している記録にユーザが依拠することが原因となって発生するミスの数を減らす。この方法は、情報が欠落している健康記録をユーザに対して特定することによって、ユーザの認識的負担を軽減する。この方法は、ユーザがユーザの健康記録を確認する際に、情報が欠落している記録をユーザが任意に無視できるようにすることで、ユーザの効率を向上させる。バッテリ動作式コンピューティングデバイスの場合、ユーザがユーザの健康記録をより速く、より効率的に確認できるようにすることで、電力が節約され、電池充電の間隔が長くなる。
【０２７４】
いくつかの実施形態では、デバイス１００は、１つ以上の入力デバイスを介して、健康記録概要情報内に表示された複数の健康記録項目の一健康記録項目の正確さのユーザ検証を受信する（９３４）。図８Ｋは、例えば、ＤＥＦ薬が不安障害に対して処方されたことを確認する確認アフォーダンス７１５５上での接触７５１６を伴うタップジェスチャの検出を示す。デバイス１００は、この健康記録項目の正確さのユーザ検証の受信に応答して、この健康記録項目に関連付けられたヘルスケア提供者にユーザ検証を提供する（９３４）。いくつかの実施形態では、デバイス１００は、図８Ｊに示すユーザの入力を検出したことに応答して、ユーザの不安障害を治療するためにユーザが服用している薬剤としてＤＥＦ薬がユーザによって検証されたことを、Ａｌｐｈａ  Ｈｅａｌｔｈ  Ｃａｒｅに対して自動的に通知する。この方法は、ユーザが健康記録の正確さを検証できるようにすることで、ユーザの認識的負担を軽減する。この方法は、ユーザがヘルスケア提供者からの検証を待たずに特定の健康記録の正確さを検証できるようにすることで、ユーザの効率を向上させる。この方法はまた、ヘルスケア提供者に対して健康記録を検証するように要求する必要性を低減することで、要求をヘルスケア提供者の電子システムに送信するために必要な帯域幅を削減する。この方法はまた、要求を処理するためのヘルスケア提供者の電子システムの負担を軽減することで、電子システムの電力消費も低減させる。ヘルスケア提供者からの健康記録がユーザによって検証されたことをヘルスケア提供者の電子システムに自動的に通知することにより、ヘルスケア提供者が健康記録の正確さ又は完全性を検証するためにユーザ又はユーザのデバイスに（電子システムを介して又は他の電気通信手段を介して）連絡する必要性が低減される。上記により、通信システムが解放され、ネットワークの帯域幅が削減され、エネルギーが節約される。
【０２７５】
いくつかの実施形態では、デバイス１００は、１つ以上の入力デバイスを介して、健康記録概要情報に含まれる複数の健康記録項目のうちの一健康記録項目が不正確であることを示す第１のユーザ指示を受信する（９３６）。図８Ｍは、例えば、不正確とマークアフォーダンス７１５４上での接触７５２０を伴うタップジェスチャを検出して、図８Ｌの薬剤記録７０１４Ｅ（ＸＹＺ薬）を不正確であるとしてマークすることを示す。いくつかの実施形態では、デバイス１００は、第１のユーザ指示の受信に応答して、この健康記録項目を健康記録概要情報から除外し、この健康記録項目は、健康記録概要情報からの除外後は健康記録概要情報に含まれない（９３６）。図８Ｎは、例えば、図８Ｍに示すタップジェスチャが実行された後の更新された健康記録概要を示す。図８Ｎに示すように、図８Ｌの薬剤記録７０１４Ｅは、更新された健康記録概要には表示されない。この方法は、ユーザが不正確な又は不完全な健康記録を無視できるようにすることで、ユーザの認識的負担を軽減する。この方法は、ユーザが不正確な又は不完全な記録を確認するために費やす時間を短縮することにより、ユーザの効率を向上させる。バッテリ動作式コンピューティングデバイスの場合、ユーザがユーザの健康記録をより速く、より効率的に確認できるようにすることで、電力が節約され、電池充電の間隔が長くなる。この方法はまた、ユーザが不完全又は不正確な健康記録に依拠することが原因となって発生するユーザのミスの数を減らす。
【０２７６】
いくつかの実施形態では、デバイス１００は、第１のユーザ指示の受信に応答して、ヘルスケア提供者のコンピュータシステムからの健康記録項目に関する更新された情報の要求を、更なるユーザ入力なしに自動的に送信する（９３８）。いくつかの実施形態では、デバイス１００は、図８Ｋの不正確とマークアフォーダンス７１５４との対話を検出すると、健康記録を不正確な健康記録として指定し、健康記録のヘルスケア提供者に要求を自動的に送信する。ヘルスケア提供者からの健康記録が不正確であることをヘルスケア提供者の電子システムに自動的に通知することにより、ユーザが（デバイス又は他の電気通信手段を使用して）手動でヘルスケア提供者に連絡して、不正確な健康記録を更新するようにヘルスケア提供者に対して要求する必要性が低減される。上記により、通信システムが解放され、ネットワークの帯域幅が削減され、エネルギーが節約される。更に、欠落している情報を更新する選択肢をユーザが有する前に、更新された情報がヘルスケア提供者から受信されてもよい。バッテリ動作式コンピューティングデバイスの場合、不正確な健康記録をより速く、より効率的に更新することで、電力が節約され、電池充電の間隔が長くなる。
【０２７７】
いくつかの実施形態では、デバイス１００は、１つ以上の入力デバイスを介して、第１の健康記録項目を更新する情報を受信する（９４０）。図８Ｉは、例えば、ユーザが健康指標記録７０１４Ｄ（ＪＫＬ薬）に対する編集を行うことを示す。いくつかの実施形態では、デバイス１００は、ユーザが図８Ｉの編集アフォーダンス７１５２の上での接触７５１２を伴う図８Ｉに示すタップジェスチャを実行した後に、健康指標記録７０１４Ｄに対する編集を受信する。いくつかの実施形態では、デバイス１００は、第１の健康記録項目を更新する情報を受信した後に、第１のユーザに関する健康記録概要情報を表示する第２の要求を受信する（９４０）。いくつかの実施形態では、ユーザは、健康指標記録７０１４Ｄを編集した後に、健康記録概要表現７００５を選択して健康記録概要を閲覧する。他の実施形態では、図８Ｉの編集アフォーダンス７１５２又は無視アフォーダンス７１５３の上での接触を伴うタップジェスチャは、健康記録概要を表示する要求としても構成されている。いくつかの実施形態では、デバイス１００は、第１のユーザに関する健康記録概要情報を表示する要求の受信に応答して、第１の健康記録項目の変更を反映する更新された第１の健康記録項目と第２の健康記録項目とを同時に表示することを含め、第１のユーザに関する更新された健康記録概要を表示する（９４０）。図８Ｊは、例えば、以前には図８Ｈに示す健康記録概要から欠落していた薬剤記録７０１４Ｄに関する情報を含む更新された健康記録概要を示す。健康記録に対する更新を、他の現在の健康記録と共に共通のインタフェース内に表示することで、ユーザは、異なるユーザインタフェース間をナビゲートして異なる健康記録への更新を取得しなくても、ユーザの現在の健康記録を共通のインタフェース内で閲覧できるようになり、より効率的なヒューマンマシンインタフェースが創出される。バッテリ動作式コンピューティングデバイスの場合、ユーザがユーザの健康記録をより速く、より効率的にブラウズできるようにすることで、電力が節約され、電池充電の間隔が長くなる。
【０２７８】
図９Ａ〜図９Ｄにおける動作について記載された特定の順序は単なる例示であり、記載された順序は、動作を実行することができる唯一の順序であることを示すことを意図するものではないことを理解されたい。当業者であれば、本明細書に記載される動作を再順序付けるための様々な方法を認識するであろう。加えて、方法９００に関して上述された処理（例えば、図９Ａ〜図９Ｄ）の詳細はまた、上記及び以下で説明される方法にも、類似の方式で適用可能である。例えば、方法７００及び方法１１００は、方法９００を参照して前述した様々な方法の特性のうちの１つ以上を任意選択的に含む。例えば、９００を参照して前述した、他のユーザインタフェース内に現在の健康記録を含む健康記録概要を表示するための方法及び過去の記録を表示するための方法は、任意選択的に、方法７００によって、集約された健康記録を表示するために使用され、また任意選択的に、方法１１００によって、健康記録マネージャ内に健康記録を表示するために使用される。簡潔にするために、これらの詳細は、以下で繰り返さない。
【０２７９】
図１０Ａ〜図１０Ｑは、一部の実施形態による、例示的な健康記録マネージャを示す図である。より具体的には、図１０Ａ〜図１０Ｑは、ユーザが特定の健康記録に関連付けられた活動のステータスを指定してこれを管理できるようにする健康記録マネージャの表示を示す。これらの図におけるユーザインタフェースは、図１１Ａ〜図１１Ｅにおけるプロセスを含む、以下で説明するプロセスを例示するために使用される。
【０２８０】
以下の実施例のうちのいくつかは、（タッチ感知面とディスプレイとを組み合わせた）タッチ画面ディスプレイ上での入力を参照して説明されるが、いくつかの実施形態では、デバイスは、図４Ｂに示すように、ディスプレイ４５０とは別個のタッチ感知面４５１上で入力を検出する。他の実施形態では、本明細書に記載されるプロセスは、物理的ユーザインタフェース、音声インタフェース、又は他の好適なインタフェースを有するデバイスを用いて実装されてもよい。説明の便宜上、実施形態のいくつかは、タッチ感知ディスプレイシステム１１２を有するデバイス上で実行される操作を参照して議論される。そのような実施形態では、フォーカスセレクタは、任意選択的に、それぞれの指若しくはスタイラスの接触、指若しくはスタイラスの接触に対応する代表的な点（例えば、それぞれの接触の面心若しくはそれぞれの接触と関連付けられた点）、又はタッチ感知ディスプレイシステム１１２上で検出された２つ以上の接触の面心である。しかしながら、同様の操作は、任意選択的に、フォーカスセレクタと共に、以下に説明するユーザインタフェースを表示している間にタッチ感知面４５１上の接触を検出したことに応答して、ディスプレイ４５０及び別個のタッチ感知面４５１を有するデバイス上で実行される。
【０２８１】
図１０Ａ〜図１０Ｑの１つ以上の実施形態において、本明細書で使用されるアクティブな健康記録は、ユーザ又はヘルスケア提供者によって現在の健康記録として指定された健康記録であり、ヘルスケア提供者によって治療されているユーザの発生中の病状に関連付けられているか、又はユーザが現在監視している健康状態に関連付けられている。例えば、一実施形態では、アクティブな健康記録は、ユーザの最近の年一回の身体検査又はヘルスケア提供者への他の最近の受診からの血液検査の結果やユーザの現在の処方箋記録などの、ユーザの最新の各種健康記録であってもよい。別の一実施形態では、アクティブな健康記録は、ユーザが監視している血圧及びコレステロールレベルなどの特定の健康状態の最新の記録であってもよい。別の一実施形態では、アクティブな健康記録は、ユーザが実際にヘルスケア提供者の治療を受けている急性又は慢性の健康状態に関連付けられた健康記録のみであってもよい。更に別の一実施形態では、アクティブな健康記録は、ユーザによって設定された、又はデバイス１００によって自動的に決定された期間よりも以前のものではない任意の健康記録であってもよい。一実施形態では、全ての健康記録は、ヘルスケア提供者からデバイス１００によって最初に受信されたときにアクティブとして指定される。しかしながら、図示の実施形態では、ユーザが任意の健康記録をアクティブとして指定することができる。
【０２８２】
図１０Ａ〜図１０Ｑの１つ以上の実施形態において、本明細書で使用される非アクティブな健康記録は、アクティブな健康記録以外の任意の健康記録である。任意選択的に、ユーザによって非アクティブとして指定された健康記録は、健康記録マネージャのダッシュボードユーザインタフェース内では非表示となるが、ユーザの健康記録に関するより詳細な情報を含む健康記録マネージャの他のユーザインタフェース内には表示され、一方、アクティブな健康記録は、健康記録マネージャのダッシュボードユーザインタフェース内に表示される。健康記録のステータスは、例えばユーザの喘息症状がなくなった場合などに、ユーザによってアクティブから非アクティブに変更されてもよい。同様に、健康記録のステータスは、例えばユーザの喘息症状が再発した場合などに、ユーザによって非アクティブからアクティブに変更されてもよい。一実施形態では、アクティブから非アクティブへの健康記録のステータスの変化に応答して、通知がデバイス１００によって自動的に生成され、ユーザのヘルスケア提供者に送信される。同様に、非アクティブからアクティブへの健康記録のステータスの変化に応答して、通知がデバイスによって自動的に生成され、ユーザのヘルスケア提供者に送信される。
【０２８３】
健康記録マネージャはまた、ユーザが特定の健康記録に関連する様々なタスクを実行するリマインダを設定できるようにする。リマインダは、例えば、ユーザに処方された薬剤を所定の時刻に服用すること、ユーザに処方された薬剤を補充すること、又は医師や他のヘルスケア専門家との近日中の予約を追跡することをユーザに思い出させるために使用されてもよい。図１０Ａ〜図１０Ｑの実施形態は、健康記録、より具体的には健康状態記録の管理に関連して説明されているが、いくつかの実施形態では、健康記録以外の健康情報の表現を使用して、ユーザの健康情報を管理してもよい。同様に、他の健康記録カテゴリを使用して、検査記録、臨床記録又はアレルギー記録などのユーザの健康情報を管理してもよい。
【０２８４】
図８Ｂと同様に、図１０Ａは、複数の種類の健康記録を含む健康記録概要情報を含む健康記録概要のダッシュボードをディスプレイ１１２上に表示することを示す。図示の実施形態における健康記録は、Ａｌｐｈａ  Ｈｅａｌｔｈ  Ｃａｒｅ及びＢｅｔａ  Ｈｅａｌｔｈ  Ｃａｒｅの双方から取得された現在の健康記録である。図示の実施形態では、健康指標概要は、健康指標記録９０１２Ａ〜９０１２Ｃ（それぞれ、血圧、コレステロールレベル及び血清鉄レベル）、薬剤記録９０１４Ａ〜９０１４Ｄ（それぞれ、ＡＢＣ薬、ＤＥＦ薬、ＧＨＩ薬及びＬＭＮ薬）、並びに健康状態記録９０１６Ａ〜９０１６Ｄ（それぞれ、不安障害、喘息、高コレステロール及び偏頭痛）を含む。図１０Ａは、健康指標アフォーダンス９０１１Ａ、薬剤アフォーダンス９０１１Ｂ及び健康状態アフォーダンス９０１１Ｃを表示することも示す。図示の実施形態では、健康指標アフォーダンス９０１１Ａ、薬剤アフォーダンス９０１１Ｂ及び健康状態アフォーダンス９０１１Ｃはそれぞれ、健康指標アーカイブ、薬剤アーカイブ及び健康状態アーカイブを閲覧するためにユーザによって選択可能である。図１０Ａ〜図１０Ｑに示す実施形態では、健康指標アーカイブ、薬剤アーカイブ及び健康状態アーカイブはそれぞれ、対応するカテゴリに属する現在の健康記録及び過去の健康記録を含む健康記録アーカイブである。
【０２８５】
図１０Ａに示す実施形態では、健康指標記録９０１２Ａ〜９０１２Ｃは、健康指標記録の種類に基づいてアルファベット順に表示される。健康指標記録９０１２Ａは、Ｂｅｔａ  Ｈｅａｌｔｈ  Ｃａｒｅによって２０１７年１１月１日に測定されたユーザの血圧の現在の測定値を含む。健康指標記録９０１２Ｂは、Ａｌｐｈａ  Ｈｅａｌｔｈ  Ｃａｒｅによって２０１７年１０月１日に測定されたユーザのコレステロールレベルの現在の測定値を含む。健康指標記録９０１２Ｃは、Ａｌｐｈａ  Ｈｅａｌｔｈ  Ｃａｒｅによって２０１７年１０月１５日に測定されたユーザの血清鉄濃度の現在の測定値を含む。
【０２８６】
図１０Ａに示す実施形態では、薬剤記録９０１４Ａ〜９０１４Ｄは、薬剤の種類に基づいてアルファベット順に表示される。薬剤健康記録９０１４Ａ〜９０１４Ｄは、それぞれ、ＡＢＣ薬、ＤＥＦ薬、ＧＨＩ薬及びＬＭＮ薬に関するユーザの現在の処方箋である。薬剤健康記録９０１４Ａ〜９０１４Ｄはそれぞれ、対応する薬剤の処方日及び薬剤を処方したヘルスケア提供者も特定する。
【０２８７】
図１０Ａに示す実施形態では、健康状態記録９０１６Ａ〜９０１６Ｄは、健康状態の種類に基づいてアルファベット順に表示される。健康状態記録９０１６Ａ〜９０１６Ｄは、それぞれ、不安障害、喘息、高コレステロール及び偏頭痛を含むユーザの現在の健康状態に関する情報を含む。いくつかの実施形態では、健康状態記録９０１６Ａ〜９０１６Ｄはまた、対応する健康状態（不安障害、喘息、高コレステロール及び偏頭痛）に対して最近処方された薬剤に関する情報を、これらの薬剤が個別に一薬剤グループ内で特定される場合であっても含む。図１０Ａは、健康状態アフォーダンス９０１１Ｃ上での接触９５０２を伴うタップジェスチャを検出し、タップジェスチャに応答して、図１０Ｂの健康状態アーカイブ９０５８を表示することを更に示す。
【０２８８】
図１０Ｂは、ユーザの健康状態の健康記録と、健康記録をアクティブ又は非アクティブと指定するためのステータストグルとを含む健康状態アーカイブ９０５８の一実施形態を示す。図示の実施形態では、健康状態アーカイブ９０５８は、健康状態記録９０１６Ａ〜９０１６Ｄ（それぞれ、不安障害、喘息、高コレステロール及び偏頭痛）を含む。図示の実施形態では、健康状態記録９０１６Ａは、ユーザの不安障害、ユーザの不安障害を治療するために処方された薬剤（ＤＥＦ薬）、最初の診断の日付及び、ユーザの不安障害に関して次に予定されているＡｌｐｈａ  Ｈｅａｌｔｈ  Ｃａｒｅへの受診に関する情報を含む。健康状態記録９０１６Ｂは、ユーザの喘息、ユーザの喘息を治療するために処方された薬剤（ＧＨＩ薬）、最初の診断の日付及び、ユーザの喘息に関して次に予定されているＢｅｔａ  Ｈｅａｌｔｈ  Ｃａｒｅへの受診に関する情報を含む。健康状態記録９０１６Ｃは、ユーザの高コレステロール、測定されたコレステロールのレベル及びコレステロール検査の日付、ユーザの高コレステロールを治療するために処方された薬剤（ＬＭＮ薬）、初期診断の日付並びに、ユーザの高コレステロールに関して次に予定されているＡｌｐｈａ  Ｈｅａｌｔｈ  Ｃａｒｅへの受診に関する情報を含む。健康状態記録９０１６Ｄは、ユーザの偏頭痛、ユーザの偏頭痛を治療するために処方された薬剤（ＡＢＣ薬）、初期診断の日付及び、ユーザの偏頭痛に関して次に予定されているＡｌｐｈａ  Ｈｅａｌｔｈ  Ｃａｒｅへの受診に関する情報を含む。他の実施形態では、健康状態記録９０１６Ａ〜９０１６Ｄはそれぞれ、その健康状態に関して以前に処方された薬剤の名前、その健康状態に関してユーザが診察を受ける医師又は他のヘルスケア専門家の名前、その健康状態の症状のリスト並びに、その健康状態に関連する他の有用な情報などの、対応する健康状態に関する更なる情報を含む。
【０２８９】
図１０Ｂに示すように、健康状態記録９０１６Ａ〜９０１６Ｄ（それぞれ、不安障害、喘息、高コレステロール及び偏頭痛）はまた、ユーザが特定の健康状態のステータスを指定するために対話するアフォーダンスであるステータストグル９０２２Ａ〜９０２２Ｄをそれぞれ含む。図示の実施形態では、ステータストグル９０２２Ａ〜９０２２Ｄはそれぞれ、ユーザが対応する健康状態をアクティブ又は非アクティブとして指定することを可能にする。他の実施形態では、健康状態記録９０１６Ａ〜９０１６Ｄはそれぞれ、対応する健康状態のための薬剤を服用するリマインダを設定する、その健康状態に関する医師を受診するリマインダを設定する、又はその健康状態に関する通知若しくは更新を受信するオプションを設定するなどの他の状態をユーザが指定できるようにする他の種類のステータストグルも含む。
【０２９０】
いくつかの実施形態では、ステータストグル９０２２Ａ〜９０２２Ｄ（それぞれ、不安障害、喘息、高コレステロール及び偏頭痛に関する）は、健康状態アーカイブ９０５８内には表示されない。このような実施形態のうちの１つ以上において、健康状態アーカイブ９０５８は、ユーザがステータストグル９０２２Ａ〜９０２２Ｄにアクセスするために対話するアフォーダンスであるステータス指定アフォーダンス（図示せず）を含む。例えば、デバイス１００は、ステータス指定アフォーダンスを選択するためのジェスチャの検出に応答して、図１０Ｂに表示するユーザインタフェースの一部の上に、ステータストグル９０２２Ａ〜９０２２Ｄを含む別のユーザインタフェースをオーバーレイする。他の実施形態では、ステータストグルは、健康記録概要内に対応する健康記録と共に表示されて、ユーザが健康状態アーカイブ９０５８をドリルダウンしなくても特定の健康状態のステータスを指定できるようにする。更に別の一実施形態では、ユーザは、健康状態記録９０１６Ａ〜９０１６Ｄ（それぞれ、不安障害、喘息、高コレステロール及び偏頭痛）のうちの１つなどの個々の健康状態記録を選択して、そのような健康状態記録のための各ステータストグル９０２２Ａ、９０２２Ｂ、９０２２Ｃ又は９０２２Ｄを表示する。このような実施形態のうちの１つ以上では、ユーザが健康記録概要に表示されているステータストグルと対話した後に、ユーザに対応する健康状態のステータスの変更を確認するように要求する通知と同様の通知が表示される。このような実施形態では、デバイス１００は、偶発的な入力を回避するために、健康状態のステータスの変更を確認する入力を検出した後に健康状態のステータスを変更する。
【０２９１】
図示の実施形態では、ステータストグル９０２２Ａ〜９０２２Ｃ（それぞれ、不安障害、喘息及び高コレステロールに関する）は、対応する健康状態がアクティブであることを示す。図１０Ｂは、（偏頭痛に関する）ステータストグル９０２２Ｄ上での接触９６０２と、位置９６０２Ａから位置９６０２Ｂへの接触の移動とを伴うスワイプジェスチャを検出して、偏頭痛を非アクティブな健康状態として指定することを更に示す。図１０Ｃは、偏頭痛を非アクティブな状態として指定するユーザの決定を確認するようにユーザに要求する通知９２５２を表示することを示す。通知９２５２は、ユーザが偏頭痛の非アクティブな状態としての指定を確認するために対話するアフォーダンスである確認アフォーダンス９１５３と、ユーザが偏頭痛の非アクティブな状態としての指定をキャンセルするために対話するアフォーダンスである無視アフォーダンス９１５４とを含む。図１０Ｃは、確認アフォーダンス９１５３上での接触９５０６を伴うタップジェスチャを検出し、タップジェスチャに応答して、偏頭痛を図１０Ｄの非アクティブな健康状態として指定することを更に示す。
【０２９２】
図１０Ｄは、ユーザが偏頭痛を非アクティブな健康状態として指定した後の健康状態アーカイブ９０５８の一実施形態を示す。図示の実施形態では、（偏頭痛に関する）ステータストグル９０２２Ｄは、図１０Ｂ及び図１０Ｃに示すユーザのジェスチャに応答して、アクティブから非アクティブに切り替えられている。一部の実施形態では、図１０Ｃに示す通知アフォーダンス９２５２は、図１０Ｂに示すユーザのジェスチャに応答して表示されない。このような実施形態では、健康状態記録９０１６Ｄ（偏頭痛）は、図１０Ｂで実行されるスワイプジェスチャに応答して非アクティブな健康状態として指定される。健康状態記録９０１６Ｄは、偏頭痛がアクティブな健康状態ではなくなったことを示すためにグレー表示される（又は健康状態記録９０１６Ａ〜９０１６Ｃの色とは異なる色で表示される）。図１０Ｄは、健康記録概要アフォーダンス５３０８上での接触９５１０を伴うタップジェスチャを検出し、タップジェスチャに応答して、図１０Ｅの更新された健康記録概要を表示することを更に示す。
【０２９３】
図１０Ｅは、ディスプレイ１１２上に更新された健康記録概要を表示することを示す。図１０Ｅに示すように、更新された健康記録概要は、図１０Ａに示す偏頭痛を治療するために処方された薬剤に関する情報を含む薬剤記録９０１４Ａ（ＡＢＣ薬）又は、図１０Ａに示す偏頭痛に関する情報を含む健康状態記録９０１６Ｄ（偏頭痛）を含まない。図示の実施形態では、非アクティブとして指定された健康記録は、健康記録概要内に示されていない。このような実施形態では、ユーザは、ある健康記録カテゴリ（図１０Ｂに示す健康状態アーカイブ９０５８など）の健康記録アーカイブにアクセスして、対応するカテゴリに属する非アクティブな記録を閲覧することができる。図１０Ｈに示す実施形態などの他の実施形態では、健康記録概要は、アクティブな健康記録と非アクティブな健康記録との双方を含む。しかしながら、非アクティブな健康記録は、グレー表示されるか、又はアクティブな健康記録とは異なる色で表示される。更なる実施形態では、更新された健康記録概要は、ユーザが全ての非アクティブな健康記録を閲覧するために対話するアフォーダンスである非アクティブな健康記録閲覧アフォーダンス（図示せず）、又はユーザが健康記録概要内の非アクティブな健康記録を閲覧するために対話する類似のアフォーダンスを含む。このような実施形態のうちの１つ以上では、デバイス１００は、非アクティブな健康記録閲覧アフォーダンスとのユーザ対話を検出した後に、健康記録概要内に非アクティブな健康記録を表示する。図１０Ｅは、健康状態アフォーダンス９０１１Ｃ上での接触９５１２を伴うタップジェスチャを検出し、タップジェスチャに応答して、図１０Ｆの健康状態アーカイブ９０５８を表示することを更に示す。
【０２９４】
図１０Ｄと同様に、図１０Ｆも、ステータストグル９０２２Ａ〜９０２２Ｄを有する健康状態記録９０１６Ａ〜９０１６Ｄ（それぞれ、不安障害、喘息、高コレステロール及び偏頭痛）を健康状態アーカイブ９０５８内に表示することを示す。図１０Ｆは、ステータストグル９０２２Ｂ上での接触９６０４及び位置９６０４Ａから位置９６０４Ｂへの接触の移動を伴うスワイプジェスチャを検出して、喘息を非アクティブな健康状態として指定することを更に示す。
【０２９５】
図１０Ｇは、喘息を非アクティブな健康状態として指定するための、（喘息に関する）ステータストグル９０２２Ｂ上での接触９６０４及び位置９６０４Ａから位置９６０４Ｂへの接触の移動を伴うスワイプジェスチャの後の図１０Ｆの続きの図である。図１０Ｇの実施形態では、健康状態記録９０１６Ａ〜９０１６Ｄ（それぞれ、不安障害、喘息、高コレステロール及び偏頭痛）の順序は、非アクティブな健康状態記録のグループ（健康状態記録９０１６Ｂ及び９０１６Ｄ）の前にアクティブな健康状態記録のグループ（健康状態記録９０１６Ａ及び９０１６Ｃ）を表示するために変更されており、図１０Ｆの順序とは異なる順序で健康状態記録を提示する。更に、各グループ内の健康状態記録は、健康状態の名前に基づいてアルファベット順に整理されている。図１０Ｇは、健康記録概要５３０８上での接触９５１６を伴うタップジェスチャを検出し、タップジェスチャに応答して、図１０Ｈの更新された健康記録概要を表示することを更に示す。
【０２９６】
図１０Ｅと同様に、図１０Ｈも、ユーザが健康記録を非アクティブな健康記録として指定した後に、更新された健康記録概要を表示することを示す。図１０Ｅの実施形態とは対照的に、全てが非アクティブな健康記録として指定されている薬剤記録９０１４Ａ及び９０１４Ｃ（ＡＢＣ薬及びＧＨＩ薬）、並びに健康状態記録９０１６Ｂ及び９０１６Ｄ（喘息及び偏頭痛）は、アクティブな健康記録と同時に表示される。図示の実施形態では、薬剤記録９０１４Ａ〜９０１４Ｄ（それぞれ、ＡＢＣ薬、ＤＥＦ薬、ＧＨＩ薬及びＬＭＮ薬）の表示順序並びに健康状態記録９０１６Ａ〜９０１６Ｄ（それぞれ、不安障害、喘息、高コレステロール及び偏頭痛）の表示順序は、アクティブな健康記録を一緒にグループ化すると共に、非アクティブな健康記録を一緒にグループ化するように並べ替えられている。更に、各グループ内の健康記録は、対応する薬剤の名前（薬剤記録の場合）又は対応する健康状態の名前（健康状態記録の場合）のアルファベット順に並べられている。他の実施形態では、全ての非アクティブな健康記録は、カテゴリに関係なく一緒にグループ化されるか、あるいはユーザが非アクティブな健康記録からアクティブな健康記録を区別できるようにする別の順序でグループ化されるか、又は別の方法で特定される。図１０Ｈは、薬剤アフォーダンス９０１１Ｂ上での接触９５１８を伴うタップジェスチャを検出し、タップジェスチャに応答して、図１０Ｉの薬剤アーカイブ９０５７を表示することを更に示す。
【０２９７】
図１０Ｉは、それぞれＡＢＣ薬、ＤＥＦ薬、ＧＨＩ薬及びＬＭＮ薬の薬剤記録９０１４Ａ〜９０１４Ｄを含む薬剤アーカイブ９０５７を示す。薬剤記録９０１４Ａ〜９０１４Ｄはそれぞれ、薬剤が処方された健康状態、薬剤の処方箋を提供したヘルスケア提供者及び推奨される用量に関する情報も含む。いくつかの実施形態では、薬剤記録９０１４Ａ〜９０１４Ｄは、警告、指示、最寄りの薬局の所在地並びに薬剤に関する他の情報などの、対応する薬剤に関する更なる情報も含む。図示の実施形態では、薬剤記録９０１４Ａ及び９０１４Ｃは一緒に表示され、グレー表示されて、ＡＢＣ薬及びＧＨＩ薬が非アクティブな健康状態に対して処方されていることを示す。図示の実施形態では、非アクティブな薬剤記録９０１４Ａ及び９０１４Ｃは、一緒に表示され、対応する健康状態の名前のアルファベット順に並べられている。他の実施形態では、非アクティブな薬剤記録は、薬剤の名前のアルファベット順に、又はユーザが非アクティブな健康記録を識別しやすくする他の方法で整理される。
【０２９８】
薬剤アーカイブ９０５７のいくつかの実施形態では、ユーザは、薬剤記録９０１４Ａ〜９０１４Ｄ（それぞれ、ＡＢＣ薬、ＤＥＦ薬、ＧＨＩ薬及びＬＭＮ薬）をアクティブ又は非アクティブとして直接指定してもよい。例えば、アクティブな健康状態（不安障害）のためにＤＥＦ薬が処方されていても、ユーザが（例えばＤＥＦ薬のアレルギー反応のため、不安障害治療用の代替の薬剤の処方箋を受け取っているため、又は他の何らかの理由のために）ＤＥＦ薬を服用しなくなった場合には、ＤＥＦ薬を非アクティブな薬剤として指定してもよい。このような実施形態のうちの１つ以上では、図１０Ｂに示すトグルステータストグル９０２２Ａ〜９０２２Ｄ（それぞれ、不安障害、喘息、高コレステロール及び偏頭痛に関する）と同様のステータストグルが、薬剤記録９０１４Ａ〜９０１４Ｄと共に表示される。このような実施形態では、ユーザは、１つ以上のステータストグルを切り替えて、対応する薬剤記録をアクティブな健康記録又は非アクティブな健康記録として指定することができる。図示の実施形態では、薬剤アーカイブ９０５７は、特定の健康記録に関するリマインダを指定するためにユーザが選択するアフォーダンスであるリマインダ設定アフォーダンス９０２０を含む。図１０Ｉは、リマインダ設定アフォーダンス９０２０上での接触９５２０を伴うタップジェスチャを検出し、タップジェスチャに応答して、図１０Ｊに薬剤記録９０１４Ａ〜９０１４Ｄを表示することを更に示す。
【０２９９】
図１０Ｊは、ユーザが薬剤のリマインダを設定できるようにするための薬剤記録９０１４Ａ〜９０１４Ｄ（それぞれＡＢＣ薬、ＤＥＦ薬、ＧＨＩ薬及びＬＭＮ薬）の表示を示す。薬剤記録９０１４Ｂ及び９０１４Ｄは、リマインダトグル９０２４Ａ及び９０２４Ｂと共に表示されている。本明細書で使用されるリマインダトグルは、対応する健康記録に関する１つ以上のリマインダの種類を設定するためにユーザが選択するアフォーダンスである。リマインダの種類の例としては、薬剤を服用するリマインダ、薬剤を補充するリマインダ、医師との予約をスケジュールするリマインダ、保険請求を提出するリマインダ、医師との近日中の予約に関するリマインダ、検査を受けるリマインダ、又は対応する健康記録に関する任意の他の好適なリマインダが挙げられる。図示の実施形態では、薬剤記録９０１４Ａ及び９０１４Ｃが非アクティブな健康記録として指定されているので、リマインダトグルは薬剤記録９０１４Ａ及び９０１４Ｃと共に表示されない。他の実施形態では、リマインダトグルはまた、ユーザが対応する薬剤のリマインダ（期限を過ぎた処方箋を更新するリマインダ又は期限を過ぎた処方箋に関連する健康状態に関して医師に連絡するリマインダなど）を設定できるように、非アクティブな薬剤記録と共に表示される。図１０Ｊは、図１０Ｉに示す薬剤アーカイブとは別個のユーザインタフェース９０６０内に薬剤記録９０１４Ａ〜９０１４Ｄ並びにリマインダトグル９０２４Ａ及び９０２４Ｂを表示することを示す。他の実施形態では、薬剤アーカイブ９０５７内の薬剤記録は、薬剤記録及び対応するリマインダトグルを含む。図１０Ｊは、リマインダトグル９０２４Ｂ上での接触９６０６及び位置９６０６Ａから位置９６０６Ｂへの接触の移動を伴うスワイプジェスチャを検出して、図１０ＫのＬＭＮ薬のリマインダを設定することを更に示す。
【０３００】
図１０Ｋは、リマインダ設定通知９０２１を表示してＬＭＮ薬の１つ以上のリマインダを設定する一実施形態を示す。図示の実施形態では、リマインダ設定通知９０２１は、図１０Ｊのユーザインタフェース９０６０の一部の上にオーバーレイされ、ＬＭＮ薬を服用するリマインダを設定するリマインダトグル９０３２Ａと、ＬＭＮ薬を補充するリマインダを設定するリマインダトグル９０３２Ｂと、ＬＭＮ薬がその治療を目的として処方された健康状態であるユーザのコレステロールレベルに関してＡｌｐｈａ  Ｈｅａｌｔｈ  Ｃａｒｅ（又はＡｌｐｈａ  Ｈｅａｌｔｈ  Ｃａｒｅの医師）を受診するリマインダを設定するリマインダトグル９０３２Ｃとを含む。他の実施形態では、図１０Ｊの（ＤＥＦ薬及びＬＭＮ薬の）リマインダトグル９０２４Ａ及び９０２４Ｂを表示する代わりに、リマインダトグル９０３２Ａ〜９０３２Ｃのそれぞれ及び対応するリマインダを説明するテキストが、薬剤ごとにユーザインタフェース９０６０内に直接表示される。更なる一実施形態では、薬剤アーカイブ９０５７は、薬剤ごとにリマインダトグル９０３２Ａ〜９０３２Ｃをそれぞれ表示し、図１０Ｉのリマインダ設定アフォーダンス９０２０、図１０Ｊのユーザインタフェース９０６０及び図１０Ｋのリマインダ設定通知９０２１の必要性を回避する。
【０３０１】
図１０Ｋは、リマインダトグル９０３２Ａ上での接触９６０８及び位置９６０８Ａから位置９６０８Ｂへの接触の移動を伴うスワイプジェスチャを検出して、ＬＭＮ薬を服用するリマインダを設定することを更に示す。いくつかの実施形態では、ユーザはまた、一日のうちでリマインダを受け取る時刻（又は複数の時刻）を指定する。他の実施形態では、リマインダを表示する時刻をユーザが指定していない場合、デバイス１００は、リマインダをデフォルトで表示するための、例えば午後１０時又はユーザの毎朝の目覚まし時計が鳴ってから１５分後などの好適な時刻を自動的に決定する。１つ以上のそのような実施形態では、ＬＭＮ薬が１日に複数回服用されるように処方される場合、デバイス１００は、ＬＭＮ薬を服用するリマインダを表示するように指定された時刻を受信した後に、ＬＭＮ薬を服用するリマインダを表示する他の好適な時刻を自動的に計算する。例えば、薬剤が１日３回服用されることになっており、ユーザが第１のリマインダを午後１１時に設定した場合には、デバイス１００は、更なるリマインダを午前７時及び午後３時に自動的に指定する。更なる実施形態では、デバイス１００は、ユーザのカレンダスケジュールにアクセス可能であり、ユーザにリマインダを表示する時刻（又は複数の時刻）を、そのようなカレンダスケジュールに基づいて自動的に指定する。いくつかの実施形態では、デバイス１００は、ＬＭＮ薬を服用するリマインダを表示するように指定された時刻を受信すると、ユーザがそのような時刻を変更するまで、又は対応する健康記録が非アクティブな健康記録として指定されるまで、指定された時刻にリマインダを表示し続ける。
【０３０２】
図１０Ｌは、ユーザが図１０Ｋに記載されているようにＬＭＮ薬を服用するリマインダを設定することに応答して、通知９０７２を表示することを示す。通知９０７２などの通知（及び図１０Ｎ、図１０Ｏ及び図１０Ｑに示す通知９０７４、９０７６及び９０７８のそれぞれ）は、ロック画面上に、ユーザがそのようなリマインダの指定された時刻にたまたま確認している任意のアプリケーション上のオーバーレイ上に、デバイス１００によって生成されたテキストメッセージ又は他の警告として、ユーザインタフェースの境界内の通知バッジとして、デジタルアシスタントからの音声告知として、別のテキスト音声化告知として、又は音声若しくは視覚通知の任意の他の組み合わせを使用して表示することができる。図示の実施形態では、通知９０７２は、処方量を含めたＬＭＮ薬の服用のための指示を含む。他の実施形態では、通知９０７２は、ＬＭＮ薬に関する警告、ドラッグファクト、成分又は他の有用な情報などの、ＬＭＮ薬に関する更なる情報も含む。通知９０７２は、ユーザがＬＭＮ薬を服用したことを示すためにユーザが選択するアフォーダンスであるタスク完了アフォーダンス９０８２及び、通知９０７２を無視する無視アフォーダンス９０８４も含む。図１０Ｌは、タスク完了アフォーダンス９０８２上での接触９５２２を伴うタップジェスチャを検出することを更に示す。いくつかの実施形態では、デバイス１００は、ＬＭＮ薬の残量を自動的に追跡し続ける。そのような実施形態のうちの１つでは、デバイス１００は、タスク完了アフォーダンス９０８２上での接触９５２２を伴うタップジェスチャを検出したことに応答して、ＬＭＮ薬の残量を処方量（２錠）だけ自動的に差し引く。いくつかの実施形態では、ユーザは、無視アフォーダンス９０８４上での接触を伴う別のタップジェスチャを実行して、通知９０７２を却下する。他の実施形態では、デバイス１００は、通知９０７２上での接触を伴うタップジェスチャ又は通知９０７２によって覆われていないディスプレイ１１２の領域内でのタップジェスチャを検出したことに応答して、通知９０７２を無視する。図示の実施形態では、通知９０７２は、１月８日土曜日の午前１０時に表示される。他の実施形態では、ユーザがリマインダの時刻に薬剤を服用できない場合、ユーザは通知９０７２を使用して、通知９０７２を受信する時刻を遅らせるか、又は別の時刻（図示せず）を指定することができる。更なる実施形態では、デバイス１００は、ユーザの予定を調べて、予定された通知をユーザにとって都合のよい時刻まで遅らせる。
【０３０３】
図１０Ｋと同様に、図１０Ｍは、リマインダ設定通知９０２１をユーザインタフェース９０６０の一部分の上にオーバーレイさせて表示することを示す。図１０Ｍは、リマインダトグル９０３２Ｂ上での接触９６１０及び位置９６１０Ａから位置９６１０Ｂへの接触の移動を伴うスワイプジェスチャを検出して、ＬＭＮ薬を補充するリマインダを設定することを更に示す。いくつかの実施形態では、デバイス１００は、ＬＭＮ薬を補充するリマインダを設定するためのジェスチャを検出したことに応答して、ＬＭＮ薬の推定残量を、処方薬が補充された最近の日付、薬剤の一日当たりの規定用量及びそのような処方日からの経過日数に基づき、ＬＭＮ薬がユーザに処方された日からユーザが処方量を服用しているという仮定に基づいて計算する。あるいは、デバイス１００は、ユーザが図１０Ｌのタスク完了アフォーダンス９０８２を選択して、ユーザが処方量を服用したことを示すたびに、薬剤の規定用量及び薬剤が最後に補充された日付に基づいて、ＬＭＮ薬の推定残量を計算する。前述の実施形態のいずれにおいても、デバイス１００は、薬剤がなくなる日付をそのような計算に基づいて推定し、そのような推定日までに処方薬を補充することをユーザに思い出させる１回以上の所定の時刻を決定する。更なる実施形態では、デバイス１００は、ユーザに定期的に問い合わせて、ＬＭＮ薬の残量を判定する。一実施形態では、ユーザは、そのような薬剤がなくなると推定される日付のどれだけ前にそのようなリマインダが与えられるべきかを設定する。
【０３０４】
図１０Ｎは、ユーザが図１０Ｍに記載されるように補充リマインダを設定することに応答して、ユーザにＬＭＮ薬剤を補充することを思い出させる通知９０７４を表示することを示す。通知９０７４は、ユーザがＬＭＮ薬を補充するために、又はＬＭＮ薬を補充する前にＬＭＮ薬に関するより多くの情報を得るために対話できる複数のアフォーダンスを含む。図示の実施形態では、ユーザは、ＬＭＮ薬を処方した医師に連絡するために、医師への連絡アフォーダンス９０８１を選択することができる。更に、ユーザは、ユーザの保険適用範囲及びＬＭＮ薬を補充する費用を確認するために、保険適用範囲確認アフォーダンス９０８３を選択してもよい。ユーザはまた、ＬＭＮ薬を補充するために薬剤師に連絡するか、又はＬＭＮ薬の受け取りのために利用可能な最寄りの薬局を決定するために、薬剤師への連絡アフォーダンス９０８５を選択することができる。ユーザは、ＬＭＮ薬を補充するための代替プロセスを開始するために、電子補充アフォーダンス９０８６を選択することができる。ユーザはまた、ＬＭＮ薬を補充することなく通知９０７４を無視するために、無視アフォーダンス９０８４を選択してもよい。いくつかの実施形態では、通知９０７４は、ユーザがＬＭＮ薬の補充に関連する他のタスクを実行するために対話可能な他の種類のアフォーダンスを含む。図示した実施形態では、通知９０７４は、ＬＭＮ薬がなくなると推定される日付の１週間前にデバイス１００上に表示される。他の実施形態では、ユーザは、通知９０７４を受け取る別の時点（ＬＭＮ薬がなくなると推定される２週間前など）、並びにユーザが通知９０７４を受け取ることを望む頻度（例えば、１日１回、週１回、又は任意の他の期間）を指定してもよい。
【０３０５】
図１０Ｎは、ＬＭＮ薬を補充するために、電子補充アフォーダンス９０８６上での接触９５２４を伴うタップジェスチャを検出することを更に示す。いくつかの実施形態では、デバイス１００は、電子補充アフォーダンス９０８６上での接触を伴うタップジェスチャを検出した後に、電子補充プロセスを自動的に開始する。このような実施形態では、デバイス１００は、図１０Ｎの電子補充アフォーダンス９０８６上での接触９５２４を伴うタップジェスチャの検出に応答して、電子補充要求が処理されたことを示す図１０Ｏの通知９０７６を表示する。他の実施形態では、デバイス１００は、タップジェスチャを検出したことに応答して、ユーザが電子補充プロセスを開始するために使用することができるユーザインタフェースを表示する。
【０３０６】
図１０Ｍと同様に、図１０Ｐは、リマインダ設定通知９０２１をユーザインタフェース９０６０の一部分の上にオーバーレイさせて表示することを示す。図１０Ｐは、リマインダトグル９０３２Ｃ上での接触９６１２及び位置９６１２Ａから位置９６１２Ｂへの接触の移動を伴うスワイプジェスチャを検出して、予定された予約の時刻にＡｌｐｈａ  Ｈｅａｌｔｈ  Ｃａｒｅを受診するリマインダを設定することを更に示す。あるいは、予約を入れることを後の時点でユーザに思い出させるようにリマインダを設定してもよい。
【０３０７】
図１０Ｑは、ユーザが図１０Ｐに記載のように予約に関するリマインダを設定したことに応答して、Ａｌｐｈａ  Ｈｅａｌｔｈ  Ｃａｒｅ（の医師）との近日中の予約のことをユーザに思い出させる通知９０７８を表示することを示す。通知９０７８は、予約の場所への道順を取得するため、近日中の予約に関して医師に連絡するため、又は近日中の予約を変更するためにユーザが対話することができる複数のアフォーダンスを含む。図示の実施形態では、ユーザは、地図アフォーダンス９０９２を選択して、Ａｌｐｈａ  Ｈｅａｌｔｈ  Ｃａｒｅへの道順を含む地図アフォーダンスを開くことができる。ユーザは、医師に連絡して近日中の予約の準備のことを相談するために、医師への連絡アフォーダンス９０８５を選択することができる。更に、ユーザは、近日中の予約の時間を変更するために、予約変更アフォーダンス９０９４を選択してもよい。ユーザはまた、通知９０７８を無視するために、無視アフォーダンス９０８４を選択してもよい。一部の実施形態では、通知９０７８は、近日中の予約に関連する他のタスクを実行するためにユーザが対話することができる他の種類のアフォーダンスを含む。一部の実施形態では、ユーザは、通知９０７８を受け取る時刻（予定されている予約の１時間前など）を指定してもよい。他の実施形態では、ユーザが通知９０７８を受け取る時刻を指定していない場合、デバイス１００は、通知９０７８を表示する時刻を自動的に決定する。そのような実施形態のうちの１つ以上において、デバイス１００は、通知９０７８を遅らせるか、又はユーザの予定に基づいて通知９０７８の時刻を決定する。他の実施形態では、デバイス１００がユーザの所在地を追跡することをユーザによって許可されている場合、デバイス１００は、ユーザの現在の所在地から予約の場所までの予測される移動時間を計算する。次いで、デバイス１００は、閾値時間をクッションとして追加し、予測される移動時間と閾値時間とを予約時刻から差し引いて通知時刻を計算し、通知時刻に又はその前に通知９０７８を表示する。
【０３０８】
図１１Ａ〜図１１Ｅは、いくつかの実施形態による、ユーザが特定の健康記録に関連付けられた活動のステータスを指定してこれを管理できるようにする健康記録マネージャを、電子デバイスを使用して表示する方法を示すフロー図である。より具体的には、図１１Ａ〜１１Ｅは、例えば、図１０Ａ〜図１０Ｑのユーザインタフェースを使用して、ユーザの健康記録マネージャを表示するための方法を示すフロー図である。図１０Ａ〜図１０Ｑを参照して説明するように、方法１１００は、ユーザが特定の健康記録のステータスを指定できるようにする健康記録マネージャを表示するために利用することができる。方法１１００は、デバイス（例えば、それぞれ図１、図３及び図５Ａに示すデバイス１００、３００、５００）で実行される。そのような実施形態のうちの１つでは、ディスプレイ１１２はタッチスクリーンディスプレイであり、タッチ感知面がディスプレイ１１２上にあるか又はこれに組み込まれている。いくつかの実施形態では、ディスプレイ１１２はタッチ感知面から分離している。他の実施形態では、本明細書に記載されるプロセスは、物理的ユーザインタフェース、音声インタフェース、又は他の好適なインタフェースを有するデバイスを用いて実装されてもよい。方法１１００におけるいくつかの動作は、任意選択的に組み合わされる。更に、いくつかの動作の順序は、任意選択的に変更される。
【０３０９】
以下に説明するように、方法１１００は、ユーザが特定の健康記録に関連付けられた活動のステータスを指定してこれを管理できるようにする健康記録マネージャを表示するための直観的な方法を提供する。任意選択的に、ユーザによって非アクティブとして指定された健康記録は、健康記録マネージャのダッシュボードユーザインタフェース内では非表示となるが、ユーザの健康記録に関するより詳細な情報を含む他のユーザインタフェース内には表示される。ユーザは、非アクティブな健康記録と対話して、非アクティブな健康記録のステータスを更新することができる。この方法は、ユーザがアクティブな健康記録と非アクティブな健康記録とを区別できるようにすることによって、ユーザの認識的負担を軽減し、より効率的なヒューマンマシンインタフェースを創出する。この方法はまた、ユーザが、アクティブな健康記録と非アクティブな健康記録とを素早く区別できるようにすると共に、ユーザの特定の健康記録に関するリマインダをユーザに提供することによって、ユーザの効率を向上させる。バッテリ動作式コンピューティングデバイスの場合、ユーザがユーザのアクティブな及び非アクティブな健康記録をより速く、より効率的にブラウズできるようにすることで、電力が節約され、電池充電の間隔が長くなる。
【０３１０】
デバイス１００は、ユーザの１つ以上のヘルスケア提供者に関連付けられている間に、１つ以上のヘルスケア提供者からの健康記録情報によって示されるこのユーザの複数の進行中の健康状態のうちの第１の健康状態の第１の表現を表示し、複数の進行中の健康状態は、第２の進行中の健康状態及び第３の進行中の健康状態を含む（１１０２）。図１０Ａ及び図１０Ｂは、例えば、４つの健康状態記録９０１６Ａ〜９０１６Ｄ（不安障害、喘息、高コレステロール及び偏頭痛）を示す。
【０３１１】
デバイス１００は、第１の進行中の健康状態の第１の表現を表示している間に、１つ以上の入力デバイスを介して、第１の進行中の健康状態をこのユーザについて非アクティブとしてマークする要求を受信する（１１０４）。図１０Ｂは、例えば、偏頭痛を非アクティブな健康状態として指定するための、ステータストグル９０２２Ｄ上での接触９６０２（偏頭痛に関する）及び位置９６０２Ａから位置９６０２Ｂへの接触の移動を伴うスワイプジェスチャを示す。スワイプジェスチャは、デバイス１００によって検出され、デバイス１００に、図１０Ｃ及び図１０Ｄに示すアクションを実行させる。
【０３１２】
デバイス１００は、第１の進行中の健康状態を非アクティブとしてマークする要求を受信した後に、１つ以上の入力デバイスを介して、このユーザに関する進行中の健康状態を表示する要求を受信する（１１０６）。例えば、図１０Ｄ及び１０Ｅは、健康記録概要アフォーダンス５３０８上での接触９５１０を伴うタップジェスチャを検出し、タップジェスチャに応答して、更新された健康記録概要をディスプレイ１１２上に表示することを示す。図１０Ｄに示すタップジェスチャは、進行中の健康状態を表示する要求の一例である。
【０３１３】
デバイス１００は、ユーザに関する進行中の健康状態を表示する要求の受信に応答して、１つ以上のヘルスケア提供者からの健康記録情報によって示される複数の進行中の健康状態からのユーザの第２の進行中の健康状態の第２の表現と、１つ以上のヘルスケア提供者からの健康記録情報によって示される複数の進行中の健康状態からのユーザの第３の進行中の健康状態の第３の表現とを、ユーザの第１の進行中の健康状態の第１の表現をアクティブな健康状態として表示することなく、ディスプレイ１１２上に同時に表示する（１１０８）。図１０Ｅは、例えば、ユーザによって非アクティブな健康記録として指定された図１０Ａに示す健康状態記録９０１６Ｄ（偏頭痛）を表示せずに、健康状態記録９０１６Ａ（不安障害）、９０１６Ｂ（喘息）及び９０１６Ｃ（高コレステロール）を同時に表示することを示す。
【０３１４】
いくつかの実施形態では、デバイス１００は、第１の進行中の健康状態を非アクティブとしてマークする要求の受信に応答して、第１の進行中の健康状態が非アクティブであるという視覚的指示をディスプレイ１１２上に表示する（１１１０）。いくつかの実施形態では、健康記録概要に非アクティブな健康状態が表示されない場合、デバイス１００は、ユーザが全ての非アクティブな健康記録を閲覧するために対話するアフォーダンスである非アクティブな健康記録閲覧アフォーダンス（図示せず）、又はユーザが健康記録概要内の非アクティブな健康記録を閲覧するために対話する類似のアフォーダンスを表示する。他の実施形態では、健康記録概要は、１つ以上の健康記録が非アクティブとしてマークされており、健康記録概要に表示されていないことを示すバッジ又は別の項目を含む。そのような実施形態のうちの１つ以上では、バッジは、非アクティブな健康記録が健康指標記録である場合には、図１０Ａの健康指標アフォーダンス９０１１Ａに付加され、非アクティブな健康記録が薬剤記録である場合には、図１０Ａの医療用アフォーダンス９０１１Ｂに付加され、非アクティブな健康記録が健康状態記録である場合には、図１０Ａの健康状態アフォーダンス９０１１Ｃに付加される。１つ以上の実施形態では、バッジは、あるカテゴリに属する非アクティブな健康記録の数、又は非アクティブな健康記録の総数を示す数値を含む。この方法は、ユーザがユーザインタフェースに表示されていない非アクティブな健康記録を継続的に追跡できるようにすることによって、ユーザの認識的負担を軽減する。この方法はまた、ユーザがユーザインタフェースに表示された健康記録のステータスを素早く判定すると共に、ユーザの特定の健康記録が非アクティブな健康記録として指定されているかどうかを判定できるようにすることによって、ユーザの効率を向上させ、より効率的なヒューマンマシンインタフェースを創出する。
【０３１５】
デバイス１００は、このユーザに関する複数の進行中の健康状態を表示する要求の受信に応答して、第１の進行中の健康状態が非アクティブであるという視覚的指示、ユーザの第２の進行中の健康状態、及びユーザの第３の進行中の健康状態をディスプレイ１１２上に同時に表示する（１１１２）。いくつかの実施形態では、非アクティブな健康記録の閲覧アフォーダンス及び前の段落で説明されたバッジが、図１０Ｅに示す健康記録概要内に健康状態記録９０１６Ａ〜９０１６Ｃ（それぞれ、不安神経症、喘息及び高コレステロール）と共に表示される。この方法は、健康記録の現在のステータスを継続的に追跡することによってユーザの認識的負担を軽減し、より効率的なヒューマンマシンインタフェースを創出する。この方法は、アクティブな健康記録を取得するために複数のユーザインタフェースをナビゲートする必要性を回避する。この方法はまた、ユーザがユーザの健康記録の現在のステータスを素早く判定できるようにすることで、ユーザの効率を向上させる。バッテリ動作式コンピューティングデバイスの場合、ユーザがユーザの健康記録のステータスをより速く、より効率的に判定できるようにすることで、電力が節約され、電池充電の間隔が長くなる。
【０３１６】
デバイス１００は、第１の進行中の健康状態を非アクティブとしてマークする要求を受信した後に、１つ以上の入力デバイスを介して、第１の健康状態をアクティブとしてマークする第２の要求を受信する（１１１４）。いくつかの実施形態では、図１０Ｄに示す健康状態記録９０１６Ｄ（偏頭痛）が非アクティブ記録としてマークされていても、ユーザは、ステータストグル９０２２Ｄ（偏頭痛に関する）上での接触と、ステータストグル９０２２Ｄを非アクティブな指定からアクティブな指定へと切り替える方向への接触の移動とを伴うスワイプジェスチャを実行する。いくつかの実施形態では、デバイス１００は、第１の健康状態をアクティブとしてマークする第２の要求を受信することに応答して、第１の進行中の健康状態の第１の表示を、第１の進行中の健康状態がアクティブであることを示すように更新する（１１１４）。この例では、デバイス１００は、ステータストグル９０２２Ｄを非アクティブな指定からアクティブな指定へと切り替えるスワイプジェスチャを含む入力を検出することに応答して、健康状態記録９０１６Ｄをアクティブな健康状態として更新する。
【０３１７】
いくつかの実施形態では、デバイス１００は、第１の進行中の健康状態の第１の表示をアクティブとして更新した後に、ユーザに関する複数の進行中の健康状態を表示する第２の要求を受信する（１１１４）。図１０Ｇは、例えば、健康記録概要アフォーダンス５３０８上での接触９５１６を伴うタップジェスチャを示す。いくつかの実施形態では、デバイス１００は、このユーザに関する複数の進行中の健康状態を表示する第２の要求の受信に応答して、更新された第１の進行中の健康状態の表現、第２の進行中の健康状態の第２の表現及び、第３の進行中の健康状態の第３の表現をディスプレイ１１２上に表示する（１１１４）。この例では、９０１６Ｄ（偏頭痛）がアクティブな健康状態としてマークされている場合、健康記録９０１６Ａ（不安障害）、９０１６Ｃ（高コレステロール）及び９０１６Ｄが、図１０Ｈに示す健康記録概要内に同時に表示される。
【０３１８】
いくつかの実施形態では、デバイス１００は、第１の進行中の健康状態を非アクティブとしてマークする要求の受信に応答して、第１の進行中の健康状態に関連付けられたヘルスケア提供者に関連付けられたコンピュータシステムに、第１の進行中の健康状態の非アクティブなステータスを示す情報を送信する（１１１６）。いくつかの実施形態では、デバイス１００は、図１０Ｂに示すスワイプジェスチャを含む入力を検出した後に、図１０Ｂに示す健康状態記録９０１６Ｄ（偏頭痛）が非アクティブな記録として指定されていることを示す指示を、Ａｌｐｈａ  Ｈｅａｌｔｈ  Ｃａｒｅのコンピュータシステムに送信する。この方法は、ユーザによって更新された健康記録のステータスに関してユーザがヘルスケア提供者と通信する必要性を低減することで、既存のネットワークへの負担を軽減し、ネットワーク上の帯域幅を削減し、エネルギーを節約する。この方法はまた、健康記録のステータスをヘルスケア提供者の電子システムに自動的に提供することで、ユーザの効率を向上させ、より効率的なヒューマンマシンインタフェースを創出する。
【０３１９】
いくつかの実施形態では、デバイス１００は、第１の進行中の健康状態に対する更新を受信した後に、１つ以上の入力デバイスを介して、ユーザに関する進行中の健康状態を表示する第３の要求を受信する（１１１８）。いくつかの実施形態では、健康状態記録９０１６Ｄ（偏頭痛）が非アクティブな健康記録として指定されていても、デバイス１００は、健康状態記録９０１６Ｄのステータスを更新する要求をユーザから受信する。他の実施形態では、デバイス１００は、健康記録のステータスの（以前に期限切れとなった薬剤の処方箋を更新するなどの）更新をヘルスケア提供者から受信する。いくつかの実施形態では、デバイス１００は、このユーザに関する複数の進行中の健康状態を表示する第３の要求の受信に応答して、更新された第１の進行中の健康状態の表現、第２の進行中の健康状態の第２の表現及び、第３の進行中の健康状態の第３の表現をディスプレイ１１２上に表示する（１１１８）。この例では、９０１６Ｄがアクティブな健康状態としてマークされている場合、健康記録９０１６Ａ（不安障害）、９０１６Ｃ（高コレステロール）及び９０１６Ｄが、図１０Ｈに示す健康記録概要内に同時に表示される。この方法は、健康記録に対する更新を継続的に追跡することによって、ユーザの認識的負担を軽減する。この方法はまた、ユーザがユーザの健康記録の現在のステータスを素早く判定できるようにすることで、より効率的なヒューマンマシンインタフェースを創出する。バッテリ動作式コンピューティングデバイスの場合、ユーザがユーザの健康記録のステータスをより速く、より効率的に判定できるようにすることで、電力が節約され、電池充電の間隔が長くなる。
【０３２０】
いくつかの実施形態では、デバイス１００は、第１の進行中の健康状態に対する更新の受信に応答して、第１の進行中の健康状態をアクティブな健康状態としてマークする（１１２０）。この例では、デバイス１００は、進行中の健康状態に関連付けられたユーザから又はヘルスケア提供者（Ａｌｐｈａ  Ｈｅａｌｔｈ  Ｃａｒｅ）からの更新の受信に応答して、健康状態記録９０１６Ｄ（偏頭痛）をアクティブな健康記録としてマークする。この方法は、ユーザ入力に応答して、進行中の健康状態の更新されたステータスを表示することによって、ユーザの認識的負担を軽減する。バッテリ動作式コンピューティングデバイスの場合、ユーザがユーザの最新の健康記録をより速く、より効率的に確認できるようにすることで、電力が節約され、電池充電の間隔が長くなる。
【０３２１】
いくつかの実施形態では、デバイス１００は、第１の進行中の健康状態に対する更新の受信に応答して、第１の進行中の健康状態に関連付けられたヘルスケア提供者に関連付けられたコンピュータシステムに更新を送信する（１１２２）。いくつかの実施形態では、デバイス１００は、ユーザによって提供された更新を受信した後に、健康状態記録９０１６Ｄ（偏頭痛）が更新されたことを示す指示を、Ａｌｐｈａ  Ｈｅａｌｔｈ  Ｃａｒｅのコンピュータシステムに送信する。他の実施形態では、デバイス１００はまた、更新を示すデータをコンピュータシステムに送信する。この方法は、ユーザによって更新された健康記録のステータスに関してユーザがヘルスケア提供者と通信する必要性を低減することで、既存のネットワークへの負担を軽減し、ネットワーク上の帯域幅を低減し、エネルギーを節約する。この方法はまた、健康記録のステータスをヘルスケア提供者の電子システムに自動的に提供することで、ユーザの効率を向上させ、より効率的なヒューマンマシンインタフェースを創出する。
【０３２２】
いくつかの実施形態では、デバイス１００は、第２の進行中の健康状態に関連付けられた日付セットの決定に応答して、日付セットのそれぞれの日付における第２の進行中の健康状態に関する通知をディスプレイ１１２上に表示する（１１２４）。図１０Ｌは、例えば、図１０Ｋに示すスワイプジェスチャを検出した後に、ＬＭＮ薬を服用することをユーザに思い出させる通知９０７２を表示することを示す。図１０Ｌの実施形態では、推奨用量が６時間ごとに２錠である場合、デバイス１００は、少なくとも毎日１日１回、ディスプレイ１１２上に通知９０７２を表示する。この方法は、健康状態に関連付けられた一連の日を継続的に追跡し、健康状態に関連付けられたこれらの日に通知を自動的に表示することで、ユーザの認識的負担を軽減する。この方法はまた、ユーザが健康状態に関連付けられた一連の日を継続的に追跡しやすくし、健康状態に関連付けられたこれらの日に通知を自動的に提供することで、ユーザの効率を向上させ、より効率的なヒューマンマシンインタフェースを創出する。
【０３２３】
いくつかの実施形態では、第２の進行中の健康状態に関連付けられた日付セットが第１の日付を含み、第１の日付は、第２の進行中の健康状態に対する処方薬の補充が予定されている日付であり、通知は、処方薬を補充するリマインダを含む（１１２６）。図１０Ｎは、例えば、図１０Ｍに示すスワイプジェスチャを検出した後に、ＬＭＮ薬を補充することをユーザに思い出させる通知９０７４を表示することを示す。図示の実施形態では、通知９０７４は、ＬＭＮ薬がなくなることが予定されている日付の１週間前にユーザに提供される。他の実施形態では、補充要求が処理されている場合、ユーザにＬＭＮ薬を受け取ることを思い出させる類似の通知が、予定されている受け取り日に表示される。この方法は、薬剤がいつ閾値よりも少なくなるのかを予測することによって、ユーザの認識的負担を軽減する。この方法はまた、処方薬をいつ補充するかをユーザが決定しやすくすることで、ユーザの効率を向上させ、より効率的なヒューマンマシンインタフェースを創出する。この方法はまた、ユーザに処方薬を補充することを思い出させるタスクを課されたヘルスケア提供者の電子システムへの負担を軽減することで、通信システムを解放し、ネットワーク上の帯域幅を削減し、エネルギーを節約する。
【０３２４】
いくつかの実施形態では、デバイス１００は、第２の進行中の健康状態に対する処方薬の残量が閾値未満となる日付を予測し、第２の進行中の健康状態に関連付けられた日付セットが第２の日付を含み、第２の日付は、処方薬が閾値未満となることが予測される日付であり、通知は、処方薬を補充するリマインダを含む（１１２８）。いくつかの実施形態では、デバイス１００は、ＬＭＮ薬の残りの服用量を継続的に追跡する。図１０Ｌの実施形態では、デバイス１００は、タスク完了アフォーダンス９０８２上でのタップジェスチャの検出に応答して、残りの服用量から推奨される服用量を減算する。他の実施形態では、デバイス１００は、ユーザが推奨される服用量を服用するものと仮定して、推奨される服用量に基づいて残量を推定する。図１０Ｎは、例えば、図１０Ｍに示すスワイプジェスチャを検出した後に、ユーザにＬＭＮ薬を補充することを思い出させる通知９０７４を表示することを示す。図示の実施形態では、通知９０７４は、ＬＭＮ薬がなくなることが予定されている日付の１週間前にユーザに提供される。図示の例では、閾値は、そのユーザにとって１週間以上もつＬＭＮ薬の量である。この方法は、薬剤がいつ閾値よりも少なくなるのかを予測し、処方薬を補充する要求をヘルスケア提供者に自動的に送信することによって、ユーザの認識的負担を軽減する。この方法はまた、ユーザが処方薬の残量を継続的に追跡しなくても、処方薬を補充する要求を自動的に提出することで、ユーザの効率を向上させ、より効率的なヒューマンマシンインタフェースを創出する。ユーザが自身のデバイスに費やすのに要する時間を短縮することで、デバイスの電力使用量が削減され、電池寿命が改善される。
【０３２５】
いくつかの実施形態では、デバイス１００は、第２の日付において、１つ以上のヘルスケア提供者のうちの一ヘルスケア提供者に対して処方薬を補充するように要求し、このヘルスケア提供者は、第２の進行中の健康状態に関連付けられている（１１３０）。図１０Ｎは、例えば、図１０Ｍに示すスワイプジェスチャを検出した後に、ユーザにＬＭＮ薬を補充することを思い出させる通知９０７４を表示することを示す。図示の実施形態では、通知９０７４は、ＬＭＮ薬がなくなることが予定されている日付の１週間前にユーザに提供される。図示の実施形態では、デバイス１００は、図１０Ｎに示す電子補充アフォーダンス９０８６上でのジェスチャの検出に応答して、ＬＭＮ処方薬を補充するようにヘルスケア提供者に要求する。他の実施形態では、デバイス１００は、ＬＭＮ薬を補充する要求を自動的に開始する。この方法は、処方薬を補充するようにヘルスケア提供者に自動的に要求することによって、ユーザの認識的負担を軽減する。この方法はまた、ユーザがヘルスケア提供者と通信する必要性を低減することで、ユーザの効率を向上させ、より効率的なヒューマンマシンインタフェースを創出する。バッテリ動作式コンピューティングデバイスの場合、処方箋を出すようにヘルスケア提供者に自動的に要求することにより、ユーザがデバイスを使用し、そのようなタスクをデバイスを介して実行する必要性が低減されることで、電力が節約され、電池充電の間隔が長くなる。
【０３２６】
いくつかの実施形態では、デバイス１００は、１つ以上の入力デバイスを介して、第２の進行中の健康状態に対する処方薬の残量に対する更新を受信する（１１３２）。いくつかの実施形態では、デバイス１００は、ユーザに定期的に問い合わせて、処方薬の推定残量を提供する。いくつかの実施形態では、デバイス１００は、処方薬の残量が閾値未満であるという判定に従って、処方薬を補充する通知をディスプレイ１１２上に表示する（１１３２）。いくつかの実施形態では、図１０Ｎに示す通知９０７４は、ユーザが入力した薬剤の残量が閾値（１週間以下など）未満であるという判定に応答して表示される。この方法は、ユーザの処方薬の残量をユーザが継続的に追跡しやすくすることで、ユーザの認識的負担を軽減し、より効率的なヒューマンマシンインタフェースを創出する。この方法はまた、処方薬をいつ補充するかをユーザが決定しやすくすることで、ユーザの効率を向上させ、より効率的なヒューマンマシンインタフェースを創出する。この方法はまた、ユーザに処方薬を補充することを思い出させるタスクを課されたヘルスケア提供者の電子システムへの負担を軽減することで、通信システムを解放し、ネットワーク上の帯域幅を削減し、エネルギーを節約する。バッテリ動作式コンピューティングデバイスの場合、ユーザが処方薬の残量をより速く、より効率的に判定できるようにすることで、電力が節約され、電池充電の間隔が長くなる。
【０３２７】
いくつかの実施形態では、第２の進行中の健康状態に関連付けられた日付セットが第３の日付を含み、第３の日付は、１つ以上のヘルスケア提供者のうちの一ヘルスケア提供者への受診が予定されている日付であり、このヘルスケア提供者は第２の進行中の健康状態に関連付けられている（１１３４）。図１０Ｑは、例えば、Ａｌｐｈａ  Ｈｅａｌｔｈ  Ｃａｒｅとのスケジュールされた予約のことをユーザに思い出させる通知９０７８を予約日に表示することを示す。この方法は、ヘルスケア提供者との近日中の予約を継続的に追跡することによって、ユーザの認識的負担を軽減する。この方法はまた、デバイスがヘルスケア提供者との予約をし直すために更なるタスクを実行することが必要となる可能性を低くすることで、デバイスの電力使用量を削減し、電池寿命を改善する。この方法は、ヘルスケア提供者がユーザに近日中の予約のことを思い出させるか、又は受診しなかった予約に関してユーザに連絡する必要性を更に低減することで、通信システムを解放し、ネットワーク上の帯域幅を削減し、エネルギーを節約する。
【０３２８】
いくつかの実施形態では、デバイス１００は、第２の進行中の健康状態に関連付けられた第１のリマインダアフォーダンスをディスプレイ１１２上に表示する（１１３６）。図１０Ｋは、例えば、リマインダトグル９０３２Ａを表示して、ＬＭＮ薬を服用するリマインダを設定することを示す。いくつかの実施形態では、デバイス１００は、第１のリマインダアフォーダンスを表示している間に、１つ以上の入力デバイスを介して、第１のリマインダアフォーダンスを選択する要求を受信する（１１３６）。図１０Ｋは、例えば、リマインダトグル９０３２Ａ上での接触９６０８及び位置９６０８Ａから位置９６０８Ｂへの接触の移動を伴うスワイプジェスチャを検出して、ＬＭＮ薬を服用するリマインダを設定することを更に示す。この方法は、ユーザがユーザの健康状態に関するリマインダを設定しやすくすると共に、ユーザが健康状態を継続的に追跡しやすくすることによって、ユーザの認識的負担を軽減する。この方法はまた、ユーザが健康状態を継続的に追跡しやすくすることで、ユーザの効率を向上させ、より効率的なヒューマンマシンインタフェースを創出する。この方法はまた、ユーザが健康状態を忘れてしまう可能性を低減すると共に、ユーザが健康状態を無視することで引き起こされる合併症にかかる可能性を低減する。バッテリ動作式コンピューティングデバイスの場合、ユーザが健康状態をより容易に、かつより効率的に追跡し続けやすくすることで、電力が節約され、電池充電の間隔が長くなる。
【０３２９】
いくつかの実施形態では、デバイス１００は、第２の進行中の健康状態に関連付けられたリマインダが時刻にも関連付けられるという決定に従い、第２の進行中の健康状態に関連付けられたリマインダに関する通知を、ディスプレイ１１２上でその時刻に表示する（１１３７）。いくつかの実施形態では、ユーザは、ＬＭＮ薬を服用するリマインダを受け取る時刻（午前１０時など）を指定する。次いで、デバイス１００は、ＬＭＮ薬を服用する通知を指定された時刻に表示する。図１０Ｌは、例えば、ＬＭＮ薬を服用する通知９０７２を午前１０時に表示することを示す。この方法は、いつ薬剤を服用するのかをユーザに思い出させることで、ユーザの認識的負担を軽減する。この方法はまた、いつ薬剤を服用するのかをユーザが追跡し続けやすくすることで、ユーザの効率を向上させ、より効率的なヒューマンマシンインタフェースを創出する。方法はまた、ユーザが薬剤を服用し忘れたり、薬剤を間違った時間に服用してしまう可能性を低減し、ユーザが服薬を行わないことで引き起こされる合併症にかかる可能性を低減する。バッテリ動作式コンピューティングデバイスの場合、いつ薬剤を服用するのかをユーザがより速く、より効率的に判定できるようにすることで、電力が節約され、電池充電の間隔が長くなる。
【０３３０】
いくつかの実施形態では、第２の進行中の健康状態に関連付けられたリマインダは、ユーザが第２の進行中の健康状態に対する処方薬を服用する際の指示された時間間隔に関連付けられた定期的なリマインダであり、通知は処方量の処方薬を服用するリマインダである（１１３８）。図１０Ｌの例示的な一実施形態では、ＬＭＮ薬は毎日服用されるようにスケジュールされている。したがって、ＬＭＮ薬を服用する通知９０７２は、定期的な通知である。いくつかの実施形態では、通知９０７２は、毎日午前１０時及び午後４時にディスプレイ１１２上に表示される。この方法は、いつ薬剤を服用するのかをユーザに思い出させることで、ユーザの認識的負担を軽減する。この方法はまた、いつ薬剤を服用するのかをユーザが追跡し続けやすくすることで、ユーザの効率を向上させ、より効率的なヒューマンマシンインタフェースを創出する。方法はまた、ユーザが薬剤を服用し忘れたり、薬剤を間違った時間に服用してしまう可能性を低減し、ユーザが服薬を行わないことで引き起こされる合併症にかかる可能性を低減する。バッテリ動作式コンピューティングデバイスの場合、いつ薬剤を服用するのかをユーザがより速く、より効率的に判定できるようにすることで、電力が節約され、電池充電の間隔が長くなる。
【０３３１】
いくつかの実施形態では、通知は、リマインダに関連付けられた第２のリマインダアフォーダンスを含む（１１４０）。一部の実施形態では、リマインダアフォーダンスは、ユーザが処方量を服用したことを示すために選択するアフォーダンスである。通知９０７２は、タスク完了アフォーダンス９０７２を含む。デバイス１００は、１つ以上の入力デバイスを介して、第２のリマインダアフォーダンスを選択する要求を受信する（１１４０）。図１０Ｌは、例えば、タスク完了アフォーダンス９０８２上での接触９５２２を伴うタップジェスチャを検出することを示す。デバイス１００は、第２のリマインダアフォーダンスを選択する要求の受信に応答して、処方薬の残量を計算する（１１４０）。いくつかの実施形態では、デバイス１００は、ＬＭＮ薬の残量を自動的に追跡し続ける。そのような実施形態のうちの１つでは、システム１００は、図１０Ｌに示すジェスチャの検出に応答して、ＬＭＮ薬の残量を処方量（２錠）だけ自動的に差し引く。いくつかの実施形態では、デバイス１００は、処方薬の残量が閾値未満であるという判定に従って、第２の進行中の健康状態に関する第２の通知をディスプレイ１１２上に表示し、第２の通知は、処方薬を補充するリマインダである（１１４０）。いくつかの実施形態では、デバイス１００は、ＬＭＮ処方薬の残量が閾値（１週間分以上）未満であると判定した後に、図１０Ｎに示す通知９０７４を表示して、ユーザにＬＭＮ薬を補充することを思い出させる。この方法は、ユーザの処方薬の残量をユーザが継続的に追跡しやすくすることで、ユーザの認識的負担を軽減し、より効率的なヒューマンマシンインタフェースを創出する。この方法はまた、処方薬をいつ補充するかをユーザが決定しやすくすることで、ユーザの効率を向上させ、より効率的なヒューマンマシンインタフェースを創出する。この方法はまた、ユーザに処方薬を補充することを思い出させるタスクを課されたヘルスケア提供者の電子システムへの負担を軽減することで、通信システムを解放し、ネットワーク上の帯域幅を削減し、エネルギーを節約する。バッテリ動作式コンピューティングデバイスの場合、ユーザが処方薬の残量をより速く、より効率的に判定できるようにすることで、電力が節約され、電池充電の間隔が長くなる。
【０３３２】
いくつかの実施形態では、ユーザは患者であり、デバイス１００は患者のデバイスである。デバイス１００は、ユーザデバイスである。いくつかの実施形態では、デバイス１００は患者のデバイスである。いくつかの実施形態では、デバイス１００は、患者デバイスが患者の１つ以上のヘルスケア提供者と関連付けられている間に、第１の進行中の健康状態の第１の表現を患者デバイスのディスプレイ１１２上に表示する（１１４２）。図１０Ａ及び図１０Ｂは、例えば、４つの健康状態記録９０１６Ａ〜９０１６Ｄ（それぞれ、不安障害、喘息、高コレステロール及び偏頭痛）を示す。いくつかの実施形態では、デバイス１００は、患者デバイス上に第１の進行中の健康状態の表現を表示している間に、１つ以上の入力デバイスを介して、第１の進行中の健康状態をこの患者について非アクティブとしてマークする患者からの要求を患者から受信する（１１４２）。図１０Ｂは、例えば、偏頭痛を非アクティブな健康状態として指定するための、ステータストグル９０２２Ｄ上での接触９６０２（偏頭痛に関する）及び位置９６０２Ａから位置９６０２Ｂへの接触の移動を伴うスワイプジェスチャを示す。スワイプジェスチャは、デバイス１００によって検出され、デバイス１００に、図１０Ｃ及び図１０Ｄに示すアクションを実行させる。
【０３３３】
いくつかの実施形態では、デバイス１００は、第１の進行中の健康状態を非アクティブとしてマークする患者からの要求を受信した後に、１つ以上の入力デバイスを介して、患者に関する進行中の健康状態を表示する患者からの要求を受信する（１１４２）。例えば、図１０Ｄ及び１０Ｅは、健康記録概要アフォーダンス５３０８上での接触９５１０を伴うタップジェスチャを検出し、タップジェスチャに応答して、更新された健康記録概要をディスプレイ１１２上に表示することを示す。図１０Ｄに示すタップジェスチャは、進行中の健康状態を表示する要求の一例である。いくつかの実施形態では、デバイス１００は、患者に関する進行中の健康状態を表示する患者からの要求の受信に応答して、第１の進行中の健康状態の表現を表示することなく、第２の進行中の健康状態の第２の表現及び第３の進行中の健康状態の第３の表現を、患者デバイスのディスプレイ１１２上に同時に表示する（１１４２）。図１０Ｅは、例えば、ユーザによって非アクティブな健康記録として指定された健康状態記録９０１６Ｄ（偏頭痛）を表示せずに、健康状態記録９０１６Ａ、９０１６Ｂ及び９０１６Ｃ（それぞれ、不安障害、喘息及び高コレステロール）を同時に表示することを示す。この方法は、患者がアクティブな健康記録と非アクティブな健康記録とを区別できるようにすることによって、患者の認識的負担を軽減し、より効率的なヒューマンマシンインタフェースを創出する。バッテリ動作式コンピューティングデバイスの場合、患者がユーザのアクティブな及び非アクティブな健康記録をより速く、より効率的にブラウズできるようにすることで、電力が節約され、電池充電の間隔が長くなる。
【０３３４】
図１１Ａ〜図１１Ｅにおける動作について記載された特定の順序は単なる例示であり、記載された順序は、動作を実行することができる唯一の順序であることを示すことを意図するものではないことを理解されたい。当業者であれば、本明細書に記載される動作を再順序付けるための様々な方法を認識するであろう。加えて、方法１１００に関して上述したプロセス（例えば、図１１Ａ〜図１１Ｅ）の詳細は、上述の方法にも類似の方式で適用可能であることに留意されたい。例えば、方法７００及び方法９００は、方法１１００を参照して前述した様々な方法の特性のうちの１つ以上を任意選択的に含む。例えば、１１００を参照して上述したアクティブ又は非アクティブとしてユーザによって指定された健康記録を表示するための方法は、集約された健康記録を表示するために方法７００によって任意選択的に使用され、ダッシュボードユーザインタフェース内に健康記録を表示するために方法９００によって任意選択的に使用される。簡潔にするために、これらの詳細は、以下で繰り返さない。
【０３３５】
上記は、説明を目的として、特定の実施形態を参照して記述されている。しかしながら、上記の例示的な論考は、網羅的であること、又は開示される厳密な形態に本発明を限定することを意図するものではない。上記の教示を考慮して、多くの修正及び変形が可能である。これらの実施形態は、本技術の原理、及びその実際の適用を最もよく説明するために、選択及び記載されている。それにより、他の当業者は、意図された具体的な用途に適するような様々な修正を用いて、本技術及び様々な実施形態を最も良好に利用することが可能となる。
【０３３６】
添付図面を参照して、本開示及び例を十分に説明してきたが、様々な変更及び修正が、当業者には明らかとなるであろうことに留意されたい。そのような変更及び修正は、特許請求の範囲によって定義されるような、本開示及び例の範囲内に含まれるものとして理解されたい。
【０３３７】
上述のように、本技術の一態様は、ユーザが求める内容又はユーザが関心を持つ可能性のある任意の他の内容に関するユーザへの配信を改善するために、種々のソースから入手可能なデータを収集及び使用することである。本開示は、いくつかの例において、この収集されたデータは、特定の人を一意に特定する個人情報データ、又は特定の人に連絡する若しくはその所在を突き止めるために使用できる個人情報データを含み得ることを想到している。そのような個人情報データとしては、人口統計データ、位置に基づくデータ、電話番号、電子メールアドレス、自宅の住所、又は任意の他の識別情報を挙げることができる。
【０３３８】
本開示は、本技術におけるそのような個人情報データの使用がユーザの利益になる使用であり得る点を認識するものである。例えば、よりユーザの興味を引く対象のコンテンツを配信するために、個人情報データが使用されてもよい。したがって、そのような個人情報データの使用は、配信されるコンテンツの意図的な制御を可能にする。更には、ユーザに利益をもたらす、個人情報データに関する他の使用もまた、本開示によって想到される。
【０３３９】
本開示は、そのような個人情報データの収集、分析、開示、転送、記憶、又は他の使用目的の責任を負うエンティティが、適切に規定されたプライバシーのポリシー及び／又はプライバシーの慣行に準拠すると更に想到する。具体的には、そのようなエンティティは、個人情報データを秘密として厳重に保守するための、業界又は政府の要件を満たしているか又は上回るものとして一般に認識されている、プライバシーのポリシー及び慣行を実施し、一貫して使用するべきである。例えば、ユーザからの個人情報は、そのエンティティの合法的かつ正当な使用のために収集されるべきであり、それらの合法的使用を除いて、共用又は販売されるべきではない。更には、そのような収集は、ユーザに告知して同意を得た後にのみ実施するべきである。加えて、そのようなエンティティは、そのような個人情報データへのアクセスを保護して安全化し、その個人情報データへのアクセス権を有する他者が、それらのプライバシーのポリシー及び手順を遵守することを保証するための、あらゆる必要な措置を講じるであろう。更には、そのようなエンティティは、広く受け入れられているプライバシーのポリシー及び慣行に対する自身の遵守を証明するために、第三者による評価を自らが受けることができる。
【０３４０】
前述のことがらにもかかわらず、本開示はまた、個人情報データの使用又は個人情報データへのアクセスを、ユーザが選択的に阻止する実施形態も想到する。すなわち、本開示は、そのような個人情報データへのアクセスを防止又は阻止するように、ハードウェア要素及び／又はソフトウェア要素を提供することができると想到する。例えば、広告配信サービスの場合において、本技術は、ユーザが、サービスの登録の間、個人情報データの収集への参加の「オプトイン」又は「オプトアウト」を選択することを可能とするように構成することができる。別の実施例では、ユーザは、対象のコンテンツ配信サービスに対して位置情報を提供しないことを選択してもよい。更に別の実施例では、ユーザは、正確な位置情報を提供しないが位置のゾーン情報の転送は許可することを選択してもよい。
【０３４１】
それゆえ、本開示は、１つ以上の様々な開示された実施形態を実施するための、個人情報データの使用を広範に網羅するものではあるが、本開示はまた、そのような個人情報データにアクセスすることを必要とせずに、それらの様々な実施形態を実施することもまた可能であることを想到している。すなわち、本技術の様々な実施形態は、そのような個人情報データの全て又は一部分が欠如することにより、実施不可能となるものではない。例えば、コンテンツは、ユーザに関連付けられたデバイスによりリクエストされたコンテンツ、コンテンツ配信サービスで使用可能な他の非個人情報、若しくは公的に使用可能な情報などの、非個人情報データ又は個人情報の最小限の量のみに基づいて嗜好を推測することにより、選択してユーザに配信することができる。
【図１Ａ】
2021518791.tif 000003
【図１Ｂ】
2021518791.tif 000004
【図２】
2021518791.tif 000005
【図３】
2021518791.tif 000006
【図４Ａ】
2021518791.tif 000007
【図４Ｂ】
2021518791.tif 000008
【図５Ａ】
2021518791.tif 000009
【図５Ｂ】
2021518791.tif 000010
【図６Ａ】
2021518791.tif 000011
【図６Ｂ】
2021518791.tif 000012
【図６Ｂ−１】
2021518791.tif 000013
【図６Ｃ】
2021518791.tif 000014
【図６Ｄ】
2021518791.tif 000015
【図６Ｅ】
2021518791.tif 000016
【図６Ｅ−１】
2021518791.tif 000017
【図６Ｆ】
2021518791.tif 000018
【図６Ｇ】
2021518791.tif 000019
【図６Ｈ】
2021518791.tif 000020
【図６Ｈ−１】
2021518791.tif 000021
【図６Ｉ】
2021518791.tif 000022
【図６Ｊ】
2021518791.tif 000023
【図６Ｊ−１】
2021518791.tif 000024
【図６Ｋ】
2021518791.tif 000025
【図６Ｋ−１】
2021518791.tif 000026
【図６Ｌ】
2021518791.tif 000027
【図６Ｌ−１】
2021518791.tif 000028
【図６Ｍ】
2021518791.tif 000029
【図６Ｍ−１】
2021518791.tif 000030
【図６Ｎ】
2021518791.tif 000031
【図６Ｏ】
2021518791.tif 000032
【図６Ｏ−１】
2021518791.tif 000033
【図６Ｐ】
2021518791.tif 000034
【図６Ｐ−１】
2021518791.tif 000035
【図６Ｑ】
2021518791.tif 000036
【図６Ｑ−１】
2021518791.tif 000037
【図７Ａ】
2021518791.tif 000038
【図７Ｂ】
2021518791.tif 000039
【図７Ｃ】
2021518791.tif 000040
【図７Ｄ】
2021518791.tif 000041
【図７Ｅ】
2021518791.tif 000042
【図７Ｆ】
2021518791.tif 000043
【図８Ａ】
2021518791.tif 000044
【図８Ｂ】
2021518791.tif 000045
【図８Ｂ−１】
2021518791.tif 000046
【図８Ｃ】
2021518791.tif 000047
【図８Ｃ−１】
2021518791.tif 000048
【図８Ｄ】
2021518791.tif 000049
【図８Ｅ】
2021518791.tif 000050
【図８Ｆ】
2021518791.tif 000051
【図８Ｇ】
2021518791.tif 000052
【図８Ｈ】
2021518791.tif 000053
【図８Ｉ】
2021518791.tif 000054
【図８Ｊ】
2021518791.tif 000055
【図８Ｋ】
2021518791.tif 000056
【図８Ｌ】
2021518791.tif 000057
【図８Ｍ】
2021518791.tif 000058
【図８Ｎ】
2021518791.tif 000059
【図９Ａ】
2021518791.tif 000060
【図９Ｂ】
2021518791.tif 000061
【図９Ｃ】
2021518791.tif 000062
【図９Ｄ】
2021518791.tif 000063
【図１０Ａ】
2021518791.tif 000064
【図１０Ｂ】
2021518791.tif 000065
【図１０Ｃ】
2021518791.tif 000066
【図１０Ｄ】
2021518791.tif 000067
【図１０Ｅ】
2021518791.tif 000068
【図１０Ｆ】
2021518791.tif 000069
【図１０Ｇ】
2021518791.tif 000070
【図１０Ｈ】
2021518791.tif 000071
【図１０Ｉ】
2021518791.tif 000072
【図１０Ｊ】
2021518791.tif 000073
【図１０Ｋ】
2021518791.tif 000074
【図１０Ｌ】
2021518791.tif 000075
【図１０Ｍ】
2021518791.tif 000076
【図１０Ｎ】
2021518791.tif 000077
【図１０Ｏ】
2021518791.tif 000078
【図１０Ｐ】
2021518791.tif 000079
【図１０Ｑ】
2021518791.tif 000080
【図１１Ａ】
2021518791.tif 000081
【図１１Ｂ】
2021518791.tif 000082
【図１１Ｃ】
2021518791.tif 000083
【図１１Ｄ】
2021518791.tif 000084
【図１１Ｅ】
2021518791.tif 000085
【手続補正書】
【提出日】令和2年9月15日(2020.9.15)
【手続補正１】
【補正対象書類名】特許請求の範囲
【補正対象項目名】全文
【補正方法】変更
【補正の内容】
【特許請求の範囲】
【請求項１】
方法であって、
ディスプレイ及び１つ以上の入力デバイスを有する電子デバイスにおいて、
前記電子デバイスが第１のヘルスケア提供者に関連付けられており、かつ第２のヘルスケア提供者に関連付けられていない間に、前記１つ以上の入力デバイスを介して、第１のユーザに関する健康記録を表示する第１の要求を受信することと、
前記第１のユーザに関する健康記録を表示する前記第１の要求の受信に応答して、複数の健康記録カテゴリの表現を前記ディスプレイ上に表示することであって、前記複数の健康記録カテゴリの表現が、
前記複数のカテゴリのうちの第１のカテゴリの第１の表現であって、前記電子デバイスが前記第１のヘルスケア提供者に関連付けられており、かつ前記第２のヘルスケア提供者に関連付けられていない間に前記第１のカテゴリの前記第１の表現を選択することが、前記電子デバイスに、前記第１のヘルスケア提供者からの前記第１のカテゴリの複数の健康記録を前記ディスプレイ上に表示させる、第１の表現と、
前記複数のカテゴリのうちの第２のカテゴリの第２の表現であって、前記電子デバイスが前記第１のヘルスケア提供者に関連付けられており、かつ前記第２のヘルスケア提供者に関連付けられていない間に前記第２のカテゴリの前記第２の表現を選択することが、前記電子デバイスに、前記第１のヘルスケア提供者からの前記第２のカテゴリの複数の健康記録を前記ディスプレイ上に表示させる、第２の表現と、
を含むことと、
前記複数の健康記録カテゴリの表現を表示した後、かつ前記電子デバイスが前記第２のヘルスケア提供者に関連付けられた後に、前記１つ以上の入力デバイスを介して、前記第１のユーザに関する健康記録を表示する第２の要求を受信することと、
前記第１のユーザに関する健康記録を表示する前記第２の要求の受信に応答して、前記複数の健康記録カテゴリの表現を前記ディスプレイ上に表示することであって、前記複数の健康記録カテゴリの表現が、
前記複数のカテゴリのうちの前記第１のカテゴリの前記第１の表現であって、前記電子デバイスが前記第１のヘルスケア提供者及び前記第２のヘルスケア提供者に関連付けられている間に前記第１のカテゴリの前記第１の表現を選択することが、前記電子デバイスに、前記第１のヘルスケア提供者からの前記第１のカテゴリの１つ以上の健康記録及び前記第２のヘルスケア提供者からの前記第１のカテゴリの１つ以上の健康記録を前記ディスプレイ上に表示させる、前記第１の表現と、
前記複数のカテゴリのうちの前記第２のカテゴリの前記第２の表現であって、前記電子デバイスが前記第１のヘルスケア提供者及び前記第２のヘルスケア提供者に関連付けられている間に前記第２のカテゴリの前記第２の表現を選択することが、前記電子デバイスに、前記第１のヘルスケア提供者からの前記第２のカテゴリの１つ以上の健康記録及び前記第２のヘルスケア提供者からの前記第２のカテゴリの１つ以上の健康記録を前記ディスプレイ上に表示させる、前記第２の表現と、
を含むことと、
を含む方法。
【請求項２】
前記１つ以上の入力デバイスを介して、前記第１のカテゴリの前記第１の表現の第１の選択を受信することと、
前記第１の選択の受信に応答して、前記第１のカテゴリの健康記録の複数のサブカテゴリの表現を前記ディスプレイ上に表示することであって、前記第１のカテゴリの健康記録の複数のサブカテゴリの表現が、
前記第１のカテゴリの第１のサブカテゴリの第１の表現であって、前記第１のカテゴリの前記第１のサブカテゴリの前記第１の表現を選択することが、前記電子デバイスに、前記第１のヘルスケア提供者からの前記第１のカテゴリの前記第１のサブカテゴリの複数の健康記録を前記ディスプレイ上に表示させる、第１の表現と、
前記第１のカテゴリの第２のサブカテゴリの第２の表現であって、前記第１のカテゴリの前記第２のサブカテゴリの前記第２の表現を選択することが、前記電子デバイスに、前記第１のヘルスケア提供者からの前記第１のカテゴリの前記第２のサブカテゴリの複数の健康記録を前記ディスプレイ上に表示させる、第２の表現と、
を含むことと、
を更に含む、請求項１に記載の方法。
【請求項３】
第１の種類の健康記録が第１の色で表示され、第２の種類の健康記録が、前記第１の色とは異なる第２の色で表示される、請求項１又は２に記載の方法。
【請求項４】
前記複数の健康記録カテゴリの表現を前記ディスプレイ上に表示することが、
前記第１のカテゴリを要約する第１の内容と、前記第１のカテゴリに関連付けられた第１のカテゴリ情報アフォーダンスとを前記ディスプレイ上に表示することであって、前記第１のカテゴリ情報アフォーダンスを選択することが、前記電子デバイスに、前記第１の内容に含まれない前記第１のカテゴリに関連付けられた更なる内容を前記ディスプレイ上に表示させることと、
前記第２のカテゴリを要約する第２の内容と、前記第２のカテゴリの第２のカテゴリ情報アフォーダンスとを前記ディスプレイ上に表示することであって、前記第２のカテゴリ情報アフォーダンスを選択することが、前記電子デバイスに、前記第２の内容に含まれない前記第２のカテゴリに関連付けられた更なる内容を前記ディスプレイ上に表示させることと、
を更に含む、請求項１から３のいずれか一項に記載の方法。
【請求項５】
前記第１のカテゴリの前記複数の健康記録が時系列で表示され、
前記第２のカテゴリの前記複数の健康記録が時系列で表示される、
請求項１から４のいずれか一項に記載の方法。
【請求項６】
前記第１のヘルスケア提供者からの前記第１のカテゴリの前記複数の健康記録は、前記第１のヘルスケア提供者からの前記第１のカテゴリの第１の健康記録及び前記第１のヘルスケア提供者からの前記第１のカテゴリの第２の健康記録を含み、
前記第１のヘルスケア提供者からの前記第２のカテゴリの前記複数の健康記録は、前記第１のヘルスケア提供者からの前記第２のカテゴリの第３の健康記録及び前記第１のヘルスケア提供者からの前記第２のカテゴリの第４の健康記録を含み、
前記第１のヘルスケア提供者からの前記第１のカテゴリの前記第１の健康記録及び前記第１のヘルスケア提供者からの前記第２のカテゴリの前記第３の健康記録は、前記第１のヘルスケア提供者への第１の訪問の記録であり、
前記第１のヘルスケア提供者からの前記第１のカテゴリの前記第２の健康記録及び前記第１のヘルスケア提供者からの前記第２のカテゴリの前記第４の健康記録は、前記第１のヘルスケア提供者への第２の訪問の記録であり、
前記方法が、
前記第１のユーザに関する健康記録を表示する前記第１の要求の受信に応答して、前記第１の健康記録及び前記第３の健康記録を前記ディスプレイ上で第１のグループ内に同時に表示することであって、前記第１のグループは、前記ディスプレイ上で前記第１の訪問の第１の日付によって識別されることと、
前記第１のユーザに関する健康記録を表示する前記第１の要求の受信に応答して、前記第２の健康記録及び前記第４の健康記録を前記ディスプレイ上で第２のグループ内に同時に表示することであって、前記第２のグループは、前記ディスプレイ上で前記第２の訪問の第２の日付によって識別され、前記第１の日付は前記第２の日付とは異なることと、
を更に含む、請求項１から５のいずれか一項に記載の方法。
【請求項７】
前記第２のヘルスケア提供者からの前記第１のカテゴリの前記複数の健康記録は、前記第２のヘルスケア提供者からの前記第１のカテゴリの第５の健康記録を含み、
前記第２のヘルスケア提供者からの前記第２のカテゴリの前記複数の健康記録は、前記第２のヘルスケア提供者からの前記第２のカテゴリの第６の健康記録を含み、
前記第２のヘルスケア提供者からの前記第１のカテゴリの前記第５の健康記録及び前記第２のヘルスケア提供者からの前記第２のカテゴリの前記第６の健康記録は、前記第２のヘルスケア提供者への第３の訪問の記録であり、
前記方法は、前記第１のユーザに関する健康記録を表示する前記第２の要求の受信に応答して、前記第５の健康記録及び前記第６の健康記録を前記ディスプレイ上で第３のグループ内に同時に表示することを更に含み、
前記第３のグループは、前記ディスプレイ上で前記第２のヘルスケア提供者への前記第３の訪問の第３の日付によって識別され、
前記第１のグループ、前記第２のグループ及び前記第３のグループは、ディスプレイ上に同時に表示される、
請求項６に記載の方法。
【請求項８】
前記第１のヘルスケア提供者からの前記第１のカテゴリの前記第１の健康記録及び前記第１のヘルスケア提供者からの前記第１のカテゴリの前記第２の健康記録は、第１の色で表示され、
前記第１のヘルスケア提供者からの前記第２のカテゴリの前記第３の健康記録及び前記第１のヘルスケア提供者からの前記第２のカテゴリの前記第４の健康記録は、第１の色とは異なる第２の色で表示される、
請求項６又は７に記載の方法。
【請求項９】
前記第１のヘルスケア提供者からの前記第１のカテゴリの前記第１の健康記録に対する更新を受信することと、
前記第１のグループの前記第１の健康記録に関連付けられた第１の更新バッジを前記ディスプレイ上に表示することであって、前記第１の更新バッジ及び前記第１の健康記録は、前記ディスプレイの第１の領域内に同時に表示されることと、
を更に含む、請求項６から８のいずれか一項に記載の方法。
【請求項１０】
前記第１のユーザに関する健康記録を表示する前記第１の要求の受信に応答して、前記第１のヘルスケア提供者の識別情報及び所在地を特定する第１の内容を前記ディスプレイ上に表示することと、
前記第１のユーザに関する健康記録を表示する前記第２の要求の受信に応答して、前記第２のヘルスケア提供者の識別情報及び所在地を特定する第２の内容を前記ディスプレイ上に表示することと、
を更に含む、請求項１から９のいずれか一項に記載の方法。
【請求項１１】
前記電子デバイスが前記第１のヘルスケア提供者に関連付けられている間に、前記第１のカテゴリの前記第１の表現の選択を検出することと、
前記電子デバイスが前記第１のヘルスケア提供者に関連付けられている間に前記第１のカテゴリの前記第１の表現の選択を検出したことに応答して、前記第１のヘルスケア提供者からの前記第１のカテゴリの前記複数の健康記録のうちの第１の健康記録の第１の表現を前記ディスプレイ上に表示することであって、
前記第１の健康記録の前記第１の表現は、ある数値範囲内の数値を含み、
前記数値は前記第１のユーザの健康状態を示し、前記数値範囲は前記健康記録に関する正常な数値範囲を示す、
ことと、
を含む、請求項１から１０のいずれか一項に記載の方法。
【請求項１２】
前記数値を、前記第１のユーザの前記健康状態の重症度に基づいて選択された色で表示することを更に含む、請求項１１に記載の方法。
【請求項１３】
前記第１のヘルスケア提供者からの前記第１のカテゴリの前記複数の健康記録の第２の健康記録の第２の表現を表示することを更に含み、前記第２の健康記録の前記第２の表現は、ある期間にわたる前記第１のユーザの状態を示すグラフを含む、請求項１から１２のいずれか一項に記載の方法。
【請求項１４】
前記第１のヘルスケア提供者からの前記第１のカテゴリの前記複数の健康記録のうちの第３の健康記録の第３の表現を表示することを更に含み、前記第３の健康記録の前記第３の表現は、前記第１のユーザの医療記録を示す画像を含む、請求項１から１３のいずれか一項に記載の方法。
【請求項１５】
前記第１の健康記録カテゴリの一健康記録に対する更新を受信することと、
前記第１のカテゴリの前記健康記録に対する前記更新を受信した後に、前記第１のユーザに関する前記健康記録を表示する前記第１の要求及び前記第１のユーザに関する前記健康記録を表示する前記第２の要求のうちの少なくとも１つの受信に応答して、前記第１のカテゴリに関連付けられた第２の更新バッジを前記ディスプレイ上に表示することであって、前記第２の更新バッジ及び前記第１のカテゴリの前記第１の表現が、前記ディスプレイの第１の領域内に同時に表示されることと、
を更に含む、請求項１から１４のいずれか一項に記載の方法。
【請求項１６】
第２の更新バッジが、前記第１のカテゴリの前記第１の表現に視覚的に関連付けられている、請求項１５に記載の方法。
【請求項１７】
前記電子デバイスが前記第１のヘルスケア提供者に関連付けられている間に前記第１のカテゴリの前記第１の表現を選択することが、前記デバイスに、前記第１の健康記録カテゴリの前記健康記録の表現を前記ディスプレイ上に表示させ、前記第２の更新バッジが、前記第１の健康記録カテゴリの前記健康記録の前記表現に視覚的に関連付けられている、請求項１５又は１６に記載の方法。
【請求項１８】
前記第２の更新バッジを前記ディスプレイ上に表示することが、前記健康記録に対する前記更新の内容を前記第２の更新バッジ上に表示することを含む、請求項１５から１７のいずれか一項に記載の方法。
【請求項１９】
前記第２の更新バッジを選択する要求を、前記１つ以上の入力デバイスを介して受信することと、
前記第２の更新バッジを選択する前記要求の受信に応答して、前記第１の健康記録カテゴリの前記健康記録に対する前記更新を前記ディスプレイ上に表示することと、
を更に含む、請求項１５から１８のいずれか一項に記載の方法。
【請求項２０】
前記健康記録に対する前記更新を前記ディスプレイ上に表示することが、前記健康記録に対する前記更新と、前記健康記録に関連付けられた推奨アフォーダンスとを同時に表示することを含み、前記方法が、
前記推奨アフォーダンスを選択する要求を、前記１つ以上の入力デバイスを介して受信することと、
前記推奨アフォーダンスを選択する前記要求の受信に応答して、推奨されるアクションを前記ディスプレイ上に表示することであって、前記推奨されるアクションは、前記健康記録に対する前記更新に基づいていることと、
を更に含む、請求項１９に記載の方法。
【請求項２１】
前記推奨が、前記第１のヘルスケア提供者との予約をスケジュールするための推奨であり、前記推奨されるアクションを表示することは、前記推奨されるアクションとスケジューリングアフォーダンスとを同時に表示することを含む、請求項２０に記載の方法。
【請求項２２】
前記第１の健康記録カテゴリの一健康記録に対する更新を受信することと、
前記健康記録に対する前記更新の受信に応答して、
前記更新の重要性が閾値よりも大きいという判定に従って、前記更新の通知を前記ディスプレイ上に表示することと、
前記更新の重要性が前記閾値未満であるという判定に従って、前記更新の前記通知を前記ディスプレイ上に表示することを取り止めることと、
を更に含む、請求項１から２１のいずれか一項に記載の方法。
【請求項２３】
前記電子デバイスが前記第１のヘルスケア提供者に関連付けられており、かつ前記第２のヘルスケア提供者に関連付けられていない間に前記第１のカテゴリの前記第１の表現を選択することが、前記電子デバイスに、前記第１のヘルスケア提供者からの前記第１のカテゴリに関連付けられた過去の健康記録を前記ディスプレイ上に表示させ、前記第１のカテゴリに関連付けられた前記過去の健康記録が、前記第１のヘルスケア提供者からの前記第１のカテゴリの前記複数の健康記録を含み、
前記電子デバイスが前記第１のヘルスケア提供者に関連付けられており、かつ前記第２のヘルスケア提供者に関連付けられていない間に前記第２のカテゴリの前記第２の表現を選択することが、前記電子デバイスに、前記第１のヘルスケア提供者からの前記第２のカテゴリに関連付けられた過去の健康記録を前記ディスプレイ上に表示させ、前記第２のカテゴリに関連付けられた前記過去の健康記録が、前記第１のヘルスケア提供者からの前記第２のカテゴリの前記複数の健康記録を含み、
前記電子デバイスが前記第１のヘルスケア提供者及び前記第２のヘルスケア提供者と関連付けられている間に前記第１のカテゴリの前記第１の表現を選択することが、前記電子デバイスに、前記第１のヘルスケア提供者及び前記第２のヘルスケア提供者からの前記第１のカテゴリに関連付けられた過去の健康記録を前記ディスプレイ上に表示させ、前記第１のカテゴリに関連付けられた前記過去の健康記録が、前記第１のヘルスケア提供者からの前記第１のカテゴリの前記１つ以上の健康記録及び前記第２のヘルスケア提供者からの前記第１のカテゴリの前記１つ以上の健康記録を含み、
前記電子デバイスが前記第１のヘルスケア提供者及び前記第２のヘルスケア提供者と関連付けられている間に前記第２のカテゴリの前記第２の表現を選択することが、前記電子デバイスに、前記第１のヘルスケア提供者から及び前記第２のヘルスケア提供者からの前記第２のカテゴリに関連付けられた過去の健康記録を前記ディスプレイ上に表示させ、前記第２のカテゴリに関連付けられた前記過去の健康記録は、前記第１のヘルスケア提供者からの前記第２のカテゴリの１つ以上の健康記録及び前記第２のヘルスケア提供者からの前記第２のカテゴリの１つ以上の健康記録である、
請求項１から２２のいずれか一項に記載の方法。
【請求項２４】
電子デバイスであって、
ディスプレイと、
１つ以上の入力デバイスと、
１つ以上のプロセッサと、
メモリと、
１つ以上のプログラムと、を備え、前記１つ以上のプログラムは、前記メモリに記憶され、前記１つ以上のプロセッサによって実行されるように構成されており、前記１つ以上のプログラムは、請求項１から２３のいずれか一項に記載の方法を実行するための命令を含む、電子デバイス。
【請求項２５】
ディスプレイ及び１つ以上の入力デバイスを有する電子デバイスの１つ以上のプロセッサによって実行されると、前記電子デバイスに、請求項１から２３のいずれか一項に記載の方法を実行させる命令を含む、コンピュータプログラム。
【請求項２６】
電子デバイスであって、
ディスプレイと、
１つ以上の入力デバイスと、
請求項１から２３のいずれか一項に記載の方法を実行するための手段と、
を備える、電子デバイス。
【国際調査報告】
2021518791.tif 000086
2021518791.tif 000087
2021518791.tif 000088
2021518791.tif 000089